(57)【要約】      （修正有）【課題】利便性を向上させた小型で多機能の用途別蓋とマドラー動力部の撹拌器を提供する。【解決手段】蓋とマドラー何れかに多目的モータ６１，６７７，１２８，１２７と多目的エアモータ６０と多目的伝動部品３５７を含む動力部と付属部を設け、それらを組み合わせて全ての用途に対応する。【選択図】図１ａ
0003188223.tif 000002
【実用新案登録請求の範囲】
【請求項１】
用途別攪拌器の基本構造として、円盤形状のものに、ビーカーの口のサイズ別に３０ｍｌから２００ｍｌ（122・121・124・123）までの溝を備えた部分と、交換取手部接続溝（317）と、その中心にマドラー用貫通口（318）と、ボタン電池の格納部（365）と、交換取手部接続溝（317）の上の方にプラス極電極板（３５４）と、下の方にマイナス極電極板と、プッシュスイッチ（５５）を備えたオールアルミ製やオールプラスチック製などからなる蓋（５１）と、これを接続する、取っ手部ケース（６３６）にマドラーストッパー孔の付いたノーマル用ゴム製取っ手（６３７）を格納したノーマル取手部（48）と、これと交換できる蓋に動力を設けた多目的平型モータ（61）と、多目的蒸気モータ（60）の蓋タイプと、着脱式頭頂部振動発電による動作確認ランプ部（54）の構造を備えた部分と、交換式先端部スプーン（104）・スクリュー（117）の回転先端部と、その間をノーマルマドラー支柱（46）と、動力内臓本体の多目的軸型１ASCモータ（128）と、多目的軸型２TWモータ（127）で繋いだマドラータイプやノーマルマドラーからなるものの構造を備えた部分と小型モータの左右の回転でスクリューかファンを切替機構のチェンジギアと、マドラータイプを好みの高さに緩嵌して使う両端に接続孔を持つ、ダブル攪拌用アダプター（１１９）と、三〇〇ｍｌ用蓋のアダプター（62）を組み合わせて使う、これらすべてを有する用途別蓋付き攪拌器
【請求項２】
前記本第２発明の多目的平型モータ（６３９）は、従来のモータのシャフト部を円筒形のシャフト管内部ゴム加工（９４）内側表面ゴム加工した部分と、コア本体部である（８９）にケイ素鋼製の平型モーターコイル部軸上先端部（171）３個と、平たい穴の開いた円柱形のケイ素鋼製の平型モータコイル部軸中央先端部（172）を置いた部分と、電磁鋼製の扇形状延長板（８８）の３つを螺設してできたHMコイル部延長部付き軸（３２４）と、本体着脱の平型モータマグネット蓋（91）に内装したHMマグネット部（８６）を特徴とするこれら全ての構造と機能を有する請求項1・記載の「多目的振動を回転に変える発電機内臓の動作確認用LED部」とマドラータイプの「多目的ヒートモータ」と「多目的軸型1 ASCモータ」と「多目的軸型2 TWモータ」と蓋タイプの「多目的平型モータ」と「多目的平型エアモータ」と「多目的チェンジギアボックス」のモータと伝動部品のすべてを有する用途別蓋付き攪拌器
【請求項３】
前記本第３発明の多目的平型エアモータ（６５９）は、まずはヘッド板（75〜82）の厚みの細い方のA角部では厚さが２mmで、反対側の厚さが５mmの二等辺三角形状で、横のサイズが全て１．５ｃｍで、縦が０．５ｃｍから０．０１ｃｍずつ長さを足していき、一番大きいサイズが、縦０．８ｃｍで各サイズ３０個が２枚ずつあり、これを筒状のVAヘッド固定管（319）を中心に厚みがA角の細くなつた部分を寄せて上部を溶接加工して出来た形状がVAヘッド（67）の形状を備えた部分と、これを円筒形状のVAヘッド外カバー（４０３）にVAヘッド（67）の  底部まで入れて圧着し、これに上記VAヘッド外カバー（４０３）より一回り大きい円柱の容器形状の上部にVAヘッド固定管（319）用の孔の開いた部分を持つ
多目的平型エアモータケース（６６）にVAヘッド外カバー（４０３）付きVAヘッド（67）を底部まで入れて圧着したものに、VA蒸気室用ヘッドの山部の高さ０．８ｃｍ（７３）の位置に吸気口（６４）であるVAヘッド外カバー（４０３）と多目的平型エアモータケース（６６）の左横に貫通口を設け、その反対側のVA蒸気室用ヘッドの谷部の高さ０．５ｃｍ（７１）の排気口（６３）の位置にVAヘッド外カバー（４０３）の右横に貫通口を設け、更に多目的平型エアモータケース（６６）の横から入り中腹で真下の底部まで欠削して貫設した多目的平型エアモータケース（６６）の中に配管ができ、これらを固定するために、エアモータケース（６６）横にあるイモネジ用の穴（192）に、（445）イモネジで螺着してできた本体部と、つぎにローター部の構造として、円盤形状にVAシャフト管（65）の孔の開いたVAローター底ベース（４１５）と、板バネ（７４）をビス（４５５）で固定して出来たのが、 VA ローター部台座（４５４）で、これの中央の穴から０．５ｍｍ突き出る様にVAシャフト管（６５）さして固定したものに、筒型の横にブレード（６９）用の溝か切られたVA ブレードガイド軸（４５３）をVAシャフト管（６５）に通したこれら３つの付け根を溶接で固定し、これの上から円盤の中心にVA可動管用（65）の穴とVAブレード（69）用の穴が開いた形状の蓮根型プレート（68）をVAシャフト管（６５）に通し、VA ブレードガイド軸（４５３）の頭頂部に固定して出来たのが、ローター固定部で、これにVAブレード（69）
を１２枚差し込んだのがローター部で、これを上記本体部に格納し、多目的平型エアモータケース（６６）の底部内周面に螺設した内螺子（294）に、VAモータケース蓋の外周面に螺設した外螺子（336）で蓋をしたこれら全ての構造と機能を有する請求項1・記載の「多目的振動を回転に変える発電機内臓の動作確認用LED部」とマドラータイプの「多目的ヒートモータ」と「多目的軸型1 ASCモータ」と「多目的軸型2 TWモータ」と蓋タイプの「多目的平型モータ」と「多目的平型エアモータ」と「多目的チェンジギアボックス」のモータと伝動部品のすべてを有する用途別
蓋付き攪拌器
【請求項４】
前記本第４発明の多目的軸型１ASCモータ（１２８のマドラー先端部スプーン・スクリュー接続部なし）は、まずS1ASCの蓋固定部（484）は、円筒形の片側を蓋で閉じた部分に螺設した突起部が外螺子部であるSGL部接続部（299）になる部分と、
管材形状のものの内側右からB1ABCモータ用ブラシアーム（647）と＋極S1ASC金属ブラシ（377）が順番に接続された部分と、反対側の一段下の位置からB1ABCモータ用ブラシアーム（647）と−極S1ASC金属ブラシ（378）の順番に接続したブラシベース固定管（646）部分と、円形の両端に極性の違う扇状の磁石部を設け、その隙間を樹脂で固めたS1ASC壱マグネット部（141）と、同じもので反対向きに配置されるS1ASC弐マグネット部（478）の２つの部品と、コミテータ芯管（６４８）の上部にコミテータ片（３３０）１枚と絶縁体片（２５２）２枚を接続したN・S＋S1ASCコミテータ部（３７９・３８１）と、もう一つのコミテータ芯管（６４８）の下部にコミテータ片（３３０）１枚と絶縁体片（２５２）２枚を接続したN・S−S1ASCコミテータ部（３８０・３８２）と、N＋S1ASCコミテータ部（３７９）とコミテータ芯固定部（６４９）を間にN−S1ASCコミテータ部（３８０）を挟んで出来たN磁コイル部用コミテータ部と、S＋S1ASCコミテータ部（３８１）とコミテータ芯固定部（６４９）を間にS−S1ASCコミテータ部（３８２）を挟んで出来たS磁コイル部用コミテータ部分と、内側中心にS1ASCモータ本体軸（206）を軸止し、この軸を通してS1ASCの蓋固定部（484）の筒の中に圧着したブラシベース固定管（646）と、これに蓋をする様に軸よりも大きい孔を持つS1ASC壱・マグネット部（141）通して、ブラシベース固定管（646）に固定した第一ローター部のコミテータ格納部と、S1ASCモータ本体軸（206）用の孔の開いた円盤状の固定板（645）を底部としてと、ブラシベース固定管（646）を固定し、上からはS1ASC弐マグネット部（478）で蓋をするように固定して出来た第２ローター部で、これのコミテータ格納部のS1ASC弐マグネット部（478）の方から通し、固定板（645）の中央の孔から０.5ｍｍ突出させて固定して出来たのが本体であるS1ASC固定部（306）部分と、N又はS＋S1ASCコミテータ部（３７９又は３８１）と、N又はS−S1ASCコミテータ部（３８０又は３８２）がコイル部の配線部分と、第一又は二ローター部のコミテータ格納部の、＋極S1ASC金属ブラシ（377）と−極S1ASC金属ブラシ（378）は市販のPICモータ制御装置（50）と、配線が繋がっている配線部分と、円筒形電磁鋼製のS1ASC磁極コア部軸管（２０８）の上部を軸に描く円の７０°から１１５°の角度からなる扇形状のS1ASC磁極コア軸先端部（２０７）を、S1ASC磁極コア部軸管（２０８）上下部に平行配置固定し、その内の上部S1ASC磁極コア軸先端部（２０７）の右横に同じS1ASC磁極コア軸先端部（２０７）と、その上部に同じ形状のS1ASCのS極マグネット部（２０２）接続したS1ASC S極磁極部軸（１４２）か、S1ASC S極磁極部軸（１４２）のS1ASCのS極マグネット部（２０２）をS1ASCのN極マグネット部（203）変えて出来たのがS1ASC N極磁極部軸（143）になり、これにコイルを巻回したのがS1ASCのS・N極磁極部（277・278）で、これに円筒形のコミテータ延長芯（650）と、S又はN磁コイル部用コミテータ部（379又は381と649と380又は382を接続したもの）を接続してできたローター部壱・弐（657・658）の部分と、S1ASC弐マグネット部（478）の位置にステンレス製S1ASCの駆動部（483）とS1ASCのS極コイル部（277）とS1ASCのN極コイル部（278）の位置にバナジウム製S1ASCの駆動部（482）の素材でできた茶筒形状底部にマドラー先端部スプーン・スクリュー接続部（300）が付いたのS1ASCの稼動管（209）にマドラー先端部交換式スプーン（104）又はマドラー先端部交換式スクリュー（117）を接続したS1ASCの稼動部（209に１０４か１１７を接続したもの）になる部分と、S1ASC壱マグネット部（141）の左側N極と、S磁コイル部（277）の上側がN極で引き合い、それと同時に磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、次に、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は２倍移動して受身（動かされる）の状態から今度は逆にN磁コイル部（278）の可動により、反対側が同じ様に動く事で回転を作り出す稼動行程、これら全ての構造と機能を有する請求項1・記載の「多目的振動を回転に変える発電機内臓の動作確認用LED部」とマドラータイプの「多目的ヒートモータ」と「多目的軸型1 ASCモータ」と「多目的軸型2 TWモータ」と蓋タイプの「多目的平型モータ」と「多目的平型エアモータ」と「多目的チェンジギアボックス」のモータと伝動部品のすべてを有する用途別蓋付き攪拌器
【請求項５】
前記本第５発明の多目的軸型2TWモータの前記用途別攪拌器の冷却用マドラータイプに最適な軸型2TWモータ内臓ファン付きマドラータイプ攪拌器（127に54と117か104を接続したもの）の構造は、ケイ素鋼製のU字の軸部（250）にコイルを巻きつけて、その先端部に電磁鋼製のU字コイル部扇形状先端部（249）を取り付け、これをステンレス製のU字コイル固定部（255）に挟んで格納することで本体に固定し、そこからコイルの配線が軸型２TWモータのケース（462）の配線溝（168）を通り、スイッチの真上の頭頂部より外部に出て制御装置（50）に接続したU字コイル部（221）の第１ブロック（282）部分と、軸型２TWモータの可動管（232）に扇柱のマグネット部（505）を上下に挟み、それを固定するためのリング状のギアで歯が左に寝た形状のステンレス製のワンウェイギア左回転用（290）を磁石部本体中央に固定し、その位置に本体側の面に軸型２TWモータのワンウェイギア用逆戻り防止つめ（234）を設け、先程の軸型２TWモータの磁石部（222）の軸型２TWモータ磁石部の稼動用溝（461）に軸型２TWモータ磁石部受け（463）をセットした構造のスクリュー稼動時のロータである軸型２TWモータの磁石部（222）の第２ブロック（283）部分と、Y字軸部稼動軸口（297）の穴が中央に開いたケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻き、その後ろにワンウェイギア右回転用（247）とラチェット機構により一方向に回転するマグネット部のワンウェイギアマグネット部（506）とY字コイル部可動軸（245）順番に接続し、次にY字コイル部可動軸（245）にシングルCMスイッチ（466）を通し、スライド半固定部（161）の突起先端シングルCMスイッチ（466）受け形状により、スライド回転可能にした部分と、また先程のY字コイル部可動軸（245）にダブル用CMFスイッチ（239）を通し、Wスイッチ半固定部（162）の突起先端ダブル用CMFスイッチ（239）受け形状により、スライド可能にした部分と、つぎにTW２枚部コミテータ（414）と、TW3枚部コミテータ（413）をY字コイル部可動軸（245）の端に固定した部分と、TW２枚部コミテータ（414）の位置にリングの内側から伸びる板バネ・アーム・金属ブラシが順番に接続されたのが対角線上より伸びた構造のY字コイル部W用金属ブラシベースリング（135）と、TW3枚部コミテータ（413）の位置にリングの内側から伸びる板バネ・アーム・金属ブラシが順番に接続されたのが対角線上より伸びたのとそれより１段上からも同じ様に均等な位置３箇所から伸びたY字コイル部金属ブラシ3・２ベースリング（134） からなる部分と、 シングル巻線（467）の左右の配線がシングル用CMスイッチ（466）のスライド移動に関係なく接触通電可能と、シングル用CMスイッチ（466）のスライド移動により切り替え後シングル時のモータ制御配線（451）の時には接触通電可能なYSCB１TOSC１（153）からY字シングルコイル部金属ブラシ（464）とYSCB2TOSC2（152）からもう一方のシングル用CMスイッチ（466）へ行く配線と、これの相手方のTW２枚部コミテータ（414）の両サイドから市販のPICモータ制御装置（５０）へ伸びるMCTO TW２コミテータ１（118）MCTO TW２コミテータ２（136）と、ダブル巻線１（468）左配線WCMFS2TOWC1（154）��、隣のダブル巻線２（103）への配線のWコイル間配線（461）と、その中間位置からダブルコイル部用金属ブラシ（291）へ伸びるTW3コミテータ2BTWC１A2（114）と、ダブル巻線２（103）の右配線からダブル用CMFスイッチ（239）のWCMFSIO金具１（470）に伸びるWCMFS１TOWC2（155）と、ダブル用CMFスイッチ（239）のWCMFSIO金具１（４７０）からTW3枚部コミテータ（４１３）一つへ行くTW3コミテータ1TOWS１（116）と、ダブル用CMFスイッチ（239）のWCMFSIO金具２（473）から別のTW3枚部コミテータ（413）へ行くTW3コミテータ3TOWS2（115）と、ダブルコイル部用金属ブラシ（291）のそれぞれ別にMCTOTW3コミテータ１（111）・（ MCTO TW3コミテータ2（112）・MCTO TW3コミテータ3（113）３つと、ファン稼動時のTW金属ブラシ（465）のMCTOFMTW金属ブラシ１（148）MCTOFMTW金属ブラシ２（151）が市販のPICモータ制御装置（50）伸びるこれら全ての配線部分と、軸型２TWモータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）からなる部分と、軸型２TWモータの磁石部（２２２）のS2TWの可動管（232）にS2TWのシャフト（169）を接続し、S2TWの1W用逆戻り防止つめ（234）のU字磁極コア軸部稼動軸口（298）を通し本体軸型２TWモータのケース（462）の底部を蓋をするように軸型２TW SUASK可動接続部（125）を回転可能に保持した部分からなるこれら全ての構造と機能を有する請求項1・記載の「多目的振動を回転に変える発電機内臓の動作確認用LED部」とマドラータイプの「多目的ヒートモータ」と「多目的軸型1 ASCモータ」と「多目的軸型2 TWモータ」と蓋タイプの「多目的平型モータ」と「多目的平型エアモータ」と「多目的チェンジギアボックス」のモータと伝動部品のすべてを有する用途別蓋付き攪拌器
【請求項６】
前記本第6発明の多目的チェンジギアボックスは、円筒形の頭部に左側の傾斜を持つ山が１から十数個ある形状の傾斜面を内側に３０°〜９０°（179）と外側に９０°〜１５０°（155）の角度の範囲で何れかの角度に合わせて角度を保ちながら削って内側か外側に傾斜がついた左ヘッド（349）と、これと同形状で頭部に右側の傾斜を持つ山が１から十数個ある右ヘッド（352）と、両面ヘッド（364）は右２から数十ヘッド（352）と左２から数十ヘッド（349）の後部を左右対称の状態から９０°右回転した位置で、円柱形状にガイド受の四角い孔を開け、CGWH  突起部（３５６）の付いた  RHSG受部（346）を間に挟み接続してできた両面ヘッド（364）を上部切り替えガイドの溝（１９３）か（１６６）か（１９４）の何れかの位置にCGWH  突起部（３５６）合わせて移動可能に内蔵した部分と、円柱の中間が四角柱に形成されたCG稼動軸（363）と、長い円筒形のチェンジギアボックスケース（362）の底部に短い円筒形の下部切り替えガイド形成部用（189）と円筒形をCGWH  突起部（356）より0.1ｍｍの圧さ分、左から右へカットと対抗面は右から左へカットしたものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９１）をCGWH  突起部（356）より0.1ｍｍのスペースを空けた位置と、円筒形の上部切り替えガイド形成部用（371）突起部（356）より0.1ｍｍのスペースを空けた位置にそれぞれの（192）に（445）で螺着したチェンジギアボックスケース本体（164）、これら全ての構造と機能を有する請求項1・記載の「多目的振動を回転に変える発電機内臓の動作確認用LED部」とマドラータイプの「多目的ヒートモータ」と「多目的軸型1 ASCモータ」と「多目的軸型2 TWモータ」と蓋タイプの「多目的平型モータ」と「多目的平型エアモータ」と「多目的チェンジギアボックス」のモータと伝動部品のすべてを有する用途別蓋付き攪拌器
【請求項７】
前記本第７発明の多目的振動を回転に変える発電機内臓動作確認用LED部（54）は、上記用途別攪拌器のマドラータイプの上部（請求項4・5・6・9）やノーマルマドラーの上部（請求項2・3）に接続して使用するマドラー先端部格納、振動を回転に変える発電機内臓動作確認用LED部（54）の仕組みは、まずは重力を回転に変えて、無限ループする３連空車輪は自力で６０％以上稼動する装置と、前後左右上下の３つの微弱振動伝達器（1・31・32）を組み合わせたもので、この大まかな構造は、ウイールシンカー（B）と、これを内蔵したウイールシンカー格納部（181）と、これを内蔵した芯内バランス調整器（690）と、これを内蔵した本体管（691）と、カウント・ギア（28）は、軸に螺旋状に２８０°から３３０°一周近く巻いた歯からなる部品と、ボールズチェーン（20）玉を被った大きい玉を半分挟むように歯と歯の間の谷の片側部分に玉をキャッチするための内側に曲面傾斜を付けたギアを傾斜のある面を向かい合わせに、間に固定小リング（196）を上下２枚挟んで接続したボールズチェーン用ダブルギアと、（43）と、（E）と、玉状のものに軸を付け、次の玉を被う用に遊嵌したボールズチェーン（19）と、ハンドシェイクギアと、接続ギアと、外輪ギア（3）と、（15）と、（1）と、（6）と、（707）からなり、この稼動行程は、空車輪弐（12）の外輪ギア（3）による後半補助が終了後、（516）により、空車輪壱（11）の芯内バランス調整器（690）が垂直バランス移動状態（494）の時の芯内バランス調整器（690）が第一稼動として、芯内バランス調整器錘部A（383）が  第１垂直稼動の後、第二垂直稼動として、芯内バランス調整器中央部（384）が半分垂直降下しする15パーセント自力重量移動の前半可動と、空車輪弐（12）が（702）により、水平バランス稼動状態（498）の時にツイストと、ウイールシンカー稼動開始し、ツイストとウイールシンカー（39）の移動することで下に来た昇降バー（43）を回転させて、15パーセント移動を助けることで、前半補助が完了により、手前下の（E）が中央に移動完了し、（698又は699か700）により、空車輪参（113）垂直バランス稼動状態（497）の時から芯内バランス調整器の重さが２６.5：１０の割合で右に９０°回倒することで上に来た昇降バー（43）を回転させることで、15パーセント移動を助けると同時に上記第二垂直稼動として、芯内バランス調整器中央部（384）が残りの半分垂直降下し、15パーセント自力重量移動することで、後半移動と後半補助が完了する行程を次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で稼動し、次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で稼動し、第３稼動行程を完了することで、空車輪3（13）が垂直バランス稼動状態（497）の状態になり、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギ���ボックス（15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させるこれら全ての構造と機能を有する請求項1・記載の「多目的振動を回転に変える発電機内臓の動作確認用LED部」とマドラータイプの「多目的ヒートモータ」と「多目的軸型1 ASCモータ」と「多目的軸型2 TWモータ」と蓋タイプの「多目的平型モータ」と「多目的平型エアモータ」と「多目的チェンジギアボックス」のモータと伝動部品のすべてを有する用途別蓋付き攪拌器
【請求項８】
前記本第8発明の多目的ヒートモータは前記用途別攪拌器の低温加熱用マドラータイプに最適なヒートモータ（343に54を接続したもの）は、請求項  7をマドラー先端部に格納した、その下部の本体部分にヒートモータを格納しており、その構造は茶筒形状の筒の中に、きつく入る大きさの軸先端部の約３分の１とコイル巻き部を削り、さらに先端部の軸の中心から１０ｍｍの位置からL字に貫通させた穴を空けたコイル部からの配線口（435）設けた形状の電磁鋼製のヒートモータ用先端扇柱形コイル部軸（394）部分と、その先端部の反対側の形状に別に削りだした形状の先端部扇柱形コイル部固定部（395）の中心にヒートモータ接続軸（634）を固定したHTM連結軸部（345）と、その下部の方を茶筒形状のヒートモータコイル部格納カバー（369）と、これにコイル部（368）を格納し、その上からHTM連結軸部（345）で蓋をするようにセットしできた下部本体（342）部分とヒートモータ用先端扇柱形コイル部軸（394）コイルを巻きコイルの両端をコイル部からの配線口（435）からヒートモータ接続軸（634）の中を通して配線２本出して、配線孔（376）を別々に通り、ヒートモータ内側コイル接触ヘッド−極（431）とヒートモータ内側コイル接触ヘッド＋極（436）に結線したコイル部からの配線部分と、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にHTMスクリューブレード（344）を４枚つけたヒートモータスクリューケース（372）に格納してできたHTMローター部（391）と、筒状の軸の上部に＋極のコイル部コミテータ片（389）と絶縁体コミテータ片（392）交互に3枚ずつ張り付けけた部分と、2ミリ間隔を開けて−極のコイル部コミテータ片（388）と絶縁体コミテータ片（392）を交互に3枚ずつ張り付けた部分と、円筒形の容器の底にHTM  コミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したものを先程のHTM  コミテータ軸（501）の2ミリ間隔を開けた位置に固定したHTMリング付コミテータ軸（463）の部分をHTMローター部（391）の中心に接続してできたHTMリング付コミテータ軸（463）と、先程のHTMローター部（391）の上部の磁力伝達部固定部（396）に、HTMリング付コミテータ軸（463）の下部を接続した図９―DのHTM稼動部（132）部分と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、同形状でリングベースのブラシの位置による名称がaVの電流用＋極用ブラシ（339）である＋極用ブラシリングベース（475）と、同形状でリングベースのブラシの位置による名称がaV三倍の��流用−極用ブラシ（340）である−極用ブラシリングベース（476）と、同形状でリングベースのブラシの位置による名称が内側コイル接触ヘッド−極（431）である内側コイル接触ヘッド−極リングベース（477）の各リングベース部と、筒状の上部にSGL部接続部（299）と配線孔（167）を持つ蓋で閉じ、反対側の孔より2割奥の位置にHTM連結軸部（345）接続用の孔の内周面に内側に螺設部と配線孔（376）を2つ持つHTM上部本体の下部固定部（398）と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と同形状でリングベースのブラシの位置による名称がaVの電流用＋極用ブラシ（339）である＋極用ブラシリングベース（475）と同形状でリングベースのブラシの位置による名称がaV三倍の電流用−極用ブラシ（340）である−極用ブラシリングベース（476）と同形状でリングベースのブラシの位置による名称が内側コイル接触ヘッド−極（431）である内側コイル接触ヘッド−極リングベース（477）の各リングベース部を順番に接続固定し、その下に扇形状のマグネット（37）極性を変えて対角線上に配置し、円形を形成するように樹脂で固めたHTMマグネット部（348）を固定したのが上部本体（347）の部分と、上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続されるこれら全ての構造と機能を有する請求項1・記載の「多目的振動を回転に変える発電機内臓の動作確認用LED部」とマドラータイプの「多目的ヒートモータ」と「多目的軸型1 ASCモータ」と「多目的軸型2 TWモータ」と蓋タイプの「多目的平型モータ」と「多目的平型エアモータ」と「多目的チェンジギアボックス」のモータと伝動部品のすべてを有する用途別蓋付き攪拌器
【考案の詳細な説明】
【技術分野】
【０００１】
本考案は、多目的発動機と多目的伝動部品を有する攪拌器に関するものであり、従来のものと違い複数個を一度に扱うのではなく、個別に使えるように蓋タイプ(多目的平型モータと多目的平型蒸気モータ)と、マドラータイプ（多目的軸型1 ASCモータと多目的軸型2 TWモータ）によるタイプ別の構造で、また用途別に説明すると、５０°以下使用の蓋タイプ平型モータ攪拌器（51に61とノーマルマドラーをセットしたもの）と、マドラータイプ軸型１ASCモータ攪拌器（128に54と117か104を接続したもの）  で、加熱用には蓋タイプ平型エアモータ攪拌器（51に60とノーマルマドラーをセットしたもの）で    、冷却攪拌には、マドラータイプ軸型2TWモーターファン付き攪拌器（127に54と117か104を接続したもの）とモータとチェンジギアボックス内蔵のファン＆スクリューの攪拌器、とこれら動力部の多用途モーター・多用途発動機及び多用途伝動部品の多目的振動を回転に変える発電機内臓の動作確認用LED部を使用するこれらを小型化し、しかも多機能化した用途別蓋付き攪拌器に関する。
【背景技術】
【０００２】
従来の参考資料が無いため現在市販されているマグネチックスターラーや振とう器などは本体台座の上に複数個乗せて使用するもので、最近では６・８連式のサイズもあり、さらにヒーターとタイマーに加え、回転性能などにより高価なものであり、そこで用途に合わせたモータやエアーモータの構造にすることで、コンパクトで低価格を目指した。
【０００３】
またエアーモータにおいてはローター部の軸にブレードの一部が格納される構造のものが本体の回転軸を偏心させてることでブレードにより、６つの部屋が出来、これらのうちの狭い部屋で吸気し広い部屋で排気することを繰り返すことで、回転を作っていた。こうした構造では、縦横に形状を変えるのには限界がある構造が従来から知られている。
【０００４】また(公序良俗違反につき、不掲載）においては、磁極コアの数を増やしたものやローダー部が逆になる構造が従来から知られている。【０００５】
また小型モータにおいては用途に応じてパワーを犠牲にして、小さくしたものが従来から知られている。
【先行技術文献】
【特許文献】
【０００６】
【特許文献１】なし
【非特許文献】
【０００７】
【非特許文献１】なし
【考案の概要】
【考案が解決しようとする課題】
【０００８】
従来のマグネチックスターラーや振とう器などは状況によっては過熱するか、しないか分けて使用する際に１つのビーカーが贅沢に独占することもしばしばで、またヒーターとタイマー機能や回転性能などに加え、台の大きさによるビーカーのサイズや数により、大型で重くなった装置を持ち出すのは容易ではないし、専用の蓋が無いため食品や薬品にとっては不衛生で、異物の混入可能性もあるので問題であり、本発明は、これらの従来技術の問題点を解決し、利便性を向上させ、高額商品を安く提供することを課題とする。
【０００９】
そこで、上記課題を解決するため、単体で用途別攪拌器を開発することになり、まず通常使用は蓋に動力部を設けた蓋タイプには平たい円柱型の形状にし、その際に犠牲になったパワーを重視したければ着脱可能な延長マグナット部を使用することで補える多目的平型モータ（61）が最適で、これを蓋の取っ手部に動力部として内蔵し、その中央に専用のマドラー（46に54と117か104を接続したもの）を高さ調整し、セットして使用するもので、大変便利だが過熱には不向きであった。
【００１０】
そこで、次に加熱しながらの攪拌には上記蓋タイプの平型モータ攪拌器（51に61をセットしたもの）ではモータが過熱して危険なため、今度は逆に過熱沸騰させて、その時発生する蒸気で稼動する、蓋タイプの取っ手部に動力部には内側回転子と羽根案内リングと羽根と外側回転子が縦方向に配置する事で、平たい円柱型の多目的平型蒸気モータ（60）でき、これに専用のマドラー（46に54と117か104を接続したもの）をセットして使うエコ攪拌器を開発した。
【００１１】
次に上記とは逆に冷やすタイプはできないかということでできたのが、軸型２TWモーター内臓ファン付きマドラータイプ攪拌器（127に54と117か104を接続したもの）だ。
【００１２】
上記の攪拌よりも簡単な構造にするため小型モータ（358）にチェンジギアボックス（357）を使った小型モータとチェンジギアボックス内蔵のファン＆スクリューの攪拌器（54と358と357を接続したものに117か104を更に接続したもの）ができた。
【００１３】
さらに便利さを追求するため小型化を目指して開発されたのが、軸型１ASCモータ内臓マドラータイプ攪拌器（128に54と117か104を接続したもの）だが小型化に重点が置かれパワーが小さいのが難点だった。
【００１４】
また、稼動確認のため、各マドラーにモータ等の微弱振動を回転に変える発電機内臓LED（54）を点灯させることで、稼動確認することが出来、電池切れや故障発生などが一目で分かるようにした。
【課題を解決するための手段】
【００１５】
上記目的を達成するために請求項１記載の発明は、用途別攪拌器の基本構造として、円盤形状のものに、ビーカーの口のサイズ別に３０ｍｌから２００ｍｌ（122・121・124・123）までの溝を備えた部分と、交換取手部接続溝（317）と、その中心にマドラー用貫通口（318）と、ボタン電池の格納部（365）と、交換取手部接続溝（317）の上の方にプラス極電極板（３５４）と、下の方にマイナス極電極板と、プッシュスイッチ（５５）を備えたオールアルミ製やオールプラスチック製などからなる蓋（５１）と、これを接続する、取っ手部ケース（６３６）にマドラーストッパー孔の付いたノーマル用ゴム製取っ手（６３７）を格納したノーマル取手部（48）と、これと交換できる蓋に動力を設けた多目的平型モータ（61）と、多目的蒸気モータ（60）の蓋タイプと、着脱式頭頂部振動発電による動作確認ランプ部（54）の構造を備えた部分と、交換式先端部スプーン（104）・スクリュー（117）の回転先端部と、その間をノーマルマドラー支柱（46）と、動力内臓本体の多目的軸型１ASCモータ（128）と、多目的軸型２TWモータ（127）で繋いだマドラータイプやノーマルマドラーからなるものの構造を備えた部分と、小型モータの左右の回転でスクリューかファンを切替機構のチェンジギアと、マドラータイプを好みの高さに緩嵌して使う両端に接続孔を持つ、ダブル攪拌用アダプター（１１９）と、三〇〇ｍｌ用蓋のアダプター（62）を組み合わせて使う機能と構造を特徴とする用途別蓋とマドラーの攪拌器。
【００１６】
前記本第２発明の多目的平型モータ（６３９）は、従来のモータのシャフト部を円筒形のシャフト管内部ゴム加工（９４）内側表面ゴム加工した部分と、コア本体部である（８９）にケイ素鋼製の平型モーターコイル部軸上先端部（171）３個と、平たい穴の開いた円柱形のケイ素鋼製の平型モータコイル部軸中央先端部（172）を置いた部分と、電磁鋼製の扇形状延長板（８８）の３つを螺設してできたHMコイル部延長部付き軸（３２４）と、本体着脱の平型モータマグネット蓋（91）に内装したHMマグネット部（８６）の機能と構造を特徴とする。
【００１７】
図３Aは、第３発明の多目的平型エアモータ（６５９）は、まずはヘッド板（75〜82）の厚みの細い方のA角部では厚さが２mmで、反対側の厚さが５mmの二等辺三角形状で、横のサイズが全て１．５ｃｍで、縦が０．５ｃｍから０．０１ｃｍずつ長さを足していき、一番大きいサイズが、縦０．８ｃｍで各サイズ３０個が２枚ずつあり、これを筒状のVAヘッド固定管（319）を中心に厚みがA角の細くなつた部分を寄せて上部を溶接加工して出来た形状がVAヘッド（67）の形状を備えた部分と、これを円筒形状のVAヘッド外カバー（４０３）にVAヘッド（67）の  底部まで入れて圧着し、これに上記VAヘッド外カバー（４０３）より一回り大きい円柱の容器形状の上部にVAヘッド固定管（319）用の孔の開いた部分を持つ多目的平型エアモータケース（６６）にVAヘッド外カバー（４０３）付きVAヘッド（67）を底部まで入れて圧着したものに、VA蒸気室用ヘッドの山部の高さ０．８ｃｍ（７３）の位置に吸気口（６４）であるVAヘッド外カバー（４０３）と多目的平型エアモータケース（６６）の左横に貫通口を設け、その反対側のVA蒸気室用ヘッドの谷部の高さ０．５ｃｍ（７１）の排気口（６３）の位置にVAヘッド外カバー（４０３）の右横に貫通口を設け、更に多目的平型エアモータケース（６６）の横から入り中腹で真下の底部まで欠削して貫設した多目的平型エアモータケース（６６）の中に配管ができ、これらを固定するために、エアモータケース（６６）横にあるイモネジ用の穴（192）に、（445）イモネジで螺着してできた本体部と、つぎにローター部の構造として、円盤形状にVAシャフト管（65）の孔の開いたVAローター底ベース（４１５）と、板バネ（７４）をビス（４５５）で固定して出来たのが、 VA ローター部台座（４５４）で、これの中央の穴から０．５ｍｍ突き出る様にVAシャフト管（６５）さして固定したものに、筒型の横にブレード（６９）用の溝か切られたVA ブレードガイド軸（４５３）をVAシャフト管（６５）に通したこれら３つの付け根を溶接で固定し、これの上から円盤の中心にVA可動管用（65）の穴とVAブレード（69）用の穴が開いた
形状の蓮根型プレート（68）をVAシャフト管（６５）に通し、VA ブレードガイド軸（４５３）の頭頂部に固定して出来たのが、ローター固定部で、これにVAブレード（69）を１２枚差し込んだのがローター部で、これを上記本体部に格納し、多目的平型エアモータケース（６６）の底部内周面に螺設した内螺子（294）に、VAモータケース蓋の外周面に螺設した外螺子（336）で、蓋をした構造
【００１８】
前記本第４発明の多目的軸型１ASCモータ（１２８のマドラー先端部スプーン・スクリュー接続部なし）は、まずS1ASCの蓋固定部（484）は、円筒形の片側を蓋で閉じた部分に螺設した突起部が外螺子部であるSGL部接続部（299）になる部分と、管材形状のものの内側右からB1ABCモータ用ブラシアーム（647）と＋極S1ASC金属ブラシ（377）が順番に接続された部分と、反対側の一段下の位置からB1ABCモータ用ブラシアーム（647）と−極S1ASC金属ブラシ（378）の順番に接続したブラシベース固定管（646）部分と、円形の両端に極性の違う扇状の磁石部を設け、その隙間を樹脂で固めたS1ASC壱マグネット部（141）と、同じもので反対向きに配置されるS1ASC弐マグネット部（478）の２つの部品と、コミテータ芯管（６４８）の上部にコミテータ片（３３０）１枚と絶縁体片（２５２）２枚を接続したN・S＋S1ASCコミテータ部（３７９・３８１）と、もう一つのコミテータ芯管（６４８）の下部にコミテータ片（３３０）１枚と絶縁体片（２５２）２枚を接続したN・S−S1ASCコミテータ部（３８０・３８２）と、N＋S1ASCコミテータ部（３７９）とコミテータ芯固定部（６４９）を間にN−S1ASCコミテータ部（３８０）を挟んで出来たN磁コイル部用コミテータ部と、S＋S1ASCコミテータ部（３８１）とコミテータ芯固定部（６４９）を間にS−S1ASCコミテータ部（３８２）を挟んで出来たS磁コイル部用コミテータ部部分と、内側中心にS1ASCモータ本体軸（206）を軸止し、この軸を通してS1ASCの蓋固定部（484）の筒の中に圧着したブラシベース固定管（646）と、これに蓋をする様に軸よりも大きい孔を持つS1ASC壱・マグネット部（141）通して、ブラシベース固定管（646）に固定した第一ローター部のコミテータ格納部と、S1ASCモータ本体軸（206）用の孔の開いた円盤状の固定板（645）を底部としてと、ブラシベース固定管（646）を固定し、上からはS1ASC弐マグネット部（478）で蓋をするように固定して出来た第２ローター部で、これのコミテータ格納部のS1ASC弐マグネット部（478）の方から通し、固定板（645）の中央の孔から０.5ｍｍ突出させて固定して出来たのが本体であるS1ASC固定部（306）部分と、N又はS＋S1ASCコミテータ部（３７９又は３８１）と、N又はS−S1ASCコミテータ部（３８０又は３８２）がコイル部の配線部分と、第一又は二ローター部のコミテータ格納部の、＋極S1ASC金属ブラシ（377）と−極S1ASC金属ブラシ（378）は市販のPICモータ制御装置（50）と、配線が繋がっている配線部分と、円筒形電磁鋼製のS1ASC磁極コア部軸管（２０８）の上部を軸に描く円の７０°から１１５°の角度からなる扇形状のS1ASC磁極コア軸先端部（２０７）を、S1ASC磁極コア部軸管（２０８）上下部に平行配置固定し、その内の上部S1ASC磁極コア軸先端部（２０７）の右横に同じS1ASC磁極コア軸先端部（２０７）と、その上部に同じ形状のS1ASCのS極マグネット部（２０２）接続したS1ASC S極磁極部軸（１４２）か、S1ASC S極磁極部軸（１４２）のS1ASCのS極マグネット部（２０２）をS1ASCのN極マグネット部（203）変えて出来たのがS1ASC N極磁極部軸（143）になり、これにコイルを巻回したのがS1ASCのS・N極磁極部（277・278）で、これに円筒形のコミテータ延長芯（650）と、S又はN磁コイル部用コミテータ部（379又は381と649と380又は382を接続したもの）を接続してできたローター部壱・弐（657・658）���部分と、S1ASC弐マグネット部（478）の位置にステンレス製S1ASCの駆動部（483）とS1ASCのS極コイル部（277）とS1ASCのN極コイル部（278）の位置にバナジウム製S1ASCの駆動部（482）の素材でできた茶筒形状底部にマドラー先端部スプーン・スクリュー接続部（300）が付いたのS1ASCの稼動管（209）にマドラー先端部交換式スプーン（104）又はマドラー先端部交換式スクリュー（117）を接続したS1ASCの稼動部（209に１０４か１１７を接続したもの）になる部分と、S1ASC壱マグネット部（141）の左側N極と、S磁コイル部（277）の上側がN極で引き合い、それと同時に磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、次に、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は２倍移動して受身（動かされる）の状態から今度は逆にN磁コイル部（278）の可動により、反対側が同じ様に動く事で回転を作り出す稼動行程、これらすべての構造と機能を特徴とする。
【００１９】
前記本第５発明の多目的軸型2TWモータの前記用途別攪拌器の冷却用マドラータイプに最適な軸型2TWモータ内臓ファン付きマドラータイプ攪拌器（127に54と117か104を接続したもの）の構造は、ケイ素鋼製のU字の軸部（250）にコイルを巻きつけて、その先端部に電磁鋼製のU字コイル部扇形状先端部（249）を取り付け、これをステンレス製のU字コイル固定部（255）に挟んで格納することで本体に固定し、そこからコイルの配線が軸型２TWモータのケース（462）の配線溝（168）を通り、スイッチの真上の頭頂部より外部に出て制御装置（50）に接続したU字コイル部（221）の第１ブロック（282）部分と、軸型２TWモータの可動管（232）に扇柱のマグネット部（505）を上下に挟み、それを固定するためのリング状のギアで歯が左に寝た形状のステンレス製のワンウェイギア左回転用（290）を磁石部本体中央に固定し、その位置に本体側の面に軸型２TWモータのワンウェイギア用逆戻り防止つめ（234）を設け、先程の軸型２TWモータの磁石部（222）の軸型２TWモータ磁石部の稼動用溝（461）に軸型２TWモータ磁石部受け（463）をセットした構造のスクリュー稼動時のローターである軸型２TWモータの磁石部（222）の第２ブロック（283）部分と、Y字軸部稼動軸口（297）の穴が中央に開いたケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻き、その後ろにワンウェイギア右回転用（247）とラチェット機構により一方向に回転するマグネット部のワンウェイギアマグネット部（506）とY字コイル部可動軸（245）順番に接続し、次にY字コイル部可動軸（245）にシングルCMスイッチ（466）を通し、スライド半固定部（161）の突起先端シングルCMスイッチ（466）受け形状により、スライド回転可能にした部分と、また先程のY字コイル部可動軸（245）にダブル用CMFスイッチ（239）を通し、Wスイッチ半固定部（162）の突起先端ダブル用CMFスイッチ（239）受け形状により、スライド可能にした部分と、つぎにTW２枚部コミテータ（414）と、TW3枚部コミテータ（413）をY字コイル部可動軸（245）の端に固定した部分と、TW２枚部コミテータ（414）の位置にリングの内側から伸びる板バネ・アーム・金属ブラシが順番に接続されたのが対角線上より伸びた構造のY字コイル部W用金属ブラシベースリング（135）と、TW3枚部コミテータ（413）の位置にリングの内側から伸びる板バネ・アーム・金属ブラシが順番に接続されたのが対角線上より伸びたのとそれより１段上からも同じ様に均等な位置３箇所から伸びたY字コイル部金属ブラシ3・２ベースリング（134） からなる部分と、 シングル巻線（467）の左右の配線がシングル用CMスイッチ（466）のスライド移動に関係なく接触通電可能と、シングル用CMスイッチ（466）のスライド移動により切り替え後シングル時のモータ制御配線（451）の時には接触通電可能なYSCB１TOSC１（153）からY字シングルコイル部金属ブラシ（464）とYSCB2TOSC2（152）からもう一方のシングル用CMスイッチ（466）へ行く配線と、これの相手方のTW２枚部コミテータ（414）の両サイドから市販のPICモータ制御装置（５０）へ伸びるMCTO TW２コミテータ１（118）MCTO TW２コミテータ２（136）と、ダブル巻線１（468）左配線WCMFS2TOWC1（154��と、隣のダブル巻線２（103）への配線のWコイル間配線（461）と、その中間位置からダブルコイル部用金属ブラシ（291）へ伸びるTW3コミテータ2BTWC１A2（114）と、ダブル巻線２（103）の右配線からダブル用CMFスイッチ（239）のWCMFSIO金具１（470）に伸びるWCMFS１TOWC2（155）と、ダブル用CMFスイッチ（239）のWCMFSIO金具１（４７０）からTW3枚部コミテータ（４１３）一つへ行くTW3コミテータ1TOWS１（116）と、ダブル用CMFスイッチ（239）のWCMFSIO金具２（473）から別のTW3枚部コミテータ（413）へ行くTW3コミテータ3TOWS2（115）と、ダブルコイル部用金属ブラシ（291）のそれぞれ別にMCTOTW3コミテータ１（111）・（ MCTO TW3コミテータ2（112）・MCTO TW3コミテータ3（113）３つと、ファン稼動時のTW金属ブラシ（465）のMCTOFMTW金属ブラシ１（148）MCTOFMTW金属ブラシ２（151）が市販のPICモータ制御装置（50）伸びるこれら全ての配線部分と、軸型２TWモータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）からなる部分と、軸型２TWモータの磁石部（２２２）のS2TWの可動管（232）にS2TWのシャフト（169）を接続し、S2TWの1W用逆戻り防止つめ（234）のU字磁極コア軸部稼動軸口（298）を通し本体軸型２TWモータのケース（462）の底部を蓋をするように軸型２TW SUASK可動接続部（125）を回転可能に保持した部分からなる。
【００２０】
前記本第６発明の多目的チェンジギアボックス（357）は、円筒形の頭部に左側の傾斜を持つ山が１から十数個ある形状の傾斜面を内側に３０°〜９０°（179）と外側に９０°〜１５０°（155）の角度の範囲で何れかの角度に合わせて角度を保ちながら削って内側か外側に傾斜がついた左ヘッド（349）と、これと同形状で頭部に右側の傾斜を持つ山が１から十数個ある右ヘッド（352）と、両面ヘッド（364）は右２から数十ヘッド（352）と左２から数十ヘッド（349）の後部を左右対称の状態から９０°右回転した位置で、円柱形状にガイド受の四角い孔を開け、CGWH  突起部（３５６）の付いた  RHSG受部（346）を間に挟み接続してできた両面ヘッド（364）を上部切り替えガイドの溝（１９３）か（１６６）か（１９４）の何れかの位置にCGWH  突起部（３５６）合わせて移動可能に内蔵した部分と、円柱の中間が四角柱に形成されたCG稼動軸（363）と、長い円筒形のチェンジギアボックスケース（362）の底部に短い円筒形の下部切り替えガイド形成部用（189）と円筒形をCGWH  突起部（356）より0.1ｍｍの圧さ分、左から右へカットと対抗面は右から左へカットしたものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９１）をCGWH  突起部（356）より0.1ｍｍのスペースを空けた位置と、円筒形の上部切り替えガイド形成部用（371）突起部（356）より0.1ｍｍのスペースを空けた位置にそれぞれの（192）に（445）で螺着したチェンジギアボックスケース本体（164）、これらすべての構造と機能を特徴とする。
【００２１】
前記本第７発明の多目的振動を回転に変える発電機内臓動作確認用LED部（54）は、上記用途別攪拌器のマドラータイプの上部（請求項4・5・6・9）やノーマルマドラーの上部（請求項2・3）に接続して使用するマドラー先端部格納、振動を回転に変える発電機内臓動作確認用LED部（54）の仕組みは、まずは重力を回転に変えて、無限ループする３連空車輪は自力で６０％以上稼動する装置と、前後左右上下の３つの微弱振動伝達器（1・31・32）を組み合わせたもので、この大まかな構造は、ウイールシンカー（B）と、これを内蔵したウイールシンカー格納部（181）と、これを内蔵した芯内バランス調整器（690）と、これを内蔵した本体管（691）と、カウント・ギア（28）は、軸に螺旋状に２８０°から３３０°一周近く巻いた歯からなる部品と、ボールズチェーン（20）玉を被った大きい玉を半分挟むように歯と歯の間の谷の片側部分に玉をキャッチするための内側に曲面傾斜を付けたギアを傾斜のある面を向かい合わせに、間に固定小リング（196）を上下２枚挟んで接続したボールズチェーン用ダブルギアと、（43）と、（E）と、玉状のものに軸を付け、次の玉を被う用に遊嵌したボールズチェーン（19）と、ハンドシェイクギアと、接続ギアと、外輪ギア（3）と、（15）と、（1）と、（6）と、（707）からなり、この稼動行程は、空車輪弐（12）の外輪ギア（3）による後半補助が終了後、（516）により、空車輪壱（11）の芯内バランス調整器（690）が垂直バランス移動状態（494）の時の芯内バランス調整器（690）が第一稼動として、芯内バランス調整器錘部A（383）が  第１垂直稼動の後、第二垂直稼動として、芯内バランス調整器中央部（384）が半分垂直降下しする15パーセント自力重量移動の前半可動と、空車輪弐（12）が（702）により、水平バランス稼動状態（498）の時にツイストと、ウイールシンカー稼動開始し、ツイストとウイールシンカー（39）の移動することで下に来た昇降バー（43）を回転させて、15パーセント移動を助けることで、前半補助が完了により、手前下の（E）が中央に移動完了し、（698又は699か700）により、空車輪参（113）垂直バランス稼動状態（497）の時から芯内バランス調整器の重さが２６.5：１０の割合で右に９０°回倒することで上に来た昇降バー（43）を回転させることで、15パーセント移動を助けると同時に上記第二垂直稼動として、芯内バランス調整器中央部（384）が残りの半分垂直降下し、15パーセント自力重量移動することで、後半移動と後半補助が完了する行程を次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で稼動し、次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で稼動し、第３稼動行程を完了することで、空車輪3（13）が垂直バランス稼動状態（497）の状態になり、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギ���ボックス（15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させる。
【００２２】
前記本第8発明の多目的ヒートモータは前記用途別攪拌器の低温加熱用マドラータイプに最適なヒートモータ（343に54を接続したもの）は、請求項  7をマドラー先端部に格納した、その下部の本体部分にヒートモータを格納しており、その構造は茶筒形状の筒の中に、きつく入る大きさの軸先端部の約３分の１とコイル巻き部を削り、さらに先端部の軸の中心から１０ｍｍの位置からL字に貫通させた穴を空けたコイル部からの配線口（435）設けた形状の電磁鋼製のヒートモータ用先端扇柱形コイル部軸（394）部分と、その先端部の反対側の形状に別に削りだした形状の先端部扇柱形コイル部固定部（395）の中心にヒートモータ接続軸（634）を固定したHTM連結軸部（345）と、その下部の方を茶筒形状のヒートモータコイル部格納カバー（369）と、これにコイル部（368）を格納し、その上からHTM連結軸部（345）で蓋をするようにセットしできた下部本体（342）部分と、ヒートモータ用先端扇柱形コイル部軸（394）コイルを巻きコイルの両端をコイル部からの配線口（435）からヒートモータ接続軸（634）の中を通して配線２本出して、配線孔（376）を別々に通り、ヒートモータ内側コイル接触ヘッド−極（431）とヒートモータ内側コイル接触ヘッド＋極（436）に結線したコイル部からの配線部分と、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にHTMスクリューブレード（344）を４枚つけたヒートモータスクリューケース（372）に格納してできたHTMローター部（391）と、筒状の軸の上部に＋極のコイル部コミテータ片（389）と絶縁体コミテータ片（392）交互に3枚ずつ張り付けけた部分と、2ミリ間隔を開けて−極のコイル部コミテータ片（388）と絶縁体コミテータ片（392）を交互に3枚ずつ張り付けた部分と、円筒形の容器の底にHTM  コミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したものを先程のHTM  コミテータ軸（501）の2ミリ間隔を開けた位置に固定したHTMリング付コミテータ軸（463）の部分をHTMローター部（391）の中心に接続してできたHTMリング付コミテータ軸（463）と、先程のHTMローター部（391）の上部の磁力伝達部固定部（396）に、HTMリング付コミテータ軸（463）の下部を接続した図９―DのHTM稼動部（132）部分と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、同形状でリングベースのブラシの位置による名称がaVの電流用＋極用ブラシ（339）である＋極用ブラシリングベース（475）と、同形状でリングベースのブラシの位置による名称がaV三倍��電流用−極用ブラシ（340）である−極用ブラシリングベース（476）と、同形状でリングベースのブラシの位置による名称が内側コイル接触ヘッド−極（431）である内側コイル接触ヘッド−極リングベース（477）の各リングベース部と、筒状の上部にSGL部接続部（299）と配線孔（167）を持つ蓋で閉じ、反対側の孔より2割奥の位置にHTM連結軸部（345）接続用の孔の内周面に内側に螺設部と配線孔（376）を2つ持つHTM上部本体の下部固定部（398）と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と同形状でリングベースのブラシの位置による名称がaVの電流用＋極用ブラシ（339）である＋極用ブラシリングベース（475）と同形状でリングベースのブラシの位置による名称がaV三倍の電流用−極用ブラシ（340）である−極用ブラシリングベース（476）と同形状でリングベースのブラシの位置による名称が内側コイル接触ヘッド−極（431）である内側コイル接触ヘッド−極リングベース（477）の各リングベース部を順番に接続固定し、その下に扇形状のマグネット（37）極性を変えて対角線上に配置し、円形を形成するように樹脂で固めたHTMマグネット部（348）を固定したのが上部本体（347）の部分と、上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続されるれら全ての構造と機能を有する。
【図面の簡単な説明】
【００２３】
【図１ａ】用途別攪拌器の蓋タイプとマドラータイプとモータ制御装置の全体図
【図１ｂ】図１aの蓋タイプ攪拌器の斜視図
【図１ｃ】図１aの軸型２Wモータ内臓ファン付きマドラータイプ攪拌器の断面図
【図１ｄ】図１aの軸型１ASCモータ内臓マドラータイプ攪拌器と、ノーマルモータとチェンジギアボックス内蔵のファン＆スクリューの攪拌器の斜視図
【図２ａ】多目的平型モータの斜視図
【図２ｂ】多目的平型モータの部品の斜視図
【図２ｃ】多目的平型モータの横断面図
【図２ｄ】多目的平型モータの縦断面図
【図２ｅ】多目的平型モータの部品6面図
【図３ａ】多目的平型エアーモータの本体と回転部の縦断面図
【図３ｂ】多目的平型エアーモータの横断面図
【図３ｃ】多目的平型エアーモータの部品図
【図３ｄ】多目的平型エアーモータのVAヘッド図
【図３ｅ】多目的平型エアーモータの斜視図
【図４ａ】多目的軸型1 ASCモータの斜視図
【図４ｂ】多目的軸型1 ASCモータの縦断面図
【図４ｃ】多目的軸型1 ASCモータの部品図
【図４ｄ】多目的軸型1 ASCモータのロータ１・２の断面図
【図４ｅ】多目的軸型1 ASCモータの稼動行程の断面図１
【図４ｆ】多目的軸型1 ASCモータの稼動行程の断面図２
【図４ｇ】多目的軸型1 ASCモータの概略稼動行程の斜視図
【図５ａ】多目的軸型2 TWモータの斜視図
【図５ｂ】多目的軸型2 TWモータの断面図
【図５ｃ】多目的軸型2 TWモータのコミテータ付近の断面図
【図５ｄ】多目的軸型2 TWモータの部品図
【図５ｅ】多目的軸型2 TWモータの分解斜視図
【図５ｆ】多目的軸型2 TWモータの稼動行程の図
【図５ｇ】多目的軸型2 TWモータの配線斜視図
【図５ｈ】多目的軸型2 TWモータの配線断面図
【図６ａ】ノーマルモータと多目的チェンジギアボックス内蔵のファン＆スクリュー攪拌器の断面図
【図６ｂ】ノーマルモータと多目的チェンジギアボックス内蔵のファン＆スクリュー攪拌器の斜視図
【図６ｃ】ノーマルモータと多目的チェンジギアボックス内蔵のファン＆スクリュー攪拌器のスクリュー部図
【図６ｄ】ノーマルモータと多目的チェンジギアボックス内蔵のファン＆スクリュー攪拌器の部品図
【図６ｅ】ノーマルモータと多目的チェンジギアボックス内蔵のファン＆スクリュー攪拌器の組み立て斜視図
【図６ｆ】ノーマルモータと多目的チェンジギアボックス内蔵のファン＆スクリュー攪拌器のヘッド形状図
【図６ｇ】ノーマルモータと多目的チェンジギアボックス内蔵のファン＆スクリュー攪拌器のヘッド配置図
【図６ｈ】ノーマルモータと多目的チェンジギアボックス内蔵のファン＆スクリュー攪拌器の稼動時の左右ヘッド位置
【図７ａ】ダブル攪拌のセッティング図
【図７ｂ】蓋タイプのセッティング図
【図７ｃ】蓋と三〇〇ｍｌ用蓋のアダプターのセッティング図
【図８ａ】エコモード三連空車輪外輪ギアなしの側面図
【図８ｂ】エコモード三連空車輪の正面図
【図８ｃ】ウイールシンカーとWS格納部の６面図
【図８ｄ】垂直状態の芯内バランス調整器とスライド可動図
【図８ｅ】空車輪の側面の断面図
【図８ｆ】空車輪の正面の断面図
【図８ｇ】台座兼ギアボックス平面の断面図
【図８ｈ】台座兼ギアボックス正面の断面図
【図８ｉ】台座兼ギアボックス背面の断面図
【図８ｊ】台座兼ギアボックス左右側面の断面図
【図８ｋ】カウント・ギアとダブルギアの６面図
【図８ｌ】カウント・ギア拡大図
【図８ｍ】ゼンマイ接続部拡大図
【図８ｎ】水平状態の芯内バランス調整器ツイスト稼動とウイルスシンカー稼動による、補助とバランスの均等化流れ図
【図８ｏ】水平状態の芯内バランス調整器透視図とウイールシンカー部稼動ループ部概略図
【図８ｐ】芯内バランス調整器の概略図
【図８ｑ】垂直から水平状態の芯内バランス調整器の稼動行程図
【図８ｒ】ローテーションギアの概略図と三連空車輪行程概略図と中心軸付き芯内バランス調整器受け壱・弐・参の共通機構図その展開図
【図８ｓ】概略エコモード三連空車輪の側面図
【図８ｕ】エコモード三連空車輪の側面図
【図８ｔ】概略エコモード三連空車輪の正面図
【図９ａ】多目的ヒートモータ攪拌器の断面図
【図９ｂ】多目的ヒートモータ攪拌器のコミテータとローター部の断面図
【図９ｃ】多目的ヒートモータ攪拌器の部品６面図
【図９ｄ】多目的ヒートモータ攪拌器のコミテータの断面図２
【図９ｅ】多目的ヒートモータ攪拌器の部品斜視図
【図９ｆ】多目的ヒートモータ攪拌器のコミテータの断面図1
【図９ｇ】多目的ヒートモータ攪拌器のコミテータの配線図
【考案を実施するための形態】
【００２４】
以下、本発明の実施の形態を、添付図面に示した本発明の一実施例に基づいて説明する。図７ｂ  の１Iの断面図や図７ｃ  の上・下・側面図  のように蓋（５１）の外周に三〇〇ｍｌ用蓋のアダプター接続溝（３１６）切削した部分と、中心にマドラー用貫通口（３１８）を穿設した部分とビーカーの口のサイズ別に３０ｍｌから２００ｍｌ（122・121・124・123）までの溝を切削した部分を備えた裏面と、表部にマドラー用貫通口より大きい円柱状の窪みを切削して設け、この上部内周面を螺設した蓋の内螺子（337）を設けた交換取手部接続溝（317）と、円柱状の窪みを切削して設けたボタン電池の格納部（365）と、この底部から交換取手部接続溝（317）に伸びたマイナス極電極板（３５５）と、電池を格納して、これをとめる電池止め金（５６）と、この付け根からのびて、交換取手部接続溝（317）の上部にできたプラス極電極板（３５４）が、交換取手部接続溝（317）の上部を半周内設し、その末端からスイッチのＡ極端子（３５４）と、スイッチのＢ極端子（３５５）からHMのプラス極端子（105）にプッシュスイッチ（５５）設けた部分と、からなる本体オールアルミ製やオールプラスチック製などからなる蓋（５１）
【００２５】
図１ｂの取っ手部ケース（６３６）は、円筒状の片方にマドラー用貫通口（３１８）を切削した天井板を持つ、小さい穴の開いた容器形状に多目的平型エアモータ（６５９）の排気口（９６）を横穿した部分と、底部外周面を螺設した外螺子（９９）を設けた部分とその反対側の内周面に取っ手ストッパーつめ（１００）を周設構造
【００２６】
図１ｂの様に、取っ手部ケース（６３６）にマドラーストッパー孔の付いたノーマル用ゴム製取っ手（６３７）を格納したノーマル取手部（48）
を上記蓋（５１）の蓋の内螺子（337）接続したノーマル蓋（３６６）にマドラータイプをノーマル取手部（48）に挿通して好みの高さに緩嵌して使う。
【００２７】
取っ手部ケース（６３６）に、多目的平型モータ（61）を格納したものを蓋（５１）の交換取手部接続溝（317）に螺着した取手部平型モータ内蔵攪拌器（５１に６１を接続したもの）の央のシャフト管GS（９４）にノーマルマドラー（４６に５４と１０４か１１７を接続したもの）や、マドラータイプを挿通して好みの高さに緩嵌して使う。
【００２８】
上記上記蓋（５１）の三〇〇ｍｌ用蓋のアダプター接続溝（３１６）とは反対に外周に受けての溝を設けた、リング形状の三〇〇ｍｌ用蓋のアダプター（６２）により、三〇〇ｍｌビーカーに使用できる。
【００２９】
ノーマルマドラーは、ノーマルマドラー支柱（４６）のSGL部接続部（２９９）にSR発電機内蔵LED部（５４）を螺嵌した部分と、ノーマルマドラー支柱（４６）下部マドラー先端部スプーン・スクリュー接続部（３００）にマドラー先端部交換式スクリュー（１１７）か、マドラー先端部交換式スプーン（１０４）着脱可能に螺嵌した部分からなる。
【００３０】
マドラー先端部交換式スクリュー（１１７）は棒状の本体上部に接続用内周面を螺設した内螺子（101）を設けたマドラー取付頭頂部（102）と本体下部にスクリューハネを２から５枚のハネを持つ構造
【００３１】
マドラー先端部交換式スプーン（１０４）は、本体スプーン形状の上部に接続用内周面を螺設した内螺子（101）を設けた構造
【００３２】
ノーマル用ゴム製取っ手（６３７）は、円柱取っ手サイズの中央にマドラー用貫通口（３１８）を切削したゴムの塊り構造
【００３３】
図2aからeの前記本第２発明の多目的平型モータ（６３９）は、円筒形の片方に蓋をした容器形状の底部にマドラー通し孔を切削して設けた本体平型モータケース（９０）と、
金属ブラシ（１３７）とブラシアーム（１７０）とブラシ板バネ（１３８）とブラシ固定部（９５）を順番に取り付け、マグネット固定溝（108）が対角線上に設けられたリング状のブラシリングベース（２６２）を平型モータケース（９０）底部に圧着した部分と、
【００３４】
その直ぐ上にモータの外周形状の管材を縦に２分の１から４分の１にカットの形状のマグネット（８４）の磁石の極性を変えて対角線上に２つを両端に置き、底部をブラシリングベース（２６２）のマグネット固定溝（108）半固定し、背面部に接着材またはU字ピン（109）で、２つのマグネット（８４）間を係着して、平型モータケース（９０）に固定した部分の構造を備えた本体部分と、
【００３５】
これにローター部であるマブチ（小型）モータの様にケイ素鋼製のプレート（173）を重層して作ったものにプレート（173）と、
その外周の大きさの平たい穴の開いた円柱形を３分割して５ｍｍ短くしたケイ素鋼製の平型モーターコイル部軸上先端部（171）３個と、平たい穴の開いた円柱形のケイ素鋼製の平型モータコイル部軸中央先端部（172）を上部に接続した構造にする事で、上部にコイルの山ができる部分を格納する溝のある形状のHMコイル部軸（89）により幅を薄くする構造にでき、更にその上部に蓋をするように扇板状で、電磁鋼製の扇形状延長板（88）を置き、ネジ（87）で固定した構造を備えた部分
【００３６】
上記からなるローター部の中央の穴にシャフトの役目のマドラーを内側から半固定のためのゴム加工（９２）のシャフト管内部ゴム加工（９４）をコミテータ芯（９８）とコミテータ片（１３９）からなるコミテータ部（４４１）に通して取り付けた回転部（ロータ部とコミテータ部）と、着脱式の平型モータマグネット蓋（９１）に縦に２分の１から４分の１にカットの扇形状の磁石の極性を変えて対角線上に配置して樹脂で固めた平型モータのマグネット部（86）を納めた平型モータマグネット蓋（９１）部分とからなる。
【００３７】
前記本第３発明の多目的平型エアモータ（６５９）は、まず図３Dのヘッド板（75〜82）厚みの部分の細い方のA角部では厚さが２mmで、反対側の厚さが５mmの二等辺三角形で、横のサイズが全て１．５ｃｍで、縦が０．５ｃｍから０．０１ｃｍずつ長さを足していき、一番大きいサイズが、横１．５ｃｍ縦０．８ｃｍで各サイズ３０個が２枚ずつあり、これを筒状のVAヘッド固定管（319）を中心に厚みがA角の細くなつた部分を寄せて上部を溶接加工して出来た形状がVAヘッド（67）になる。
【００３８】
図３ｃのVAヘッド外カバー（４０３）は、円筒形状の内径がVA蒸気室用ヘッド（67）よりも０.5ｍｍ広い形状で、VA蒸気室用ヘッドの山部の高さ０．８ｃｍ（７３）の位置に吸気口（６４）とVA蒸気室用ヘッドの谷部の高さ０．５ｃｍ（７１）の排気口（６３）の位置に貫通孔を設けた部品
【００３９】
図３ｃの多目的平型エアモータケース（６６）は、上記VAヘッド外カバー（４０３）一回り大きい底部にVAヘッド固定管（319）用の孔の開いた円柱の容器形状に、VA蒸気室用ヘッドの山部の高さ０．８ｃｍ（７３）の位置に吸気口（６４）の横穿と、その反対側のVA蒸気室用ヘッドの谷部の高さ０．５ｃｍ（７１）の排気口（６３）の位置から横に入り、直ぐに真下の底部まで欠削して貫設がある多目的平型エアモータケース（６６）の中に配管がある部品
【００４０】
上記VAヘッド外カバー（４０３）の吸気口（６４）の位置とVAヘッド（67）のVA蒸気室用ヘッドの山部になった位置を合わせて、  底部まで入れて圧着したものの排気口（６３）の位置とエアモータケース（６６）の排気口（６３）を合わせて、底部まで入れて圧着し、これらを固定するために、エアモータケース（６６）横にあるイモネジ用の穴（192）イモネジ（４４５）で螺着してできた図３Aの本体部
【００４１】
図３a・c・eのVA ローター部台座（４５４）は、円盤形状にVAシャフト管（65）の孔の開いたVAローター底ベース（４１５）と、板バネ（７４）をビス（４５５）で固定して出来た部品
【００４２】
図３a・c・eのVA ブレードガイド軸（４５３）は、筒型のものに縦のブレード（６９）用の溝か切られた部品
【００４３】
図３a・c・eのVAブレード（69）は、ヘッド板の横のサイズと同じで、縦が０．８ｃｍで、その片側先端部にゴムのパッキン（70）に嵌合して出来た部品
【００４４】
図３a・b・c・eの蓮根型プレート（68）は、円盤の中心にVA可動管用（65）の穴とVAブレード（69）用の穴が開いた形状の部品
【００４５】
図３a・bのローター部の構造として、 VA ローター部台座（４５４）の中央の穴から０．５ｍｍ突き出る様にVAシャフト管（６５）差し込んだものに、VA ブレードガイド軸（４５３）をVAシャフト管（６５）に通したこれら３つの付け根を溶接で固定し、これの上から蓮根型プレート（68）をVAシャフト管（６５）に通し、VA ブレードガイド軸（４５３）の頭頂部に固定して出来たのが、ローター固定部で、これにVAブレード（69）を１２枚差し込んだのがローター部で、これを上記本体部に格納しVAモータケース蓋（110）で蓋をした部分からなる。
【００４６】
上記の多目的平型エアモータ（６５９）を図１Bの取っ手部ケース（636）に格納してフリーサイズ用蓋（51）の取手部接続溝（317）の内周面に螺設した内螺子に、取っ手部ケース（636）の外周面に螺設した外螺子を取り付け、取っ手部内蔵平型モータ（61）の中央のにノーマルマドラーをセットしたものを、容器に蓋をするように被せて使用する。
【００４７】
前記本第４発明の多目的軸型１ASCモータ（１２８のマドラー先端部スプーン・スクリュー接続部なし）は、まず、図４ｂのS1ASCの蓋固定部（484）は、円筒形の片側を蓋で閉じた部分に螺設した突起部が外螺子部であるSGL部接続部（299）を有する部分
【００４８】
図４ｂのブラシベース固定管（646）は、管材形状のものの内側右からB1ABCモータ用ブラシアーム（647）と＋極S1ASC金属ブラシ（377）が順番に嵌設された部分と、反対側の一段下の位置からB1ABCモータ用ブラシアーム（647）と−極S1ASC金属ブラシ（378）の順番に接続した部品
【００４９】
図４ｃのS1ASC壱・マグネット部（141）は、円形の両端に極性の違う扇状の磁石部を設け、その隙間を樹脂で固めたS1ASC壱マグネット部（141）と、同じもので反対向きに配置されるS1ASC弐マグネット部（478）の２つの部品
【００５０】
図４ｂ・ｃのN・S＋S1ASCコミテータ部（３７９・３８１）は、コミテータ芯管（６４８）の上部にコミテータ片（３３０）１枚と絶縁体片（２５２）２枚を接続した部品
【００５１】
図４ｂ・ｃのN・S−S1ASCコミテータ部（３８０・３８２）もう一つのコミテータ芯管（６４８）の下部にコミテータ片（３３０）１枚と絶縁体片（２５２）２枚を接続した部品
【００５２】
図４ｂ・ｃN磁コイル部用コミテータ部は、N＋S1ASCコミテータ部（３７９）とコミテータ芯固定部（６４９）を間にN−S1ASCコミテータ部（３８０）を挟んで出来た部品
【００５３】
図４ｂ・ｃS磁コイル部用コミテータ部は、S＋S1ASCコミテータ部（３８１）とコミテータ芯固定部（６４９）を間にS−S1ASCコミテータ部（３８２
）を挟んで出来た部品
【００５４】
図４ｂのS1ASC固定部（306）は、内側中心にS1ASCモータ本体軸（206）を軸止し、この軸を通してS1ASCの蓋固定部（484）の筒の中に圧着したブラシベース固定管（646）と、これに蓋をする様に軸よりも大きい孔を持つS1ASC壱・マグネット部（141）通して、ブラシベース固定管（646）に固定した第一ローター部のコミテータ格納部と、S1ASCモータ本体軸（206）用の孔の開いた円盤状の固定板（645）を底部としてと、ブラシベース固定管（646）を固定し、上からはS1ASC弐マグネット部（478）を蓋をするように固定して出来た第２ローター部のコミテータ格納部をS1ASC弐マグネット部（478）の方から通し、０.5ｍｍ突出させて固定した部分が本体になる。
【００５５】
図４ｂの配線は、N又はS＋S1ASCコミテータ部（３７９又は３８１）と、N又はS−S1ASCコミテータ部（３８０又は３８２）がコイル部の配線部分と、第一又は二ローター部のコミテータ格納部の、＋極S1ASC金属ブラシ（377）と−極S1ASC金属ブラシ（378）は市販のPICモータ制御装置（50）と、配線が繋がっている。
【００５６】
図４ｃ・ｄのS1ASC S極磁極部軸（１４２）は、円筒形電磁鋼製のS1ASC磁極コア部軸管（２０８）の上部を軸に描く円の７０°から１１５°の角度からなる扇形状のS1ASC磁極コア軸先端部（２０７）を、S1ASC磁極コア部軸管（２０８）上下部に平行配置固定し、その内の上部S1ASC磁極コア軸先端部（２０７）の右横に同じS1ASC磁極コア軸先端部（２０７）と、その上部に同じ形状のS1ASCのS極マグネット部（２０２）接続した部品
【００５７】
上記S1ASC S極磁極部軸（１４２）のS1ASCのS極マグネット部（２０２）をS1ASCのN極マグネット部（203）変えて出来たのがS1ASC N極磁極部軸（143）
【００５８】
上記S1ASC S・N極磁極部軸（１４２・143）にコイルを巻回したものがS1ASCのS・N極磁極部（277・278）になる。
【００５９】
上記S1ASCのS・N極磁極部（277・278）に、円筒形のコミテータ延長芯（650）と、S又はN磁コイル部用コミテータ部（379又は381と649と380又は382を接続したもの）を接続してできたローター部壱・弐（657・658）
【００６０】
第１ローター部の格納位置は、第一ローター部のコミテータ格納部のブラシベース固定管（646）の＋極S1ASC金属ブラシ（377）にS＋S1ASCコミテータ部（381）と、−極S1ASC金属ブラシ（378）にS−S1ASCコミテータ部（382）を接触位置にS磁コイル部用コミテータ部（379と649と380を接続したもの）を内蔵し、S1ASC壱・マグネット部（141）孔にコミテータ延長芯（650）を回転可能に通して枢設し、その位置でS磁コイル部用コミテータ部とコミテータ延長芯（650）融着し、反対側をS1ASCのS極磁極部（277）にも融着したローター部壱（６５７）は、S1ASCモータ本体軸（206）を通して、回転可能に保持されている。
【００６１】
第２ローター部の格納位置は、第二ローター部のコミテータ格納部のブラシベース固定管（646）の＋極S1ASC金属ブラシ（377）にN＋S1ASCコミテータ部（379）と、−極S1ASC金属ブラシ（378）にN−S1ASCコミテータ部（380）を接触位置にN磁コイル部用コミテータ部（381と649と382を接続したもの）を内蔵し、S1ASC弐・マグネット部（478）孔にコミテータ延長芯（650）を回転可能に通して枢設し、その位置でN磁コイル部用コミテータ部とコミテータ延長芯（650）融着し、反対側をS1ASCのN極磁極部（278）にも融着したローター部弐（６５8）は、S1ASCモータ本体軸（206）を通して、回転可能に保持されている。
【００６２】
稼動部は、S1ASC弐マグネット部（478）の位置にステンレス製S1ASCの駆動部と（483）S1ASCのS極コイル部（277）とS1ASCのN極コイル部（278）の位置にバナジウム製S1ASCの駆動部（482）の素材でできた茶筒形状底部にマドラー先端部スプーン・スクリュー接続部（300）が付いたのS1ASCの稼動管（209）にマドラー先端部交換式スプーン（104）又はマドラー先端部交換式スクリュー（117）を接続したS1ASCの稼動部（209に１０４か１１７を接続したもの）になる。
【００６３】
図４e・f・gの稼動行程は、まずON時にS1ASC壱マグネット部S磁コイル磁極部の上側がN極で引き合う図（479）の様に
S1ASC壱マグネット部（141）の左側N極と、S磁コイル部（277）の上側がN極で引き合い、それと同時に弱い磁力で磁石側面同士くっついている状態の図（480）の様に、磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、次の二倍移動の図（481）ように、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は２倍移動して受身（動かされる）状態から動き動かされる状態（481）のN磁コイル部（278）の可動により、反対側が同じ様に動く事で回転を作り出すもので、これにより第１・２ロータ部の（202・203）と磁力が発生している時のS1ASC磁極コア軸先端部（207）の側面の磁力がバナジウム製S1ASCの駆動部（482）を引き付けロータ部の動きを伝えて稼動部が回転する。
【００６４】
前記本第５発明の多目的軸型2TWモータの冷却用マドラータイプに最適な軸型2TWモータ内臓ファン付きマドラータイプ攪拌器（127に54と117か104を接続したもの）の構造は、まずケイ素鋼製のU字コイル部は、軸の中間位置にU字磁極コア軸部稼動軸口（298）を欠削したケイ素鋼製のU字の軸部（250）の先端部に電磁鋼製のU字コイル部扇形状先端部（249）を溶接か、この形状に鋳造したものの片側に軸には右巻きに、もう一方の軸には左巻きにコイルを巻回して４本の配線は軸型２TWモータのケース（462）の配線溝に這わせて頭頂部の配線孔から外の市販のPICモータ制御装置（50）に接続した構造。
【００６５】
これを本体の軸型２TWモータのケース（462）のU字コイル固定部（255）で挟み本体に固定した状態で内蔵されている。
【００６６】
軸型２TWモータのケース（462）は、円筒形の下部のU字コイル部（221）格納位置を第１ブロック（282）とし、その側面にU字コイル固定部（255）を対向位置にも設けた部分と横にワンウェイギア用バネ格納部を設けた部分と、磁石部（222）格納位置を第２ブロック（283）とし、その側面に軸型２TWモータ磁石部受け（463）を対向位置にも設けた部分と、Yコイル部（223）格納位置を第3ブロック（286）とし、その側面にYコイル部半固定部（160）を対向位置にも設けた部分と、横上の方にワンウェイギア用バネ格納部（163）を設けた部分と、その上にスイッチ切り替え口（469）と、スライド判固定部（161）を対向位置にも設けた部分と、Wスイッチ固定部（162）を対向位置にも設けた部分と、底部から上部までの溝が配線溝（168）を持つ構造。
【００６７】
軸型２TWモータの磁石部は、円筒形の軸型２TWモータの可動管（232）に扇柱形状のマグネット部（505）を上下から挟み、それを固定するためのリング状のギアで歯が左に寝た形状のステンレス製のワンウェイギア左回転用（290）を磁石部本体中央に嵌設したのもがスクリュー可動時のローター部
【００６８】
これを軸型２TWモータのケース（462）の軸型２TWモータ磁石部受け（463）に回転自在に枢着する。
【００６９】
その際横にはワンウェイギア用バネ格納部（136）にバネ（10）を納めS2TWの1W用逆戻り防止つめ（234）の返し部で伸縮自在により、ワンウェイギア左回転用（290）と歯合して左回転時には負荷によって、伸縮を繰り返す構造
【００７０】
上記軸型２TWモータの磁石部の可動管（232）に S2TWのシャフト（169）を軸止し、U字軸部稼動軸口（298）を回転可能に挿通し、回転可能に軸型２TWモータのケース（462）の軸型２TW SUASK可動接続部半固定部（133）に枢着された軸型２TW SUASK可動接続部（125）に反対側のS2TWのシャフト（169）を軸止し、軸型２TW
SUASK可動接続部（125）に、マドラー先端部交換式スクリュー（117）か、マドラー先端部交換式スプーン（104）を着脱可能に螺着した可動部
【００７１】
図5ｂ−5J表記のスライドスイッチ（631）側で、先程図B−１Jを、９０°角度位置を変えた側の第２ブロック（283）中間位置に本体側の面に軸型２TWモータのワンウェイギア用逆戻り防止つめ（234）を設け、先程の軸型２TWモータの磁石部（222）の周囲に凸設したワンウェイギア左回転用（290）と本体側のスライドスイッチ（631）の面に平行して設けた図5ｃ−１J表記の軸型２TWモータ磁石部受け（463）を遊嵌した部分が、スクリュー時の回転とファン時の本体側と一体化せた固定部になる。
【００７２】
軸型２TWモータのYコイル部は、ケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻回し、その後方中央のY字軸部稼動軸口（297）の穴にS2TWのY字コイル部シャフト（245）を軸止した部品
【００７３】
上記Y字コイル部の後ろのY字コイル部シャフト（245）にギアの歯が左に倒れた形状のワンウェイギア右回転用（247）のラチェット機構により一方向に回転する部分と、ファンのプロペラ部マグネット（412）を誘動又は応動させるワンウェイギアマグネット部（506）を通して接続する。
【００７４】
その後ろからY字コイル部可動軸（245）が回転可能内側に挿通され外側はスライド移動・回転可能に本体側上部両端から先端部の窪みのある突起部（161）枢設されたシングル用CMスイッチ（466）部分
【００７５】
これに繋がる切り替え後シングル時のモータ制御配線がシングルON（466と239のスイッチが分離した状態）とファンON（466と239のスイッチが接続した状態）どちらでもシングルコイル部（467）の２つの配線の先端部端子はSCMSIO金具１・２（471・472）と常に接触通電状態
【００７６】
シングルON（466と239のスイッチが分離した状態）の時はシングルコイル部（467）のSCMSIO金具１とSCMSIO金具２（471と472）を介してYSCB2TOSC2とYSCB１TOSC１（153と152）から、シングルON時には回転せずに所定の位置で停止しており、Y字シングルコイル部金属ブラシ（464）と接触通電状態の２つのTW２枚部コミテータ（414）からMCTO TW２コミテータ１（118）とMCTO TW２コミテータ２（136）配線が市販のPICモータ制御装置（50）に接続されている。
【００７７】
ファンON（466と239のスイッチが接続した状態）の時はシングルコイル部（467）
のSCMSIO金具１とSCMSIO金具２（471と472）からYSCB１TOSC１とYSCB2TOSC2（153と152）が離れて、SCMSIO金具１（471）はWCMFSIO金具１（470）と、SCMSIO金具２（472）はWCMFSIO金具２（473）に接続されている。
【００７８】
ダブル用CMFスイッチ（239）はシングル用CMスイッチ（466）と同じで、アルミ製の円筒形のものを縦に２つに切り、縦の長さが円筒形のものと同じで、横が円筒形のもの厚みの３倍の長さの長方形の銅板を両サイドに２枚を間に挟んだ形状で筒の内と外に配線を接続するもので、外側は本体軸型２TWモータのケース（462）に固設され、内側は回転可能にS2TWのY字コイル部シャフト（245）貫通した部分
【００７９】
上記ダブル用CMFスイッチ（239）を先程のシングル用CMスイッチ（466）の後にS2TWのY字コイル部シャフト（245）通して固定し、本体側の（162）により、回転可能に半固定され、WCMFSIO金具２（473）からTW3コミテータ3TOWS2（115）を経由してTW3枚部コミテータ（413）へと、WCMFS2TOWC1（154）を経由してダブル巻線１（468）左へと、WCMFSIO金具１（470）はTW3コミテータ1TOWS１（116）を経由してTW3枚部コミテータ（413）へと、WCMFS１TOWC2（155）を経由してダブル巻線２（103）右へ、常に接続されている。
【００８０】
ダブル巻線１（468）右へとダブル巻線２（103）左のWコイル間配線（46１）配線の中間位置からTW3コミテータ2BTWC１A2（114）を経由してTW3枚部コミテータ（413）に接続されている。
【００８１】
図5ｃ・ｇ・ｈの２枚のコミテータ片で構成されたTW２枚部コミテータ（414）に、Y字シングルコイル部金属ブラシ（464）が対角線上に２つ接触配置位置のS2TWのY字コイル部シャフト（245）に固定されている。
【００８２】
２つのY字シングルコイル部金属ブラシ（464）それぞれからMCTOFMTW金属ブラシ２（151）とMCTOFMTW金属ブラシ１（148）を経由して市販のPICモータ制御装置（50）に接続されている。
【００８３】
上記の上に３枚のコミテータ片で構成されたTW3枚部コミテータ（413）と、そのコミテータ片の中心位置にダブルコイル部用金属ブラシ（291）が３箇所接触配置した部分と、その直ぐ下には、ファン稼動時のTW金属ブラシ（465）が対角線上に２つ接触配置部分の位置のS2TWのY字コイル部シャフト（245）に固定されている。
【００８４】
３つのダブルコイル部用金属ブラシ（291）それぞれからMCTOTW3コミテータ１（111）と、MCTO TW3コミテータ2（112）と、MCTO TW3コミテータ3（113）を経由して市販のPICモータ制御装置（50）に接続されている。
【００８５】
図5ｃの10Jは、片方にY字マグネット部（506）接続したワンウェイギア右回転用（247）をYコイル部半固定部（160）で回転可能に保持し、その中心にS2TWのY字コイル部シャフト（245）の中間位置に固定され、ワンウェイギア用バネ格納部（163）と、バネ（10）と、S2TWの1W用逆戻り防止つめ（234）で右回転とロック状態を作り出す本体部分に格納されている。
【００８６】
図5ｃの11Jは、軸型２TWモータの磁石部（222）の中心位置に固定されたワンウェイギア・左回転用（290）を軸型２TWモータの磁石部半固定部（159）で回転可能に保持し、下部のワンウェイギア用バネ格納部（163）と、バネ（10）と、S2TWの1W用逆戻り防止つめ（234）で左回転とロック状態を作り出す本体部分に格納されている。
【００８７】
図５ｃのファン用プロペラの構造は軸型２TWモーターのY字コイル部（223）に接続したワンウェイギアマグネット部（506）の位置より下の位置の外側にべアリング（188）を接続しており、これに軸型２TWモータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）で、これを本体（127）のベアリング（188）に接続している部分
【００８８】
ファン稼動行程はU字コイル（221）の磁力に固定され、軸型２TWモータの磁石部（222）のワンウェイギア左回転用（290）により軸型２TWモータのYコイル部（223）が従来の小型モータと同じように右に回転し、Y字マグネット部（506）の磁力でプロペラ部マグネット（412）と引き合いプロペラを回転させる。
【００８９】
ファン稼動終了時に攪拌器側を回すため所定の位置に戻すためU字コイル（221）の磁力で（222）を引いた状態で常に終了する。
【００９０】
スクリュー稼動行程は本体に固定されたU字コイル部（221）と、本体に回転可能に軸型２TWモータの磁石部半固定部（159）で半固定されたマグネット部（222）と、本体に回転可能にYコイル部半固定部（160）で半固定されたYコイル部（223）が縦に並んだ状態で、Y字の方もシングル部を下にした状態からU字コイルがONになって、マグネット部（222）との左右の引きでワンウェイギアの稼動方向左回転ので９０°回転し、その際Y字コイルシングル軸部（467）は反発でアシストのためダブルコイル部（420）の右が反発してさらに９０°回転した後にダブル軸の左が反発、次に反対側右のシングルコイル部（421）がONになって先程とは逆に引きで９０°回転し、今度は右のU字コイル右部（221）の極性が逆の状態でアシストしてマグネット部を９０°回転し、これらの行程を繰り返す事で回転をつくる。
【００９１】
スクリュー稼動終了時に、ファンを回すため所定の位置に戻すためY字コイル（223）の磁力で（222）を引いた状態で常に終了する。
【００９２】
図6ｆ・ｇの左ヘッド（349）は、厚めのパイプを縦に２から数十カットする事で、ちょうど雨樋のような形状になり、これを左から右斜め下にカットした面を内側に３０°〜９０°（176）と外側に９０°〜１５０°（177）の角度の範囲で何れかの角度に合わせて角度を保ちながら削って内側か外側に傾斜がついた左２から数十カット部（374）を２から数十個を内側どうし合わせて接続した左２から数十ヘッド（349）と、これより外周が１ｍｍ大きいマグネット部（３７）を接続した部分
【００９３】
これをファン回転用溝内部形成管（371）の中間位置から内側に１ｍｍ出っ張った左ヘッド受部（158）がついており、これとモータ（358）で回転可能にマグネット部（３７）の１ｍｍ部分を挟み、枢設し、左２から数十ヘッド（349）の中央の孔に回転可能にCG稼動軸（363）を連通した状態で組み込まれている。
【００９４】
右ヘッド（352）は、右から左斜め下にカットした左ヘッド（349）とは逆傾斜の同形状
【００９５】
これを下部切り替えガイド形成部用（189）の底部の置き右ヘッド受部（179）と、チェンジギアボックスケース本体（164）の底部の蓋（180）で、右ヘッド（352）より外周が１ｍｍ大きいマグネット部（３７）を挟み回転可能に枢設し、この右ヘッド（352）の中央の孔に回転可能にCG稼動軸（363）を連通した状態で組み込まれている。
【００９６】
両面ヘッド（364）は右２から数十ヘッド（352）と左２から数十ヘッド（349）の後部を左右対称の状態から９０°右回転した位置で、円柱形状にガイド受の四角い孔を開け、CGWH  突起部（３５６）の付いた  RHSG受部（346）を間に挟み接続してできた両面ヘッド（364）を上部切り替えガイドの溝（１９３）か（両面ヘッドスライド受１６６）か下部切り替えガイドの溝（１９４）の何れかの位置にCGWH  突起部（３５６）合わせて移動可能に内蔵した部分
【００９７】
図６ｄ・eの円柱の中間が四角柱に形成されたCG稼動軸（363）を、上記左ヘッド（349）と両面ヘッド（364）と右ヘッド（352）を連通して、モータのシャフトに軸止した部品。
【００９８】
図６a・eの本体部は、長い円筒形のチェンジギアボックスケース（362）の底部に短い円筒形の下部切り替えガイド形成部用（189）と円筒形をCGWH  突起部（356）より0.1ｍｍの圧さ分、左から右へカットと対抗面は右から左へカットした
ものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９１）をCGWH  突起部（356）より0.1ｍｍのスペースを空けた位置と、円筒形の上部切り替えガイド形成部用（371）突起部（356）より0.1ｍｍのスペースを空けた位置にそれぞれのイモネジ用の穴（192）にイモネジ（445）で螺着したチェンジギアボックスケース本体（164）になる。
【００９９】
ファン部は、円筒形の片側が閉じた容器形状の底部中央にチェンジギアボックスケース（362）よいも一回り大きい穴を欠削した２つがプロペラ接続部上部（186）とプロペラ接続部下部（184）になり、これら底部同士を接続し、プロペラ接続部上部（186）には中央に孔の開いた円盤形状のプロペラ部マグネット（412）を格納し、外側にはファン用プロペラ（184）を両サイドに設けた構造で、本体チェンジギアボックスケース（362）に内装された左ヘッド（349）のマグネット（37）直ぐ下の位置にべアリング（188）の内側を固定した部分にファン部のプロペラ接続部下部（184）を着脱可能に嵌着する。
【０１００】
スクリュー回転状態は、（358）のシャフトに接続されたCG稼動軸（363）と、下の方に移動完了した両面ヘッド（364）のCGWH  突起部（356）が、右回転で下部切り替えガイドの溝（194）のCG下部戻り防止ピン（361）を押し上げながら回転を繰り返し、その際両面ヘッド（364）の下部にある左ヘッド（349）の傾斜のない垂直面で、右ヘッド（352）の傾斜のない垂直面とが噛み合い回転し、反対側の左ヘッド（349）は、上部切り替えガイドの溝（193）と下部切り替えガイドの溝（194）の間隔分距離をあけているので空回りして静止状態にある。
【０１０１】
図６aのチェンジギアケースの展開図（460）の様に、ファン可動時にはモータが左回転して、両面ヘッド（364）のCGWH  突起部（356）が下部切り替えガイドの溝（194）回転途中で、CG下部戻り防止ピン（361）の板バネの傾斜を上り、CG稼動軸（363）の４ｂの四角柱の形状と両面ヘッド中部（346）の両面ヘッドスライド受（165）により、CG稼動軸（363）と一緒に回転しながらスライド移動しながら、切り替え移動ガイドの溝（166）を更に上り、CG上部戻り防止ピン（360）を少し押しのけ、上部切り替えガイドの溝（193）に入り、先程押しのけた上部切り替えガイドの溝（193）押し倒して下に戻らずその位置で回転し続ける。
【０１０２】
スクリュー部は、チェンジギアボックス内蔵本体（３５７）よりも一回り大きい底のある円筒形状のものにマグネット（３７）を内装し、上から落とし蓋をして残った０.５ｍｍの部分がチェンジギアボックス内蔵本体（３５７）の底部接続の空間がスクリュー受部（164）を設けた構造
【０１０３】
スクリュー部の稼動時には、まずモータが右回転して、両面ヘッド（364）のCGWH  突起部（356）が上部切り替えガイドの溝（193）回転途中で、CG上部戻り防止ピン（360）の板バネを潜り、CG稼動軸（363）の４ｂの四角柱の形状と両面ヘッド中部（346）の両面ヘッドスライド受（165）により、CG稼動軸（363）と一緒に回転しながらスライド移動しながら、切り替え移動ガイドの溝（166）を下り、CG上部戻り防止ピン（360）を少し押し下げ、CG下部戻り防止ピン（361）に入り、先程押し下げたCG下部戻り防止ピン（361）押し戻して下に戻らずその位置で回転し続ける。
【０１０４】
前記本第8発明の多目的ヒートモータは先ず、図９ｃの電磁鋼製のヒートモータ用先端扇柱形コイル部軸（394）は、茶筒形状の筒の中に、きつく入る大きさの軸先端部の約３分の１とコイル巻き部を削り、さらに先端部の軸の中心から１０ｍｍの位置からL字に貫通させた穴を空けたコイル部からの配線口（435）設けた形状の部品
【０１０５】
図９eの下部本体（342）は、上記の先端部の反対側の形状に別に削りだした形状の先端部扇柱形コイル部固定部（395）の中心にヒートモータ接続軸（634）を固定したHTM連結軸部（345）と、その下部の方を茶筒形状のヒートモータコイル部格納カバー（369）と、これにコイル部（368）を格納し、その上からHTM連結軸部（345）で蓋をするようにセットしできた部品
【０１０６】
上記の内蔵さてたヒートモータ用先端扇柱形コイル部軸（394）コイルを巻きコイルの両端をコイル部からの配線口（435）からヒートモータ接続軸（634）の中を通して配線２本出して、配線孔（376）を別々に通り、ヒートモータ内側コイル接触ヘッド−極（431）とヒートモータ内側コイル接触ヘッド＋極（436）に結線したコイル部からの配線部
【０１０７】
図９eのHTMローター部（391）は、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にHTMスクリューブレード（344）を４枚つけたヒートモータスクリューケース（372）に格納してできた部品
【０１０８】
図９a・eのリング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、同形状でリングベースのブラシの位置による名称がaVの電流用＋極用ブラシ（339）である＋極用ブラシリングベース（475）と、同形状でリングベースのブラシの位置による名称がaV三倍の電流用−極用ブラシ（340）である−極用ブラシリングベース（476）と、同形状でリングベースのブラシの位置による名称が内側コイル接触ヘッド−極（431）である内側コイル接触ヘッド−極リングベース（477）の各リングベース部
【０１０９】
図９a・b・eの上部本体（347）は、筒状の上部にSGL部接続部（299）と配線孔（167）を持つ蓋で閉じ、反対側の孔より2割奥の位置にヒートモータ接続軸（634）接続用の孔の内周面に内側に螺設部と配線孔（376）を2つ持つHTM上部本体の下部固定部（398）と、上記の各リングベース部を順番に接続固定し、その下にHTMマグネット部（348）を固定してできた部品
【０１１０】
扇形状のマグネット（37）極性を変えて対角線上に配置し、円形を形成するように樹脂で固めたHTMマグネット部（348）
【０１１１】
筒状の軸の上部に＋極のコイル部コミテータ片（389）と絶縁体コミテータ片（392）交互に3枚ずつ張り付けけた部分と、2ミリ間隔を開けて−極のコイル部コミテータ片（388）と絶縁体コミテータ片（392）を交互に3枚ずつ張り付けた部分と、円筒形の容器の底にHTM  コミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したものを先程のHTM  コミテータ軸（501）の2ミリ間隔を開けた位置に固定したHTMリング付コミテータ軸（463）の部分をHTMローター部（391）の中心に接続してできたHTMリング付コミテータ軸（463）
【０１１２】
図９eのHTMローター部（391）の上部の磁力伝達部固定部（396）に、上記のHTMリング付コミテータ軸（463）の下部を接続した図９dのHTM稼動部（132）
【０１１３】
図９a・eの下部本体（342）のヒートモータ接続軸（634）に上記HTM稼動部（132）の磁力伝達部固定部（396）とHTM  コミテータ軸（501）回転可能に通し、それを上部本体（347）下部のHTMマグネット部（348）を更に通し、内側コイル接触ヘッド−極リングベース（477）の位置に２つのヒートモータ内側コイル接触ヘッド−極（431）と−極のコイル部コミテータ片（388）が接触状態と、−極用ブラシリングベース（476）の位置にaV三倍の電流用−極用ブラシ（340）とaVの電流用−極用ブラシ（341）が−極用コミテータ片（503）に接触状態と、＋極用ブラシリングベース（475）の位置にaV三倍の電流用＋極用ブラシ（338）とaVの電流用＋極用ブラシ（339）が＋極用コミテータ片（50２）に接触状態と、内側コイル接触ヘッド＋極リングベース（474）の位置に２つのヒートモータ内側コイル接触ヘッド＋極（436）と＋極のコイル部コミテータ片（389）が接触状態になる様に突き出たHTMリング付コミテータ軸（463）合わせ、とさらにHTMリング付コミテータ軸（463）中から突き出たヒートモータ接続軸（634）の先端部の外周面に螺設した外螺子をHTM上部本体の下部固定部（398）に螺着して固定し、HTM連結軸部（345）の中央の孔から出たコイル部の配線と市販のPICモータ制御装置（50）からの配線を上記のように接続してできたヒートモータ本体（6２9）
【０１１４】
図９b・fの上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続される。
【０１１５】図９gの稼動行程は、市販のPICモータ制御装置（50）使いaVの＋極の配線に＋極用接触ヘッド２（339）とaVの−極の配線に−極用接触ヘッド４（341）とaVの三倍＋極の配線に＋極用接触ヘッド1（338）とaVの三倍−極の配線に−極用接触ヘッド３（340）にそれぞれ接続し、次に約６分の１の接触金具を一つ置きに３つ取り除いた構造で、交互に等間隔に配置され、対角線上の金具はない状態と有る状態の位置に配置された接触ヘッド１（338）と２（339）の＋極用接触金具部と接触ヘッド３（340）と４（341）の−極用接触金具部により、（公序良俗違反につき、不掲載）（小型）モータと違い二種類＋極の電流のON/OFFを交互に行っているのと同時に＋極用接触金具部（338か339）と同じもので同じタイミングで、−極用接触金具部（340か341）でもON/OFFすることで、次のように接触ヘッド１（338）とHTM＋極用接触金具（486）を介しヒートモータ内側コイル接触ヘッド＋極（436）の左と接続し、接触ヘッド３（340）とHTM−極用接触金具（487）を介しヒートモータ内側コイル接触ヘッド−極（431）の左と接続されコイル部（368）の軸先端部磁力（410）が、扇柱形磁力伝達部（367）の磁力aの３倍S極なり、そのときの側面が磁石の磁力aの２倍S極で反発移動し、次に接触ヘッド２（339）とHTM＋極用接触金具（486）を介しヒートモータ内側コイル接触ヘッド＋極（436）の右と接続し、と接触ヘッド４（341）とHTM−極用接触金具（487）を介しヒートモータ内側コイル接触ヘッド−極（431）の右と接続されコイル部（368）の軸先端部磁力により扇柱形磁力伝達部（367）の磁力がaのS極なり、そのときの反対側の側面が磁石（348）の磁力aの２倍N極（443）で引き合い移動し、これを３回繰り返すことで回転を作るもので、その他の蓋タイプ（平型モータ・平型蒸気モータ・円盤型蒸気エンジン）と組み合わせて使用もできる。
【０１１６】
上記用途別攪拌器のマドラータイプの上部（請求項4・5・6・9）やノーマルマドラーの上部（請求項2・3）に接続して使用するマドラー先端部格納、振動を回転に変える発電機内臓動作確認用LED部（54）の仕組みは、まずは重力を回転に変えて、無限ループする３連空車輪は自力で６０％以上稼動する装置と、前後左右上下の３つの微弱振動伝達器（1・31・32）を組み合わせたもので、その構造は、まず図８ｃのウイールシンカー（B）は、本体底部にWSマグネット部N極（507）と、その中央にタイヤ（36）設けた部分の、左右対称の２つのものを後方にWSCL（508）で、ウイールシンカー格納部（181）に張設されたチェーン（33）の一箇所に両サイド前後可動可能に軸架して吊設した構造
【０１１７】
図８ｃのマグネット床（584）は板状の片面の左上から右下にチェーンを張るスペースに床用S極マグネット（640）を３列並べたものを３等分して左からマグネット床壱（641）と、マグネット床弐（642）と、マグネット床参（643）からなる。
【０１１８】
図８ｃのウイールシンカー格納部（181）は、現時点で底部のマグネット部を下にしたマグネット床参（643）と側面板（644）を側面１つとマグネット部を上にしたマグネット床壱（641）天板の側面を片仮名のコの字の形状に合わせて接続したものを、マグネット床壱（641）結合部の反対側の面に溝を設けたMF受部（675）と、内側マグネット床参（643）の奥の下であるコーナー近くにギア固定部（673）２つで、WSCギア（195）を、内側に１5°から４５°の何れかの角度に向けた状態で、WSCギア（195）が回転可能に嵌着した部分と、外側の側面板（644）に筒状のTC軸（185）の片側をの短い辺の中央位置で、傾斜が左側の長い辺中央より接続した部分と、（195）にギアを噛ませ、そこからTC軸（185）にカルダンジョイント（672）を通し、反対側にウイールシンカー部伝達ギア（182）接続したものと、マグネット床弐（642）の結合部の反対側の面と、マグネット部を下に合わせて側面を蝶番（676）で可動可能に半固定し、マグネット床弐（642）の結合面の反対内端側バネ（10）を接続して出来たウイールシンカー格納部形成部（674）と、向きを１８０°変えたウイールシンカー格納部形成部（674）の互いのバネ（10）部と、蝶番（676）部の前に固定してできた部品で、これは通常バネの力で形状をキープしている。
【０１１９】
上記のものの両サイドにある（195）間に（33）掛け（33）一箇所に（B）の（508）軸を中心に前後に揺れるように嵌設する。
【０１２０】
芯内バランス調整器受け（571・572・573）と、ウイールシンカー格納部（181）の空洞部を中心軸（16）が遊貫しているので、芯内バランス調整器中央部（384）が垂直降下移動と、ツイスト可動時には上記形状により負荷でバネ（10）が伸び、マグネット床のツイスト変形することで可動を妨げない。
【０１２１】
芯内バランス調整器（690）の構造は、まず長方形柱の形状の長い辺の面に垂直ギア（27）と、右端に（549）と、隣にCBフック（549）と、その反対側の内側に重り（2）とを設けた芯内バランス調整器錘部A・B（383・385）
【０１２２】
芯内バランス調整器錘部A・B（383・385）よりも３倍大きいサイズの長方形柱の形状の側面右上と左下のコーナー部を芯内バランス調整器錘部A・B（383・385）と芯内バランス調整器錘部保持ツメ（669）の分を欠削し、欠削し出っ張った角の面に芯内バランス調整器錘部保持ツメ（669）を接続した部分と、その隣に平行して中央の位置まで設けた（27）と、図８−D&#8212;G6の左下手前と右上奥の辺の長い面の方に（547）と、側面端に（688又は689）側に（549）と、側面中央の中心から回転可能に伸びる（270）の根元近くに（269）を遊着した部分とを両面に設けた部分と、これの内側を刳り貫いた空間のに側面部から見て左上奥から右下手前に（185）の軸が突き出るように格納した部分とを設けた芯内バランス調整器中央部（384）
【０１２３】
芯内バランス調整器中央部（384）の芯内バランス調整器錘部A格納溝（688）に芯内バランス調整器錘部A（383）芯内バランス調整器錘部B格納溝（689）に芯内バランス調整器錘部B（385）をスライド移動可能に格納した芯内バランス調整器（690）
【０１２４】
芯内バランス調整器（690）の垂直降下可動は、芯内バランス調整器錘部AかB（383か385）のいずれかが上部に来ている方の（702）の（2）を（513又は516か560）で引き上げて解除され、芯内バランス調整器錘部AかB（383か385）が降下、その際垂直ギア（27）が（28）に掛かり、（28）の傾斜で回転し、（491）の（E）を引き上げ、降下完了時に芯内バランス調整器錘部AかB（383か385）が（706）ロックされるのと、CBフック（549）が芯内バランス調整器中央部（384）の（697）に引っ掛かり、その衝撃で芯内バランス調整器錘部BかA（385・383）の（544）から（547）が外れ、芯内バランス調整器中央部（384）が降下、その際に上記の続きで（E）を更に引き上げ、芯内バランス調整器中央部（384）の（27）が本体の長さの半分で終わり、反対側の面に施された（27）で、反対側の（E）を引き上げ、    降下完了時に芯内バランス調整器中央部（384）の（697）が芯内バランス調整器錘部BかA（385か383）の（549）を引っ張り（706）から芯内バランス調整器錘部BかA（385か383）が外れ降下、その際に上記の続きで（E）を更に引き上げる。  
【０１２５】
図８r・pのCSCB受け壱・弐・参の共通機構図（510）の基本構造は、筒状の両端の内側周囲に凹設部を設けた部分と、両側面に中心軸（16）用の孔を回転可能に開けた構造で、これの筒の口を上にした状態で、中心軸（16）用の孔の両端の左上と右下に縦に平行設けたローテーションギア用ツメ（25）２つと、これの反対側の中心軸（16）用の孔に対してもローテーションギア用ツメ（25）２つ平行に設けたのがCSCB受け壱（571）
【０１２６】
図８aのCSCB受け壱・弐・参の外周の共通機構は、筒の口をにした状態で、（16）直ぐ上に（287）と、（16）と端の中間位置に（273）と、（16）下の端に（273）を設けることで軸を中心に横向きにした時に左右のバランスを取っている。
【０１２７】
上記のCSCB受け壱・弐・参の共通機構図（510）の、筒の口を横にした状態で、中心軸（16）用の孔の両端の右上と左下に縦に平行設けたローテーションギア用ツメ（25）２つと、これの反対側の中心軸（16）用の孔に対して、左上と右下に横に平行に設けたローテーションギア用ツメ（25）２つと、これの反対側の中心軸（16）用の孔の両端の左上と右下に縦に平行２つ平行に設けたのがCSCB受け弐（572）
【０１２８】
上記のCSCB受け壱・弐・参の共通機構図（510）の、筒の口を上にした状態で、中心軸（16）用の孔の両端の右上と左下に横に平行設けたローテーションギア用ツメ（25）２つと、これの反対側の中心軸（16）用の孔に対してもローテーションギア用ツメ（25）２つ平行に設けたのがCSCB受け参（573）
【０１２９】
（16）に（24）を固定し、（11）と、（12）と（13）を順番に通し、（23）通して、（16）固定したものの両端に突き出た（16）を（15）から伸びる２つの（14）に渡設し、更に左に突き出た（16）に（6）のシャフトに固定し、（5）に配線をした外観構造
【０１３０】
図８m-679・r−21は、各芯内バランス調整器受（571・572・573）の両サイドに、片側端内周面に凸設した筒形状の駆動軸ガイド管（22）を回転可能に嵌設した本体管（691）
【０１３１】
図８ｄ・eの様に、上記の芯内バランス調整器（690）を本体管（691）に、回転とスライド移動可能に内蔵し、その本体管（691）の両端に（276）を設けた蓋で閉じた部分と、その直ぐ内側に（270）よりも大きい孔を欠削した（679）と、支持部（692）下に、軸を持つ（271）を回転可能に内蔵した内側部分を点対称に具備する。
【０１３２】
図８e（690）の両側面の中心から回転可能に伸びる（270）の根元近くに、（268）と噛みあった（269）を固定し、その先端軸を（678）に回転・スライド可能で、移動しても保持できる様に軸の先端を残す様に内蔵している。
【０１３３】
芯内バランス調整器（690）の重さで（271）が下にある方の（270）と（271）が噛み合い稼動し、逆に（271）が上にある時は、（678）孔の大きさ分のずれで（270）とはかみ合わない。
【０１３４】
図８e−fの（702）は、（22）外部構造の付属面の内側に上下可動可能に軸に嵌設され、内部側先端部に止め金が付いている部分と、中間位置に軸と、外部先端部に（2）を設けた構造
【０１３５】
上記の（702）は、（11）垂直状態の時（13）と（12）が一緒に半回転する時に（12）の（323又は332か326）が（308又は309か310）押し事により（702）を内側に押し、垂直降下が開始され、水平状態の時（2）により（702）が解除されスライド移動とツイスト可動が開始される。
【０１３６】
図８eの上記の本体管（691）外部構造は、下右端部に（679）と、中央の芯内バランス調整器受と、（22）の付け根の（22）側に軸の中に（43）から（524又は525）に回転伝達するための両端にギアの付いた軸を内蔵した（680）の先端部の孔で（43）を回転可能に保持する部分と、（679）と（680）の先端部外より位置と、中間外側位置に滑車を設けた部分と、（679）と（680）の根元付近に（524又は525）を、回転可能に保持する部分を具備している。
【０１３７】
上記と同じく本体管外部構造の（524又は525）は、（679）に保持されている側に（693）と、中央よりに（20）と、その横に（28）と、更にその横に（276）を具備している。
【０１３８】
上記の（693）は（695）の先端部の軸に四角柱の（703）を、一回り大きく、深さのある空洞の（704）に内装しており、回転を損なわず、接続ギアの接続の際、スライド移動により、伸縮する。
【０１３９】
上記と同じく本体管（691）外部構造の右下と左上の（20）左手前と右奥の側の位置あたる本体管外部に軸を設け、先端に回転可能に（17）を保持し、（20）から来る（19）の角度を変える。
【０１４０】
上記と同じく本体管（691）外部構造の右下と左上の（28）の位置に（28）の歯が入る様に（22）を欠削した部分から（27）ギアの歯が入り込むことで、（28）のギア歯が噛み合い回転を伝える。
【０１４１】
上記と同じく本体管（691）外部構造の下左よりの位置と、（2８7）の左下の位置に平行に（684）を設け、その中間位置よりも右寄りに（526）を回転可能に保持し、先端部に（693）と、その先に（327又は328か335）を固定している部分が点対称部分にも存在する。
【０１４２】
上記と同じく（271）と（280）が、噛み合い、（280）から右側に伸びる軸が回転可能に（684）に保持され、更に軸の中間位置のギアが（526又は527）の付け根のギアに噛み合っている部分と、更に軸の右側の（680）に回転可能に保持され、軸の末端のギアが（273）に噛み合っている。
【０１４３】
上記と同じく（684）の右側の接続孔に左から右斜め下に傾斜があり、釘の頭の形状部分が（684）の左に、右には軸を通して中間位置に（274）と、下に来ている時に噛み合う（287）と、上に来たときに（276）と噛み合う、末端に２つの噛みあったギアを持つ（275）  部分を具備している。      
【０１４４】
図８a・bの上記の両端の（276）に、リング状の側面から見て左か右に傾斜の付いたギア歯を持つ（3）に任意の対角線上の２つの位置に（681）接続し、これの孔に（276）を嵌設する。
【０１４５】
（705）は（15）の天板に固定され、先端部は（E）の上昇位置９５パーセントの位置に（698又は699か700）のフックが付いている部分と、支柱の中に（698又は699か700）に接続された（701）が（705）下部の孔から出て、滑車により方向を変えて接続ギアに繋がっていて、下部に来た（43）の（E）か９５パーセントの位置に移動し際に（８）で、（698又は699か700）を押し上げ、（701）を引き（320又は328か201）と（30又は200か211）の接続が解除された時に（3）半回転稼動開始する。
【０１４６】
図８g・h・I・jの（15）は、図８ｈから見て左手前に、（284）を（490）で上下に移動可能に保持した（31）と、右手前に、左右に移動可能にレールで保持された（32）と、この間を左（265）と（10）と（685）で右に押さえつけられた（258）と、（11）の（302）の真下から伸びる（531）の上から（520）と、途中に（217）に（33）で繋がる（238）と、その下に（261）と（10）からなる部分の（261）に噛みあう様に（258）を（686）に固定した部分と、（12）の（303）の真下から伸びる（532）の上から（212）と、途中に（218）に（33）で繋がる（240）と、その下に（263）と（10）からなる部分の（263）に噛みあう様に（259）を686）に固定した部分と、（13）の（304）の真下から伸びる（533）の上から（213）と、途中に（216）に（33）で繋がる（256）と、その下に（264）と（10）からなる部分の（264）に噛みあう様に（260）を（686）に固定した部分と、その間２箇所を（696）で回転可能に保持した部分
【０１４７】
上記の奥側は、（11又は12か13）の（320又は321か322）の真下から伸びる（521又は522か523）の先端部から（30又は200か201）と（535又は210か211）を乗せ、（521又は522か523）が（15）の中に回転可能に入った下の位置に（256又は238か240）と（33）で繋がった（216又は217か218）と、（10）と、（15）の天板と、その下（536又は214か215）を固定し、さらに伸びる（521又は522か523）は、（15）の底部に回転可能に嵌設
【０１４８】
（536）の左側に噛み合うに、左の方のギアと、この間を（15）の底部から伸びる支柱に回転可能に軸を保持された右側に付いたギアからなる（519）の右側ギアの左に噛み合うに、（215）と、その左側に（518）と、（214）と、（517）と、（536）の右側を噛み合うに組設した（15）の内部構造
【０１４９】
(671)は図８aの様に両端の支柱（14）の先端部から９０°曲がった角の位置に、外輪ギア受軸（656）を渡設した軸の空車輪壱又は弐か参（11又は12か13）の位置に外輪ギア受バー（671）をぶら下げ、その先端に外輪ギア受滑車（670）回転可能に嵌設した部品
【０１５０】
ロックギア壱又は弐か参（308又は309か310）は、図８aの様に両端の支柱（14）の先端部から９０°曲がった末端部に上部HSG受軸（655）を渡設した軸の空車輪壱又は弐か参（11又は12か13）の位置に軸をぶら下げた先端部に固定した部品
【０１５１】
稼動終了の空車輪の上部ゼンマイ部による稼動開始の空車輪の外輪ギア解除バーは、図８−A・Bの様に両サイドの支柱（14）の先端部から９０°曲がった水平軸の中央に解除部受軸（645）を渡設した空車輪壱又は弐か参（11又は12か13）側左の位置の解除部受軸（645）に空車輪１TO３解除バー又は空車輪2TO1解除バーか空車輪3TO2解除バー（513又は516か560）の軸の末端下部のつめの部分と反対側上部のバランスバー左又は右か右側は錘（２）で、右又は左か左側は空車輪参又は空車輪壱か空車輪弐（13又は11か12）のロックギア参又はロックギア壱かロックギア弐（310又は308か309）を接続したものの中央軸の楕円孔を通してぶら下ったの構造で、稼動時には空車輪壱又は弐か参（11又は12か13）の外輪ギアが半回転して、接続ギア凹壱又は弐か参（323又は332か326）がロックギア壱又は弐か参（308又は309か310）を経由して空車輪１TO３解除バー又は空車輪2TO1解除バー）か空車輪3TO2解除バー（513又は516か560）のつめを押し上げロックギア参又は壱か弐（310又は308か309）持ち上げて空車輪参又は壱か弐（13又は11か12）が半回転可動開始する。
【０１５２】
図８mは半月ギア（1）で、その形状は半径が20ｍｍで内角が150°と半径が1.5ｍｍで内角が30°の扇形状の半円を繋げた窪みを持つ半月形状の外周にギア加工と半径が1.5ｍｍの末端部に重り（2）を付けたもの半円の側面の中央に半月ギア受（198）を設けこれを、それぞれ空車輪壱又は弐か参（11又は12か13）の右側位置に、半月ギア軸（511）通したものを３つと、半月ギア軸（511）の両端を図８−Aの様に支柱（14）の先端部から９０°曲がった中央よりも先の位置に渡設した構造
【０１５３】
稼動時には図８a・bの上部HSG受軸（655）にぶら下ったHSG軸（587）の間にバネを接続し、さらに指の様に伸びた１０本歯のついたプレートを接続したハンドシェクギア（4）が半月ギア（1）前後の揺れで、半径が20ｍｍで内角が150°分の出っ張りでプレートが下がり、昇降バー（43）の末端部に付いた指の様に伸びた１０本歯が内側に立ち上がった形状のプレートがついたハンドシェイクギア受け（512）に接続され、上部に来た昇降バー（43）を稼動回転させゼンマイ部を移動させる。
【０１５４】
図８mのゼンマイ部（E）は、ゼンマイ部軸管（570）円筒形状の内側を螺設したものの中間位置にU字形状のCZ可変部（５６９）の両端の凸部で挟む様に枢着し、反対側にゼンマイの内側に固定し、反対側のゼンマイ（８）の先端部にゼンマイ用錘（７）を固定し、ゼンマイ部軸管（570）の上下にワイヤー固定リング（42）を固定し、３箇所にワイヤー（４１）を固定した部分で、このゼンマイ部（E）が回転して移動する際に、遠心力の強弱やカウントギア（28）の衝撃により、錘（7）を遊動する事で移動を助ける。
【０１５５】
図８mの昇降バー（43）は、棒状のものの外周面にN極の磁性を持たせた螺旋状に螺設した歯にRGつめ（44）を表と裏に併設した部品
【０１５６】
図８ｋのカウント・ギア（28）は、軸に螺旋状に２８０°から３３０°一周近く巻いた歯からなる部品で、これをLa軸（525）に固定しているものに、芯内バランス調整器中央部（384）や芯内バランス調整器錘部A・B（383・385）ギアバー（27）の歯が垂直に入り、そのまま真っ直ぐに下がり、カウント・ギア（28）の傾斜により自ら１回転し、歯が途切れて抜け落ちると同時に次の歯が掛かり、これを繰り返してBCWギア（20）を回して、ZCLチェーン（491）のゼンマイ部（E）を引き上げる。
【０１５７】
図８ｋのボールズチェーン用ダブルギアは、ボールズチェーン（20）玉を被った大きい玉を半分挟むように歯と歯の間の谷の片側部分に玉をキャッチするための内側に曲面傾斜を付けたギアを傾斜のある面を向かい合わせに、間に固定小リング（196）を上下２枚挟んで接続した部品
【０１５８】
図８ｍの ボールズチェーンは、玉状のものに軸を付け、次の玉を被う用に遊嵌した部品
【０１５９】
右回転用ラチェットバー（593）は、ラチェットバー固定アーム（614）底部の軸にL字のツメを持つラチェットバー可動アーム（615）と、一方向だけ動く方にラチェット用板バネ（156）を固定したもので、これと同じものを上下反対向きにした左回転用ラチェットバー（613）をラチェットベース（157）に固定したのか移動ラチェットバー（197）になる。
【０１６０】
ハンドシェイクギアは、傘の骨組みの様に軸の末端に短い可動用の軸を設け
【０１６１】
接続ギアは、別の考案使用
【０１６２】
上下軸用振動回転機（31）は、WSギア（490）がWS用支柱（284）を挟むように移動可能に嵌設された２箇所と、本体のバネ（10）の付いたWSギア歯 TSDギア（589）の数十箇所がTSDギア（265）を、上に移動した時は互いの歯が噛み合い回転を伝え、下に移動する時はWSギア歯（589）の傾斜により回転を伝えず下に下がる行程を上下の微弱振動が有る時だけ繰り返して、回転と左右軸用振動回転機（32）の回転による混合回転か、左右・上下軸用振動回転機（32・31）が停止している場合はSSDギア・TSDギア（266・265）により空回りすることで、左右・上下軸用振動回転機（32・31）のどちらか１つのシングル回転が、DDギア壱・弐・参（258・259・260）に下部ハンドシェイクギア受壱  （520とか212とか213と）の何れかの接続した部分がギアの歯の分、下がったBSギア壱か弐か参（261か263か264）と、EW１・２・３S軸（531か532か533）と、HSCギア壱か弐か参（216か217か218）ではラチェット機構により空回りして、次の下部ハンドシェイクギア受壱・弐・参  （520・212・213）を回転させるルートを経由してEを引き上げる。
【０１６３】
左右軸用振動回転機（32）は、WSタイヤ（301）が車の様に４本付いたものの下部にバネ（10）の付いたWSギア歯（589）数十箇所がUDギア（336）により、前に進んだ時は互いの歯が噛み合い回転を伝え、後退するときはWSギア歯（589）の傾斜により回転を伝えず後ろに下がる行程を左右の微弱振動が有る時だけ繰り返して回転を伝える。
【０１６４】
図８ｂの状態は、（11）の（E）が（594）の位置で回転上昇可能状態で、（12）の（212）は接続していないので空回りで、（13）の（213）は接続しているが（E）が移動完了状態（598）の位置なので、回転できずに負荷が（260）に掛かり下の（685）により（260）右にずれて空回り状態
【０１６５】
上記の状態の図８ｈのHSGルート１は、上下軸用振動回転機（31）からTSDギア（265）と、左右軸用振動回転機（32）から（266）による混合回転かどちらかのシングル回転を、（686）からDDギア壱（258）・BSギア壱（261）・EW１S軸（531）・HSCギア壱（216）はラチェット機構により空回りし、・下部ハンドシェイクギア受壱（520）・（302）の順番に回転を伝える。
【０１６６】
（11）が垂直バランス稼動状態（497）と、（12）が垂直バランス移動（稼動位置移動待ち）状態（494）と、（13）が水平バランス均等状態（499）の時、図８ｈのHSGルート２は、（31）からTSDギア（265）と、（32）から（266）による混合回転かどちらかのシングル回転を、（686）から（259）・（263）・（532）・（217）はラチェット機構により空回りし（212）・（303）の順番に回転を伝える。
【０１６７】
（11）が水平バランス均等状態（499）と、（12）が垂直バランス稼動状態（497）と、（13）が垂直バランス移動（稼動位置移動待ち）状態（494）の時、図８ｈのHSGルート３は、（31）からTSDギア（265）と、（32）から（266）による混合回転かどちらかのシングル回転を、（686）から（260）・（264）（533）・（218）はラチェット機構により空回りし（213）・（304）の順番に回転を伝える。
【０１６８】
図８ｈのTGLルート１は、（30）・外輪受ギア壱（535）・EW１バイパス軸（521）・BSCギア壱（238）はラチェット機構により空回りし、・HSギア壱（536）・バーベルギア（519）・HSギア参（215）・EW３バイパス軸（523）・BSCギア参（256）はラチェット機構により空回りし、・外輪受ギア参（211）・半球型ギア凸３（201）・（322）の順番に回転を伝える。
【０１６９】
図８ｈのTGLルート２は、（200）・（210）・（522）・（240）はラチェット機構により空回りし、・（214）・（517）・（536）・（521）・（238）はラチェット機構により空回りし、・（535）・（30）・（320）の順番に回転を伝える。
【０１７０】
図８ｈのTGLルート３は、（201）・（211）・（523）・（256）はラチェット機構により空回りし、・（215）・（518）・（214）・（522）・（240）はラチェット機構により空回りし、・（210）・（200）・（328）の順番に回転を伝える。
【０１７１】
（11）が水平バランス均等状態（499）の時、図８ｈのTGRルート１は、、Vルートからの回転を（30）で受け、（535）の（3）に掛かる負荷を下の（10）により空回りし、（521）・（216）・（215）・（533）・（213）・（304）・（E）の順番に回転を伝える。
【０１７２】
図８ｂの状態の時の図８ｈのTGRルート２は、Vルートからの回転を（200）で受け、（210）の外輪ギア（3）に掛かる負荷を下の（10）
により空回りし、（522）・（217）・（238）・（531）・（520）・（302）・（E）の順番に回転を伝える。
【０１７３】
（13）が水平バランス均等状態（499）の時、図８ｈのTGRルート３は、Vルートからの回転を（201）で受け、（211）の（3）に掛かる負荷を下の（10）により空回りし、（523）・（218）・（240）・（532）・（212）・（303）・（E）の順番に回転を伝える。
【０１７４】
Vルートは、下に来た（271）の回転を（280）と、（281）と、（526又は527）に伝え、（15）のHSGルートを経由して、aルートへ回転を伝える。
【０１７５】
aルートは、垂直バランス移動（稼動位置移動待ち）状態の下に来た（524又は525）を逆回転させ、（276）と、（274）と、（287）と、反対側の（275）と、（276）と、（680）の軸の中のギアで（43）を回転させて、（E）を引き上げる。
【０１７６】
（13）が垂直バランス稼動状態（497）の時に、回倒（倒れるように半回転）する事で、外輪ギア（3）からTGLルート３を経由して、（11）手前下の（E）を後半補助する。
【０１７７】
空車輪が水平状態の時のウイールシンカー（B）による回転伝達のWSSルートは、（E）重さによる（181）の傾斜で、（E）の（507）と（640）が反発で（36）の摩擦を軽減して、（33）を引いて（195）を回し、（185）の軸の中を（672）が通り、その先端の（182）と、（269）と、（270）と、（271）からVルートへ回転を伝える。
【０１７８】
ツイスト稼動による回転伝達のTWSルートは、ツイスト稼動による（690）の回転を（270）から（271）を経由してVルートへ回転を伝える。
【０１７９】
図８−Bの状態になる前の状態が、垂直バランス移動（稼動位置移動待ち）状態の後半自力移動中の（13）で、（12）が垂直バランス稼動状態（497）の右半回転中で、（11）が左右の均等化完了状態から（12）と一緒に右半回転中から以下の状態になる時に（12）の（332）が（309）を経由して、（519）のツメを持ち上げ、（11）の（702）先端部（2）を押して、（702）が解除され（11）の前半自力移動スタートする。
【０１８０】
図８−Qの垂直バランス移動（稼動位置移動待ち）状態（494）の時、図８−Bの場合、空車輪1（11）の上部に来た昇降バーのゼンマイ部（E）の重さ４ｇ位置０ｍｍ（598）と、芯内バランス調整器錘部A（383）の錘部の重さ５ｇ位置が２ｍｍ（600）と、芯内バランス調整器中央部（384）の頭頂部にウイールシンカー（39）の重さが5.5ｇ位置が２ｍｍ（600）と、芯内バランス調整器錘部B（385）の錘部の重さ５ｇ位置が−1ｍｍ（597）と、下部に来た昇降バーのゼンマイ部（E）の重さ４ｇ位置−4ｍｍ（594）中心軸に対して上下のバランスが21ｇ：21ｇの状態
【０１８１】
図８−Qの垂直バランス稼動状態（497）の時、図８−Bの場合、空車輪3（13）の上部に来た昇降バーのゼンマイ部（E）の重さ４ｇ位置4ｍｍ（602）と芯内バランス調整器錘部A（383）の錘部の重さ５ｇ位置が1ｍｍ（599）と、芯内バランス調整器中央部（384）の頭頂部にウイールシンカー（39）の重さが5.5ｇ位置が1ｍｍ（599）と、芯内バランス調整器錘部B（385）の錘部の重さ５ｇ位置が−2ｍｍ（596）と下部に来た昇降バーのゼンマイ部（E）の重さ４ｇ位置0ｍｍ（598）中心軸に対して上下のバランスが26.5ｇ：10ｇの状態
【０１８２】
図８−Q・８−N(O)の水平バランス均等状態（499）の時、図８−Bの場合、空車輪2（12）手前側（左）に来た昇降バーのゼンマイ部（E）の重さ４ｇ位置０ｍｍ（607）と、芯内バランス調整器錘部A（383）の錘部の重さ５ｇ位置が-2ｍｍ（605）と、芯内バランス調整器中央部（384）の頭頂部にウイールシンカー（39）の重さ5.5ｇ位置1ｍｍ（606）と、芯内バランス調整器錘部B（385）の錘部の重さ５ｇ位置が1ｍｍ（606）と、奥に（右）来た昇降バーのゼンマイ部（E）の重さ４ｇ位置４ｍｍ（611）で、中心軸に対して左右のバランスが10ｇ：26.5ｇの状態
【０１８３】
芯内バランス調整器錘部A（383）の回転伝達は、図８−A・Bの様に、はじめに空車輪1（11）自力稼動前半として、芯内バランス調整器錘部A（383）が駆動軸ガイド管（22）の中を降下し、垂直ギア（27）の歯でカウント・ギア（28）を下ることでつぎつぎに抜け落ちると同時に次の垂直ギア（27）の歯が掛かり、更にXの長さとYの長さが２mm：３ｍｍで、その分の間隔が垂直ギア（図C）により、カウンタギア（28）に衝撃を掛けながらカウントギア（28）に接続された現時点での図８−B手前下に来たRa（524）にボールズチェーン用ダブルギア（20）も接続されており、これにより回転してボールズチェーン（19）を巻き上げ、ワイヤー（40から41）を経由し、ゼンマイ部（図E）を引き上げる。
【０１８４】
またその際にゼンマイ（8）の傾斜により、ゼンマイの反りを抑え、錘を揺らし上下運動に変える事で移動を助ける。
【０１８５】
その際、昇降バー（43）の螺旋部をマグネットにし受け手のゼンマイ部を揺らすことで重さによる負荷をマグネットにより軽減しツメ（44）で戻りを防止し、かつ遠心力の強弱でゼンマイ部（図E）の錘（7）を上下運動させることで、さらに負荷を軽減する。
【０１８６】
降下していた芯内バランス調整器錘部A（383）がCAU受け（537）又は別名（692）の位置である-1ｍｍ（597）に移動し、芯内バランス調整器錘部A（383）の垂直ギア（27）の末端部に付いたCBフック（549）により芯内バランス調整器中央部（384）の（697）を引っ張り、芯内バランス調整器ストッパーB（547）から抜け落ち半分稼動するのが前半自力移動する。
【０１８７】
これと同時に空車輪2（12）の右上に来た（702）の（2）の重さで解除され可動開始する。
【０１８８】
上記可動は、空車輪2（12）の芯内バランス調整器が上記図８−N(O)の水平状態で、ツイスト稼動（図８−N(O)から（R））により、
TWSルートからTGLルート２を経由して、自力移動の（11）の手前下の（E）移動を助けるための前半半分の引き上げを補助する。
【０１８９】
そのバランス状態が、ツイスト回倒軸（9）別名（270）より左側が錘（385）の重さが5ｇ＋ウイールシンカー（39）の重さ５．５ｇと右側に錘（383）の重さ５ｇ＋（ゼンマイ部の錘が2ｇ×上下部２箇所×錘の位置が右外に距離２ｍｍ）の10.5：13バランスで、90°右に（奥に）回倒し、TWSルートを経由して、空車輪1（11）のゼンマイ部（図E）の前半半分の引き上げを補助する。
【０１９０】
そのバランス状態が、ツイスト回倒軸（9）別名（270）より左側が錘（385）の重さが5ｇ＋ウイールシンカー（39）の重さ５．５ｇと右側に錘（383）の重さ５ｇ＋（ゼンマイ部の錘が2ｇ×上下部２箇所×錘の位置が右外に距離２ｍｍ）の10.5：13バランスで、90°右に（奥に）回倒した後の状態の図８−N(P)
【０１９１】
次にツイスト回倒軸（9）別名（270）対し、左側が（ゼンマイ部の錘の重さ２ｇ×左外に距離２ｍｍ）＋錘の重さ５ｇと右側が（ゼンマイ部の錘の重さ２ｇ×右外に距離２ｍｍ）＋錘の重さ５ｇ＋ウイールシンカー（39）の重さ５．５の状態9：14.5のバランスから、ウイールシンカーのマグネット部N極（37）とマグネット床（38）又は（584）S極の反発により揺らすことにより、摩擦を軽減しながら下り
TWSルートと、TGLルートと、aルートから来る回転と、芯内バランス調整器の降下による自力移動の回転と、（31）と（32）からHSGルートを経由して（３０２又は303か304）から来る回転と、の混合回転で、ゼンマイ部（E）の重さ４ｇ・中心軸を０の位置（598）から４ｍｍの位置（602）へ、前半半分の引き上げの補助をする。
【０１９２】
その後、ツイスト回倒軸（9）より左側は（ゼンマイ部の錘の重さ２ｇ×左外に距離２ｍｍ）＋錘の重さ５＋ウイールシンカーの重さ５．５と右側は（ゼンマイ部の錘の重さ２ｇ×右外に距離２ｍｍ）＋錘の重さ５ｇで、左右のバランスが14.5：9で左に移る。
【０１９３】
今度は左回倒し、そのまま惰力にて４５°以上移動して、（702）にて停止してツイスト稼動を終了し、これにより水平バランス均等状態（499）である左ゼンマイ部（E）4ｇが０の位置（607）と左の錘部（現時点で383）の重さが５ｇ、距離−２ｍｍ位置（605）とウイールシンカー（39）は重さ比率５．５距離が＋１ｍｍ（608）から−２ｍｍ（605）へ移動しており、右側の錘部（現時点で385）の重さが５ｇ・距離＋１ｍｍ位置（608）で右のゼンマイ部（E）４ｇが距離４mmの位置（611）で、結果２１：２１で、均等完了した状態である。
【０１９４】
次に第２垂直稼動の半分と第３垂直稼動で、上記稼動と同じ様に上部ゼンマイ部（図E）４ｇ距離０（598）から＋4ｍｍの位置（602）まで引き上げる残りの半分の稼動が後半自力移動で、現時点での図８−奥上に来たLa軸（525）側の（43）に接続された（E）を上記と同じ様に引き上げる。
【０１９５】
これと同時に上記の前半自力稼動と前半補助により、（11）手前下の（43）の（E）が中央の位置近く９５パーセントの位置で（697）を引き上げ、（701）を経由して（13）の（201）と（211）を（10）の伸縮分引き下げ、（13）が半回転開始しする。
【０１９６】
これと同時に後半補助のためローテーションギアのギア・ビス留（23）ギア・ビス（24）が軸で繋がっていて垂直バランス回倒前状態（497）の空車輪3（13）と水平バランス均等状態（499）の空車輪2（12）一緒に右に回倒（倒れるように９０°回転する）する。
【０１９７】
その内訳は空車輪3（13）上部ゼンマイ部（図E）４ｇの位置＋４ｍｍ（602）で、芯内バランス調整器錘部B（385）の重さが５ｇ、距離＋１ｍｍの位置とウイールシンカーは重さが５．５ｇ距離は同じく＋１ｍｍの位置で、上部重さが２６.5ｇと下部ゼンマイ部４ｇの位置は０の位置（598）で、芯内バランス調整器錘部A（383）の重さが５ｇ、距離−２の位置の状態で下部重さが１０ｇになり結果中心軸（16）に対し２６.5：１０の割合で、右へ回倒し、空車輪3（13）の外輪ギア（3）でHSGルート３とRa・La軸（524又は525）とBCWギア（20）はラチェットバー切り替え器（616）下に来ているので右か移転用ラチェットバー（593）が機能して左回転で空回りしているのでこの機能には関係なく、aルート１回転伝達経路を通り、奥上の（E）を、芯内バランス調整器の残りの降下半分の自力稼動後半の回転と、（1）による回転の混合回転により引き上げ、これにより、ゼンマイ部（E）の重さ４ｇ・中心軸を０の位置（598）から４ｍｍの位置（602）へ、移動し、後半の引き上げを完了することで空車輪１（11）が垂直バランス稼動状態（497）の状態になる上記の第１可動行程を完了する。
【０１９８】
次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で、上記の可動行程の交代し、空車輪3（13）がツイスト稼動とウイールシンカーが左に移動する事で水平バランスを均等化と前半補助と同時に空車輪2（12）が下部ゼンマイ部（E）の移動である前半自力稼動し、空車輪１（11）のローテーションギア用つめ（25）が空車輪3（13）ローテーションギア用つめ（25）と２３軸付きギア・ビス留（23）とギア・ビス（24）は固定してあり、そのギア・ビス（24）のギアつめが前にあり、空車輪1（11）稼動する時、空車輪3（13）は連動する事で一緒に右に回倒（倒れるように９０°回転する）する事で、空車輪2（12）の上部ゼンマイ部（E）の移動である後半補助し、空車輪2（12）が後半自力稼動することで第二稼動行程を完了することで、空車輪２（12）が垂直バランス稼動状態（497）の状態になり、
【０１９９】
次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で、上記の可動行程の交代し、空車輪1（11）がツイスト稼動とウイールシンカーが左に移動する事で水平バランスを均等化と前半補助と同時に空車輪3（13）が下部ゼンマイ部（E）の移動である前半自力稼動し、空車輪2（12）がのローテーションギア用つめ（25）が空車輪1（11）ローテーションギア用つめ（25）前にあり、空車輪2（12）稼動する時、空車輪1（11）は連動する事で一緒に右に回倒（倒れるように９０°回転する）する事で、空車輪3（13）の上部ゼンマイ部（E）の移動である後半補助し、空車輪3（13）が後半自力稼動することで、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギアボックス（15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させる。
【産業上の利用可能性】
【０２００】
本発明に係る動力部は、攪拌器だけでなく  
多目的モータや多目的エアーモータとしても、更に部品においては多目的伝動装置として利用可能性を有する。
【符号の説明】
【０２０１】１半月ギア（前後軸用振動回転機）２重り３外輪ギア４上部ハンドシェイクギア受壱５バッテリー６発電機７ゼンマイ用錘８ゼンマイ（外下がりに４５度）９ツイスト回倒（倒れる様に４５°半回転）軸１０ばね１１空車輪壱１２空車輪弐１３空車輪参１４支柱１５台座兼ギアボックス（設置面）１６中心軸１７滑車１８負荷OFFギア１９ボールズチェーン２０ボールズチェーン用ダブルギア（BCWギア）２１ローテーションギア接続図２２駆動軸ガイド管２３軸付きギア・ビス留２４ギア・ビス２５ローテーションギア用ツメ２６空車輪芯内バランス調整器の負荷軽減マグネット２７垂直ギア（ギアバー）２８カウント・ギア（CG中心軸位置）２９半球型ギア凹（接続ギア凹）３０半球型ギア凸１（接続ギア凸１）３１上下軸用振動回転機（上下軸用機微弱振動伝達器）３２左右軸用振動回転機（左右軸用機微弱振動伝達器）３３チェーン３４カウント・ギアの高さが2ｍｍ３５ギアバー爪の間隔が3ｍｍ３６ウイールシンカーのタイヤ（WSタイヤ）３７マグネット部３８マグネット床S極３９ウイールシンカー（錘車）４０三本のワイヤーよったもの４１ワイヤー４２ワイヤー固定リング４３昇降バー４４戻り防止つめ（RGつめ）４５CSCB受けの展開図とローテーションギア用ツメ46ノーマルマドラー支柱47回転軸半固定部48ゴム製マドラーストッパー取手49電池50市販のPICモータ制御装置51アルミ製のビーカーフリーサイズ用蓋（フリーサイズ用蓋）52アルコールランプ53二〇〇ｍｌ用ビーカー54着脱式頭頂部振動を回転に変えて発電による動作確認ランプ部（SR発電機内蔵LED部）55プッシュスイッチ 56電池止め金57外周ライン58内周ライン59水平に引いたライン60取っ手部内蔵平型蒸気モータ61取っ手部内蔵平型モータ62三〇〇ｍｌ用蓋のアダプター63VAヘッド外カバー内部配管排気口（VACIN排気口）64VAヘッド外カバー内部配管吸気口（VACIN吸気口）65取っ手部内蔵の平型蒸気モータ稼動管内側マドラーストッパーゴム加工（VAシャフト管）66取っ手部内蔵平型蒸気モータカバー（VAモータケース）67ステンレス製のVA蒸気室用ヘッド（VAヘッド）68蓮根型プレート69ステンレス製のVA蒸気室用ブレード（VAブレード）70ゴムパッキン部71VA蒸気室用ヘッドの谷部の高さ０．５ｃｍ72VA蒸気室用ヘッドの軸部の長さを除いた半径１．５ｃｍ73VA蒸気室用ヘッドの山部の高さ０．８ｃｍ74板バネ75ヘッド板サイズ縦０．５ｃｍ横１．５ｃｍ76ヘッド板サイズ縦０．５１ｃｍ横１．５ｃｍ77ヘッド板サイズ縦０．５２ｃｍ横１．５ｃｍ78ヘッド板サイズ縦０．５３ｃｍ横１．５ｃｍ79ヘッド板サイズ縦７７ｃｍ横１．５ｃｍ80ヘッド板サイズ縦０．７８ｃｍ横１．５ｃｍ81ヘッド板サイズ縦０．７９ｃｍ横１．５ｃｍ82ヘッド板サイズ縦０．８ｃｍ横１．５ｃｍ83HM延長部アーム付コイル部軸84平型モータ用磁石部85回転軸半固定部受86平型モータ用マグネット部（HMマグネット部）87ネジ88電磁鋼製の扇形状延長板89平型モーターコイル部軸（HMコイル部軸）90平型モーターケース91平型モータマグネット蓋92平型モータシャフト管ゴム部93平型モータのコミテータ芯シャフト管固定部（HMコミテータ芯シャフト管固定部）94シャフト管内部ゴム加工（シャフト管GS）95ブラシ板バネ固定部96AE用吸気孔97 中空部98蓋受溝99外螺子100取っ手ストッパーつめ101内螺子102マドラー取付頭頂部103ダブルコイル部２（ダブル巻線２）104マドラー先端部交換式スプーン105HMプラス極端子（平型モータプラス極端子）106 HMマイナス極端子（平型モータマイナス極端子）107配線 108マグネット固定溝109U字ピン110 VAモータケース蓋111制御装置から TW3枚部コミテータ１（ MCTOTW3コミテータ１）112制御装置からTW3枚部コミテータ2（ MCTO TW3コミテータ2）113制御装置からTW3枚部コミテータ3（MCTO TW3コミテータ3）114 TW3枚部コミテータ2からダブルコイル１と２間（TW3コミテータ2BTWC１A2）115 TW3枚部コミテータ3からダブル用CMFスイッチ2（TW3コミテータ3TOWS2）116 TW3枚部コミテータ１からダブル用CMFスイッチ1（TW3コミテータ1TOWS１）117マドラー先端部交換式スクリュー118制御装置からTW２枚部コミテータ壱（MCTO TW２コミテータ１）119ダブル攪拌用アダプター120ダブル攪拌専用容器121五〇ｍｌ用溝122三〇ｍｌ用溝123二〇〇ｍｌ用溝124一〇〇ｍｌ用溝125軸型２TW SUASK可動接続部126べアリングの内側リングのみ127軸型２TWモータ内蔵ファン付き動力部本体128軸型１ASCモータ内蔵動力部本体129 べアリングの外側リングのみ130軸型３ABCモータ内蔵折りたたみ式マドラータイプ攪拌器の駆動部（S3ABC稼動部）131べアリングの中のボールのみ132HTM稼動部133軸型２TW SUASK可動接続部半固定部134Y字コイル部金属ブラシ3・２ベースリング135Y字コイル部W用金属ブラシベースリング 136制御装置からTW２枚部コミテータ２（MCTO TW２コミテータ２） 137接触ヘッド（カーボンブラシ）138ブラシ用板バネ139接触金具（コミテータ片）140軸型モータ内蔵折りたたみ式マドラータイプ攪拌器の折りたたんだ状態141軸型１ASCモータ用壱マグネット部（S1ASC壱マグネット部）142軸型１ASCモータのS極コイル部軸（S1ASC S極磁極部軸）143軸型１ASCモータのN極コイル部軸（S1ASC N極磁極部軸）144軸型１ASCモータ内蔵マドラータイプ攪拌器動力部（S1ASC動力部）145軸型１ASCモータの第1稼働行程146軸型１ASCモータの第2稼働行程147軸型１ASCモータの第3稼働行程148制御装置からファン稼動時のTW金属ブラシ１（MCTOFMTW金属ブラシ１）149ケース用上部蓋150固定リング吸排気切り替え口付（固定リング）151制御装置からファン稼動時のTW金属ブラシ２（MCTOFMTW金属ブラシ２）152 Y字シングルコイル部金属ブラシ２からシングル巻線２（YSCB2TOSC2）153 Y字シングルコイル部金属ブラシ１からシングル巻線１（YSCB１TOSC１）154ダブル用CMFスイッチ2からダブル巻線１（WCMFS2TOWC1）155ダブル用CMFスイッチ１からダブル巻線２（WCMFS１TOWC2）156ラチェット用板バネ157ラチェットベース158左ヘッド受部159軸型２TWモータの磁石部半固定部160 Yコイル部半固定部161スライド半固定部162Wスイッチ半固定部163164チェンジギアボックスケース本体165両面ヘッドスライド受166切り替え移動ガイドの溝167配線孔168配線溝169 S2TWのシャフト170接続金具アーム（ブラシアーム）171電磁鋼製の平型モーターコイル部軸上先端部（HMモーターコイル部軸上下先端部）172電磁鋼製の平型モーターコイル部軸中央先端部（HMモーターコイル部軸中央先端部）173ケイ素鋼板製の平型モーター軸部プレート（HM軸部プレート）174コイル（巻線）175平型モータのコイル部からコミテータまでの配線図176３０°〜９０°177９０°〜１５０°  178中心軸付き芯内バランス調整器受け参の展開図（CSCB受け参の展開図）179右ヘッド受部180底部の蓋181ウイールシンカー格納部（WS格��部）182ウイールシンカー部伝達ギア  183中心点 184軸型２TWモーター兼チェンジギアボックス内蔵のファン用プロペラ（ファン用プロペラ）185TC軸（ツイスト変形軸）186プロペラ接続部上部187プロペラ接続部下部188べアリング189下部切り替えガイド形成部用（スクリュー回転用溝内部形成管）190右部切り替えガイド形成部用191左部切り替えガイド形成部用192イモネジ用の穴193上部切り替えガイドの溝194下部切り替えガイドの溝195WSCギア19６固定小リング  １97移動ラチェットバー198半月ギア受199S極コイル部用金具部（S極コイル部用コミテータ）200半球型ギア凸２（接続ギア凸２）201半球型ギア凸３（接続ギア凸３）202軸型１ASCモータのS極マグネット部（S1ASCのS極マグネット部）203軸型１ASCモータのN極マグネット部（S1ASCのN極マグネット部）204 S極コイル部から接触金具までの配線図（S極コイル部・コミテータ・金属ブラシまでの配線図）205 N極コイル部から接触金具までの配線図（N極コイル部・コミテータ・金属ブラシまでの配線図）206ステンレス製の軸型１ASCモータ本体軸（S1ASCモータ本体軸）207電磁鋼製の軸型１ASCモーターコイル軸先端部（S1ASC磁極コア軸先端部）208電磁鋼製の軸型１ASCモーターコイル部軸管（S1ASC磁極コア部軸管）209軸型１ASCモータの稼動管（S1ASCの稼動管）210外輪受ギア弐211外輪受ギア参  212下部ハンドシェイクギア受弐    213下部ハンドシェイクギア受参  214HSギア弐  215HSギア参  216  HSCギア壱  217 HSCギア弐  218 HSCギア参  219軸型２TWモータ内蔵マドラータイプ攪拌器のファン駆動部（S2TWのファン駆動部）220軸型２TWモーターマドラータイプ攪拌器の駆動部（S2TW攪拌器の駆動部）221軸型２TWモータのU字コイル部（S2TWのU字コイル磁極部）222軸型２TWモータの磁石部（扇柱磁石棒二本組み部のスクリュー時用ロータ）223軸型２TWモータのYコイル部（S2TWのY 字コイル磁極部又はプロペラ用ロータ）224軸型２TWモータの稼動行程一225軸型２TWモータの稼動行程二226軸型２TWモータの稼動行程三227軸型２TWモータの稼動行程四228軸型２TWモータの稼動行程五229軸型２TWモータの稼動行程六230軸型２TWモータの稼動行程七231軸型２TWモータの稼動行程八232軸型２TWモータの可動管（S2TWの可動管）233軸型２TWモータの磁石部の側面図234軸型２TWモータのワンウェイギア用逆戻り防止つめ（S2TWの1W用逆戻り防止つめ）235ワンウェイギア236ワンウェイギアのロック状態237ワンウェイギアの可動時の図238  BSCギア壱  239軸型２TWモータ切り替えスイッチ固定部（ダブル用CMFスイッチ）240 BSCギア弐241軸型２TWモータY字コイル（巻線）部部用接触金具（コミテータ）３枚正面図242軸型２TWモータY字シングルコイル部用接触金具（コミテータ）２枚正面図24３折り曲げ位置  24４Y字軸  （Y字磁極コア軸）245軸型２TWモータY字コイル部可動軸（S2TWのY字コイル部シャフト）246電磁鋼製のY字コイル部軸（電磁鋼製のY字磁極コア軸）247ステンレス製のワンウェイギア右回転用248電磁鋼製のY字コイル（磁極コア）部扇形状先端部249電磁鋼製のU字コイル（巻線）部扇形状先端部250電磁鋼製のU字コイル部軸（電磁鋼製のU字磁極コア軸）251接触金具片２枚組（TWコミテータ片２枚組）252軸型１ASCコミテータ用絶縁部（絶縁体片）253N磁コイル部用金具部（N磁磁極部用コミテータ）254Y字コイル（磁極コア）部扇形状先端部正面図255U字コイル固定部256 BSCギア参257二ヘッドギア258DDギア壱259 DDギア弐260 DDギア参261BSギア壱  262コミテータベースリング263 BSギア弐264 BSギア参  265TSDギア  266SSDギア  267ツイスト稼動軸  268WSTSギア269WSB270スライドガイド軸ギア（SGAギア）271BOAギア272RvTギア273 CSCBRRv固定ギア274OUTRギア275INRギア276LaRギア277軸型１ASCモータのS極コイル部（S1ASCのS極磁極部）278軸型１ASCモータのN極コイル部（S1ASCのN極磁極部）279RvARギア280  BOBギア281 BOCギア282Aブロック283Bブロック284WS用支柱285軸型HTG稼動軸の断面形状286Cブロック287RRギア288 CSCBRLv固定ギア289昇降バーアーム290ワンウェイギア左回転用291ダブルコイル部スクリュー稼動時の接触ヘッド（ダブルコイル部用金属ブラシ）292滑車アーム293SSSDギア  294 VAモータケース蓋用内螺子295Y字ファン用コミテータと接触金具部（Y字ダブル用コミテータと金属ブラシ）296Y字スクリュー用コミテータと接触金具部（Y字シングル用コミテータと金属ブラシ）297Y字軸部稼動軸口（Y字磁極コア軸稼動軸口）298U字軸部稼動軸口（U字磁極コア軸部稼動軸口）299振動発電による動作確認ランプ部接続部（SGL部接続部）300マドラー先端部スプーン・スクリュー接続部（SUASK接続部）301WS用タイヤ302  Raハンドシェイクギア壱  303 Raハンドシェイクギア弐  304 Raハンドシェイクギア参  305  上部ハンドシェイクギア受弐306軸型１ASCモータ内蔵マドラータイプ攪拌器固定部（S1ASC固定部）307上部ハンドシェイクギア受参 308ロックギア壱309ロックギア弐  310ロックギア参  311Laハンドシェイクギア壱  312 Laハンドシェイクギア弐  313 Laハンドシェイクギア弐  314ビーカーフリーサイズ用蓋裏315ビーカーフリーサイズ用蓋表316三〇〇ｍｌ用蓋のアダプター接続溝317取手部接続溝318マドラー用貫通口319VA蒸気室用ヘッド固定管（VAヘッド固定管）320 Ra半球型ギア凹壱（Ra接続ギア凹壱）  321 Ra半球型ギア凹弐（接続ギア凹弐）  322 Ra半球型ギア凹参（接続ギア凹参）  323 La半球型ギア凹壱（接続ギア凹壱）  324HMコイル部延長部付き軸325 La半球型ギア凹弐（接続ギア凹弐）326 La半球型ギア凹参（接続ギア凹参）  327Rv半球型ギア凹壱（接続ギア凹壱）  328 Rv半球型ギア凹弐（接続ギア凹弐）  329Y字マグネット受け330軸型１ASC用コミテータ片331Lv半球型ギア凹壱（接続ギア凹壱）332Lv半球型ギア凹弐（接続ギア凹弐）333 Lv半球型ギア凹参（接続ギア凹参）334回転軸受335 Rv半球型ギア凹参（接続ギア凹参）３３６VAモータケース蓋用外螺子３３７蓋の内螺子３３８aV三倍の電流用＋極用接触ヘッド部1（aV三倍の電流用＋極用ブラシ）３３９aVの電流用＋極用接触ヘッド部2（aVの電流用＋極用ブラシ）３４０aV三倍の電流用−極用接触ヘッド部3（aV三倍の電流用−極用ブラシ）３４１aVの電流用−極用接触ヘッド部4（aVの電流用−極用ブラシ）３４２コイル部格納部及び連結軸部（下部本体）343ヒートモータ内蔵動力部本体  344ヒートモータのスクリューはね（HTMスクリューブレード）  345ステンレス製のヒートモータ接続軸（HTM連結軸部）  346受部両面ヘッド中部  スライドガイド受部（RHSG受部）両面ヘッド中部  34７ヒートモータカバー本体（上部本体）348ヒートモータ用マグネット部（HTMマグネット部）349左カット合わせ  （左ヘッド）350左カット合わせ両面ヘッド351右カット合わせ両面ヘッド352右カット合わせ  （右ヘッド）353スクリューケース354プラス極電極板355マイナス極電極板356  CGWH  突起部357チェンジ��アボックス内蔵本体358小型（公序良俗違反につき、不掲載）モータ359スクリューハネ360CG上部戻り防止ピン361CG下部戻り防止ピン362チェンジギアボックスケース363CG稼動軸364両面ヘッド365ボタンと電池格納部366ノーマル蓋367磁力伝達部（HMロータ部）368ヒートモータ用先端扇柱形コイル部（HTMコイル部）  369ステンレス製のヒートモータコイル部格納カバー  370  371上部切り替えガイド形成部用（ファン回転用溝内部形成管）372ヒートモータスクリューケース373配線  374左カット部内向き傾斜（左カット部）375右カット部部内向き傾斜（右カット部）376配線孔 377＋極S1ASCリング接触ヘッド部（＋極S1ASC金属ブラシ）378−極S1ASCリング接触ヘッド部（−極S1ASC金属ブラシ）379 N磁コイル部用＋極S1ASCリング接触金具部（N＋S1ASCコミテータ部）380 N磁コイル部用−極S1ASCリング接触金具部（N−S1ASCコミテータ部）381 S磁コイル部用＋極S1ASCリング接触金具部（S＋S1ASCコミテータ部）382 S磁コイル部用−極S1ASCリング接触金具部（S−S1ASCコミテータ部）383芯内バランス調整器錘部A 384芯内バランス調整器中央部385芯内バランス調整器錘部B386＋極用接触金具部拡大図387−極用接触金具部拡大図388−極のコイル部コミテータ片（−極のヒートモータ用６分の１接触金具）389＋極のコイル部コミテータ片（＋極のヒートモータ用６分の１接触金具）390ヒートモータのロータ兼スクリュー稼動部拡大図（ヒートモータロータと稼動部の拡大図）  391ヒートモータローター部（HTMローター部）  392絶縁体コミテータ片  393コミテータ接続部  394電磁鋼製のヒートモータ用先端扇柱形コイル部軸（HTMコイル部軸）  395ステンレス製のヒートモータ連結軸固定部（先端部扇柱形コイル部固定部）  396磁力伝達部固定部  397磁力伝達固定部  398マグネット格納本体部連結軸固定部（HTM上部本体の下部固定部）399 BCWギアの歯の角度１０°から９０°400 ヒートモータの配線図401BCオス接続部402BCメス接続部403VAヘッド外カバー404電磁鋼製の扇柱形磁力伝達部  405固定部  406 aVの三倍−極の配線  407 aVの三倍＋極の配線  408   aV−極の配線409 aV＋極の配線  410ヒートモータ用コイル部の軸先端部  411安全ピン412プロペラ部マグネット  413接触金具部3枚部（TW3枚部コミテータ）  414接触金具部２枚部（TW２枚部コミテータ）415VAローター底ベース  416平型蒸気モータのロータ部  417接触金具と接触ヘッド（ブラシ）と内側コイル接触ヘッドの接続拡大図  418 PWDHGピストンヘッド断面図  419  420軸型２TWモータYコイル部のダブルコイル部421軸型２TWモータYコイル部のシングルコイル部  422チェンジギアボックス内蔵攪拌器のファン稼動図  423チェンジギアボックス内蔵攪拌器のスクリュー稼動図  424一段ずらす前の接触金具部  溝  コミテータ芯425接触金具部0°回転後の図  （通電位置）426接触金具部トータル120°回転後の図（非通電位置壱）  ブラシアーム427接触金具部トータル240°回転後の図（非通電位置弐）428 S1ASCｓ極マグネット部の出っ張り部  429 S1ASCｎ極マグネット部の出っ張り部  430電池格納部  431ヒートモータ内側コイル接触ヘッド−極432U字コイル（巻線）部配線図433接触ヘッド（金属ブラシ）と接触金具（コミテータ）と内側コイル接触ヘッド（金属ブラシ）接続図434シャフト435HMSコイル部からの配線口436ヒートモータ内側コイル接触ヘッド＋極437コミテータ芯438HM内・外側コミテータとHM内・外側接触ヘッド（HM内・外側金属ブラシ）の接続拡大配線図439接触ヘッドと接触金具と内側コイル接触ヘッドの分解図440接触ヘッドと接触金具とコイルとスイッチの接続図441コミテータ部 442磁石の磁力aの２倍S極443磁石の磁力aの２倍N極444右カット部外向き傾斜445イモネジ446コイル部の軸先端部が磁力aの３倍でS極の場合による各部の位置関係図  44７コイル部の軸先端部が磁力aでS極の場合による各部の位置関係図  448扇柱形磁力伝達部の磁力aの３倍S極  449扇柱形磁力伝達部の磁力aのS極  450ファン稼動時のコイル部の２枚と３枚接触金具配線図451切り替え後シングル時のモータ制御配線452切り替え後ダブル時のモータ制御配線  453 VA ブレードガイド軸454 VA ローター部台座45ビス456厚めのパイプ457樋形状の厚めのパイプ458四ヘッドギア459厚み大四ヘッドギア460チェンジギアケースの展開図と側面図461Wコイル間配線462軸型２TWモータのケース463HTMリング付コミテータ軸464Y字シングルコイル部スクリュー稼動時の接触ヘッド（Y字シングルコイル部金属ブラシ）465ファン稼動時の接触ヘッド（ファン稼動時のTW金属ブラシ）466軸型２TWモータ切り替えスイッチ移動部（シングル用CMスイッチ）467シングルコイル部（シングル巻線）468ダブルコイル部１（ダブル巻線１）469スイッチ切り替え口470ダブルCMFスイッチ内外固定金具１（WCMFSIO金具１）471シングルCMスイッチ内外移動金具１（SCMSIO金具１）472シングルCMスイッチ内外移動金具２（SCMSIO金具２）  473ダブルCMFスイッチ内外固定金具２（WCMFSIO金具２）474内側コイル接触ヘッド＋極リングベース  475 ＋極用ブラシリングベース  476  −極用ブラシリングベース477内側コイル接触ヘッド−極リングベース  478軸型１ASCモータ用弐マグネット部（S1ASC弐マグネット部）479 ON時にS1ASC壱マグネット部S磁コイル磁極部の上側がN極で引き合う図480弱い磁力で磁石側面同士くっついている状態の図481二倍移動の図482バナジウム製S1ASCの駆動部483ステンレス製S1ASCの駆動部484 S1ASCの蓋に固定部485管内ゴム加工486HTM＋極用接触金具487HTM−極用接触金具488軸型２TWモータのスクリュー稼動軸489WSギアバー490WSギアA491ゼンマイ部稼動ループチェーン（ZCLチェーン）492ウイールシンカー部稼動ループ部493芯内バランス調整器に接続された中心軸付き芯内バランス調整器受け図494垂直バランス移動状態または垂直待機状態  495垂直バランス前半自力移動と前半補助稼動状態  496  垂直バランス後半自力移動と後半補助稼動状態  497垂直バランス稼動状態（垂直バランス回倒前状態）  498水平バランス稼動状態  499水平バランス均等状態  500501HTM  コミテータ軸502＋極用コミテータ片  503  −極用コミテータ片504＋極用リングコミテータ  505扇柱のマグネット部506ワンウェイギアマグネット部（Y字マグネット部）507ウイールシンカーのマグネット部N極（WSマグネット部N極）508WSチェーン固定部（WSCL）509CB滑車510中心軸付き芯内バランス調整器受け壱・弐・参の共通機構図（CSCB受け壱・弐・参の共通機構図）511半月ギア軸512ハンドシェイクギア受け513空車輪１の上部ゼンマイ部による空車輪３外輪ギア解除バー（空車輪１TO３解除バー）514CG軸受け515UDRL軸516空車輪2の上部ゼンマイ部による空車輪1外輪ギア解除バー（空車輪2TO1解除バー）517左回転用ギア518右回転用ギア519バーベルギア520下部ハンドシェイクギア受壱  521EW１バイパス軸522EW２バイパス軸523EW３バイパス軸524Ra軸525La軸526Rv軸527Lv軸528a軸ギア529a軸受ラチェットギア530ｖ軸ギア531EW１S軸532EW２S軸533EW３S軸534ｖ軸受ギア535外輪受ギア壱536HSギア壱537芯内バランス調整器と昇降バー受け（CAU受け）538水平時の芯内バランス調整器ロック539中心軸のツイストギア受け540芯内バランス調整器のツイストRギア（CBツイスト・中継ギア）541中心軸付き芯内バランス調整器受けの内部ツイスト稼動ギア図542芯内バランス調整器内蔵の駆動軸ガイド管（空車輪CB軸）拡大図543芯内バランス調整器ストッパーA544芯内バランス調整器ストッパー受けB545芯内バランス調整器ストッパー壱546−極用リングコミテータ  547芯内バランス調整器ストッパー 548芯内バランス調整器ストッパー受けA549CBフック550昇降バーアーム（UBアーム）551CB１H  552CB2H  553CB3H  554CB4H  555CB5H556CB6H  557CB7H  558CB8H  559駆動軸ガイド管用中央昇降バーアーム（MSUBアーム）560空車輪3の上部ゼンマイ部による空車輪2外輪ギア解除バー（空車輪3TO2解除バー）561CB1D  562CB2D  563CB3D  564CB4D  565CB5D566CB6D  567CB7D  568CB8D569CZ可変部570ゼンマイ部軸管571芯内バランス調整器受け壱（CSCB受け壱）572芯内バランス調整器受け弐（CSCB受け弐）573芯内バランス調整器受け参（CSCB受け参）574中心軸付き芯内バランス調整器受け弐の展開図（CSCB受け弐の展開図）575中心軸付き芯内バランス調整器受け壱の展開図（CSCB受け壱の展開図）576ツイスト可動用中心軸577芯内バランス調整器移動用中心軸受け578ツイスト可動用中心軸受け579中心軸のツイストギア受け580中心軸のツイストギア受けのラチェットギア581 CSCB受け壱上面図582CSCB受け弐上面図583 CSCB受け参上面図584マグネット床拡大図585マグネット橋586マグネット床端部（芯内バランス調整器垂直移動時の中心軸位置維持器）587ハンドシェイクギア軸（HSG軸）588水平時の芯内バランス調整器解除ギア固定部589WSギアバーの歯拡大図（WSギア歯）590EWラチェットギア591ギアC592ゼンマイ部稼動ループチェーン用滑車（ZCLチェーン用滑車）593右回転用ラチェットバー594芯内バランス調整器が垂直状態の中心軸より下に来たときのメモリが−四の位置595芯内バランス調整器が垂直状態の中心軸より下に来たときのメモリが−参の位置596芯内バランス調整器が垂直状態の中心軸より下に来たときのメモリが−弐の位置597芯内バランス調整器が垂直状態の中心軸より下に来たときのメモリが−壱の位置598芯内バランス調整器が垂直状態の中心軸のメモリが零の位置599芯内バランス調整器が垂直状態の中心軸より上に来たときのメモリが壱の位置600芯内バランス調整器が垂直状態の中心軸より上に来たときのメモリが弐の位置601芯内バランス調整器が垂直状態の中心軸より上に来たときのメモリが参の位置602芯内バランス調整器が垂直状態の中心軸より上に来たときのメモリが四の位置603芯内バランス調整器が水平状態の中心軸より左側に来たときのメモリが−四の位置604芯内バランス調整器が水平状態の中心軸より左側に来たときのメモリが−参の位置605芯内バランス調整器が水平状態の中心軸より左側に来たときのメモリが−弐の位置606芯内バランス調整器が水平状態の中心軸より左側に来たときのメモリが−壱の位置607芯内バランス調整器が水平状態の中心軸のメモリが零の位置608芯内バランス調整器が水平状態の中心軸より右側に来たときのメモリが壱の位置609芯内バランス調整器が水平状態の中心軸より右側に来たときのメモリが弐の位置610芯内バランス調整器が水平状態の中心軸より右側に来たときのメモリが参の位置611芯内バランス調整器が水平状態の中心軸より右側に来たときのメモリが四の位置612 CBTG中継ギア613左回転用ラチェットバー614ラチェットバー固定アーム615ラチェットバー可動アーム616ラチェットバー切り替え器617水平時の芯内バランス調整器解除ギア（ロックヘッド）618UDRL固定受け部のギア619軸型１ASCモータのS極コイル部の断面図（S1ASCのS極磁極コア部の断面図）620軸型１ASCモータのN極コイル部の断面図（S1ASCのN極磁極コア部の断面図）６２１角度１０°のギア歯の図６２２角度９０°のギア歯の図６２３角度１７０°のギア歯の図６２４角度１０°から９０°のギア歯角度範囲６２５角度９０°から１７０°のギア歯角度範囲６２６軸型３ABCモータ内蔵折りたたみ式マドラータイプ攪拌器６２７多目的軸型３ABCモーターケース６２８B3ABCモーターケース６２９ヒートモータ本体６３０半球型ギア凸凹の接続時の断面図６３１スライドスイッチ６３２軸型３ABCモータ内臓折りたたみ式マドラータイプ攪拌器平面図６３３軸型３ABCモータ内臓折りたたみ式マドラータイプ本体ケース（B3ABCモータケース）６３４ヒートモータ接続軸635多目的軸型1 ASCモータ内蔵タイプと多目的軸型2HTGエンジン内蔵タイプとノーマルマドラー共通外部形状図636取っ手部ケース637ゴム製マドラーストッパー孔付き取っ手部（ノーマル用ゴム製取っ手）638多目的平型エアモータ639多目的平型モータ640床用S極マグネット641マグネット床壱642マグネット床弐643マグネット床参644側面板645固定板646ブラシベース固定管647B1ABCモータ用ブラシアーム648コミテータ芯管649コミテータ芯固定部650コミテータ延長芯651B1ABCモータ用コミテータ部654 解除部受軸655上部HSG受軸656外輪ギア受軸657B1ABCモータ用ローター部壱（ローター部壱）658 B1ABCモータ用ローター部弐（ローター部弐）659多目的平型エアモータ661第九位置662第十位置663第十一位置664第十二位置665第十三位置666第十四位置667第十五位置668第十六位置669芯内バランス調整器錘部保持ツメ670外輪ギア受滑車671外輪ギア受バー672カルダンジョイント673ギア固定部674ウイールシンカー格納部形成部675MF受部676蝶番677多目的ヒートモータ攪拌器678芯内バランス調整器軸受孔679昇降バー受け680ギアバー内蔵昇降バー受け681外輪ギア接続受け682ロック部683ロック受け部684V軸受部685BOW板バネ686SGIシャフト687回転SWT688芯内バランス調整器錘A用溝689芯内バランス調整器錘B用溝690芯内バランス調整器691本体管692支持部693伸縮ギア694半球型ギア凸695半球型ギア凹696支柱697SBTフック受け698解除レバー壱699解除レバー弐700解除レバー参701解除用ワイヤー702芯内バランス調整器解除レバー703伸縮ギアヘッド704伸縮ギア受け705ワイヤー内蔵支柱706芯内バランス調整器解除部707LED708チェンジギアBOX内蔵ファンとスクリュー攪拌器１A平型モータのマグネット位置の断面図2A平型モータの扇形状延長板位置の断面図3A平型モータのHM延長部アームの断面図4A平型モータのHM延長部アーム付コイル部軸位置の断面図5A平型モータのコミテータベースリング位置の断面図１ｂスクリューケースの縦の断面図２ｂチェンジギアBOX内蔵ファンとスクリュー攪拌器の断面図3ｂCG稼動軸の断面図4ｂCG稼動軸スライドガイド部��断面図5ｂスクリューケースの横の断面図１D左右カット合わせの断面図１E軸型１ASCモータ内蔵マドラータイプ攪拌器の断面図2E軸型１ASCモータのマグネットの断面図3E軸型１ASCモータのS1ASCのS極マグネット部の断面図4E軸型１ASCモータの２つのS1ASC磁極コア軸先端部の断面図5E軸型１ASCモータのS1ASC磁極コア部軸管の断面図6E軸型１ASCモータのS1ASC磁極コア軸先端部の断面図7E  N・S＋S1ASCコミテータ部の断面図8Eコミテータ芯固定部の断面図9E  N・S−S1ASCコミテータ部の断面図10E軸型１ASCモータのS1ASC壱マグネット部の断面図１１E軸型１ASCモータのローター部壱のS1ASC磁極コア軸先端部断面図１２E軸型１ASCモータのS1ASCのS極マグネット部の断面図１３E軸型１ASCモータのS1ASCのN極マグネット部の断面図１４E軸型１ASCモータのローター部弐のS1ASC磁極コア軸先端部断面図15E軸型１ASCモータのS1ASC弐マグネット部の断面図１６E軸型１ASCモータの＋極S1ASC金属ブラシ位置の断面図１７E軸型１ASCモータのコミテータ芯固定部位置の断面図１８E軸型１ASCモータの−極S1ASC金属ブラシ位置の断面図G1台座兼ギアボックス平面断面図G2カウント・ギア右断面図G3カウント・ギア左断面図G4G5芯内バランス調整器の断面図G6芯内バランス調整器中央部の側面断面図G7芯内バランス調整器中央部の平面断面図G8G9芯内バランス調整器の側面断面図G10芯内バランス調整器の正面断面図G11芯内バランス調整器の平面断面図G12空車輪断垂直状態の面図G13空車輪水平状態の断面図G14台座兼ギアボックス正面断面図G15台座兼ギアボックス背面断面図G16台座兼ギアボックス右断面図G17台座兼ギアボックス左断面図H１ヒートモータ内側コイル接触ヘッド＋極の位置の断面図H２aV三倍の電流用＋極用ブラシとaVの電流用＋極用ブラシの位置の断面図H３ヒートモータ内側コイル接触ヘッド−極の位置の断面図H４３４０aV三倍の電流用−極用ブラシとaVの電流用−極用ブラシの位置の断面図H５HTM上部本体の下部固定部の位置の断面図H６HTMコイル部軸の先端断面図H７HTMコイル部軸の本体の断面図H８HTMコイル部軸のコイル巻き部の断面図H９ヒートモータコイル部格納カバーの断面図  H１０HTMマグネット部の断面図H１１HTM連結軸部の縦断面図H１２先端部扇柱形コイル部固定部の断面図H１３＋極用接触金具部の断面図H１４コミテータ固定部の断面図  H１５−極用リングコミテータの断面図    H１６HTM連結軸部の横断面図１I取っ手部ケースの断面図１I三〇〇ｍｌ用蓋のアダプターの断面図１J軸型２TWモータ内蔵ファン付き動力部本体（S2TW本体）正面断面図２Jファンハネ先端部断面図３Jファンハネ中央部断面図４Jファンハネ根元付近の断面図５J軸型２TWモータ内蔵ファン付き動力部本体側面断面図６J S2TW本体のダブルコイル部用金属ブラシ付近の断面図７J S2TW本体のTW２枚部コミテータ付近の断面図８J S2TW本体のダブル用CMFスイッチ付近の断面図９JS2TW本体のシングル用CMスイッチ付近の断面図１０J S2TW本体のS2TWのY 字コイル磁極部のギア断面図１１J S2TW本体の磁石部断面図１２Jワンウェイギア右回転用の断面図１３JU字コイル部扇形状先端部断面図１４JU字コイル部軸中央断面図１５JU字コイル部軸の根元の断面図１６JY 字コイル部軸の根元の断面図１７J  Y 字コイル部軸中央断面図１８J Y字コイル部扇形状先端部の断面図１９J軸型２TWモータ内蔵ファン付き攪拌器の側面断面図２０J  S2TW本体のファン稼動時のTW金属ブラシ付近の断面図２１Jダブルとシングル用CMFスイッチ平面断面図２２Jダブルとシングル用CMFスイッチ正面断面図１K多目的平型エアーモータのVAヘッド位置の断面図２K多目的平型エアーモータの蓮根型プレート位置の断面図3K多目的平型エアーモータの板バネ位置の断面図 A水平状態の芯内バランス調整器Bウイールシンカー拡大図C垂直状態の芯内バランス調整器D可変反転ゼンマイ部中心軸拡大図Eゼンマイ接続部拡大図（ゼンマイ部）Fカウントギア拡大図G昇降バー拡大図H芯内バランス調整器の３段垂直稼動図Iハンドシェイクギア接続時の図Jボールズチェーンとボールズチェーン用ダブルギアの接続拡大図K接続ギア拡大図L上下軸用振動回転機のギア部を上から見た図Mボールズチェーン拡大図N水平状態で芯内バランス調整器周辺図O水平状態で芯内バランス調整器稼動前の本体・側面透視図とバランス図P水平状態で芯内バランス調整器ツイスト稼動の本体・側面透視図とバランス図Q水平状態で芯内バランス調整器ウイルスシンカー稼動と左右の均等化後の本体・側面透視図とバランス図R水平状態で芯内バランス調整器ツイスト稼動戻り後の本体・側面透視図とバランス図Sローテーションギアの概略図Tマドラータイプのヒートモータの上部分拡大図U芯内バランス調整器が垂直状態のAR中枢ギア（RaLa軸）縦に来た状態V芯内バランス調整器が水平状態のVE中ギア（RvLv軸）縦に来た状態W芯内バランス調整器１６ブロック分割図X回転・ロック切り替えRv・Lv軸部用
【図１ａ】
0003188223.tif 000003
【図１ｂ】
0003188223.tif 000004
【図１ｃ】
0003188223.tif 000005
【図１ｄ】
0003188223.tif 000006
【図２ａ】
0003188223.tif 000007
【図２ｂ】
0003188223.tif 000008
【図２ｃ】
0003188223.tif 000009
【図２ｄ】
0003188223.tif 000010
【図２ｅ】
0003188223.tif 000011
【図３ａ】
0003188223.tif 000012
【図３ｂ】
0003188223.tif 000013
【図３ｃ】
0003188223.tif 000014
【図３ｄ】
0003188223.tif 000015
【図３ｅ】
0003188223.tif 000016
【図４ａ】
0003188223.tif 000017
【図４ｂ】
0003188223.tif 000018
【図４ｃ】
0003188223.tif 000019
【図４ｄ】
0003188223.tif 000020
【図４ｅ】
0003188223.tif 000021
【図４ｆ】
0003188223.tif 000022
【図４ｇ】
0003188223.tif 000023
【図５ａ】
0003188223.tif 000024
【図５ｂ】
0003188223.tif 000025
【図５ｃ】
0003188223.tif 000026
【図５ｄ】
0003188223.tif 000027
【図５ｅ】
0003188223.tif 000028
【図５ｆ】
0003188223.tif 000029
【図５ｇ】
0003188223.tif 000030
【図５ｈ】
0003188223.tif 000031
【図６ａ】
0003188223.tif 000032
【図６ｂ】
0003188223.tif 000033
【図６ｄ】
0003188223.tif 000034
【図６ｅ】
0003188223.tif 000035
【図６ｆ】
0003188223.tif 000036
【図６ｇ】
0003188223.tif 000037
【図６ｈ】
0003188223.tif 000038
【図７ａ】
0003188223.tif 000039
【図７ｂ】
0003188223.tif 000040
【図７ｃ】
0003188223.tif 000041
【図８ａ】
0003188223.tif 000042
【図８ｂ】
0003188223.tif 000043
【図８ｃ】
0003188223.tif 000044
【図８ｄ】
0003188223.tif 000045
【図８ｅ】
0003188223.tif 000046
【図８ｆ】
0003188223.tif 000047
【図８ｇ】
0003188223.tif 000048
【図８ｈ】
0003188223.tif 000049
【図８ｉ】
0003188223.tif 000050
【図８ｊ】
0003188223.tif 000051
【図８ｋ】
0003188223.tif 000052
【図８ｌ】
0003188223.tif 000053
【図８ｍ】
0003188223.tif 000054
【図８ｎ】
0003188223.tif 000055
【図８ｏ】
0003188223.tif 000056
【図８ｐ】
0003188223.tif 000057
【図８ｑ】
0003188223.tif 000058
【図８ｒ】
0003188223.tif 000059
【図８ｓ】
0003188223.tif 000060
【図８ｔ】
0003188223.tif 000061
【図８ｕ】
0003188223.tif 000062
【図９ａ】
0003188223.tif 000063
【図９ｂ】
0003188223.tif 000064
【図９ｃ】
0003188223.tif 000065
【図９ｄ】
0003188223.tif 000066
【図９ｅ】
0003188223.tif 000067
【図９ｆ】
0003188223.tif 000068
【図９ｇ】
0003188223.tif 000069
【図６ｃ】
0003188223.tif 000070
【手続補正書】
【提出日】平成25年4月15日(2013.4.15)
【手続補正１】
【補正対象書類名】明細書
【補正対象項目名】全文
【補正方法】変更
【補正の内容】
【考案の詳細な説明】
【技術分野】
【０００１】
本考案は、多目的発動機と多目的伝動部品を有する攪拌器に関するものであり、従来のものと違い複数個を一度に扱うのではなく、個別に使えるように蓋タイプ(多目的平型モータと多目的平型蒸気モータ)と、マドラータイプ（多目的軸型1 ASCモータと多目的軸型2 TWモータ）によるタイプ別の構造で、また用途別に説明すると、５０°以下使用の蓋タイプ平型モータ攪拌器（51に61とノーマルマドラーをセットしたもの）と、マドラータイプ軸型１ASCモータ攪拌器（128に54と117か104を接続したもの）  で、加熱用には蓋タイプ平型エアモータ攪拌器（51に60とノーマルマドラーをセットしたもの）で    、冷却攪拌には、マドラータイプ軸型2TWモーターファン付き攪拌器（127に54と117か104を接続したもの）とヒートモータとモータとチェンジギアボックス内蔵のファン＆スクリューの攪拌器、とこれら動力部の多用途モーター・多用途発動機及び多用途伝動部品の多目的振動を回転に変える発電機内臓の動作確認用LED部を使用するこれらを小型化し、しかも多機能化した用途別蓋とマドラー動力部の攪拌器に関する。
【背景技術】
【０００２】
従来の参考資料が無いため現在市販されているマグネチックスターラーや振とう器などは本体台座の上に複数個乗せて使用するもので、最近では６・８連式のサイズもあり、さらにヒーターとタイマーに加え、回転性能などにより高価なものであり、そこで用途に合わせたモータやエアモータの構造にすることで、コンパクトで低価格を目指した。
【０００３】
またエアモータにおいてはローター部の軸にブレードの一部が格納される構造のものが本体の回転軸を偏心させてることでブレードにより、６つの部屋が出来、これらのうちの狭い部屋で吸気し広い部屋で排気することを繰り返すことで、回転を作っていた。こうした構造では、縦横に形状を変えるのには限界がある構造が従来から知られている。
【０００４】
また従来のモータにおいては、磁極コアの数を増やしたものやローダー部が逆になる構造が従来から知られている。
【０００５】
また従来の小型モータにおいては用途に応じてパワーを犠牲にして、小さくしたものが従来から知られている。
【考案の概要】
【考案が解決しようとする課題】
【０００６】
従来のマグネチックスターラーや振とう器などは状況によっては過熱するか、しないか分けて使用する際に１つのビーカーが贅沢に独占することもしばしばで、またヒーターとタイマー機能や回転性能などに加え、台の大きさによるビーカーのサイズや数により、大型で重くなった装置を持ち出すのは容易ではないし、専用の蓋が無いため食品や薬品にとっては不衛生で、異物の混入可能性もあるので問題であり、本発明は、これらの従来技術の問題点を解決し、利便性を向上させ、高額商品を安く提供することを課題とする。
【０００７】
そこで、上記課題を解決するため、単体で用途別攪拌器を開発することになり、まず通常使用は蓋に動力部を設けた蓋タイプには平たい円柱型の形状にし、その際に犠牲になったパワーを重視したければ着脱可能な延長マグナット部を使用することで補える多目的平型モータ（61）が最適で、これを蓋の取っ手部に動力部として内蔵し、その中央に専用のマドラー（46に54と117か104を接続したもの）を高さ調整し、セットして使用するもので、大変便利だが過熱には不向きであった。
【０００８】
そこで、次に加熱しながらの攪拌には上記蓋タイプの平型モータ攪拌器（51に61をセットしたもの）ではモータが過熱して危険なため、今度は逆に過熱沸騰させて、その時発生する蒸気で稼動する、蓋タイプの取っ手部に動力部には内側回転子と羽根案内リングと羽根と外側回転子が縦方向に配置する事で、平たい円柱型の多目的平型蒸気モータ（60）でき、これに専用のマドラー（46に54と117か104を接続したもの）をセットして使うエコ攪拌器を開発した。
【０００９】
次に上記とは逆に冷やすタイプはできないかということでできたのが、軸型２TWモーター内臓ファン付きマドラータイプ攪拌器（127に54と117か104を接続したもの）だ。
【００１０】
上記の攪拌よりも簡単な構造にするため小型モータ（358）にチェンジギアボックス（357）を使った小型モータとチェンジギアボックス内蔵のファン＆スクリューの攪拌器（54と358と357を接続したものに117か104を更に接続したもの）ができた。
【００１１】
さらに便利さを追求するため小型化を目指して開発されたのが、軸型１ASCモータ内臓マドラータイプ攪拌器（128に54と117か104を接続したもの）だが小型化に重点が置かれパワーが小さいのが難点だった。
【００１２】
また、稼動確認のため、各マドラーにモータ等の微弱振動を回転に変える発電機内臓LED（54）を点灯させることで、稼動確認することが出来、電池切れや故障発生などが一目で分かるようにした。
【課題を解決するための手段】
【００１３】
上記目的を達成するために請求項１記載の発明は、用途別攪拌器の基本構造として、円盤形状のものに、ビーカーの口のサイズ別に３０ｍｌから２００ｍｌ（122・121・124・123）までの溝と、交換取手部接続溝（317）と、その中心にマドラー用貫通口（318）と、ボタン電池の格納部（365）と、交換取手部接続溝（317）の上の方にプラス極電極板（３５４）と、下の方にマイナス極電極板（355）と、プッシュスイッチ（５５）を備えたオールアルミ製やオールプラスチック製などからなる蓋（５１）部分と、これを接続する、取っ手部ケース（６３６）にマドラーストッパー孔の付いたノーマル用ゴム製取っ手（６３７）を格納したノーマル取手部（48）部分と、これと交換できる蓋に動力を設けた多目的平型モータ（61）と、多目的蒸気モータ（60）の蓋タイプと、着脱式頭頂部振動発電による動作確認ランプ部（54）の構造を備えた部分と、交換式先端部スプーン（104）・スクリュー（117）の回転先端部と、その間をノーマルマドラー支柱（46）と、動力内臓本体の多目的軸型２ローターモータ内蔵動力部本体（１２８）と、多目的軸型YU字軸モータ内蔵ファン付き動力部本体（127）と、多目的ヒートモータ（677）で繋いだマドラータイプやノーマルマドラーからなるものの構造を備えた部分と小型モータの左右の回転でスクリューかファンを切替機構のチェンジギアと、マドラータイプを好みの高さに緩嵌して使う両端に接続孔を持つ、ダブル攪拌用アダプター（１１９）と、三〇〇ｍｌ用蓋のアダプター（62）を組み合わせて使う、これらすべてを有する用途別蓋とマドラー動力部の攪拌器。
【００１４】
前記の多目的平型モータ（６３９）は、従来のモータのシャフト部を円筒形のシャフト管内部ゴム加工（９４）の内側表面ゴム加工した部分と、コア本体部である（８９）にケイ素鋼製の平型モーターコイル部軸上先端部（171）３個と、平たい穴の開いた円柱形のケイ素鋼製の平型モータコイル部軸中央先端部（172）を置いた部分と、電磁鋼製の扇形状延長板（８８）の３つを螺設してできたHMコイル部延長部付き軸（３２４）と、本体着脱の平型モータマグネット蓋（91）に内装した平型モータ用マグネット部（８６）を特徴とするこれら全ての構造と機能を有する用途別蓋とマドラー動力部の攪拌器。
【００１５】
図３Aは、前記の多目的平型エアモータ（６５９）は、まずはヘッド板（75〜82）の厚みの細い方のA角部では厚さが２mmで、反対側の厚さが５mmの二等辺三角形状で、横のサイズが全て１．５ｃｍで、縦が０．５ｃｍから０．０１ｃｍずつ長さを足していき、一番大きいサイズが、縦０．８ｃｍで各サイズ３０個が２枚ずつあり、これを筒状の平型蒸気モータヘッド固定管（319）を中心に厚みがA角の細くなつた部分を寄せて上部を溶接加工して出来た形状が平型蒸気モータ蒸気室用ヘッド（67）の形状を備えた部分と、これを円筒形状の平型蒸気モータヘッド外カバー（４０３）に平型蒸気モータ蒸気室用ヘッド（67）の  底部まで入れて圧着し、これに上記平型蒸気モータヘッド外カバー（４０３）より一回り大きい円柱の容器形状の上部に平型蒸気モータヘッド固定管（319）用の孔の開いた部分を持つ
多目的平型エアモータケース（６６）に平型蒸気モータヘッド外カバー（４０３）付き平型蒸気モータ蒸気室用ヘッド（67）を底部まで入れて圧着したものに、平型蒸気モータの蒸気室用ヘッドの山部の高さ０．８ｃｍ（７３）の位置に吸気口（６４）である平型蒸気モータヘッド外カバー（４０３）と多目的平型エアモータケース（６６）の左横に貫通口を設け、その反対側の平型蒸気モータの蒸気室用ヘッドの谷部の高さ０．５ｃｍ（７１）の排気口（６３）の位置に平型蒸気モータヘッド外カバー（４０３）の右横に貫通口を設け、更に多目的平型エアモータケース（６６）の横から入り中腹で真下の底部まで欠削して貫設した多目的平型エアモータケース（６６）の中に配管ができ、これらを固定するために、エアモータケース（６６）横にあるイモネジ用の穴（192）に、イモネジ（445）で螺着してできた本体部と、つぎにローター部の構造として、円盤形状に平型蒸気モータシャフト管（65）の孔の開いた平型蒸気モーターローター底ベース（４１５）と、板バネ（７４）をビス（４５５）で固定して出来たのが、 平型蒸気モータのーローター部台座（４５４）で、これの中央の穴から０．５ｍｍ突き出る様に平型蒸気モータシャフト管（６５）さして固定したものに、筒型の横にブレード（６９）用の溝か切られた平型蒸気モーターブレードガイド軸（４５３）を平型蒸気モータシャフト管（６５）に通したこれら３つの付け根を溶接で固定し、これの上から円盤の中心に平型蒸気モータシャフト管（65）の穴と平型蒸気モーター蒸気室用ブレード（69）用の穴が開いた形状の蓮根型プレート（68）を平型蒸気モータシャフト管（６５）に通し、平型蒸気モーターブレードガイド軸（４５３）の頭頂部に固定して出来たのが、ローター固定部で、これに平型蒸気モーター蒸気室用ブレード（69）
を１２枚差し込んだのがローター部で、これを上記本体部に格納し、取っ手部内蔵平型蒸気モータカバー（６６）の底部内周面に螺設した内螺子（294）に、取っ手部内蔵平型蒸気モータカバー（６６）の外周面に螺設した外螺子（336）で蓋をしたこれら全ての構造と機能を有する用途別蓋とマドラー動力部の攪拌器。
【００１６】
前記の多目的軸型２ローターモータ（１２８のマドラー先端部スプーン・スクリュー接続部なし）は、まず軸型２ローターモーター蓋固定部（484）は、円筒形の片側を蓋で閉じた部分に螺設した突起部が外螺子部である動作確認ランプ部接続部（299）になる部分と、
管材形状のものの内側右から軸型２ローターモータ用ブラシアーム（647）と＋極軸型２ローターモーター金属ブラシ（377）が順番に接続された部分と、反対側の一段下の位置から軸型２ローターモータ用ブラシアーム（647）と−極軸型２ローターモーター 金属ブラシ（378）の順番に接続したブラシベース固定管（646）部分と、円形の両端に極性の違う扇状の磁石部を設け、その隙間を樹脂で固めた軸型２ローターモーター壱マグネット部（141）と、同じもので反対向きに配置される軸型２ローターモータの弐マグネット部（478）の２つの部品と、コミテータ芯管（６４８）の上部にコミテータ片（３３０）１枚と絶縁体片（２５２）２枚を接続したN・S＋極軸型２ローターモータの コミテータ部（３７９・３８１）と、もう一つのコミテータ芯管（６４８）の下部にコミテータ片（３３０）１枚と絶縁体片（２５２）２枚を接続したN・S−極軸型２ローターモータの  コミテータ部（３８０・３８２）と、N＋極軸型２ローターモータの コミテータ部（３７９）とコミテータ芯固定部（６４９）を間にN−極軸型２ローターモータの  コミテータ部（３８０）を挟んで出来たN磁コイル部用コミテータ部と、S＋極軸型２ローターモータの コミテータ部（３８１）とコミテータ芯固定部（６４９）を間にS−極軸型２ローターモータのコミテータ部（３８２）を挟んで出来たS磁コイル部用コミテータ部分と、内側中心に軸型２ローターモータの  本体軸（206）を軸止し、この軸を通して軸型２ローターモータの蓋固定部（484）の筒の中に圧着したブラシベース固定管（646）と、これに蓋をする様に軸よりも大きい孔を持つ軸型２ローターモータの壱マグネット部（141）通して、ブラシベース固定管（646）に固定した第一ローター部のコミテータ格納部と、軸型２ローターモータの  本体軸（206）用の孔の開いた円盤状の固定板（645）を底部としてと、ブラシベース固定管（646）を固定し、上からは軸型２ローターモータの弐マグネット部（478）で蓋をするように固定して出来た第２ローター部で、これのコミテータ格納部の軸型２ローターモータの弐マグネット部（478）の方から通し、固定板（645）の中央の孔から０.5ｍｍ突出させて固定して出来たのが本体である軸型２ローターモータの  固定部（306）部分と、N又はS＋極軸型２ローターモータの コミテータ部（３７９又は３８１）と、N又はS−極軸型２ローターモータの  コミテータ部（３８０又は３８２）がコイル部の配線部分と、第一又は二ローター部のコミテータ格納部の、＋極軸型２ローターモーター金属ブラシ（377）と−極軸型２ローターモーター 金属ブラシ（378）は市販のPICモータ制御装置（50）と、配線が繋がっている配線部分と、円筒形電磁鋼製の軸型２ローターモータの  磁極コア部軸管（２０８）の上部を軸に描く円の７０°から１１５°の角度からなる扇形状の軸型２ローターモータの  磁極コア軸先端部（２０７）を、軸型２ローターモータの  磁極コア部軸管（２０８）上下部に平行配置固定し、その内の上部軸型２ローターモータの  磁極コア軸先端部（２０７）の右横に同じ軸型２ローターモータの  磁極コア軸先端部（２０７）と、その上部に同じ形状の軸型２ローターモータの  S極マグネット部（２０２）接続した軸型２ローターモータの S極磁極部軸（１��２）か、軸型２ローターモータの S極磁極部軸（１４２）の軸型２ローターモータの  S極マグネット部（２０２）を軸型２ローターモータの  N極マグネット部（203）変えて出来たのが軸型２ローターモータの  N極磁極部軸（143）になり、これにコイルを巻回したのが軸型２ローターモータの  S・N極磁極部（277・278）で、これに円筒形のコミテータ延長芯（650）と、S又はN磁コイル部用コミテータ部（379又は381と649と380又は382を接続したもの）を接続してできたローター部壱・弐（657・658）の部分と、軸型２ローターモータの弐マグネット部（478）の位置にステンレス製軸型２ローターモータの駆動部（483）と軸型２ローターモータの  S極磁極部（277）と軸型２ローターモータの  N極磁極部（278）の位置にバナジウム製軸型２ローターモータの駆動部（482）の素材でできた茶筒形状底部にマドラー先端部スプーン・スクリュー接続部（300）が付いたの軸型２ローターモータの  稼動管（209）にマドラー先端部交換式スプーン（104）又はマドラー先端部交換式スクリュー（117）を接続した軸型２ローターモータの稼動部（209に１０４か１１７を接続したもの）になる部分と、軸型２ローターモータの壱マグネット部（141）の左側N極と、S磁コイル部（277）の上側がN極で引き合い、それと同時に磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、次に、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は２倍移動して受身（動かされる）の状態から今度は逆にN磁コイル部（278）の可動により、反対側が同じ様に動く事で回転を作り出す稼動行程、これら全ての構造と機能を有する用途別蓋とマドラー動力部の攪拌器。
【００１７】
前記の多目的軸型YU字軸モータの用途別攪拌器の冷却用マドラータイプに最適な軸型YU字軸モータ内臓ファン付きマドラータイプ攪拌器（127に54と117か104を接続したもの）の構造は、ケイ素鋼製のU字の軸部（250）にコイルを巻きつけて、その先端部に電磁鋼製のU字コイル部扇形状先端部（249）を取り付け、これをステンレス製のU字コイル固定部（255）に挟んで格納することで本体に固定し、そこからコイルの配線が軸型YU字軸モータのケース（462）の配線溝（168）を通り、スイッチの真上の頭頂部より外部に出て制御装置（50）に接続したU字コイル部（221）の第１ブロック（282）部分と、軸型YU字軸モータの可動管（232）に扇柱のマグネット部（505）を上下に挟み、それを固定するためのリング状のギアで歯が左に寝た形状のステンレス製のワンウェイギア左回転用（290）を磁石部本体中央に固定し、その位置に本体側の面に軸型YU字軸モータのワンウェイギア用逆戻り防止つめ（234）を設け、先程の軸型YU字軸モータの磁石部（222）の軸型２TWモータ磁石部の稼動用溝（461）に軸型２TWモータ磁石部受け（463）をセットした構造のスクリュー稼動時のロータである軸型YU字軸モータの磁石部（222）の第２ブロック（283）部分と、Y字軸部稼動軸口（297）の穴が中央に開いたケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻き、その後ろにワンウェイギア右回転用（247）とラチェット機構により一方向に回転するマグネット部のワンウェイギアマグネット部（506）とY字コイル部可動軸（245）順番に接続し、次にY字コイル部可動軸（245）にシングル用切り替えスイッチ（466）を通し、スライド半固定部（161）の突起先端シングル用切り替えスイッチ（466）受け形状により、スライド回転可能にした部分と、また先程のY字コイル部可動軸（245）にダブル用切り替えスイッチ（239）を通し、Wスイッチ半固定部（162）の突起先端ダブル用切り替えスイッチ（239）受け形状により、スライド可能にした部分と、つぎに接触金具部２枚部（414）と、接触金具部3枚部（413）をY字コイル部可動軸（245）の端に固定した部分と、接触金具部２枚部（414）の位置にリングの内側から伸びる板バネ・アーム・金属ブラシが順番に接続されたのが対角線上より伸びた構造のY字コイル部W用金属ブラシベースリング（135）と、接触金具部3枚部（413）の位置にリングの内側から伸びる板バネ・アーム・金属ブラシが順番に接続されたのが対角線上より伸びたのとそれより１段上からも同じ様に均等な位置３箇所から伸びたY字コイル部金属ブラシ3・２ベースリング（134） からなる部分と、 シングル巻線（467）の左右の配線がシングル用切り替えスイッチ（466）のスライド移動に関係なく接触通電可能と、シングル用切り替えスイッチ（466）のスライド移動により切り替え後シングル時のモータ制御配線（451）の時には接触通電可能なY字シングルコイル部金属ブラシ１からシングル巻線１（153）からY字シングルコイル部金属ブラシ（464）とY字シングルコイル部金属ブラシ２からシングル巻線２（152）からもう一方のシングル用切り替えスイッチ（466）へ行く配線と、これの相手方の接触金具部２枚部（414）の両サイドから市��のPICモータ制御装置（５０）へ伸びる制御装置から軸型YU字軸モータの２枚部コミテータ壱（118）制御装置から軸型YU字軸モータの２枚部コミテータ２（136）と、ダブル巻線１（468）左配線ダブル用切り替えスイッチ2からダブル巻線１（154）と、隣のダブル巻線２（103）への配線のWコイル間配線（461）と、その中間位置からダブルコイル部用金属ブラシ（291）へ伸びる軸型YU字軸モータの 3枚部コミテータ2からダブルコイル１と２間（114）と、ダブル巻線２（103）の右配線からダブル用切り替えスイッチ（239）のダブルスイッチ内外固定金具１（470）に伸びるダブル用切り替えスイッチ１からダブル巻線２（155）と、ダブル用切り替えスイッチ（239）のダブルスイッチ内外固定金具１（４７０）から接触金具部3枚部（４１３）一つへ行くTW3コミテータ1TOWS１軸型YU字軸モータの3枚部コミテータ１からダブル用切り替えスイッチ1（116）と、ダブル用切り替えスイッチ（239）のダブルスイッチ内外固定金具２（473）から別の接触金具部3枚部（413）へ行く軸型YU字軸モータの3枚部コミテータ3からダブル用切り替えスイッチ2（115）と、ダブルコイル部用金属ブラシ（291）のそれぞれ別に制御装置から軸型YU字軸モータの3枚部コミテータ１（111）・制御装置から軸型YU字軸モータの3枚部コミテータ2（112）・制御装置から軸型YU字軸モータの3枚部コミテータ3（113）３つと、ファン稼動時の接触ヘッド（465）の制御装置からファン稼動時の軸型YU字軸モータの金属ブラシ１（148）制御装置からファン稼動時の軸型YU字軸モータの金属ブラシ２（151）が市販のPICモータ制御装置（50）伸びるこれら全ての配線部分と、軸型YU字軸モータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）からなる部分と、軸型YU字軸モータの磁石部（２２２）の軸型YU字軸モータの可動管（232）に軸型YU字軸モータのシャフト（169）を接続し、軸型YU字軸モータのワンウェイギア用逆戻り防止つめ（234）のU字磁極コア軸部稼動軸口（298）を通し本体軸型YU字軸モータのケース（462）の底部を蓋をするように軸型YU字軸モータの可動接続部（125）を回転可能に保持した部分からなるこれら全ての構造と機能を有する用途別蓋とマドラー動力部の攪拌器。
【００１８】
前記の多目的チェンジギアボックス（357）は、円筒形の頭部に左側の傾斜を持つ山が１から十数個ある形状の傾斜面を内側に３０°〜９０°（179）と外側に９０°〜１５０°（155）の角度の範囲で何れかの角度に合わせて角度を保ちながら削って内側か外側に傾斜がついた左ヘッド（349）部分と、これと同形状で頭部に右側の傾斜を持つ山が１から十数個ある右ヘッド（352）部分と、両面ヘッド（364）は右２から数十ヘッド（352）と左２から数十ヘッド（349）の後部を左右対称の状態から９０°右回転した位置で、円柱形状にガイド受の四角い孔を開け、チェンジギア突起部（３５６）の付いた  スライドガイド受部両面ヘッド中部（346）を間に挟み接続してできた両面ヘッド（364）部分と、これを上部切り替えガイドの溝（１９３）か（１６６）か（１９４）の何れかの位置にチェンジギア突起部（３５６）合わせて移動可能に内蔵した部分と、円柱の中間が四角柱に形成されたチェンジギア稼動軸（363）と、長い円筒形のチェンジギアボックスケース（362）の底部に短い円筒形の下部切り替えガイド形成部用（189）と円筒形をチェンジギア突起部（356）より0.1ｍｍの圧さ分、左から右へカットと対抗面は右から左へカットしたものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９１）をチェンジギア突起部（356）より0.1ｍｍのスペースを空けた位置と、円筒形の上部切り替えガイド形成部用（371）突起部（356）より0.1ｍｍのスペースを空けた位置にそれぞれの（192）にイモネジ（445）で螺着したチェンジギアボックスケース本体（164）部分、これら全ての構造と機能を有する用途別蓋とマドラー動力部の攪拌器。
【００１９】
前記の多目的振動を回転に変える発電機内臓動作確認用LED部（54）は、上記用途別攪拌器のマドラータイプの上部（128・127・357・677）やノーマルマドラーの上部（60・61）に接続して使用するマドラー先端部格納、振動を回転に変える発電機内臓動作確認用LED部（54）の仕組みは、まずは重力を回転に変えて、
無限ループを自力で６０％以上稼動する装置の３連空車輪に前後左右上下の３つの微弱振動伝達器（1・31・32）を組み合わせたもので、集積可動発電機の
この大まかな構造は、ウイールシンカー（B）と、これを内蔵したウイールシンカー格納部（181）と、これを内蔵した芯内バランス調整器（690）と、これを内蔵した本体管（691）と、カウント・ギア（28）は、軸に螺旋状に２８０°から３３０°一周近く巻いた歯からなる部品と、ボールズチェーン（20）玉を被った大きい玉を半分挟むように歯と歯の間の谷の片側部分に玉をキャッチするための内側に曲面傾斜を付けたギアを傾斜のある面を向かい合わせに、間に固定小リング（196）を挟んで接続したボールズチェーン用ダブルギアと、（43）と、（E）と、玉状のものに軸を付け、次の玉を被う用に遊嵌したボールズチェーン（19）と、ハンドシェイクギアと、接続ギアと、外輪ギア（3）と、（15）と、（1）と、（5）と（6）と、（707）からなり、この稼動行程は、空車輪弐（12）の外輪ギア（3）による後半補助が終了後、（516）により、空車輪壱（11）の芯内バランス調整器（690）が垂直バランス移動状態（494）の時の芯内バランス調整器（690）が第一稼動として、芯内バランス調整器錘部A（383）が  第１垂直稼動の後、第二垂直稼動として、芯内バランス調整器中央部（384）が半分垂直降下しする15パーセント自力重量移動の前半可動と、空車輪弐（12）が（702）により、水平バランス稼動状態（498）の時にツイストと、ウイールシンカー稼動開始し、ツイストとウイールシンカー（39）の移動することで下に来た昇降バー（43）を回転させて、15パーセント移動を助けることで、前半補助が完了により、手前下の（E）が中央に移動完了し、（698又は699か700）により、空車輪参（113）垂直バランス稼動状態（497）の時から芯内バランス調整器の重さが２６.5：１０の割合で右に９０°回倒することで上に来た昇降バー（43）を回転させることで、15パーセント移動を助けると同時に上記第二垂直稼動として、芯内バランス調整器中央部（384）が残りの半分垂直降下し、15パーセント自力重量移動することで、後半移動と後半補助が完了する行程を次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で稼動し、次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で稼動し、第３稼動行程を完了することで、空車輪3（13）が垂直バランス稼動状態（497）の状態になり、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギアボックス（15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させるこれら全ての構造と機能を有する用途別蓋とマドラー動力部の攪拌器。
【００２０】
前記の多目的ヒートモータ（343に54を接続したもの）は前記用途別攪拌器の低温加熱用マドラータイプに最適で、（54）をマドラー先端部に格納した、その下部の本体部分にヒートモータを格納しており、その構造は茶筒形状の筒の中に、きつく入る大きさの軸先端部の約３分の１とコイル巻き部を削り、さらに先端部の軸の中心から深さ１０ｍｍの位置からL字に貫通させた穴を空けたコイル部からの配線口（435）設けた形状の電磁鋼製のヒートモータ用先端扇柱形コイル部軸（394）部分と、その先端部の反対側の形状に別に削りだした形状の先端部扇柱形コイル部固定部（395）の中心にヒートモータ接続軸（634）を固定したヒートモータ連結軸部（345）と、その下部の方を茶筒形状のヒートモータコイル部格納カバー（369）と、これにコイル部（368）を格納し、その上からヒートモータ連結軸部（345）で蓋をするようにセットしできた下部本体（342）部分とヒートモータ用先端扇柱形コイル部軸（394）コイルを巻きコイルの両端をコイル部からの配線口（435）からヒートモータ接続軸（634）の中を通して配線２本出して、そこから其々２分割した片方ずつを一緒に配線孔（376）を別々に通り、ヒートモータ内側コイル接触ヘッド−極（431）とヒートモータ内側コイル接触ヘッド＋極（436）に結線したコイル部からの配線部分と、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にヒートモータスクリューブレード（344）を４枚つけたヒートモータスクリューケース（372）に格納してできたヒートモータローター部（391）と、筒状の軸（501）の上部に＋極のコイル部コミテータ片（389）と絶縁体コミテータ片（392）交互に3枚ずつ張り付けけたものと、2ミリ間隔を開けて−極のコイル部コミテータ片（388）と絶縁体コミテータ片（392）を交互に3枚ずつ張り付けたものと、円筒形の容器の底にヒートモータコミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したものを先程のヒートモータコミテータ軸（501）の2ミリ間隔を開けた位置に固定したヒートモータリング付コミテータ軸（463）の部分を先程のヒートモータローター部（391）の上部の磁力伝達部固定部（396）に、ヒートモータリング付コミテータ軸（463）の下部を接続した図９―Dのヒートモータ稼動部（132）部分と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、また同形状でリングベースのブラシの位置による名称がaVの電流用＋極用ブラシ（339）と（338）である＋極用ブラシリングベース（475���と、また同形状でリングベースのブラシの位置による名称がaV三倍の電流用−極用ブラシ（340）と（341）である−極用ブラシリングベース（476）と、また同形状でリングベースのブラシの位置による名称が内側コイル接触ヘッド−極（431）である内側コイル接触ヘッド−極リングベース（477）の各リングベース部と、筒状の上部に動作確認ランプ部接続部（299）と配線孔（167）を持つ蓋で閉じ、反対側の孔より2割奥の位置にヒートモータ連結軸部（345）接続用の孔の内周面に螺設部と配線孔（376）を2つ持つマグネット格納本体部連結軸固定部（398）と、各リングベース部を順番に接続固定し、その下に扇形状のマグネット（37）極性を変えて対角線上に配置し、円形を形成するように樹脂で固めたヒートモータ用マグネット部（348）を固定したのが上部本体（347）の部分と、上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続されるこれら全ての構造と機能を有する用途別蓋とマドラー動力部の攪拌器。
【図面の簡単な説明】
【００２１】
【図１ａ】用途別攪拌器の蓋タイプとマドラータイプとモータ制御装置の全体図
【図１ｂ】図１aの蓋タイプ攪拌器の斜視図
【図１ｃ】図１aの多目的ヒートモータ攪拌器と、軸型２Wモータ内臓ファン付きマドラータイプ攪拌器の断面図
【図１ｄ】図１aの軸型１ASCモータ内臓マドラータイプ攪拌器と、ノーマルモータとチェンジギアボックス内蔵のファン＆スクリューの攪拌器の斜視図
【図２ａ】多目的平型モータの斜視図
【図２ｂ】多目的平型モータの部品の斜視図
【図２ｃ】多目的平型モータの横断面図
【図２ｄ】多目的平型モータの縦断面図
【図２ｅ】多目的平型モータの部品6面図
【図３ａ】多目的平型エアーモータの本体と回転部の縦断面図
【図３ｂ】多目的平型エアーモータの横断面図
【図３ｃ】多目的平型エアーモータの部品図
【図３ｄ】多目的平型エアーモータのVAヘッド図
【図３ｅ】多目的平型エアーモータの斜視図
【図４ａ】多目的軸型1 ASCモータの斜視図
【図４ｂ】多目的軸型1 ASCモータの縦断面図
【図４ｃ】多目的軸型1 ASCモータの部品図
【図４ｄ】多目的軸型1 ASCモータのロータ１・２の断面図
【図４ｅ】多目的軸型1 ASCモータの稼動行程の断面図１
【図４ｆ】多目的軸型1 ASCモータの稼動行程の断面図２
【図４ｇ】多目的軸型1 ASCモータの概略稼動行程の斜視図
【図５ａ】多目的軸型2 TWモータの斜視図
【図５ｂ】多目的軸型2 TWモータの断面図
【図５ｃ】多目的軸型2 TWモータのコミテータ付近の断面図
【図５ｄ】多目的軸型2 TWモータの部品図
【図５ｅ】多目的軸型2 TWモータの分解斜視図
【図５ｆ】多目的軸型2 TWモータの稼動行程の図
【図５ｇ】多目的軸型2 TWモータの配線斜視図
【図５ｈ】多目的軸型2 TWモータの配線断面図
【図６ａ】ノーマルモータと多目的チェンジギアボックス内蔵のファン＆スクリュー攪拌器の断面図
【図６ｂ】ノーマルモータと多目的チェンジギアボックス内蔵のファン＆スクリュー攪拌器の斜視図
【図６ｃ】ノーマルモータと多目的チェンジギアボックス内蔵のファン＆スクリュー攪拌器のスクリュー部図
【図６ｄ】ノーマルモータと多目的チェンジギアボックス内蔵のファン＆スクリュー攪拌器の部品図
【図６ｅ】ノーマルモータと多目的チェンジギアボックス内蔵のファン＆スクリュー攪拌器の組み立て斜視図
【図６ｆ】ノーマルモータと多目的チェンジギアボックス内蔵のファン＆スクリュー攪拌器のヘッド形状図
【図６ｇ】ノーマルモータと多目的チェンジギアボックス内蔵のファン＆スクリュー攪拌器のヘッド配置図
【図６ｈ】ノーマルモータと多目的チェンジギアボックス内蔵のファン＆スクリュー攪拌器の稼動時の左右ヘッド位置図
【図７ａ】ダブル攪拌のセッティング図
【図７ｂ】蓋タイプのセッティング図
【図７ｃ】蓋と三〇〇ｍｌ用蓋のアダプターのセッティング図
【図８ａ】エコモード三連空車輪外輪ギアなしの側面図
【図８ｂ】エコモード三連空車輪の正面図
【図８ｃ】ウイールシンカーとWS格納部の６面図
【図８ｄ】垂直状態の芯内バランス調整器とスライド可動図
【図８ｅ】空車輪の側面の断面図
【図８ｆ】空車輪の正面の断面図
【図８ｇ】台座兼ギアボックス平面の断面図
【図８ｈ】台座兼ギアボックス正面の断面図
【図８ｉ】台座兼ギアボックス背面の断面図
【図８ｊ】台座兼ギアボックス左右側面の断面図
【図８ｋ】カウント・ギアとダブルギアの６面図
【図８ｌ】カウント・ギア拡大図
【図８ｍ】ゼンマイ接続部拡大図
【図８ｎ】水平状態の芯内バランス調整器ツイスト稼動とウイルスシンカー稼動による、補助とバランスの均等化流れ図
【図８ｏ】水平状態の芯内バランス調整器透視図とウイールシンカー部稼動ループ部概略図
【図８ｐ】芯内バランス調整器の概略図
【図８ｑ】垂直から水平状態の芯内バランス調整器の稼動行程図
【図８ｒ】ローテーションギアの概略図と三連空車輪行程概略図と中心軸付き芯内バランス調整器受け壱・弐・参の共通機構図その展開図
【図８ｓ】概略エコモード三連空車輪の側面図
【図８ｕ】エコモード三連空車輪の側面図
【図８ｔ】概略エコモード三連空車輪の正面図
【図９ａ】多目的ヒートモータ攪拌器の断面図
【図９ｂ】多目的ヒートモータ攪拌器のコミテータとローター部の縦断面図
【図９ｃ】多目的ヒートモータ攪拌器の部品６面図
【図９ｄ】多目的ヒートモータ攪拌器のコミテータの断面図２
【図９ｅ】多目的ヒートモータ攪拌器の部品斜視図
【図９ｆ】多目的ヒートモータ攪拌器のコミテータの横断面図1
【図９ｇ】多目的ヒートモータ攪拌器のコミテータの配線図
【考案を実施するための形態】
【００２２】
以下、本発明の実施の形態を、添付図面に示した本発明の一実施例に基づいて説明する。図７ｂ  の１Iの断面図や図７ｃ  の上（平面）・下・側面図  のように蓋（５１）の外周に三〇〇ｍｌ用蓋のアダプター接続溝（３１６）切削した部分と、中心にマドラー用貫通口（３１８）を穿設した部分とビーカーの口のサイズ別に３０ｍｌから２００ｍｌ（122・121・123・124）までの溝を切削した部分を備えた裏面と、表部にマドラー用貫通口より大きい円柱状の窪みを切削して設け、この上部内周面を螺設した蓋の内螺子（337）を設けた交換取手部接続溝（317）と、円柱状の窪みを切削して設けたボタン電池の格納部（365）と、この底部から交換取手部接続溝（317）に伸びたマイナス極電極板（３５５）と、電池を格納して、これをとめる電池止め金（５６）と、この付け根からのびて、交換取手部接続溝（317）の上部にできたプラス極電極板（３５４）が、交換取手部接続溝（317）の上部を半周内設し、その末端からスイッチのＡ極端子（712）と、スイッチのＢ極端子（713）からHMのプラス極端子（105）にプッシュスイッチ（５５）設けた部分と、からなる本体オールアルミ製やオールプラスチック製などからなる蓋（５１）
【００２３】
図１ｂの取っ手部ケース（６３６）は、円筒状の片方にマドラー用貫通口（３１８）を切削した天井板を持つ、小さい穴の開いた容器形状に多目的平型エアモータ（６５９）の排気口（９６）を横穿した部分と、底部外周面を螺設した外螺子（９９）を設けた部分とその反対側の内周面に取っ手ストッパーつめ（１００）を周設構造
【００２４】
図１ｂの様に、取っ手部ケース（６３６）にマドラーストッパー孔（637）の付いたノーマル用ゴム製取っ手（６３７）を格納したノーマル取手部（48）
を上記蓋（５１）の蓋の内螺子（337）接続したノーマル蓋（３６６）にマドラータイプをノーマル取手部（48）に挿通して好みの高さに緩嵌して使う。
【００２５】
取っ手部ケース（６３６）に、多目的平型モータ（639）を格納した取っ手部内蔵平型モータ（61）を蓋（５１）の交換取手部接続溝（317）に螺着した取手部平型モータ内蔵攪拌器（５１に６１を接続したもの）の中央のシャフト管GS（９４）にノーマルマドラー（４６に５４と１０４か１１７を接続したもの）や、マドラータイプを挿通して好みの高さに緩嵌して使う。
【００２６】
上記上記蓋（５１）の三〇〇ｍｌ用蓋のアダプター接続溝（３１６）とは反対に外周に受けての溝を設けた、リング形状の三〇〇ｍｌ用蓋のアダプター（６２）により、三〇〇ｍｌビーカーに使用できる。
【００２７】
ノーマルマドラーは、ノーマルマドラー支柱（４６）のSGL部接続部（２９９）にSR発電機内蔵LED部（５４）を螺嵌した部分と、ノーマルマドラー支柱（４６）下部マドラー先端部スプーン・スクリュー接続部（３００）にマドラー先端部交換式スクリュー（１１７）か、マドラー先端部交換式スプーン（１０４）着脱可能に螺嵌した部分からなる。
【００２８】
マドラー先端部交換式スクリュー（１１７）は棒状の本体上部に接続用内周面を螺設した内螺子（101）を設けたマドラー取付頭頂部（102）と本体下部にスクリューハネを２から５枚のハネを持つ構造
【００２９】
マドラー先端部交換式スプーン（１０４）は、本体スプーン形状の上部に接続用内周面を螺設した内螺子（101）を設けたマドラー取付頭頂部（102）をもつ構造
【００３０】
ノーマル用ゴム製取っ手（６３７）は、円柱取っ手サイズの中央にマドラー用貫通口（３１８）を切削したゴムの塊り構造
【００３１】
図2aからeの前記本第２発明の多目的平型モータ（６３９）は、円筒形の片方に蓋をした容器形状の底部にマドラー通し孔を切削して設けた本体平型モータケース（９０）と、
金属ブラシ（１３７）とブラシアーム（１７０）とブラシ板バネ（１３８）とブラシ固定部（９５）を順番に取り付け、マグネット固定溝（108）が対角線上に設けられたリング状のブラシリングベース（２６２）を平型モータケース（９０）底部に圧着した部分と、
【００３２】
その直ぐ上にモータの外周形状の管材を縦に２分の１から４分の１にカットの形状のマグネット（８４）の磁石の極性を変えて対角線上に２つを両端に置き、底部をブラシリングベース（２６２）のマグネット固定溝（108）に半固定し、背面部に接着材またはU字ピン（109）で、２つのマグネット（８４）間を係着して、平型モータケース（９０）に固定した部分の構造を備えた本体部分と、
【００３３】
これにローター部である従来の（小型）モータの様にケイ素鋼製のプレート（173）を重層して作った平型モーターコイル部軸（89）と、
その外周の大きさの平たい穴の開いた円柱形を３分割して５ｍｍ短くしたケイ素鋼製の平型モーターコイル部軸上先端部（171）３個と、平たい穴の開いた円柱形のケイ素鋼製の平型モータコイル部軸中央先端部（172）を上部に接続した構造にする事で、上部にコイルの山ができる部分を格納する溝のある形状のHMコイル部軸（89）により幅を薄くする構造にでき、更にその上部に蓋をするように扇板状で、電磁鋼製の扇形状延長板（88）を置き、ネジ（87）で固定した構造を備えた部分
【００３４】
上記からなるローター部の中央の穴にシャフトの役目のマドラーを内側から半固定のためのゴム加工（９２）のシャフト管内部ゴム加工（９４）を平型モータ用コミテータ芯（93）とコミテータ片（１３９）からなるコミテータ部（４４１）に通して取り付けた回転部（ロータ部とコミテータ部）と、着脱式の平型モータマグネット蓋（９１）に中心に対し２分の１から４分の１にカットの扇形状の磁石の極性を変えて対角線上に配置して樹脂で固めた平型モータのマグネット部（86）を納めた平型モータマグネット蓋（９１）部分とからなる。
【００３５】
前記本第３発明の多目的平型エアモータ（638）は、まず図３Dのヘッド板（75〜82）厚みの部分の細い方のA角部では厚さが２mmで、反対側の厚さが５mmの二等辺三角形で、横のサイズが全て１．５ｃｍで、縦が０．５ｃｍから０．０１ｃｍずつ長さを足していき、一番大きいサイズが、横１．５ｃｍ縦０．８ｃｍで各サイズ３０個が２枚ずつあり、これを筒状のVAヘッド固定管（319）を中心に厚みがA角の細くなつた部分を寄せて上部を溶接加工して出来た形状がVAヘッド（67）になる。
【００３６】
図３ｃのVAヘッド外カバー（４０３）は、円筒形状の内径がVA蒸気室用ヘッド（67）よりも０.5ｍｍ広い形状で、VA蒸気室用ヘッドの山部の高さ０．８ｃｍ（７３）の位置に吸気口（６４）とVA蒸気室用ヘッドの谷部の高さ０．５ｃｍ（７１）の排気口（６３）の位置に貫通孔を設けた部品
【００３７】
図３ｃの多目的平型エアモータケース（６６）は、上記VAヘッド外カバー（４０３）よりも一回り大きい天井部にVAヘッド固定管（319）用の孔の開いた円柱の容器形状に、VA蒸気室用ヘッドの山部の高さ０．８ｃｍ（７３）の位置に吸気口（６４）の横穿と、その反対側のVA蒸気室用ヘッドの谷部の高さ０．５ｃｍ（７１）の排気口（６３）の位置から横に入り、直ぐに真下の底部まで欠削して貫設がある多目的平型エアモータケース（６６）の中に配管がある部品
【００３８】
上記VAヘッド外カバー（４０３）の吸気口（６４）の位置とVAヘッド（67）のVA蒸気室用ヘッドの山部になった位置を合わせて、  底部まで入れて圧着したものの排気口（６３）の位置とエアモータケース（６６）の排気口（６３）を合わせて、底部まで入れて圧着し、これらを固定するために、エアモータケース（６６）横にあるイモネジ用の穴（192）にイモネジ（４４５）で螺着してできた図３Aの本体部
【００３９】
図３a・c・eのVA ローター部台座（４５４）は、円盤形状にVAシャフト管（65）の孔の開いたVAローター底ベース（４１５）と、板バネ（７４）をビス（４５５）で固定して出来た部品
【００４０】
図３a・c・eのVA ブレードガイド軸（４５３）は、筒型のものに縦のブレード（６９）用の溝か切られた部品
【００４１】
図３a・c・eのVAブレード（69）は、ヘッド板の横のサイズと同じで、縦が０．８ｃｍで、その片側先端部にゴムのパッキン（70）に嵌合して出来た部品
【００４２】
図３a・b・c・eの蓮根型プレート（68）は、円盤の中心にVA可動管用（65）の穴と、その周囲に4から20ヶ所のVAブレード（69）用の穴が開いた形状の部品
【００４３】
図３a・bのローター部の構造として、 VA ローター部台座（４５４）の中央の穴から０．５ｍｍ突き出る様にVAシャフト管（６５）差し込んだものに、VA ブレードガイド軸（４５３）をVAシャフト管（６５）に通したこれら３つの付け根を溶接で固定し、これの上から蓮根型プレート（68）をVAシャフト管（６５）に通し、VA ブレードガイド軸（４５３）の頭頂部に固定して出来たのが、ローター固定部で、これにVAブレード（69）を、4から20枚差し込んだのがローター部で、これを上記本体部に格納しVAモータケース蓋（110）で蓋をした部分からなる。
【００４４】
上記の多目的平型エアモータ（638）を図１Bの取っ手部ケース（636）に格納してフリーサイズ用蓋（51）の取手部接続溝（317）の内周面に螺設した内螺子に、取っ手部ケース（636）の外周面に螺設した外螺子を取り付けた取っ手部内蔵平型モータ（61）に蓋（51）をセットしたものの中央のにノーマルマドラーをセットしたものを、容器に蓋をするように被せて使用する。
【００４５】
前記本第４発明の多目的軸型１ASCモータ（１２８のマドラー先端部スプーン・スクリュー接続部なし）は、まず、図４ｂのS1ASCの蓋固定部（484）は、円筒形の片側を蓋で閉じた部分に螺設した突起部が外螺子部であるSGL部接続部（299）を有する部分
【００４６】
図４ｂのブラシベース固定管（646）は、管材形状のものの内側右からB1ABCモータ用ブラシアーム（647）と＋極S1ASC金属ブラシ（377）が順番に嵌設された部分と、反対側の一段下の位置からB1ABCモータ用ブラシアーム（647）と−極S1ASC金属ブラシ（378）の順番に接続した部品
【００４７】
図４ｃのS1ASC壱・マグネット部（141）は、円形の両端に極性の違う扇状の磁石部を設け、その隙間を樹脂で固めたS1ASC壱マグネット部（141）と、同じもので反対向きに配置されるS1ASC弐マグネット部（478）の２つの部品
【００４８】
図４ｂ・ｃのN・S＋S1ASCコミテータ部（３７９・３８１）は、コミテータ芯管（６４８）の上部にコミテータ片（３３０）１枚と絶縁体片（２５２）２枚を接続した部品
【００４９】
図４ｂ・ｃのN・S−S1ASCコミテータ部（３８０・３８２）は、もう一つのコミテータ芯管（６４８）の下部にコミテータ片（３３０）１枚と絶縁体片（２５２）２枚を接続した部品
【００５０】
図４ｂ・ｃN磁コイル部用コミテータ部は、N＋S1ASCコミテータ部（３７９）とコミテータ芯固定部（６４９）を間にN−S1ASCコミテータ部（３８０）を挟んで出来た部品
【００５１】
図４ｂ・ｃS磁コイル部用コミテータ部は、S＋S1ASCコミテータ部（３８１）とコミテータ芯固定部（６４９）を間にS−S1ASCコミテータ部（３８２
）を挟んで出来た部品
【００５２】
図４ｂのS1ASC固定部（306）は、内側中心にS1ASCモータ本体軸（206）を軸止し、この軸を通してS1ASCの蓋固定部（484）の筒の中に圧着したブラシベース固定管（646）と、これに蓋をする様に軸よりも大きい孔を持つS1ASC壱・マグネット部（141）通して、ブラシベース固定管（646）に固定した第一ローター部のコミテータ格納部と、S1ASCモータ本体軸（206）用の孔の開いた円盤状の固定板（645）を底部としてと、ブラシベース固定管（646）を固定し、上からはS1ASC弐マグネット部（478）を蓋をするように固定して出来た第２ローター部のコミテータ格納部をS1ASC弐マグネット部（478）の方から通し、０.5ｍｍ突出させて固定した部分が本体になる。
【００５３】
図４ｂの配線は、N又はS＋S1ASCコミテータ部（３７９又は３８１）と、N又はS−S1ASCコミテータ部（３８０又は３８２）がコイル部の配線部分と、第一又は二ローター部のコミテータ格納部の、＋極S1ASC金属ブラシ（377）と−極S1ASC金属ブラシ（378）は市販のPICモータ制御装置（50）と、配線が繋がっている。
【００５４】
図４ｃ・ｄのS1ASC S極磁極部軸（１４２）は、円筒形電磁鋼製のS1ASC磁極コア部軸管（２０８）の上部を軸に描く円の７０°から１１５°の角度からなる扇形状のS1ASC磁極コア軸先端部（２０７）を、S1ASC磁極コア部軸管（２０８）上下部に平行配置固定し、その内の上部S1ASC磁極コア軸先端部（２０７）の右横に同じS1ASC磁極コア軸先端部（２０７）と、その上部に同じ形状のS1ASCのS極マグネット部（２０２）接続した部品
【００５５】
上記S1ASC S極磁極部軸（１４２）のS1ASCのS極マグネット部（２０２）をS1ASCのN極マグネット部（203）変えて出来たのがS1ASC N極磁極部軸（143）
【００５６】
上記S1ASC S・N極磁極部軸（１４２・143）にコイルを巻回したものがS1ASCのS・N極磁極部（277・278）になる。
【００５７】
上記S1ASCのS・N極磁極部（277・278）に、円筒形のコミテータ延長芯（650）と、S又はN磁コイル部用コミテータ部（379又は381と649と380又は382を接続したもの）を接続してできたローター部壱・弐（657・658）
【００５８】
第１ローター部の格納位置は、第一ローター部のコミテータ格納部のブラシベース固定管（646）の＋極S1ASC金属ブラシ（377）にS＋S1ASCコミテータ部（381）と、−極S1ASC金属ブラシ（378）にS−S1ASCコミテータ部（382）を接触位置にS磁コイル部用コミテータ部（379と649と380を接続したもの）を内蔵し、S1ASC壱・マグネット部（141）孔にコミテータ延長芯（650）を回転可能に通して枢設し、その位置でS磁コイル部用コミテータ部とコミテータ延長芯（650）融着し、反対側をS1ASCのS極磁極部（277）にも融着したローター部壱（６５７）は、S1ASCモータ本体軸（206）を通して、回転可能に保持されている。
【００５９】
第２ローター部の格納位置は、第二ローター部のコミテータ格納部のブラシベース固定管（646）の＋極S1ASC金属ブラシ（377）にN＋S1ASCコミテータ部（379）と、−極S1ASC金属ブラシ（378）にN−S1ASCコミテータ部（380）を接触位置にN磁コイル部用コミテータ部（381と649と382を接続したもの）を内蔵し、S1ASC弐・マグネット部（478）孔にコミテータ延長芯（650）を回転可能に通して枢設し、その位置でN磁コイル部用コミテータ部とコミテータ延長芯（650）融着し、反対側をS1ASCのN極磁極部（278）にも融着したローター部弐（６５8）は、S1ASCモータ本体軸（206）を通して、回転可能に保持されている。
【００６０】
稼動部は、S1ASC弐マグネット部（478）の位置にステンレス製S1ASCの駆動部（483）とS1ASCのS極コイル部（277）とS1ASCのN極コイル部（278）の位置にバナジウム製S1ASCの駆動部（482）の素材でできた茶筒形状底部にマドラー先端部スプーン・スクリュー接続部（300）が付いたのS1ASCの稼動管（209）にマドラー先端部交換式スプーン（104）又はマドラー先端部交換式スクリュー（117）を接続したS1ASCの稼動部（209に１０４か１１７を接続したもの）になる。
【００６１】
図４e・f・gの稼動行程は、まずON時にS1ASC壱マグネット部S磁コイル磁極部の上側がN極で引き合う図（479）の様に
S1ASC壱マグネット部（141）の左側N極と、S磁コイル部（277）の上側がN極で引き合い、それと同時に弱い磁力で磁石側面同士くっついている状態の図（480）の様に、磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、次の二倍移動の図（481）ように、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は２倍移動して受身（動かされる）状態から動き動かされる状態（481）のN磁コイル部（278）の可動により、反対側が同じ様に動く事で回転を作り出すもので、これにより第１・２ロータ部の（202・203）と磁力が発生している時のS1ASC磁極コア軸先端部（207）の側面の磁力がバナジウム製S1ASCの駆動部（482）を引き付けロータ部の動きを伝えて稼動部が回転する。
【００６２】
前記本第５発明の多目的軸型2TWモータの冷却用マドラータイプに最適な軸型2TWモータ内臓ファン付きマドラータイプ攪拌器（127に54と117か104を接続したもの）の構造は、まずケイ素鋼製のU字コイル部は、軸の中間位置にU字磁極コア軸部稼動軸口（298）を欠削したケイ素鋼製のU字の軸部（250）の先端部に電磁鋼製のU字コイル部扇形状先端部（249）を溶接か、この形状に鋳造したものの片側に軸には右巻きに、もう一方の軸には左巻きにコイルを巻回して４本の配線は軸型２TWモータのケース（462）の配線溝に這わせて頭頂部の配線孔から外の市販のPICモータ制御装置（50）に接続した構造。
【００６３】
これを本体の軸型２TWモータのケース（462）のU字コイル固定部（255）で挟み本体に固定した状態で内蔵されている。
【００６４】
軸型２TWモータのケース（462）は、円筒形の下部のU字コイル部（221）格納位置を第１ブロック（282）とし、その側面にU字コイル固定部（255）を対向位置にも設けた部分と横にワンウェイギア用バネ格納部（163）を設けた部分と、磁石部（222）格納位置を第２ブロック（283）とし、その側面に軸型２TWモータ磁石部半固定部（159）を対向位置にも設けた部分と、Yコイル部（223）格納位置を第3ブロック（286）とし、その側面にYコイル部半固定部（160）を対向位置にも設けた部分と、横上の方にワンウェイギア用バネ格納部（163）を設けた部分と、その上にスイッチ切り替え口（469）と、スライド判固定部（161）を対向位置にも設けた部分と、Wスイッチ固定部（162）を対向位置にも設けた部分と、底部から上部までの溝が配線溝（168）を持つ構造。
【００６５】
軸型２TWモータの磁石部は、円筒形の軸型２TWモータの可動管（232）に扇柱形状のマグネット部（505）を上下から挟み、それを固定するためのリング状のギアで歯が左に寝た形状のステンレス製のワンウェイギア左回転用（290）を磁石部本体中央に嵌設したのもがスクリュー可動時のローター部
【００６６】
これを軸型２TWモータのケース（462）の軸型２TWモータ磁石部受け（463）に回転自在に枢着する。
【００６７】
その際横にはワンウェイギア用バネ格納部（136）にバネ（10）を納めS2TWの1W用逆戻り防止つめ（234）の返し部で伸縮により、ワンウェイギア左回転用（290）と歯合して左回転時には負荷によって、伸縮を繰り返して左回転し右回転できない構造
【００６８】
上記軸型２TWモータの磁石部の可動管（232）に S2TWのシャフト（169）を軸止し、U字軸部稼動軸口（298）を回転可能に挿通し、回転可能に軸型２TWモータのケース（462）の軸型２TW SUASK可動接続部半固定部（133）に枢着された軸型２TW SUASK可動接続部（125）に反対側のS2TWのシャフト（169）を軸止し、軸型２TW SUASK可動接続部（125）に、マドラー先端部交換式スクリュー（117）か、マドラー先端部交換式スプーン（104）を着脱可能に螺着した可動部
【００６９】
図5ｂ−5J表記のスライドスイッチ（631）側で、先程図B−１Jを、９０°角度位置を変えた側の第２ブロック（283）中間位置に本体側の面に軸型２TWモータのワンウェイギア用逆戻り防止つめ（234）を設け、先程の軸型２TWモータの磁石部（222）の周囲に凸設したワンウェイギア左回転用（290）と本体側のスライドスイッチ（631）の面に平行して設けた図5ｃ−１J表記の軸型２TWモータ磁石部受け（463）を遊嵌した部分が、スクリュー時の回転とファン時の本体側と一体化せた固定部になる。
【００７０】
軸型２TWモータのYコイル部は、ケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻回し、その後方中央のY字軸部稼動軸口（297）の穴にS2TWのY字コイル部シャフト（245）を軸止した部品
【００７１】
上記Y字コイル部の後ろのY字コイル部シャフト（245）にギアの歯が左に倒れた形状のワンウェイギア右回転用（247）のラチェット機構により一方向に回転する部分と、ファンのプロペラ部マグネット（412）を誘動又は応動させるワンウェイギアマグネット部（506）を通して接続する。
【００７２】
その後ろからY字コイル部可動軸（245）が回転可能内側に挿通され外側はスライド移動・回転可能に本体側上部両端から先端部の窪みのある突起部（161）枢設されたシングル用CMスイッチ（466）部分
【００７３】
これに繋がる切り替え後シングル時のモータ制御配線がシングルON（466と239のスイッチが分離した状態）とファンON（466と239のスイッチが接続した状態）どちらでもシングルコイル部（467）の２つの配線の先端部端子はSCMSIO金具１・２（471・472）と常に接触通電状態
【００７４】
シングルON（466と239のスイッチが分離した状態）の時はシングルコイル部（467）のSCMSIO金具１とSCMSIO金具２（471と472）を介してYSCB2TOSC2とYSCB１TOSC１（153と152）から、シングルON時には回転せずに所定の位置で停止しており、Y字シングルコイル部金属ブラシ（464）と接触通電状態の２つのTW２枚部コミテータ（414）からMCTO TW２コミテータ１（118）とMCTO TW２コミテータ２（136）配線が市販のPICモータ制御装置（50）に接続されている。
【００７５】
ファンON（466と239のスイッチが接続した状態）の時はシングルコイル部（467）
のSCMSIO金具１とSCMSIO金具２（471と472）からYSCB１TOSC１とYSCB2TOSC2（153と152）が離れて、SCMSIO金具１（471）はWCMFSIO金具１（470）と、SCMSIO金具２（472）はWCMFSIO金具２（473）に接続されている。
【００７６】
ダブル用CMFスイッチ（239）はシングル用CMスイッチ（466）と同じで、アルミ製の円筒形のものを縦に２つに切り、縦の長さが円筒形のものと同じで、横が円筒形のもの厚みの３倍の長さの長方形の銅板を両サイドに２枚を間に挟んだ形状で筒の内と外に配線を接続するもので、外側は本体軸型２TWモータのケース（462）に固設され、内側は回転可能にS2TWのY字コイル部シャフト（245）貫通した部分
【００７７】
上記ダブル用CMFスイッチ（239）を先程のシングル用CMスイッチ（466）の後にS2TWのY字コイル部シャフト（245）通して固定し、本体側の（162）により、回転可能に半固定され、WCMFSIO金具２（473）からTW3コミテータ3TOWS2（115）を経由してTW3枚部コミテータ（413）へと、WCMFS2TOWC1（154）を経由してダブル巻線１（468）であるダブルコイル部左へと、WCMFSIO金具１（470）はTW3コミテータ1TOWS１（116）を経由してTW3枚部コミテータ（413）へと、WCMFS１TOWC2（155）を経由してダブル巻線２（103）であるダブルコイル部右へ、常に接続されている。
【００７８】
ダブル巻線１（468）であるダブルコイル部右へとダブル巻線２（103）左のWコイル間配線（46１）配線の中間位置からTW3コミテータ2BTWC１A2（114）を経由してTW3枚部コミテータ（413）に接続されている。
【００７９】
図5ｃ・ｇ・ｈの２枚のコミテータ片で構成されたTW２枚部コミテータ（414）に、Y字シングルコイル部金属ブラシ（464）が対角線上に２つ接触配置位置のS2TWのY字コイル部シャフト（245）に固定されている。
【００８０】
２つのファン稼動時の接触ヘッド（465）は、それぞれからMCTOFMTW金属ブラシ２（151）とMCTOFMTW金属ブラシ１（148）を経由して市販のPICモータ制御装置（50）に接続されている。
【００８１】
上記の上に３枚のコミテータ片で構成されたTW3枚部コミテータ（413）と、そのコミテータ片の中心位置にダブルコイル部用金属ブラシ（291）が３箇所接触配置した部分と、その直ぐ下には、ファン稼動時のTW金属ブラシ（465）が対角線上に２つ接触配置部分の位置のS2TWのY字コイル部シャフト（245）に固定されている。
【００８２】
３つのダブルコイル部用金属ブラシ（291）は、それぞれからMCTOTW3コミテータ１（111）と、MCTO TW3コミテータ2（112）と、MCTO TW3コミテータ3（113）を経由して市販のPICモータ制御装置（50）に接続されている。
【００８３】
図5ｃの10Jは、片方にY字マグネット部（506）接続したワンウェイギア右回転用（247）をYコイル部半固定部（160）で回転可能に保持し、その中心にS2TWのY字コイル部シャフト（245）の中間位置に固定され、ワンウェイギア用バネ格納部（163）と、バネ（10）と、S2TWの1W用逆戻り防止つめ（234）で右回転とロック状態を作り出すもので、これを本体部分に格納されている。
【００８４】
図5ｃの11Jは、軸型２TWモータの磁石部（222）の中心位置に固定されたワンウェイギア・左回転用（290）を軸型２TWモータの磁石部半固定部（159）で回転可能に保持し、下部のワンウェイギア用バネ格納部（163）と、バネ（10）と、S2TWの1W用逆戻り防止つめ（234）で左回転とロック状態を作り出すもので、これを本体部分に格納されている。
【００８５】
図５ｃのファン用プロペラの構造は軸型２TWモーターのY字コイル部（223）に接続したワンウェイギアマグネット部（506）の位置より下の位置の外側にべアリング（188）を接続しており、これに軸型２TWモータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）で、これを本体（127）のベアリング（188）に接続している部分
【００８６】
ファン稼動行程はU字コイル（221）の磁力に固定され、軸型２TWモータの磁石部（222）のワンウェイギア左回転用（290）により軸型２TWモータのYコイル部（223）が従来の小型モータと同じように右に回転し、Y字マグネット部（506）の磁力でプロペラ部マグネット（412）と引き合いプロペラを回転させる。
【００８７】
ファン稼動終了時に攪拌器側を回すため所定の位置に戻すためU字コイル（221）の磁力で（222）を引いた状態で常に終了する。
【００８８】
スクリュー稼動行程は本体に固定されたU字コイル部（221）と、本体に回転可能に軸型２TWモータの磁石部半固定部（159）で半固定されたマグネット部（222）と、本体に回転可能にYコイル部半固定部（160）で半固定されたYコイル部（223）が縦に並んだ状態で、Y字の方もシングル部を下にした状態からU字コイルがONになって、マグネット部（222）との左右の引きでワンウェイギアの稼動方向左回転ので９０°回転し、その際Y字コイルシングル軸部（467）は反発でアシストのためダブルコイル部（420）の右が反発してさらに９０°回転した後にダブル軸の左が反発、次に反対側右のシングルコイル部（421）がONになって先程とは逆に引きで９０°回転し、今度は右のU字コイル右部（221）の極性が逆の状態でアシストしてマグネット部を９０°回転し、これらの行程を繰り返す事で回転をつくる。
【００８９】
スクリュー稼動終了時に、ファンを回すため所定の位置に戻すためY字コイル（223）の磁力で（222）を引いた状態で常に終了する。
【００９０】
図6ｆ・ｇの左ヘッド（349）は、厚めのパイプを縦に２から数十カットする事で、ちょうど雨樋のような形状になり、これを左から右斜め下にカットした面を内側に３０°〜９０°（176）と外側に９０°〜１５０°（177）の角度の範囲で何れかの角度に合わせて角度を保ちながら削って内側か外側に傾斜がついた左２から数十カット部（374）を２から数十個を内側どうし合わせて接続した左２から数十ヘッド（349）と、これより外周が１ｍｍ大きいマグネット部（３７）を接続した部分
【００９１】
これをファン回転用溝内部形成管（371）の中間位置から内側に１ｍｍ出っ張った左ヘッド受部（158）がついており、これとモータ（358）で回転可能にマグネット部（３７）の１ｍｍ部分を挟んで枢設し、左２から数十ヘッド（349）の中央の孔に回転可能にCG稼動軸（363）を連通した状態で組み込まれている。
【００９２】
右ヘッド（352）は、右から左斜め下にカットした左ヘッド（349）とは逆傾斜の同形状
【００９３】
これを下部切り替えガイド形成部用（189）の底部の右ヘッド受部（179）と、チェンジギアボックスケース本体（164）の底部の蓋（180）で、右ヘッド（352）より外周が１ｍｍ大きいマグネット部（３７）を挟み回転可能に枢設し、この右ヘッド（352）の中央の孔に回転可能にCG稼動軸（363）を連通した状態で組み込まれている。
【００９４】
両面ヘッド（364）は右２から数十ヘッド（352）と左２から数十ヘッド（349）の後部を左右対称の状態から９０°右回転した位置で、円柱形状にガイド受の四角い孔を開け、CGWH  突起部（３５６）の付いた  RHSG受部（346）を間に挟み接続してできた両面ヘッド（364）を上部切り替えガイドの溝（１９３）か、両面ヘッドスライド受（１６６）か、下部切り替えガイドの溝（１９４）の何れかの位置にCGWH  突起部（３５６）合わせて移動可能に内蔵した部分
【００９５】
図６ｄ・eの円柱の中間が四角柱に形成されたCG稼動軸（363）を、上記左ヘッド（349）と両面ヘッド（364）と右ヘッド（352）を連通して、モータのシャフトに軸止した部品。
【００９６】
図６a・eの本体部は、長い円筒形のチェンジギアボックスケース（362）の底部に短い円筒形の下部切り替えガイド形成部用（189）と円筒形をCGWH  突起部（356）より0.1ｍｍの圧さ分、左から右へカットと対抗面は右から左へカットした
ものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９０）をCGWH  突起部（356）より0.1ｍｍのスペースを空けた位置と、円筒形の上部切り替えガイド形成部用（371）突起部（356）より0.1ｍｍのスペースを空けた位置にそれぞれのイモネジ用の穴（192）にイモネジ（445）で螺着したチェンジギアボックスケース本体（164）になる。
【００９７】
ファン部は、円筒形の片側が閉じた容器形状の底部中央にチェンジギアボックスケース（362）よいも一回り大きい穴を欠削した２つがプロペラ接続部上部（186）とプロペラ接続部下部（187）になり、これら底部同士を接続し、プロペラ接続部上部（186）には中央に孔の開いた円盤形状のプロペラ部マグネット（412）を格納し、外側にはファン用プロペラ（184）を両サイドに設けた構造で、本体チェンジギアボックスケース（362）に内装された左ヘッド（349）のマグネット（37）直ぐ下の位置にべアリング（188）の内側を固定した部分にファン部のプロペラ接続部下部（187）を着脱可能に嵌着する。
【００９８】
スクリュー回転状態は、従来のモータ（358）のシャフトに接続されたCG稼動軸（363）と、下の方に移動完了した両面ヘッド（364）のCGWH  突起部（356）が、右回転で下部切り替えガイドの溝（194）のCG下部戻り防止ピン（361）を押し上げながら回転を繰り返し、その際両面ヘッド（364）の下部にある左ヘッド（349）の傾斜のない垂直面で、右ヘッド（352）の傾斜のない垂直面とが噛み合い回転し、反対側の左ヘッド（349）は、上部切り替えガイドの溝（193）と下部切り替えガイドの溝（194）の間隔分距離をあけているので空回りして静止状態にある。
【００９９】
図６aのチェンジギアケースの展開図（460）の様に、ファン可動時にはモータが左回転して、両面ヘッド（364）のCGWH  突起部（356）が下部切り替えガイドの溝（194）回転途中で、CG下部戻り防止ピン（361）の板バネの傾斜を上り、CG稼動軸（363）の４ｂの四角柱の形状と両面ヘッド中部（346）の両面ヘッドスライド受（165）により、CG稼動軸（363）と一緒に回転しながらスライド移動しながら、切り替え移動ガイドの溝（166）を更に上り、CG上部戻り防止ピン（360）を少し押しのけ、上部切り替えガイドの溝（193）に入り、先程押しのけた上部切り替えガイドの溝（193）押し倒して下に戻らずその位置で回転し続ける。
【０１００】
スクリュー部は、チェンジギアボックス内蔵本体（３５７）よりも一回り大きい底のある円筒形状のものにマグネット（３７）を内装し、上から落とし蓋をして残った０.５ｍｍの部分がチェンジギアボックス内蔵本体（３５７）の底部接続の空間がスクリュー受部（164）を設けた構造
【０１０１】
スクリュー部の稼動時には、まずモータが右回転して、両面ヘッド（364）のCGWH  突起部（356）が上部切り替えガイドの溝（193）回転途中で、CG上部戻り防止ピン（360）の板バネを潜り、CG稼動軸（363）の４ｂの四角柱の形状と両面ヘッド中部（346）の両面ヘッドスライド受（165）により、CG稼動軸（363）と一緒に回転しながらスライド移動しながら、切り替え移動ガイドの溝（166）を下り、CG上部戻り防止ピン（360）を少し押し下げ、CG下部戻り防止ピン（361）に入り、先程押し下げたCG下部戻り防止ピン（361）押し戻して下に戻らずその位置で回転し続ける。
【０１０２】
前記本第8発明の多目的ヒートモータは先ず、図９ｃの電磁鋼製のヒートモータ用先端扇柱形コイル部軸（394）は、茶筒形状のヒートモータ格納カバー（369）の中に、きつく入る大きさの軸先端部の約３分の１とコイル巻き部を削り、さらに先端部の軸の中心から１０ｍｍの位置からL字に貫通させた穴を空けたコイル部からの配線口（435）設けた形状の部品
【０１０３】
図９eの下部本体（342）は、上記の先端部の反対側の形状に別に削りだした形状の先端部扇柱形コイル部固定部（395）の中心にヒートモータ接続軸（634）を固定したHTM連結軸部（345）と、その下部の方を茶筒形状のヒートモータコイル部格納カバー（369）と、これにコイル部（368）を格納し、その上からHTM連結軸部（345）で蓋をするようにセットしできた部品
【０１０４】
上記の内蔵さてたヒートモータ用先端扇柱形コイル部軸（394）に、コイルを巻きコイルの両端をコイル部からの配線口（435）からヒートモータ接続軸（634）の中を通して配線２本出して、配線孔（376）を別々に通り、ヒートモータ内側コイル接触ヘッド−極（431）とヒートモータ内側コイル接触ヘッド＋極（436）に結線したコイル部からの配線部
【０１０５】
図９eのHTMローター部（391）は、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にHTMスクリューブレード（344）を４枚つけたヒートモータスクリューケース（372）に格納してできた部品
【０１０６】
図９a・eのリング状のものに５５°から６５°の何れかの位置と305°から295°の何れかの位置の中心の両サイドにブラシ板バネ固定部（95）と、それにブラシ用板バネ（138）を湾曲にセットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、同形状でリングベースのブラシの位置による名称がaVの電流用＋極用ブラシ（339）である＋極用ブラシリングベース（475）と、同形状でリングベースのブラシの位置による名称がaV三倍の電流用−極用ブラシ（340）である−極用ブラシリングベース（476）と、同形状でリングベースのブラシの位置による名称が内側コイル接触ヘッド−極（431）である内側コイル接触ヘッド−極リングベース（477）の各リングベース部
【０１０７】
図９a・b・eの上部本体（347）は、筒状の上部にSGL部接続部（299）と配線孔（167）を持つ蓋で閉じ、反対側の孔より2割奥の位置にヒートモータ接続軸（634）接続用の孔の内周面に螺設部と、両端に配線孔（376）を2つ持つHTM上部本体の下部固定部（398）と、上記の各リングベース部を順番に接続固定し、その下にHTMマグネット部（348）を固定してできた部品
【０１０８】
扇形状のマグネット（37）極性を変えて対角線上に配置し、円形を形成するように樹脂で固めたHTMマグネット部（348）
【０１０９】
円筒形の容器の底にHTM  コミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したもの上から二周り小さい筒状の側面に＋極のコイル部コミテータ片（389）と絶縁体コミテータ片（392）交互に3枚ずつ張り付けけた部分を上から接続した部分と、今度は逆に下から二周り小さい筒状の側面に−極のコイル部コミテータ片（388）と絶縁体コミテータ片（392）を交互に3枚ずつ張り付けた部分を下から接続した部分からなるものに、HTM  コミテータ軸（501）を下から接続固定したHTMリング付コミテータ軸（463）の部分をHTMローター部（391）の中心に接続してできたヒートモータ稼動部（132）
【０１１０】
図９eのHTMローター部（391）の上部の磁力伝達部固定部（396）に、上記のHTMリング付コミテータ軸（463）の下部を接続した図９dのHTM稼動部（132）
【０１１１】
図９a・eの下部本体（342）のヒートモータ接続軸（634）に上記HTM稼動部（132）の磁力伝達部固定部（396）とHTM  コミテータ軸（501）回転可能に通し、それを上部本体（347）下部のHTMマグネット部（348）を更に通し、内側コイル接触ヘッド−極リングベース（477）の位置に２つのヒートモータ内側コイル接触ヘッド−極（431）と−極のコイル部コミテータ片（388）が接触状態と、−極用ブラシリングベース（476）の位置にaV三倍の電流用−極用ブラシ（340）とaVの電流用−極用ブラシ（341）が−極用コミテータ片（503）に接触状態と、＋極用ブラシリングベース（475）の位置にaV三倍の電流用＋極用ブラシ（338）とaVの電流用＋極用ブラシ（339）が＋極用コミテータ片（50２）に接触状態と、内側コイル接触ヘッド＋極リングベース（474）の位置に２つのヒートモータ内側コイル接触ヘッド＋極（436）と＋極のコイル部コミテータ片（389）が接触状態になる様に突き出たHTMリング付コミテータ軸（463）合わせた部分と、さらにHTMリング付コミテータ軸（463）中から突き出たヒートモータ接続軸（634）の先端部の外周面に螺設した外螺子をHTM上部本体の下部固定部（398）に螺着して固定し、HTM連結軸部（345）の中央の孔から出たコイル部の配線と市販のPICモータ制御装置（50）からの配線を上記のように接続してできたヒートモータ本体（6２9）
【０１１２】
図９b・fの上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続される。
【０１１３】図９gの稼動行程は、市販のPICモータ制御装置（50）使いaVの＋極の配線に＋極用接触ヘッド２（339）とaVの−極の配線に−極用接触ヘッド４（341）とaVの三倍＋極の配線に＋極用接触ヘッド1（338）とaVの三倍−極の配線に−極用接触ヘッド３（340）にそれぞれ接続し、次に約６分の１の接触金具を一つ置きに３つ取り除いた構造で、交互に等間隔に配置され、対角線上の金具はない状態と有る状態の位置に配置された接触ヘッド１（338）と接触ヘッド２（339）の＋極用接触金具部と接触ヘッド３（340）と４（341）の−極用接触金具部により、（公序良俗違反につき、不掲載）（小型）モータと違い二種類＋極の電流のON/OFFを交互に行っているのと同時に＋極用接触金具部（338か339）と同じもので同じタイミングで、−極用接触金具部（340か341）でもON/OFFすることで、次のように接触ヘッド１（338）とHTM＋極用接触金具（486）を介しヒートモータ内側コイル接触ヘッド＋極（436）の左と接続し、接触ヘッド３（340）とHTM−極用接触金具（487）を介しヒートモータ内側コイル接触ヘッド−極（431）の左と接続されコイル部（368）の軸先端部磁力（410）が、扇柱形磁力伝達部（367）の磁力aの３倍S極なり、そのときの側面が磁石の磁力aの２倍S極で反発移動し、次に接触ヘッド２（339）とHTM＋極用接触金具（486）を介しヒートモータ内側コイル接触ヘッド＋極（436）の右と接続し、と接触ヘッド４（341）とHTM−極用接触金具（487）を介しヒートモータ内側コイル接触ヘッド−極（431）の右と接続されコイル部（368）の軸先端部磁力により扇柱形磁力伝達部（367）の磁力がaのS極なり、そのときの反対側の側面が磁石（348）の磁力aの２倍N極（443）で引き合い移動し、これを３回繰り返すことで回転を作るもので、その他の蓋タイプ（平型モータ・平型蒸気モータ・円盤型蒸気エンジン）と組み合わせて使用もできる。
【０１１４】
上記用途別攪拌器のマドラータイプの上部（請求項4・5・6・9）やノーマルマドラーの上部（請求項2・3）に接続して使用するマドラー先端部格納、振動を回転に変える発電機内臓動作確認用LED部（54）の仕組みは、まずは重力を回転に変えて、

無限ループを自力で６０％以上稼動する装置の３連空車輪に前後左右上下の３つの微弱振動伝達器（1・31・32）を組み合わせたもので、集積可動発電機の構造は、まず図８ｃのウイールシンカー（B）は、本体底部にWSマグネット部N極（507）と、その中央にタイヤ（36）設けた部分の、左右対称の２つのものを後方にWSCL（508）で、ウイールシンカー格納部（181）に張設されたチェーン（33）の一箇所に両サイド前後可動可能に軸架して吊設した構造
【０１１５】
図８ｃのマグネット床（584）は板状の片面の左上から右下にチェーンを張るスペースに床用S極マグネット（640）を３列並べたものを３等分して左からマグネット床壱（641）と、マグネット床弐（642）と、マグネット床参（643）からなる。
【０１１６】
図８ｃのウイールシンカー格納部（181）は、現時点で底部のマグネット部を
対角線上に配置したものを
下にしたマグネット床参（643）と側面板（644）を側面１つとマグネット部を上にしたマグネット床壱（641）天板の側面を片仮名のコの字の形状に合わせて接続結合部の反対側の面に溝を設けたMF受部（675）の底部の床と、内側マグネット床参（643）の奥の下であるコーナー近くにギア固定部（673）２つで、WSCギア（195）を、内側に１5°から４５°の何れかの角度に向けた状態で、WSCギア（195）が回転可能に嵌着した部分と、外側の側面板（644）に筒状のTC軸（185）の片側をの短い辺の中央位置で、傾斜が左側の長い辺中央より接続した部分と、（195）にギアを噛ませ、そこからTC軸（185）にカルダンジョイント（672）を通し、反対側にウイールシンカー部伝達ギア（182）接続したものと、マグネット床弐（642）の結合部の反対側の面と、マグネット部を下に合わせて側面を蝶番（676）で可動可能に半固定し、マグネット床弐（642）の結合面の反対内端側バネ（10）を接続して出来たウイールシンカー格納部形成部（674）と、向きを１８０°変えた
状態のマグネット部を逆に並べた
ウイールシンカー格納部形成部（674）の互いのバネ（10）部と、蝶番（676）部の前に固定してできた部品で、これは通常バネの力で形状をキープしている。
【０１１７】
上記のものの両サイドにある（195）間に（33）掛け（33）一箇所に（B）の（508）軸を中心に前後に揺れるように嵌設する。
【０１１８】
芯内バランス調整器受け（571・572・573）と、ウイールシンカー格納部（181）の空洞部を中心軸（16）が遊貫しているので、芯内バランス調整器中央部（384）が垂直降下移動と、ツイスト可動時には上記形状により負荷でバネ（10）が伸び、マグネット床のツイスト変形することで可動を妨げない。
【０１１９】
芯内バランス調整器（690）の構造は、まず長方形柱の形状の長い辺の面に垂直ギア（27）と、右端に（549）と、隣に（544）と、その反対側の内側に重り（2）とを設けた芯内バランス調整器錘部A・B（383・385）
【０１２０】
芯内バランス調整器錘部A・B（383・385）よりも３倍大きいサイズの長方形柱の形状の側面右上と左下のコーナー部を芯内バランス調整器錘部A・B（383・385）と芯内バランス調整器錘部保持ツメ（669）
の先端部のアーチ状の一部分を
欠削し、残った出っ張った角の面に芯内バランス調整器錘部保持ツメ（669）を接続した部分と、その隣に平行して中央の位置まで設けた（27）と、図８D‐G6の左下手前と右上奥の辺の長い面の方に（547）と、側面端に（688又は689）側に（549）と、側面中央の中心から回転可能に伸びる（270）の根元近くに（269）を遊着した部分とを両面に設けた部分と、これの内側を刳り貫いた空間のに側面部から見て左上奥から右下手前に（185）の軸が突き出るように格納した部分とを設けた芯内バランス調整器中央部（384）
【０１２１】
芯内バランス調整器中央部（384）の芯内バランス調整器錘部A格納溝（688）に芯内バランス調整器錘部A（383）芯内バランス調整器錘部B格納溝（689）に芯内バランス調整器錘部B（385）をスライド移動可能に格納した芯内バランス調整器（690）
【０１２２】
芯内バランス調整器（690）の垂直降下可動は、芯内バランス調整器錘部AかB（383か385）のいずれかが上部に来ている方の（702）の（2）を（513又は516か560）で引き上げて解除され、芯内バランス調整器錘部AかB（383か385）が降下、その際垂直ギア（27）が（28）に掛かり、（28）の傾斜で回転し、（491）の（E）を引き上げ、降下完了時に芯内バランス調整器錘部AかB（383か385）が（706）ロックされるのと、CBフック（549）が芯内バランス調整器中央部（384）の（697）に引っ掛かり、その衝撃で芯内バランス調整器錘部BかA（385・383）の（544）から（547）が外れ、芯内バランス調整器中央部（384）が降下、その際に上記の続きで（E）を更に引き上げ、芯内バランス調整器中央部（384）の（27）が本体の長さの半分で終わり、反対側の面に施された（27）で、反対側の（E）を引き上げ、    降下完了時に芯内バランス調整器中央部（384）の（697）が芯内バランス調整器錘部BかA（385か383）の（549）を引っ張り（706）から芯内バランス調整器錘部BかA（385か383）が外れ降下、その際に上記の続きで（E）を更に引き上げる。  
【０１２３】
図８r・pのCSCB受け壱・弐・参の共通機構図（510）の基本構造は、筒状の両端の内側周囲に凹設部を設けた部分と、両側面に中心軸（16）用の孔を回転可能に開けた構造で、これの筒の口を上にした状態で、中心軸（16）用の孔の両端の左上と右下に縦に平行設けたローテーションギア用ツメ（25）２つと、これの反対側の中心軸（16）用の孔に対してもローテーションギア用ツメ（25）２つ平行に設けたのがCSCB受け壱（571）
【０１２４】
図８aのCSCB受け壱・弐・参の外周の共通機構は、筒の口をにした状態で、（16）直ぐ上に（287）と、（16）と端の中間位置に（288）と、（16）下の端に（273）を設けることで軸を中心に横向きにした時に左右のバランスを取っている。
【０１２５】
上記のCSCB受け壱・弐・参の共通機構図（510）の、筒の口を横にした状態で、中心軸（16）用の孔の両端の右上と左下に縦に平行設けたローテーションギア用ツメ（25）２つと、これの反対側の中心軸（16）用の孔に対して、左上と右下に横に平行に設けたローテーションギア用ツメ（25）２つと、設けたのがCSCB受け弐（572）
【０１２６】
上記のCSCB受け壱・弐・参の共通機構図（510）の、筒の口を上にした状態で、中心軸（16）用の孔の両端の右上と左下に横に平行設けたローテーションギア用ツメ（25）２つと、これの反対側の中心軸（16）用の孔に対してもローテーションギア用ツメ（25）２つ平行に設けたのがCSCB受け参（573）
【０１２７】
（16）に（24）を固定し、（11）と、（12）と（13）を順番に通し、（23）通して、（16）固定したものの両端に突き出た（16）を（15）から伸びる２つの（14）に渡設し、更に左に突き出た（16）に（6）のシャフトに固定し、（5）に配線をした外観構造
【０１２８】
図８m-691・r−21は、各芯内バランス調整器受（571・572・573）の両サイド内周面に凸設した筒形状の駆動軸ガイド管（22）を回転可能に嵌設した本体管（691）
【０１２９】
図８ｄ・eの様に、上記の芯内バランス調整器（690）を本体管（691）に、回転とスライド移動可能に内蔵し、その本体管（691）の両端に（276）を設けた蓋で閉じた部分と、その直ぐ内側に（270）よりも大きい孔を欠削した（679）と、支持部（692）下に、軸を持つ（271）を回転可能に内蔵した内側部分を点対称に具備する。
【０１３０】
図８e（690）の両側面の中心から回転可能に伸びる（270）と、その根元近くに、（268）と噛みあった（269）を固定し、その先端軸を（678）に回転・スライド可能で、移動しても保持できる様に軸の先端を残す様に内蔵している。
【０１３１】
芯内バランス調整器（690）の重さで（271）が下にある方の（270）と（271）が噛み合い稼動し、逆に（271）が上にある時は、（678）孔の大きさ分のずれで（270）とはかみ合わない。
【０１３２】
図８e−fの（702）は、内部側先端部に止め金が付いている部分と、中間位置に軸と、外部先端部に（2）を設けた構造
で、（22）内部（692）上部に上下可動可能に軸に嵌設されている。
【０１３３】
上記の（702）は、（11または12か13）垂直状態の時（13または11か12）と（12または13か11）が一緒に半回転する時に（12）の（323又は332か326）が（308又は309か310）押す事により（702）を内側に押し、垂直降下が開始され、水平状態の時には（2）により（702）が解除されスライド移動とツイスト可動が開始される。
【０１３４】
図８eの上記の本体管（691）外部構造は、下右端部に（679）と、中央の芯内バランス調整器受（571または572か573）と、（22）の付け根の反対の（22）側に軸の中に（43）から（524又は525）に回転伝達するための両端にギアの付いた軸を内蔵した（680）の先端部側面の孔で（43）を回転可能に保持する部分と、（679）と（680）の先端部外より位置と、中間外側位置に滑車を設けた部分と、（679）と（680）の根元付近に（524又は525）を、回転可能に保持する部分を具備している。
【０１３５】
上記と同じく本体管外部構造の（524又は525）は、（679）に保持されている側に（292）と、中央よりに（20）と、その横に（28）と、更にその横に（715）を具備している。
【０１３６】
上記の（693）は（327・328・335）の先端部の軸に四角柱の（703）と、これより一回り大きい孔と、その手前に回転できるように円筒形の孔の（704）に内装しており、（693）の時には空回りし、接続ギアの接続の際、スライド移動により、伸縮する事で回転をつたえている。
【０１３７】
上記と同じく本体管（691）外部構造の右下と左上の（20）左手前と右奥の側の位置あたる本体管外部に軸を設け、先端に回転可能に（17）を保持し、（20）から来る（19）の角度を変える。
【０１３８】
上記と同じく本体管（691）外部構造の右下と左上の（28）の位置に（28）の歯が入る様に（22）を欠削した部分から（27）ギアの歯が入り込むことで、（28）のギア歯が噛み合い回転を伝える。
【０１３９】
上記と同じく本体管（691）外部構造の下左よりの位置と、（2８7）の左下の位置に平行に（684）を設け、その中間位置よりも右寄りに（526）を回転可能に保持し、先端部に（693）と、その先に（327又は328か335）を固定している部分が点対称部分にも存在する。
【０１４０】
上記と同じく（271）と（280）が、噛み合い、（280）から右側に伸びる軸が回転可能に（684）に保持され、更に軸の中間位置のギアが（526又は527）の付け根のギアに噛み合っている部分と、更に軸の右側の（680）に回転可能に保持され、軸の末端のギア（272）が（273）に噛み合っている。
【０１４１】
上記と同じく（684）の右側の接続孔に左から右斜め下に傾斜があり、釘の頭の形状部分が（684）の左に、右には軸を通して中間位置に（274）と、下に来ている時に噛み合う（287）と、上に来たときに（715）と噛み合う、末端に２つの噛みあったギアを持つ（275）  部分を具備している。      
【０１４２】
図８a・bの上記の両端の（276）に、リング状の側面から見て左か右に傾斜の付いたギア歯を持つ（3）に任意の対角線上の２つの位置に（681）接続し、これの孔に（276）を嵌設する。
【０１４３】
（705）は（15）の天板に固定され、先端部は（E）の上昇位置９５パーセントの位置に（698又は699か700）のフックが付いている部分と、支柱の中に（698又は699か700）に接続された（701）が（705）下部の孔から出て、滑車により方向を変えて接続ギアに繋がっていて、下部に来た（43）の（E）か９５パーセントの位置に移動し際に（８）で、（698又は699か700）を押し上げ、（701）を引き（320又は328か201）と（30又は200か211）の接続が解除された時に（3）半回転稼動開始する。
【０１４４】
図８g・h・I・jの（15）は、図８ｈから見て左手前に、（284）を（490）で上下に移動可能に保持した（31）と、右手前に、左右に移動可能にレールで保持された（32）と、この間を左（265）と（10）と（685）で右に押さえつけられた（258）と、（11）の（302）の真下から伸びる（531）の上から（520）と、途中に（217）に（33）で繋がる（238）と、その下に（261）と（10）からなる部分の（261）に噛みあう様に（258）を（686）に固定した部分と、（12）の（303）の真下から伸びる（532）の上から（212）と、途中に（218）に（33）で繋がる（240）と、その下に（263）と（10）からなる部分の（263）に噛みあう様に（259）を686）に固定した部分と、（13）の（304）の真下から伸びる（533）の上から（213）と、途中に（216）に（33）で繋がる（256）と、その下に（264）と（10）からなる部分の（264）に噛みあう様に（260）を（686）に固定した部分と、その間２箇所を（696）で回転可能に保持した部分
【０１４５】
上記の奥側は、（11又は12か13）の（320又は321か322）の真下から伸びる（521又は522か523）の先端部から（30又は200か201）と（535又は210か211）を乗せ、（10）と、（15）の天板と、（521又は522か523）が（15）の中に回転可能に入った下の位置に（256又は238か240）と（33）で繋がった（216又は217か218）と、その下（536又は214か215）を固定し、さらに伸びる（521又は522か523）は、（15）の底部に回転可能に嵌設
【０１４６】
（536）の左側に噛み合うに、左の方のギアと、この間を（15）の底部から伸びる支柱に回転可能に軸を保持された右側に付いたギアからなる（519）の右側ギアの左に噛み合うに、（215）と、その左側に（518）と、（214）と、（517）と、（536）の右側を噛み合うに組設した（15）の内部構造
【０１４７】
(671)は図８a・ｂの様に両端の支柱（14）の先端部から９０°曲がった角の位置に、外輪ギア受軸（656）を渡設した軸の空車輪壱又は弐か参（11又は12か13）の位置に外輪ギア受バー（671）をぶら下げ、その先端に外輪ギア受滑車（670）回転可能に嵌設した部品
【０１４８】
ロックギア壱又は弐か参（308又は309か310）は、図８aの様に両端の支柱（14）の先端部から９０°曲がった末端部に上部HSG受軸（655）を渡設した軸の空車輪壱又は弐か参（11又は12か13）の位置に軸をぶら下げた先端部に固定した部品
【０１４９】
稼動終了の空車輪の上部ゼンマイ部による次の稼動開始の空車輪の外輪ギア解除バーは、図８−A・Bの様に両サイドの支柱（14）の先端部から９０°曲がった水平軸の中央に解除部受軸（645）を渡設した空車輪壱又は弐か参（11又は12か13）側左の位置の解除部受軸（654）に空車輪１TO３解除バー又は空車輪2TO1解除バーか空車輪3TO2解除バー（513又は516か560）の軸の末端下部のつめの部分と、その上部のバランスバー左又は右の側面に錘（２）で、右又は左の側面に空車輪参又は空車輪壱か空車輪弐（13又は11か12）のロックギア参又はロックギア壱かロックギア弐（310又は308か309）を接続したものの中央軸の楕円孔を通してぶら下ったの構造で、稼動時には空車輪壱又は弐か参（11又は12か13）の外輪ギアが半回転して、接続ギア凹壱又は弐か参（323又は332か326）がロックギア壱又は弐か参（308又は309か310）を経由して空車輪１TO３解除バー又は空車輪2TO1解除バーか空車輪3TO2解除バー（513又は516か560）のつめを押し上げロックギア参又は壱か弐（310又は308か309）持ち上げて空車輪参又は壱か弐（13又は11か12）が半回転可動開始する。
【０１５０】
図８mは半月ギア（1）で、その形状は半径が20ｍｍで内角が150°と半径が1.5ｍｍで内角が30°の扇形状の半円を繋げた窪みを持つ半月形状の外周にギア加工と半径が1.5ｍｍの末端部に重り（2）を付けたもの半円の側面の中央に半月ギア受（198）を設けこれを、それぞれ空車輪壱又は弐か参（11又は12か13）の右側位置に、半月ギア軸（511）通したものを３つと、半月ギア軸（511）の両端を図８−Aの様に支柱（14）の先端部から９０°曲がった中央よりも先の位置に渡設した構造
【０１５１】
稼動時には図８a・bの上部HSG受軸（655）にぶら下ったHSG軸（587）の間にバネを接続し、さらに指の様に伸びた１０本歯のついたプレートを接続したハンドシェクギア（4）が半月ギア（1）前後の揺れで、半径が20ｍｍで内角が150°分の出っ張りでプレートが下がり、昇降バー（43）の末端部に付いた指の様に伸びた１０本歯が内側に立ち上がった形状のプレートがついたハンドシェイクギア受け（512）に接続され、上部に来た昇降バー（43）を稼動回転させゼンマイ部を移動させる。
【０１５２】
図８mのゼンマイ部（E）は、ゼンマイ部軸管（570）円筒形状の内側を螺設したものの中間位置にU字形状のCZ可変部（５６９）の両端の凸部で挟む様に枢着し、その側面にゼンマイの内側に固定し、反対側のゼンマイ（８）の先端部にゼンマイ用錘（７）を固定し、ゼンマイ部軸管（570）の上下にワイヤー固定リング（42）を固定し、３箇所にワイヤー（４１）を固定した部分で、このゼンマイ部（E）が回転して移動する際に、遠心力の強弱やカウントギア（28）の衝撃により、錘（7）を遊動する事で移動を助ける。
【０１５３】
図８mの昇降バー（43）は、棒状のものの外周面にN極の磁性を持たせた螺旋状に螺設した歯にRGつめ（44）を表と裏に併設した部品
【０１５４】
図８ｋのカウント・ギア（28）は、軸に螺旋状に２８０°から３３０°一周近く巻いた歯からなる部品で、これをLa軸（525）または（524）に固定しているものに、芯内バランス調整器中央部（384）や芯内バランス調整器錘部A・B（383・385）ギアバー（27）の歯が垂直に入り、そのまま真っ直ぐに下がり、カウント・ギア（28）の傾斜により自ら１回転し、歯が途切れて抜け落ちると同時に次の歯が掛かり、これを繰り返してBCWギア（20）を回して、ZCLチェーン（491）のゼンマイ部（E）を引き上げる。
【０１５５】
図８ｋのボールズチェーン用ダブルギアは、ボールズチェーン（20）の玉を半分挟むように歯と歯の間の谷の片側部分に玉をキャッチするための内側に曲面傾斜を付けたギアを傾斜のある面を向かい合わせに、間に固定小リング（196）を挟んで接続した部品
【０１５６】
図８ｍの ボールズチェーンは、玉状のものに軸を付け、次の玉を被う用に遊嵌した部品
【０１５７】
右回転用ラチェットバー（593）は、ラチェットバー固定アーム（614）底部の軸にL字のツメを持つラチェットバー可動アーム（615）と、一方向だけ動く方にラチェット用板バネ（156）を固定したもので、これと同じものを上下反対向きにした左回転用ラチェットバー（613）をラチェットベース（157）に固定したのか移動ラチェットバー（197）になる。
【０１５８】
ハンドシェイクギア（302・303・304・311・312・313）は、傘の骨組みの様に軸の末端に短い可動用の軸を設け
【０１５９】
接続ギアは、別の考案使用
【０１６０】
上下軸用振動回転機（31）は、WSギア（490）がWS用支柱（284）を挟むように移動可能に嵌設された２箇所と、本体のバネ（10）の付いたWSギア歯 TSDギア（589）の数十箇所がTSDギア（265）を、上に移動した時は互いの歯が噛み合い回転を伝え、下に移動する時はWSギア歯（589）の傾斜により回転を伝えず下に下がる行程を上下の微弱振動が有る時だけ繰り返す回転と、左右軸用振動回転機（32）の回転による混合回転か、左右・上下軸用振動回転機（32・31）が停止している場合はSSDギア・TSDギア（266・265）により空回りすることで、左右・上下軸用振動回転機（32・31）のどちらか１つのシングル回転が、DDギア壱・弐・参（258・259・260）に下部ハンドシェイクギア受壱  （520とか212とか213と）の何れかの接続した部分がギアの歯の分、下がったBSギア壱か弐か参（261か263か264）と、EW１・２・３S軸（531か532か533）と、HSCギア壱か弐か参（216か217か218）ではラチェット機構により空回りして、次の下部ハンドシェイクギア受壱・弐・参  （520・212・213）を回転させるルートを経由してEを引き上げる。
【０１６１】
左右軸用振動回転機（32）は、WSタイヤ（301）が車の様に４本付いたものの下部にバネ（10）の付いたWSギア歯（589）数十箇所がUDギア（336）により、前に進んだ時は互いの歯が噛み合い回転を伝え、後退するときはWSギア歯（589）の傾斜により回転を伝えず後ろに下がる行程を左右の微弱振動が有る時だけ繰り返して回転を伝える。
【０１６２】
図８ｂ・ｑの状態は、（11）の（E）が（594）の位置で回転上昇可能状態で、（12）の（212）は接続していないので空回りで、（13）の（213）は接続しているが（E）が移動完了状態（598）の位置なので、回転できずに負荷が（260）に掛かり下の（685）により（260）右にずれて空回り状態
【０１６３】
上記の状態の図８ｈのHSGルート１は、上下軸用振動回転機（31）からTSDギア（265）と、左右軸用振動回転機（32）から（266）による混合回転かどちらかのシングル回転を、（686）からDDギア壱（258）・BSギア壱（261）・EW１S軸（531）・（238）はラチェット機構により空回りし、・下部ハンドシェイクギア受壱（520）・（302）の順番に回転を伝える。
【０１６４】
（11）が垂直バランス稼動状態（497）と、（12）が垂直バランス移動（稼動位置移動待ち）状態（494）と、（13）が水平バランス均等状態（499）の時、図８ｈのHSGルート２は、（31）からTSDギア（265）と、（32）から（266）による混合回転かどちらかのシングル回転を、（686）から（259）・（263）・（532）・（240）はラチェット機構により空回りし（212）・（303）の順番に回転を伝える。
【０１６５】
（11）が水平バランス均等状態（499）と、（12）が垂直バランス稼動状態（497）と、（13）が垂直バランス移動（稼動位置移動待ち）状態（494）の時、図８ｈのHSGルート３は、（31）からTSDギア（265）と、（32）から（266）による混合回転かどちらかのシングル回転を、（686）から（260）・（264）（533）・（256）はラチェット機構により空回りし（213）・（304）の順番に回転を伝える。
【０１６６】
図８ｈのTGLルート１は、（30）・外輪受ギア壱（535）・EW１バイパス軸（521）・（216）はラチェット機構により空回りし、・HSギア壱（536）・バーベルギア（519）・HSギア参（215）・EW３バイパス軸（523）・（218）はラチェット機構により空回りし、・外輪受ギア参（211）・半球型ギア凸３（201）・（322）の順番に回転を伝える。
【０１６７】
図８ｈのTGLルート２は、（200）・（210）・（522）・（217）はラチェット機構により空回りし、・（214）・（517）・（536）・（521）・（216）はラチェット機構により空回りし、・（535）・（30）・（320）の順番に回転を伝える。
【０１６８】
図８ｈのTGLルート３は、（201）・（211）・（523）・（218）はラチェット機構により空回りし、・（215）・（518）・（214）・（522）・（217）はラチェット機構により空回りし、・（210）・（200）・（328）の順番に回転を伝える。
【０１６９】
（11）が水平バランス均等状態（499）の時、図８ｈのTGRルート１は、、Vルートからの回転を（30）で受け、（3）の（535）に掛かる負荷を下の（10）により空回りし、（521）・（216）は（33）を経由して（256）・（533）・（213）・（304）・（E）の順番に回転を伝える。
【０１７０】
図８ｂの状態の時の図８ｈのTGRルート２は、Vルートからの回転を（200）で受け、外輪ギア（3）の（210）に掛かる負荷を下の（10）
により空回りし、（522）・（217）は（33）を経由して（238）・（531）・（520）・（302）・（E）の順番に回転を伝える。
【０１７１】
（13）が水平バランス均等状態（499）の時、図８ｈのTGRルート３は、Vルートからの回転を（201）で受け、（3）の（211）に掛かる負荷を下の（10）により空回りし、（523）・（218）は（33）を経由して（240）・（532）・（212）・（303）・（E）の順番に回転を伝える。
【０１７２】
Vルートは、下に来た（271）の回転を（280）と、（281）と、（526又は527）に伝え、（15）のHSGルートを経由して、aルートへ回転を伝える。
【０１７３】
aルートは、垂直バランス移動（稼動位置移動待ち）状態の下に来た（524又は525）を逆回転させ、（276）と、（274）と、（287）と、反対側の（275）と、（276）と、（525または524）と、（680）の軸の中のギアで（43）を回転させて、（E）を引き上げる。
【０１７４】
（13）が垂直バランス稼動状態（497）の時に、回倒（倒れるように半回転）する事で、外輪ギア（3）からTGLルート３を経由して、（11）手前下の（E）を後半補助する。
【０１７５】
空車輪が水平状態の時のウイールシンカー（B）による回転伝達のWSSルートは、（B）重さによる（181）の傾斜で、（B）の（507）と（640）が反発で（36）の摩擦を軽減して、（33）を引いて（195）を回し、（185）の軸の中を（672）が通り、その先端の（182）と、（269）と、（270）と、（271）からVルートへ回転を伝える。
【０１７６】
ツイスト稼動による回転伝達のTWSルートは、ツイスト稼動による（690）の回転を（270）から（271）を経由してVルートへ回転を伝える。
【０１７７】
図８−Bの状態になる前の状態が、垂直バランス移動（稼動位置移動待ち）状態の後半自力移動中の（13）で、（12）が垂直バランス稼動状態（497）の右半回転中で、（11）が左右の均等化完了状態から（12）と一緒に右半回転中から以下の状態になる時に（12）の（332）が（309）を経由して、（516）のツメを持ち上げ、（11）の（702）先端部（2）を押して、（702）が解除され（11）の前半自力移動スタートする。
【０１７８】
図８−Qの垂直バランス移動（稼動位置移動待ち）状態（494）の時、図８−Bの場合、空車輪1（11）の上部に来た昇降バーのゼンマイ部（E）の重さ４ｇ位置０ｍｍ（598）と、芯内バランス調整器錘部A（383）の錘部の重さ５ｇ位置が２ｍｍ（600）と、芯内バランス調整器中央部（384）の頭頂部にウイールシンカー（39）の重さが5.5ｇ位置が２ｍｍ（600）と、芯内バランス調整器錘部B（385）の錘部の重さ５ｇ位置が−1ｍｍ（597）と、下部に来た昇降バーのゼンマイ部（E）の重さ４ｇ位置−4ｍｍ（594）中心軸に対して上下のバランスが21ｇ：21ｇの状態
【０１７９】
図８−Qの垂直バランス稼動状態（497）の時、図８−Bの場合、空車輪3（13）の上部に来た昇降バーのゼンマイ部（E）の重さ４ｇ位置4ｍｍ（602）と芯内バランス調整器錘部A（383）の錘部の重さ５ｇ位置が1ｍｍ（599）と、芯内バランス調整器中央部（384）の頭頂部にウイールシンカー（39）の重さが5.5ｇ位置が1ｍｍ（599）と、芯内バランス調整器錘部B（385）の錘部の重さ５ｇ位置が−2ｍｍ（596）と下部に来た昇降バーのゼンマイ部（E）の重さ４ｇ位置0ｍｍ（598）中心軸に対して上下のバランスが26.5ｇ：10ｇの状態
【０１８０】
図８−Q・８−N(O)の水平バランス均等状態（499）の時、図８−Bの場合、空車輪2（12）手前側（左）に来た昇降バーのゼンマイ部（E）の重さ４ｇ位置０ｍｍ（607）と、芯内バランス調整器錘部A（383）の錘部の重さ５ｇ位置が-2ｍｍ（605）と、芯内バランス調整器中央部（384）の頭頂部にウイールシンカー（39）の重さ5.5ｇ位置1ｍｍ（606）と、芯内バランス調整器錘部B（385）の錘部の重さ５ｇ位置が1ｍｍ（606）と、奥に（右）来た昇降バーのゼンマイ部（E）の重さ４ｇ位置４ｍｍ（611）で、中心軸に対して左右のバランスが10ｇ：26.5ｇの状態
【０１８１】
芯内バランス調整器錘部A（383）の回転伝達は、図８−A・Bの様に、はじめに空車輪1（11）自力稼動前半として、芯内バランス調整器錘部A（383）が駆動軸ガイド管（22）の中を降下し、垂直ギア（27）の歯でカウント・ギア（28）を下ることでつぎつぎに抜け落ちると同時に次の垂直ギア（27）の歯が掛かり、更にXの長さとYの長さが２mm：３ｍｍで、その分の間隔が垂直ギア（図C）により、カウンタギア（28）に衝撃を掛けながらカウントギア（28）に接続された現時点での図８−B手前下に来たRa（524）にボールズチェーン用ダブルギア（20）も接続されており、これにより回転してボールズチェーン（19）を巻き上げ、ワイヤー（40から41）を経由し、ゼンマイ部（図E）を引き上げる。
【０１８２】
またその際にゼンマイ（8）の傾斜により、ゼンマイの反りを抑え、錘を揺らし上下運動に変える事で移動を助ける。
【０１８３】
その際、昇降バー（43）の螺旋部をマグネットにして、受け手のゼンマイ部を揺らすことで重さによる負荷をマグネットにより軽減し、ツメ（44）で戻りを防止し、かつ遠心力の強弱でゼンマイ部（図E）の錘（7）を上下運動させることで、さらに負荷を軽減する。
【０１８４】
降下していた芯内バランス調整器錘部A（383）がCAU受け（537）又は別名（692）の位置である-1ｍｍ（597）に移動し、芯内バランス調整器錘部A（383）の垂直ギア（27）の末端部に付いたCBフック（549）により芯内バランス調整器中央部（384）の（697）を引っ張り、芯内バランス調整器ストッパーB（547）から抜け落ち半分稼動するのが前半自力移動する。
【０１８５】
これと同時に空車輪2（12）の右上に来た（702）の（2）の重さで解除され可動開始する。
【０１８６】
上記可動は、空車輪2（12）の芯内バランス調整器が上記図８−N(O)の水平状態で、ツイスト稼動（図８−N(O)から（R））により、
TWSルートからTGLルート２を経由して、自力移動の（11）の手前下の（E）移動を助けるための前半半分の引き上げを補助する。
【０１８７】
そのバランス状態が、ツイスト回倒軸（9）別名（270）より左側が錘（385）の重さが5ｇ＋ウイールシンカー（39）の重さ５．５ｇと右側に錘（383）の重さ５ｇ＋（ゼンマイ部の錘が2ｇ×上下部２箇所×錘の位置が右外に距離２ｍｍ）の10.5：13バランスで、90°右に（奥に）回倒し、TWSルートを経由して、空車輪1（11）のゼンマイ部（図E）の前半半分の引き上げを補助する。
【０１８８】
そのバランス状態が、ツイスト回倒軸（9）別名（270）より左側が錘（385）の重さが5ｇ＋ウイールシンカー（39）の重さ５．５ｇと右側に錘（383）の重さ５ｇ＋（ゼンマイ部の錘が2ｇ×上下部２箇所×錘の位置が右外に距離２ｍｍ）の10.5：13バランスで、90°右に（奥に）回倒した後の状態の図８−N(P)
【０１８９】
次にツイスト回倒軸（9）別名（270）対し、左側が（ゼンマイ部の錘の重さ２ｇ×左外に距離２ｍｍ）＋錘の重さ５ｇと右側が（ゼンマイ部の錘の重さ２ｇ×右外に距離２ｍｍ）＋錘の重さ５ｇ＋ウイールシンカー（39）の重さ５．５の状態9：14.5のバランスから、ウイールシンカーのマグネット部N極（37）とマグネット床（38）又は（584）S極の反発により揺らすことにより、摩擦を軽減しながら下り
TWSルートと、TGLルートと、aルートから来る回転と、芯内バランス調整器の降下による自力移動の回転と、（31）と（32）からHSGルートを経由して（３０２又は303か304）から来る回転と、の混合回転で、ゼンマイ部（E）の重さ４ｇ・中心軸を０の位置（598）から４ｍｍの位置（602）へ、前半半分の引き上げの補助をする。
【０１９０】
その後、ツイスト回倒軸（9）より左側は（ゼンマイ部の錘の重さ２ｇ×左外に距離２ｍｍ）＋錘の重さ５＋ウイールシンカーの重さ５．５と右側は（ゼンマイ部の錘の重さ２ｇ×右外に距離２ｍｍ）＋錘の重さ５ｇで、左右のバランスが14.5：9で左に移る。
【０１９１】
今度は左回倒し、そのまま惰力にて４５°以上移動して、（702）にて停止してツイスト稼動を終了し、これにより水平バランス均等状態（499）である左ゼンマイ部（E）4ｇが０の位置（607）と左の錘部（現時点で383）の重さが５ｇ、距離−２ｍｍ位置（605）とウイールシンカー（39）は重さ比率５．５距離が＋１ｍｍ（608）から−２ｍｍ（605）へ移動しており、右側の錘部（現時点で385）の重さが５ｇ・距離＋１ｍｍ位置（608）で右のゼンマイ部（E）４ｇが距離４mmの位置（611）で、結果２１：２１で、均等完了した状態である。
【０１９２】
次に第２垂直稼動の半分と第３垂直稼動で、上記稼動と同じ様に上部ゼンマイ部（図E）４ｇ距離０（598）から＋4ｍｍの位置（602）まで引き上げる残りの半分の稼動が後半自力移動で、現時点での図８−奥上に来たLa軸（525）側の（43）に接続された（E）を上記と同じ様に引き上げる。
【０１９３】
これと同時に上記の前半自力稼動と前半補助により、（11）手前下の（43）の（E）が中央の位置近く９５パーセントの位置で（698）を引き上げ、（701）を経由して（13）の（201）と（211）を（10）の伸縮分引き下げ、（13）が半回転開始しする。
【０１９４】
これと同時に後半補助のためローテーションギアのギア・ビス留（23）ギア・ビス（24）が軸で繋がっていて垂直バランス回倒前状態（497）の空車輪3（13）と水平バランス均等状態（499）の空車輪2（12）一緒に右に回倒（倒れるように９０°回転する）する。
【０１９５】
その内訳は空車輪3（13）上部ゼンマイ部（図E）４ｇの位置＋４ｍｍ（602）で、芯内バランス調整器錘部B（385）の重さが５ｇ、距離＋１ｍｍの位置とウイールシンカーは重さが５．５ｇ距離は同じく＋１ｍｍの位置で、上部重さが２６.5ｇと下部ゼンマイ部４ｇの位置は０の位置（598）で、芯内バランス調整器錘部A（383）の重さが５ｇ、距離−２の位置の状態で下部重さが１０ｇになり結果中心軸（16）に対し２６.5：１０の割合で、右へ回倒し、空車輪3（13）の外輪ギア（3）でHSGルート３とRa・La軸（524又は525）とBCWギア（20）はラチェットバー切り替え器（616または197）下に来ているので右か移転用ラチェットバー（593）が機能して左回転で空回りしているのでこの機能には関係なく、aルート１回転伝達経路を通り、奥上の（E）を、芯内バランス調整器の残りの降下半分の自力稼動後半の回転と、（1）による回転の混合回転により引き上げ、これにより、ゼンマイ部（E）の重さ４ｇ・中心軸を０の位置（598）から４ｍｍの位置（602）へ、移動し、後半の引き上げを完了することで空車輪１（11）が垂直バランス稼動状態（497）の状態になる上記の第１可動行程を完了する。
【０１９６】
次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で、上記の可動行程の交代し、空車輪3（13）がツイスト稼動とウイールシンカーが左に移動する事で水平バランスを均等化と前半補助と同時に空車輪2（12）が下部ゼンマイ部（E）の移動である前半自力稼動し、空車輪１（11）のローテーションギア用つめ（25）が空車輪3（13）ローテーションギア用つめ（25）と軸付きギア・ビス留（23）とギア・ビス（24）は固定してあり、そのギア・ビス（24）のギアつめが前にあり、空車輪1（11）稼動する時、空車輪3（13）は連動する事で一緒に右に回倒（倒れるように９０°回転する）する事で、空車輪2（12）の上部ゼンマイ部（E）の移動である後半補助し、空車輪2（12）が後半自力稼動することで第二稼動行程を完了することで、空車輪２（12）が垂直バランス稼動状態（497）の状態になり、
【０１９７】
次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で、上記の可動行程の交代し、空車輪1（11）がツイスト稼動とウイールシンカーが左に移動する事で水平バランスを均等化と前半補助と同時に空車輪3（13）が下部ゼンマイ部（E）の移動である前半自力稼動し、空車輪2（12）がのローテーションギア用つめ（25）が空車輪1（11）ローテーションギア用つめ（25）前にあり、空車輪2（12）稼動する時、空車輪1（11）は連動する事で一緒に右に回倒（倒れるように９０°回転する）する事で、空車輪3（13）の上部ゼンマイ部（E）の移動である後半補助し、空車輪3（13）が後半自力稼動することで、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギアボックス（15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させる。
【産業上の利用可能性】
【０１９８】
本発明に係る動力部は、攪拌器だけでなく  
多目的モータや多目的エアーモータとしても、更に部品においては多目的伝動装置として利用可能性を有する。
【符号の説明】
【０１９９】
１半月ギア（前後軸用振動回転機）２重り３外輪ギア４上部ハンドシェイクギア受壱５バッテリー６発電機７ゼンマイ用錘８ゼンマイ（外下がりに４５度）９ツイスト回倒（倒れる様に４５°半回転）軸１０ばね１１空車輪壱１２空車輪弐１３空車輪参１４支柱１５台座兼ギアボックス（設置面）１６中心軸１７滑車１８負荷OFFギア１９ボールズチェーン２０ボールズチェーン用ダブルギア（BCWギア）２１ローテーションギア接続図２２駆動軸ガイド管２３軸付きギア・ビス留２４ギア・ビス２５ローテーションギア用ツメ２６空車輪芯内バランス調整器の負荷軽減マグネット２７垂直ギア（ギアバー）２８カウント・ギア（CG中心軸位置）２９半球型ギア凹（接続ギア凹）３０半球型ギア凸１（接続ギア凸１）３１上下軸用振動回転機（上下軸用機微弱振動伝達器）３２左右軸用振動回転機（左右軸用機微弱振動伝達器）３３チェーン３４カウント・ギアの高さが2ｍｍ３５ギアバー爪の間隔が3ｍｍ３６ウイールシンカーのタイヤ（WSタイヤ）３７マグネット部３８マグネット床S極３９ウイールシンカー（錘車）４０三本のワイヤーよったもの４１ワイヤー４２ワイヤー固定リング４３昇降バー４４戻り防止つめ（RGつめ）４５CSCB受けの展開図とローテーションギア用ツメ46ノーマルマドラー支柱47回転軸半固定部48ゴム製マドラーストッパー取手49電池50市販のPICモータ制御装置51アルミ製のビーカーフリーサイズ用蓋（フリーサイズ用蓋）52アルコールランプ53二〇〇ｍｌ用ビーカー54着脱式頭頂部振動を回転に変えて発電による動作確認ランプ部（SR発電機内蔵LED部）55プッシュスイッチ56電池止め金57軸型２ローターモータ内蔵攪拌器58内周ライン59水平に引いたライン60取っ手部内蔵平型蒸気モータ61取っ手部内蔵平型モータ62三〇〇ｍｌ用蓋のアダプター63平型蒸気モータのヘッド外カバー内部配管排気口（VACIN排気口）64平型蒸気モータのヘッド外カバー内部配管吸気口（VACIN吸気口）65取っ手部内蔵の平型蒸気モータ稼動管内側マドラーストッパーゴム加工（VAシャフト管または平型蒸気モータシャフト管）66取っ手部内蔵平型蒸気モータカバー（VAモータケース）67ステンレス製の平型蒸気モータ蒸気室用ヘッド（VAヘッド）68蓮根型プレート69ステンレス製の平型蒸気モータの蒸気室用ブレード（VAブレード）70ゴムパッキン部71平型蒸気モータの蒸気室用ヘッドの谷部の高さ０．５ｃｍ72平型蒸気モータの蒸気室用ヘッドの軸部の長さを除いた半径１．５ｃｍ73平型蒸気モータの蒸気室用ヘッドの山部の高さ０．８ｃｍ74板バネ75ヘッド板サイズ縦０．５ｃｍ横１．５ｃｍ76ヘッド板サイズ縦０．５１ｃｍ横１．５ｃｍ77ヘッド板サイズ縦０．５２ｃｍ横１．５ｃｍ78ヘッド板サイズ縦０．５３ｃｍ横１．５ｃｍ79ヘッド板サイズ縦７７ｃｍ横１．５ｃｍ80ヘッド板サイズ縦０．７８ｃｍ横１．５ｃｍ81ヘッド板サイズ縦０．７９ｃｍ横１．５ｃｍ82ヘッド板サイズ縦０．８ｃｍ横１．５ｃｍ83平型モータ延長部アーム付コイル部軸84平型モータ用磁石部85回転軸半固定部受86平型モータ用マグネット部（HMマグネット部）87ネジ88電磁鋼製の扇形状延長板89平型モーターコイル部軸（HMコイル部軸）90平型モーターケース91平型モータマグネット蓋92平型モータシャフト管ゴム部93平型モータのコミテータ芯シャフト管固定部（平型モータ用コミテータ芯）94シャフト管内部ゴム加工（シャフト管GS）95ブラシ板バネ固定部96AE用吸気孔97 中空部98蓋受溝99外螺子100取っ手ストッパーつめ101内螺子102マドラー取付頭頂部103ダブルコイル部２（ダブル巻線２）104マドラー先端部交換式スプーン105 HMプラス極端子（平型モータプラス極端子）106  HMマイナス極端子（平型モータマイナス極端子）107配線 108マグネット固定溝109U字ピン110平型蒸気モータのケース蓋（VAモータケース蓋）111制御装置から軸型YU字軸モータの3枚部コミテータ１（ MCTOTW3コミテータ１）112制御装置から軸型YU字軸モータの3枚部コミテータ2（ MCTO TW3コミテータ2）113制御装置から軸型YU字軸モータの3枚部コミテータ3（MCTO TW3コミテータ3）114軸型YU字軸モータの 3枚部コミテータ2からダブルコイル１と２間（TW3コミテータ2BTWC１A2）115軸型YU字軸モータの3枚部コミテータ3からダブル用切り替えスイッチ2（TW3コミテータ3TOWS2）116軸型YU字軸モータの3枚部コミテータ１からダブル用切り替えスイッチ1（TW3コミテータ1TOWS１）117マドラー先端部交換式スクリュー118制御装置から軸型YU字軸モータの２枚部コミテータ壱（MCTO TW２コミテータ１）119ダブル攪拌用アダプター120ダブル攪拌専用容器121五〇ｍｌ用溝122三〇ｍｌ用溝123二〇〇ｍｌ用溝124一〇〇ｍｌ用溝125軸型２TW SUASK可動接続部（軸型YU字軸モータの可動接続部）126べアリングの内側リングのみ127軸型２TWモータ内蔵ファン付き動力部本体（多目的軸型YU字軸モータ内蔵ファン付き動力部本体）128軸型１ASCモータ内蔵動力部本体（多目的軸型２ローターモータ内蔵動力部本体）129 べアリングの外側リングのみ130軸型３ABCモータ内蔵折りたたみ式マドラータイプ攪拌器の駆動部（S3ABC稼動部）131べアリングの中のボールのみ132HTM稼動部（ヒートモータ稼動部）133軸型２TW SUASK可動接続部半固定部（軸型YU字軸モータの可動接続部半固定部）134Y字コイル部金属ブラシ3・２ベースリング135Y字コイル部W用金属ブラシベースリング  136制御装置から軸型YU字軸モータの２枚部コミテータ２（MCTO TW２コミテータ２） 137接触ヘッド（カーボンブラシ）138ブラシ用板バネ139接触金具（コミテータ片）140軸型モータ内蔵折りたたみ式マドラータイプ攪拌器の折りたたんだ状態141軸型１ASCモータ用壱マグネット部（軸型２ローターモータの壱マグネット部）142軸型１ASCモータのS極コイル部軸（軸型２ローターモータの S極磁極部軸）143軸型１ASCモータのN極コイル部軸（軸型２ローターモータの  N極磁極部軸）144軸型１ASCモータ内蔵マドラータイプ攪拌器動力部（軸型２ローターモータの動力部）145軸型１ASCモータの第1稼働行程（軸型２ローターモータの第1稼働行程） 146軸型１ASCモータの第2稼働行程（軸型２ローターモータの第２稼働行程） 147軸型１ASCモータの第3稼働行程（軸型２ローターモータの第３稼働行程） 148制御装置からファン稼動時の軸型YU字軸モータの金属ブラシ１（MCTOFMTW金属ブラシ１）149ケース用上部蓋150軸型１ASCモータの第４稼働行程（軸型２ローターモータの第４稼働行程）151制御装置からファン稼動時の軸型YU字軸モータの金属ブラシ２（MCTOFMTW金属ブラシ２）152 Y字シングルコイル部金属ブラシ２からシングル巻線２（YSCB2TOSC2）153 Y字シングルコイル部金属ブラシ１からシングル巻線１（YSCB１TOSC１）154ダブル用切り替えスイッチ2からダブル巻線１（WCMFS2TOWC1）155ダブル用切���替えスイッチ１からダブル巻線２（WCMFS１TOWC2）156ラチェット用板バネ157ラチェットベース158左ヘッド受部159軸型２TWモータの磁石部半固定部（軸型YU字軸モータの磁石部受）160 Yコイル部半固定部（Yコイル部受）161スライド半固定部（スライド部受）162Wスイッチ半固定部（Wスイッチ部受）163スクリュー部接続空間部164チェンジギアボックスケース本体165両面ヘッドスライド受166切り替え移動ガイドの溝167配線孔168配線溝169 S2TWのシャフト（軸型YU字軸モータのシャフト）170接続金具アーム（ブラシアーム）171電磁鋼製の平型モーターコイル部軸上先端部（HMモーターコイル部軸上下先端部）172電磁鋼製の平型モーターコイル部軸中央先端部（HMモーターコイル部軸中央先端部）173ケイ素鋼板製の平型モーター軸部プレート（HM軸部プレート）174コイル（巻線）175平型モータのコイル部からコミテータまでの配線図176３０°〜９０°177９０°〜１５０°  178中心軸付き芯内バランス調整器受け参の展開図（CSCB受け参の展開図）179右ヘッド受部180底部の蓋181ウイールシンカー格納部（WS格納部）182ウイールシンカー部伝達ギア  183軸型２TWモータのワンウェイギア用逆戻り防止つめ格納部184軸型２TWモーター兼チェンジギアボックス内蔵のファン用プロペラ（軸型YU字軸モータのファン用プロペラ）185TC軸（ツイスト変形軸）186プロペラ接続部上部187プロペラ接続部下部188べアリング189下部切り替えガイド形成部用（スクリュー回転用溝内部形成管）190右部切り替えガイド形成部用191左部切り替えガイド形成部用192イモネジ用の穴193上部切り替えガイドの溝194下部切り替えガイドの溝195WSCギア（ウイールシンカーチェーンギア）19６固定小リング  １97移動ラチェットバー198半月ギア受199S極コイル部用金具部（S極コイル部用コミテータ）200半球型ギア凸２（接続ギア凸２）201半球型ギア凸３（接続ギア凸３）202軸型１ASCモータのS極マグネット部（軸型２ローターモータの  S極マグネット部）203軸型１ASCモータのN極マグネット部（軸型２ローターモータの  N極マグネット部）204 S極コイル部から接触金具までの配線図（S極コイル部・コミテータ・金属ブラシまでの配線図）205 N極コイル部から接触金具までの配線図（N極コイル部・コミテータ・金属ブラシまでの配線図）206ステンレス製の軸型１ASCモータ本体軸（軸型２ローターモータの  本体軸）207電磁鋼製の軸型１ASCモーターコイル軸先端部（軸型２ローターモータの  磁極コア軸先端部）208電磁鋼製の軸型１ASCモーターコイル部軸管（軸型２ローターモータの  磁極コア部軸管）209軸型１ASCモータの稼動管（軸型２ローターモータの  稼動管）210外輪受ギア弐211外輪受ギア参  212下部ハンドシェイクギア受弐213下部ハンドシェイクギア受参  214HSギア弐  （外輪ギア受け弐軸底部ギア）215HSギア参（外輪ギア受け参軸底部ギア）216  HSCギア壱（外輪ギア受け壱軸ラチェットギア）217 HSCギア弐（外輪ギア受け弐軸ラチェットギア）218 HSCギア参（外輪ギア受け参軸ラチェットギア）219軸型２TWモータ内蔵マドラータイプ攪拌器のファン駆動部（軸型YU字軸モータのファン駆動部）220軸型２TWモーターマドラータイプ攪拌器の駆動部（軸型YU字軸モータの攪拌器の駆動部）
221軸型２TWモータのU字コイル部（軸型YU字軸モータのU字コイル磁極部）222軸型２TWモータの磁石部（扇柱磁石棒二本組み部のスクリュー時用ロータまたは、軸型YU字軸モータの磁石部）223軸型２TWモータのYコイル部（軸型YU字軸モータのY 字コイル磁極部又はプロペラ用ロータ）224軸型２TWモータの稼動行程一（軸型YU字軸モータの稼動行程一）225軸型２TWモータの稼動行程二（軸型YU字軸モータの稼動行程二）226軸型２TWモータの稼動行程三（軸型YU字軸モータの稼動行程三）227軸型２TWモータの稼動行程四（軸型YU字軸モータの稼動行程四）228軸型２TWモータの稼動行程五（軸型YU字軸モータの稼動行程五）229軸型２TWモータの稼動行程六（軸型YU字軸モータの稼動行程六）230軸型２TWモータの稼動行程七（軸型YU字軸モータの稼動行程七）231軸型２TWモータの稼動行程八（軸型YU字軸モータの稼動行程八）232軸型２TWモータの可動管（軸型YU字軸モータの可動管）233軸型２TWモータの磁石部の側面図（軸型YU字軸モータの磁石部の側面図）234軸型２TWモータのワンウェイギア用逆戻り防止つめ（軸型YU字軸モータのワンウェイギア用逆戻り防止つめ）235ワンウェイギア236ワンウェイギアのロック状態237ワンウェイギアの可動時の図238  BSCギア壱（ハンドシェイク壱軸ラチェットギア）  239軸型２TWモータ切り替えスイッチ固定部（ダブル用切り替えスイッチ）240 BSCギア弐（ハンドシェイク弐軸ラチェットギア）
241軸型２TWモータY字コイル（巻線）部部用接触金具（コミテータ）３枚正面図242軸型２TWモータY字シングルコイル部用接触金具（軸型YU字軸モータのY字シングルコイル部コミテータ）２枚正面図24３折り曲げ位置  24４Y字軸  （Y字磁極コア軸）245軸型２TWモータY字コイル部可動軸（軸型YU字軸モータのY字コイル部シャフト）246電磁鋼製のY字コイル部軸（電磁鋼製のY字磁極コア軸）247ステンレス製のワンウェイギア右回転用248電磁鋼製のY字コイル（磁極コア）部扇形状先端部249電磁鋼製のU字コイル（巻線）部扇形状先端部250電磁鋼製のU字コイル部軸（電磁鋼製のU字磁極コア軸）251接触金具片２枚組（TWコミテータ片２枚組）252軸型１ASCコミテータ用絶縁部（軸型２ローターモータの  絶縁体片）253N磁コイル部用金具部（N磁磁極部用コミテータ）254Y字コイル（磁極コア）部扇形状先端部正面図255U字コイル固定部256 BSCギア参（ハンドシェイク参軸ラチェットギア）257二ヘッドギア258DDギア壱（ドライブ伝達ギア壱）259 DDギア弐（ドライブ伝達ギア弐）260 DDギア参（ドライブ伝達ギア参）261BSギア壱（ドライブ伝達受けギア壱）262コミテータベースリング263 BSギア弐（ドライブ伝達受けギア弐）264 BSギア参（ドライブ伝達受けギア参）  265TSDギア（上下軸用振動回転機受けギア）  266SSDギア（左右軸用振動回転機受けギア）  267ツイスト稼動軸268WSTSギア（ウイールシンカー伝達ギア）269WSB（ウイールシンカー伝達受けギア）270スライドガイド軸ギア（SGAギア）271BOAギア（支持部内蔵ギア）272RvTギア（真柱伝達ギアB）273 CSCBRRv固定ギア（左右心棒軸伝達内側固定ギア）274OUTRギア（シングルヘッド伝達ギア）275INRギア（ダブルヘッド伝達ギア）276外輪ギア可動軸277軸型１ASCモータのS極コイル部（軸型２ローターモータの  S極磁極部）278軸型１ASCモータのN極コイル部（軸型２ローターモータの  N極磁極部）279RvARギア（真柱ギア）280  BOBギア（外部伝達ギア）281 BOCギア（真柱伝達ギアA）282Aブロック283Bブロック284WS用支柱（上下軸用振動回転機支柱）285軸型HTG稼動軸の断面形状286Cブロック287RRギア（左右心棒軸伝達ギア）288 CSCBRLv固定ギア（左右心棒軸伝達外側固定ギア）289昇降バーアーム290ワンウェイギア左回転用291ダブルコイル部スクリュー稼動時の接触ヘッド（ダブルコイル部用金属ブラシ）292滑車アーム293SSSDギア  294 VAモータケース蓋用内螺子（平型蒸気モータのケース蓋用内螺子）295Y字ファン用コミテータと接触金具部（Y字ダブル用コミテータと金属ブラシ）296Y字スクリュー用コミテータと接触金具部（Y字シングル用コミテータと金属ブラシ）297Y字軸部稼動軸口（Y字磁極コア軸稼動軸口）298U字軸部稼動軸口（U字磁極コア軸部稼動軸口）299振動発電による動作確認ランプ部接続部（SGL部接続部または動作確認ランプ部接続部）300マドラー先端部スプーン・スクリュー接続部（SUASK接続部）301WS用タイヤ（左右軸用振動回転機タイヤ）302現時点で下の位置のRaハンドシェイクギア壱  （右心棒ハンドシェイクギア壱）303 Raハンドシェイクギア弐（右心棒ハンドシェイクギア弐）  304現時点で下の位置の Raハンドシェイクギア参（右心棒ハンドシェイクギア参）  305  上部ハンドシェイクギア受弐306軸型１ASCモータ内蔵マドラータイプ攪拌器固定部（軸型２ローターモータの  固定部）307上部ハンドシェイクギア受参 308ロックギア壱309ロックギア弐  310ロックギア参  311Laハンドシェイクギア壱（左心棒ハンドシェイクギア壱）  312 Laハンドシェイクギア弐（左心棒ハンドシェイクギア弐）  313現時点で上の位置の Laハンドシェイクギア参  （左心棒ハンドシェイクギア参）314ビーカーフリーサイズ用蓋裏315ビーカーフリーサイズ用蓋表316三〇〇ｍｌ用蓋のアダプター接続溝317取手部接続溝318マドラー用貫通口319VA蒸気室用ヘッド固定管（VAヘッド固定管または平型蒸気モータのヘッド固定管）320現時点で下の位置の Ra半球型ギア凹壱（右心棒接続ギア凹壱）  321 Ra半球型ギア凹弐（右心棒接続ギア凹弐）  322現時点で下の位置のRa半球型ギア凹参（右心棒接続ギア凹参）  323現時点で上の位置のLa半球型ギア凹壱（左心棒接続ギア凹壱）  324平型モータコイル部延長部付き軸（HMコイル部延長部付き軸）325 La半球型ギア凹弐（左心棒接続ギア凹弐）326現時点で上の位置の  La半球型ギア凹参（左心棒接続ギア凹参）  327Rv半球型ギア凹壱（右真柱接続ギア凹壱）  328現時点で下の位置の Rv半球型ギア凹弐（右真柱接続ギア凹弐）  329Y字マグネット受け330軸型１ASC用コミテータ片331Lv半球型ギア凹壱（左真柱接続ギア凹壱）332現時点で上の位置の Lv半球型ギア凹弐（左真柱接続ギア凹弐）333 Lv半球型ギア凹参（左真柱接続ギア凹参）334回転軸受335 Rv半球型ギア凹参（右真柱接続ギア凹参）３３６VAモータケース蓋用外螺子（平型蒸気モータのケース蓋用外螺子）３３７蓋の内螺子３３８aV三倍の電流用＋極用接触ヘッド部1（aV三倍の電流用＋極用ブラシ）３３９aVの電流用＋極用接触ヘッド部2（aVの電流用＋極用ブラシ）３４０aV三倍の電流用−極用接触ヘッド部3（aV三倍の電流用−極用ブラシ）３４１aVの電流用−極用接触ヘッド部4（aVの電流用−極用ブラシ）３４２コイル部格納部及び連結軸部（下部本体）343ヒートモータ内蔵動力部本体  344ヒートモータのスクリューはね（HTMスクリューブレード）  345ステンレス製のヒートモータ接続軸（HTM連結軸部）  346受部両面ヘッド中部  （スライドガイド受部両面ヘッド中部）  34７ヒートモータカバー本体（上部本体）348ヒートモータ用マグネット部（HTMマグネット部）349左カット合わせ  （左ヘッド）350左カット合わせ両面ヘッド351右カット合わせ両面ヘッド352右カット合わせ  （右ヘッド）353スクリューケース354プラス極電極板355マイナス極電極板356  CGWH  突起部（チェンジギア突起部）357チェンジギアボックス内蔵本体358従来のモータ359スクリューハネ360CG上部戻り防止ピン（チェンジギア上部戻り防止ピン）361CG下部戻り防止ピン（チェンジギア下部戻り防止ピン）362チェンジギアボックスケース363CG稼動軸（チェンジギア稼動軸）364両面ヘッド365ボタン電池格納部366ノーマル蓋367磁力伝達部（HMロータ部）368ヒートモータ用先端扇柱形コイル部（HTMコイル部）  369ステンレス製のヒートモータコイル部格納カバー  370チェンジギアボックスケース孔  371上部切り替えガイド形成部用（ファン回転用溝内部形成管）372ヒートモータスクリューケース373配線  374左カット部内向き傾斜（左カット部）375右カット部部内向き傾斜（右カット部）376配線孔 377＋極S1ASCリング接触ヘッド部（＋極軸型２ローターモータの  金属ブラシ）378−極S1ASCリング接触ヘッド部（−極軸型２ローターモータの  金属ブラシ）379 N磁コイル部用＋極S1ASCリング接触金具部（N＋極軸型２ローターモータの コミテータ部）380 N磁コイル部用−極S1ASCリング接触金具部（N−極軸型２ローターモータの  コミテータ部）381 S磁コイル部用＋極S1ASCリング接触金具部（S＋極軸型２ローターモータの コミテータ部）382 S磁コイル部用−極S1ASCリング接触金具部（S−極軸型２ローターモータのコミテータ部）383芯内バランス調整器錘部A 384芯内バランス調整器中央部385芯内バランス調整器錘部B386＋極用接触金具部拡大図387−極用接触金具部拡大図388−極のコイル部コミテータ片（−極のヒートモータ用６分の１接触金具）389＋極のコイル部コミテータ片（＋極のヒートモータ用６分の１接触金具）390ヒートモータのロータ兼スクリュー稼動部拡大図（ヒートモータロータと稼動部の拡大図）  391ヒートモータローター部（HTMローター部）  392絶縁体コミテータ片  393コミテータ接続部  394電磁鋼製のヒートモータ用先端扇柱形コイル部軸（HTMコイル部軸）  395ステンレス製のヒートモータ連結軸固定部（先端部扇柱形コイル部固定部）  396磁力伝達軸部固定部  397磁力伝達固定部  398マグネット格納本体部連結軸固定部（HTM上部本体の下部固定部）399 BCWギアの歯の角度１０°から９０°（ボールズチェーン用ダブルギアの歯の角度１０°から９０°）400 ヒートモータの配線図401BCオス接続部（ボールズチェーンオス接続部）402BCメス接続部（ボールズチェーンメス接続部）403VAヘッド外カバー（平型蒸気モータのヘッド外カバー）404電磁鋼製の扇柱形磁力伝達部  405固定部  406 aVの三倍−極の配線  407 aVの三倍＋極の配線  408   aV−極の配線409 aV＋極の配線  410ヒートモータ用コイル部の軸先端部  411安全ピン412プロペラ部マグネット  413接触金具部3枚部（TW3枚部コミテータ）  414接触金具部２枚部（TW２枚部コミテータ）415VAローター底ベース（平型蒸気モータのローター底ベース）  416平型蒸気モータのロータ部  417接触金具と接触ヘッド（ブラシ）と内側コイル接触ヘッドの接続拡大図  418  419  420軸型２TWモータYコイル部のダブルコイル部（軸型YU字軸モータのYコイル部のダブルコイル部）421軸型２TWモータYコイル部のシングルコイル部（軸型YU字軸モータのYコイル部のシングルコイル部）  422チェンジギアボックス内蔵攪拌器のファン稼動図  423チェンジギアボックス内蔵攪拌器のスクリュー稼動図  424一段ずらす前の接触金具部  溝  コミテータ芯425接触金具部0°回転後の図  （通電位置）426接触金具部トータル120°回転後の図（非通電位置壱）  ブラシアーム427接触金具部トータル240°回転後の図（非通電位置弐）
428 S1ASCｓ極マグネット部の出っ張り部  （軸型２ローターモータのｓ極マグネット部の出っ張り部  ）429 S1ASCｎ極マグネット部の出っ張り部（軸型２ローターモータのｎ極マグネット部の出っ張り部）  430電池格納部  431ヒートモータ内側コイル接触ヘッド−極432U字コイル（巻線）部配線図433接触ヘッド（金属ブラシ）と接触金具（コミテータ）と内側コイル接触ヘッド（金属ブラシ）接続図434シャフト435HMSコイル部からの配線口（ヒートモータのコイル部からの配線口）436ヒートモータ内側コイル接触ヘッド＋極437コミテータ芯438HM内・外側コミテータとHM内・外側接触ヘッド（ヒートモータの内・外側金属ブラシ）の接続拡大配線図439接触ヘッドと接触金具と内側コイル接触ヘッドの分解図440接触ヘッドと接触金具とコイルとスイッチの接続図441コミテータ部 442磁石の磁力aの２倍S極443磁石の磁力aの２倍N極444右カット部外向き傾斜445イモネジ446コイル部の軸先端部が磁力aの３倍でS極の場合による各部の位置関係図  44７コイル部の軸先端部が磁力aでS極の場合による各部の位置関係図  448扇柱形磁力伝達部の磁力aの３倍S極  449扇柱形磁力伝達部の磁力aのS極  450ファン稼動時のコイル部の２枚と３枚接触金具配線図451切り替え後シングル時のモータ制御配線452切り替え後ダブル時のモータ制御配線  453 VA ブレードガイド軸（平型蒸気モータのブレードガイド軸）454 VA ローター部台座（平型蒸気モータの ローター部台座）455ビス456厚めのパイプ457樋形状の厚めのパイプ458四ヘッドギア459厚み大四ヘッドギア460チェンジギアケースの展開図と側面図461Wコイル間配線462軸型２TWモータのケース（軸型YU字軸モータのケース）463HTMリング付コミテータ軸（ヒートモータのリング付コミテータ軸）464Y字シングルコイル部スクリュー稼動時の接触ヘッド（Y字シングルコイル部金属ブラシ）465ファン稼動時の接触ヘッド（ファン稼動時のTW金属ブラシ）466軸型２TWモータ切り替えスイッチ移動部（シングル用切り替えスイッチ）467シングルコイル部（シングル巻線）468ダブルコイル部１（ダブル巻線１）469スイッチ切り替え口470ダブルCMFスイッチ内外固定金具１（WCMFSIO金具１または、ダブルスイッチ内外固定金具１）471シングルCMスイッチ内外移動金具１（SCMSIO金具１または、シングルスイッチ内外移動金具１）472シングルCMスイッチ内外移動金具２（SCMSIO金具２または、シングルスイッチ内外移動金具２）  473ダブルCMFスイッチ内外固定金具２（WCMFSIO金具２または、ダブルスイッチ内外固定金具２）474内側コイル接触ヘッド＋極リングベース  475 ＋極用ブラシリングベース  476  −極用ブラシリングベース477内側コイル接触ヘッド−極リングベース  478軸型１ASCモータ用弐マグネット部（軸型２ローターモータの弐マグネット部）479 ON時に軸型２ローターモータの壱マグネット部S磁コイル磁極部の上側がN極で引き合う図480弱い磁力で磁石側面同士くっついている状態の図481二倍移動の図482バナジウム製軸型２ローターモータの駆動部483ステンレス製軸型２ローターモータの駆動部484軸型２ローターモータの蓋固定部485管内ゴム加工486HTM＋極用接触金具（ヒートモータの＋極用接触金具）487HTM−極用接触金具（ヒートモータの−極用接触金具）488軸型２TWモータのスクリュー稼動軸（軸型YU字軸モータのスクリュー稼動軸）489WSギアバー（上下軸用振動���転機支柱）490WSギアA（上下軸用振動回転機滑車）491ゼンマイ部稼動ループチェーン（ZCLチェーン）492ウイールシンカー部稼動ループ部493芯内バランス調整器に接続された中心軸付き芯内バランス調整器受け図494垂直バランス移動状態または垂直待機状態  495垂直バランス前半自力移動と前半補助稼動状態  496  垂直バランス後半自力移動と後半補助稼動状態  497垂直バランス稼動状態（垂直バランス回倒前状態）  498水平バランス稼動状態  499水平バランス均等状態  500平型エアモータ本体501HTM  コミテータ軸（ヒートモータのコミテータ軸）502＋極用コミテータ片  503  −極用コミテータ片504＋極用リングコミテータ  505扇柱のマグネット部506ワンウェイギアマグネット部（Y字マグネット部）507ウイールシンカーのマグネット部N極（WSマグネット部N極）508WSチェーン固定部（ウイールシンカーチェーン固定部）509CB滑車（ウイールシンカーチェーン滑車）510中心軸付き芯内バランス調整器受け壱・弐・参の共通機構図（CSCB受け壱・弐・参の共通機構図）511半月ギア軸512ハンドシェイクギア513空車輪１の上部ゼンマイ部による空車輪３外輪ギア解除バー（空車輪１TO３解除バー）514CG軸受け（支柱軸受け）515UDRL軸（振動回転機用軸B）516空車輪2の上部ゼンマイ部による空車輪1外輪ギア解除バー（空車輪2TO1解除バー）517左回転用ギア518右回転用ギア519バーベルギア520下部ハンドシェイクギア受壱  521EW１バイパス軸（外輪ギア受け壱軸）522EW２バイパス軸（外輪ギア受け弐軸）523EW３バイパス軸（外輪ギア受け参軸）524Ra軸（右心棒軸）525La軸（左心棒軸）526Rv軸（右真柱軸）527Lv軸（左真柱軸）528a軸ギア（心棒軸ギア）529a軸受ラチェットギア（心棒軸受ラチェットギア）530ｖ軸ギア（真柱軸ギア）531EW１S軸（ハンドシェイク壱軸）532EW２S軸（ハンドシェイク弐軸）533EW３S軸（ハンドシェイク参軸）534ｖ軸受ギア（外部伝達ギア）535外輪受ギア壱536HSギア壱（外輪ギア受け壱軸底部ギア）
537芯内バランス調整器と昇降バー受け（CAU受け）538水平時の芯内バランス調整器ロック539中心軸のツイストギア受け540芯内バランス調整器のツイストRギア（CBツイスト・中継ギア）541中心軸付き芯内バランス調整器受けの内部ツイスト稼動ギア図542芯内バランス調整器内蔵の駆動軸ガイド管（空車輪CB軸）拡大図543芯内バランス調整器ストッパーA544芯内バランス調整器ストッパー受けB545芯内バランス調整器ストッパー壱546−極用リングコミテータ  547芯内バランス調整器ストッパー548芯内バランス調整器ストッパー受けA549CBフック（芯内バランス調整器中央部フック）550昇降バーアーム（UBアーム）551CB１H（第A１ブロック）  552CB2H（第B１ブロック）  553CB3H（第A２ブロック）  554CB4H（第B２ブロック）  555CB5H（第A３ブロック）556CB6H（第B３ブロック）  557CB7H（第A４ブロック）  558CB8H（第B４ブロック）  559駆動軸ガイド管用中央昇降バーアーム（MSUBアーム）560空車輪3の上部ゼンマイ部による空車輪2外輪ギア解除バー（空車輪3TO2解除バー）561CB1D（第C１ブロック）  562CB2D（第D１ブロック）    563CB3D（第C２ブロック）    564CB4D（第D２ブロック）  565CB5D（第C３ブロック）  566CB6D（第D３ブロック）  567CB7D（第C４ブロック）    568CB8D（第D４ブロック）569CZ可変部（ゼンマイ部可変部）570ゼンマイ部軸管571芯内バランス調整器受け壱（CSCB受け壱）572芯内バランス調整器受け弐（CSCB受け弐）573芯内バランス調整器受け参（CSCB受け参）574中心軸付き芯内バランス調整器受け弐の展開図（CSCB受け弐の展開図）575中心軸付き芯内バランス調整器受け壱の展開図（CSCB受け壱の展開図）576ツイスト可動用中心軸577芯内バランス調整器移動用中心軸受け578ツイスト可動用中心軸受け579中心軸のツイストギア受け580中心軸のツイストギア受けのラチェットギア581 CSCB受け壱上面図（芯内バランス調整器受け壱上面図）582CSCB受け弐上面図（芯内バランス調整器受け弐上面図）583 CSCB受け参上面図（芯内バランス調整器受け参上面図）584マグネット床拡大図585マグネット橋586マグネット床端部（芯内バランス調整器垂直移動時の中心軸位置維持器）587ハンドシェイクギア軸（HSG軸）588水平時の芯内バランス調整器解除ギア固定部589WSギアバーの歯拡大図（振動回転機用ギア歯拡大図）590EWラチェットギア591ギアC592ゼンマイ部稼動ループチェーン用滑車（ZCLチェーン用滑車）593右回転用ラチェットバー594芯内バランス調整器が垂直状態の中心軸より下に来たときのメモリが−四の位置595芯内バランス調整器が垂直状態の中心軸より下に来たときのメモリが−参の位置596芯内バランス調整器が垂直状態の中心軸より下に来たときのメモリが−弐の位置597芯内バランス調整器が垂直状態の中心軸より下に来たときのメモリが−壱の位置598芯内バランス調整器が垂直状態の中心軸のメモリが零の位置599芯内バランス調整器が垂直状態の中心軸より上に来たときのメモリが壱の位置600芯内バランス調整器が垂直状態の中心軸より上に来たときのメモリが弐の位置601芯内バランス調整器が垂直状態の中心軸より上に来たときのメモリが参の位置602芯内バランス調整器が垂直状態の中心軸より上に来たときのメモリが四の位置603芯内バランス調整器が水平状態の中心軸より左側に来たときのメモリが−四の位置604芯内バランス調整器が水平状態の中心軸より左側に来たときのメモリ��−参の位置605芯内バランス調整器が水平状態の中心軸より左側に来たときのメモリが−弐の位置606芯内バランス調整器が水平状態の中心軸より左側に来たときのメモリが−壱の位置607芯内バランス調整器が水平状態の中心軸のメモリが零の位置608芯内バランス調整器が水平状態の中心軸より右側に来たときのメモリが壱の位置609芯内バランス調整器が水平状態の中心軸より右側に来たときのメモリが弐の位置610芯内バランス調整器が水平状態の中心軸より右側に来たときのメモリが参の位置611芯内バランス調整器が水平状態の中心軸より右側に来たときのメモリが四の位置612 CBTG中継ギア（中継ギアA）613左回転用ラチェットバー614ラチェットバー固定アーム615ラチェットバー可動アーム616ラチェットバー切り替え器617水平時の芯内バランス調整器解除ギア（ロックヘッド）618UDRL固定受け部のギア619軸型１ASCモータのS極コイル部の断面図（軸型２ローターモータのS極磁極コア部の断面図）620軸型１ASCモータのN極コイル部の断面図（軸型２ローターモータのN極磁極コア部の断面図）６２１角度１０°のギア歯の図６２２角度９０°のギア歯の図６２３角度１７０°のギア歯の図６２４角度１０°から９０°のギア歯角度範囲６２５角度９０°から１７０°のギア歯角度範囲６２６軸型３ABCモータ内蔵折りたたみ式マドラータイプ攪拌器６２７多目的軸型３ABCモーターケース６２８B3ABCモーターケース６２９ヒートモータ本体６３０半球型ギア凸凹の接続時の断面図６３１スライドスイッチ６３２軸型３ABCモータ内臓折りたたみ式マドラータイプ攪拌器平面図６３３軸型３ABCモータ内臓折りたたみ式マドラータイプ本体ケース（B3ABCモータケース）６３４ヒートモータ接続軸635多目的軸型1 ASCモータ内蔵タイプと多目的軸型2HTGエンジン内蔵タイプとノーマルマドラー共通外部形状図636取っ手部ケース637ゴム製マドラーストッパー孔付き取っ手部（ノーマル用ゴム製取っ手）638多目的平型エアモータ639多目的平型モータ640床用S極マグネット641マグネット床壱642マグネット床弐643マグネット床参644側面板645固定板646ブラシベース固定管647B1ABCモータ用ブラシアーム（軸型２ローターモータ用ブラシアーム）648コミテータ芯管649コミテータ芯固定部650コミテータ延長芯651B1ABCモータ用コミテータ部（軸型２ローターモータ用コミテータ部）652653654 解除部受軸655上部HSG受軸（上部ハンドシェイクギア受軸）656外輪ギア受軸657 B1ABCモータ用ローター部壱（ローター部壱）658 B1ABCモータ用ローター部弐（ローター部弐）659多目的平型エアモータ661第九位置662第十位置663第十一位置664第十二位置665第十三位置666第十四位置667第十五位置668第十六位置669芯内バランス調整器錘部保持ツメ670外輪ギア受滑車671外輪ギア受バー672カルダンジョイント673ギア固定部674ウイールシンカー格納部形成部675MF受部（マグネット床受部）676蝶番677多目的ヒートモータ攪拌器678芯内バランス調整器軸受孔679昇降バー受け680ギアバー内蔵昇降バー受け681外輪ギア接続受け682ロック部683ロック受け部684V軸受部（真柱軸受部）685BOW板バネ（ドライブ伝達ギア用板バネ）686SGIシャフト（ドライブ伝達シャフト）687回転SWT688芯内バランス調整器錘A用溝689芯内バランス調整器錘B用溝690芯内バランス調整器691本体管692支持部693伸縮ギア694半球型ギア凸695半球型ギア凹696支柱697SBTフック受け（芯���バランス調整器フック受け）698解除レバー壱699解除レバー弐700解除レバー参701解除用ワイヤー702芯内バランス調整器解除レバー703伸縮ギアヘッド704伸縮ギア受け705ワイヤー内蔵支柱706芯内バランス調整器解除部707LED708チェンジギアBOX内蔵ファンとスクリュー攪拌器709現時点で上の位置のLvハンドシェイクギア弐（左心柱ハンドシェイクギア弐）710ハンドシェイクギア 711芯内バランス調整器錘部ガイド712スイッチのＡ極端子713スイッチのＢ極端子714伸縮ギア７１５LaRギア（心棒ギア）
１A平型モータのマグネット位置の断面図2A平型モータの扇形状延長板位置の断面図3A平型モータのHM延長部アームの断面図4A平型モータのHM延長部アーム付コイル部軸位置の断面図5A平型モータのコミテータベースリング位置の断面図１ｂスクリューケースの縦の断面図２ｂチェンジギアBOX内蔵ファンとスクリュー攪拌器の断面図3ｂCG稼動軸の断面図4ｂCG稼動軸スライドガイド部の断面図5ｂスクリューケースの横の断面図１D左右カット合わせの断面図１E軸型１ASCモータ内蔵マドラータイプ攪拌器の断面図2E軸型１ASCモータのマグネットの断面図3E軸型１ASCモータのS1ASCのS極マグネット部の断面図4E軸型１ASCモータの２つのS1ASC磁極コア軸先端部の断面図5E軸型１ASCモータのS1ASC磁極コア部軸管の断面図6E軸型１ASCモータのS1ASC磁極コア軸先端部の断面図7E  N・S＋S1ASCコミテータ部の断面図8Eコミテータ芯固定部の断面図9E  N・S−S1ASCコミテータ部の断面図10E軸型１ASCモータのS1ASC壱マグネット部の断面図１１E軸型１ASCモータのローター部壱のS1ASC磁極コア軸先端部断面図１２E軸型１ASCモータのS1ASCのS極マグネット部の断面図１３E軸型１ASCモータのS1ASCのN極マグネット部の断面図１４E軸型１ASCモータのローター部弐のS1ASC磁極コア軸先端部断面図15E軸型１ASCモータのS1ASC弐マグネット部の断面図１６E軸型１ASCモータの＋極S1ASC金属ブラシ位置の断面図１７E軸型１ASCモータのコミテータ芯固定部位置の断面図１８E軸型１ASCモータの−極S1ASC金属ブラシ位置の断面図G1台座兼ギアボックス平面断面図G2カウント・ギア右断面図G3カウント・ギア左断面図G4G5芯内バランス調整器の断面図G6芯内バランス調整器中央部の側面断面図G7芯内バランス調整器中央部の平面断面図G8G9芯内バランス調整器の側面断面図G10芯内バランス調整器の正面断面図G11芯内バランス調整器の平面断面図G12空車輪断垂直状態の面図G13空車輪水平状態の断面図G14台座兼ギアボックス正面断面図G15台座兼ギアボックス背面断面図G16台座兼ギアボックス右断面図G17台座兼ギアボックス左断面図H１ヒートモータ内側コイル接触ヘッド＋極の位置の断面図H２aV三倍の電流用＋極用ブラシとaVの電流用＋極用ブラシの位置の断面図H３ヒートモータ内側コイル接触ヘッド−極の位置の断面図H４３４０aV三倍の電流用−極用ブラシとaVの電流用−極用ブラシの位置の断面図H５HTM上部本体の下部固定部の位置の断面図H６HTMコイル部軸の先端断面図H７HTMコイル部軸の本体の断面図H８HTMコイル部軸のコイル巻き部の断面図H９ヒートモータコイル部格納カバーの断面図  H１０HTMマグネット部の断面図H１１HTM連結軸部の縦断面図H１２先端部扇柱形コイル部固定部の断面図H１３＋極用接触金具部の断面図H１４コミテータ固定部の断面図  H１５−極用リングコミテータの断面図    H１６HTM連結軸部の横断面図１I取っ手部ケースの断面図2I三〇〇ｍｌ用蓋のアダプターの断面図１J軸型２TWモータ内蔵ファン付き動力部本体（S2TW本体）正面断面図２Jファンハネ先端部断面図３Jファンハネ中央部断面図４Jファンハネ根元付近の断面図５J軸型２TWモータ内蔵ファン付き動力部本体側面断面図６J S2TW本体のダブルコイル部用金属ブラシ付近の断面図７J S2TW本体のTW２枚部コミテータ付近の断面図８J S2TW本体のダブル用CMFスイッチ付近の断面図９JS2TW本体のシングル用CMスイッチ付近の断面図１０J S2TW本体のS2TWのY 字コイル磁極部のギア断面図１１J S2TW本体の磁石部断面図１２Jワンウェイギア右回転用の断面図１３JU字コイル部扇形状先端部断面図１４JU字コイル部軸中央断面図１５JU字コイル部軸の根元の断面図１６JY 字コイル部軸の根元の断面図１７J  Y 字コイル部軸中央断面図１８J Y字コイル部扇形状先端部の断面図１９J軸型２TWモータ内蔵ファン付き攪拌器の側面断面図２０J  S2TW本体のファン稼動時のTW金属ブラシ付近の断面図２１Jダブルとシングル用CMFスイッチ平面断面図２２Jダブルとシングル用CMFスイッチ正面断面図１K多目的平型エアーモータのVAヘッド位置の断面図２K多目的平型エアーモータの蓮根型プレート位置の断面図3K多目的平型エアーモータの板バネ位置の断面図
A水平状態の芯内バランス調整器Bウイールシンカー拡大図C垂直状態の芯内バランス調整器D可変反転ゼンマイ部中心軸拡大図Eゼンマイ接続部拡大図（ゼンマイ部）Fカウントギア拡大図G昇降バー拡大図H芯内バランス調整器の３段垂直稼動図Iハンドシェイクギア接続時の図Jボールズチェーンとボールズチェーン用ダブルギアの接続拡大図K接続ギア拡大図L上下軸用振動回転機のギア部を上から見た図Mボールズチェーン拡大図N水平状態で芯内バランス調整器周辺図O水平状態で芯内バランス調整器稼動前の本体・側面透視図とバランス図P水平状態で芯内バランス調整器ツイスト稼動の本体・側面透視図とバランス図Q水平状態で芯内バランス調整器ウイルスシンカー稼動と左右の均等化後の本体・側面透視図とバランス図R水平状態で芯内バランス調整器ツイスト稼動戻り後の本体・側面透視図とバランス図Sローテーションギアの概略図Tマドラータイプのヒートモータの上部分拡大図U芯内バランス調整器が垂直状態のAR中枢ギア（RaLa軸）縦に来た状態V芯内バランス調整器が水平状態のVE中ギア（RvLv軸）縦に来た状態W芯内バランス調整器１６ブロック分割図X回転・ロック切り替えRv・Lv軸部用
【手続補正２】
【補正対象書類名】実用新案登録請求の範囲
【補正対象項目名】全文
【補正方法】変更
【補正の内容】
【実用新案登録請求の範囲】
【請求項１】
用途別攪拌器の基本構造として、円盤形状のものに、ビーカーの口のサイズ別に３０ｍｌから２００ｍｌ（122・121・124・123）までの溝と、交換取手部接続溝（317）と、その中心にマドラー用貫通口（318）と、ボタン電池の格納部（365）と、交換取手部接続溝（317）の上の方にプラス極電極板（３５４）と、下の方にマイナス極電極板（355）と、プッシュスイッチ（５５）を備えたオールアルミ製やオールプラスチック製などからなる蓋（５１）部分と、これを接続する、取っ手部ケース（６３６）にマドラーストッパー孔の付いたノーマル用ゴム製取っ手（６３７）を格納したノーマル取手部（48）部分と、これと交換できる蓋に動力を設けた多目的平型モータ（61）と、多目的蒸気モータ（60）の蓋タイプと、着脱式頭頂部振動発電による動作確認ランプ部（54）の構造を備えた部分と、交換式先端部スプーン（104）・スクリュー（117）の回転先端部と、その間をノーマルマドラー支柱（46）と、動力内臓本体の多目的軸型２ローターモータ内蔵動力部本体（１２８）と、多目的軸型YU字軸モータ内蔵ファン付き動力部本体（127）と、多目的ヒートモータ（677）で繋いだマドラータイプやノーマルマドラーからなるものの構造を備えた部分と小型モータの左右の回転でスクリューかファンを切替機構のチェンジギアと、マドラータイプを好みの高さに緩嵌して使う両端に接続孔を持つ、ダブル攪拌用アダプター（１１９）と、三〇〇ｍｌ用蓋のアダプター（62）を組み合わせて使う、これらすべてを有する用途別蓋とマドラー動力部の攪拌器
【請求項２】
前記の多目的平型モータ（６1）は、従来のモータのシャフト部を円筒形のシャフト管内部ゴム加工（９４）の内側表面ゴム加工した部分と、コア本体部である（８９）にケイ素鋼製の平型モーターコイル部軸上先端部（171）３個と、平たい穴の開いた円柱形のケイ素鋼製の平型モータコイル部軸中央先端部（172）を置いた部分と、電磁鋼製の扇形状延長板（８８）の３つを螺設してできたHMコイル部延長部付き軸（３２４）と、本体着脱の平型モータマグネット蓋（91）に内装した平型モータ用マグネット部（８６）を特徴とするこれら全ての構造と機能を有する用途別蓋とマドラー動力部の攪拌器。
【請求項３】
前記の多目的平型エアモータ（６０）は、まずはヘッド板（75〜82）の厚みの細い方のA角部では厚さが２mmで、反対側の厚さが５mmの二等辺三角形状で、横のサイズが全て１．５ｃｍで、縦が０．５ｃｍから０．０１ｃｍずつ長さを足していき、一番大きいサイズが、縦０．８ｃｍで各サイズ３０個が２枚ずつあり、これを筒状の平型蒸気モータヘッド固定管（319）を中心に厚みがA角の細くなつた部分を寄せて上部を溶接加工して出来た形状が平型蒸気モータ蒸気室用ヘッド（67）の形状を備えた部分と、これを円筒形状の平型蒸気モータヘッド外カバー（４０３）に平型蒸気モータ蒸気室用ヘッド（67）の  底部まで入れて圧着し、これに上記平型蒸気モータヘッド外カバー（４０３）より一回り大きい円柱の容器形状の上部に平型蒸気モータヘッド固定管（319）用の孔の開いた部分を持つ多目的平型エアモータケース（６６）に平型蒸気モータヘッド外カバー（４０３）付き平型蒸気モータ蒸気室用ヘッド（67）を底部まで入れて圧着したものに、平型蒸気モータの蒸気室用ヘッドの山部の高さ０．８ｃｍ（７３）の位置に吸気口（６４）である平型蒸気モータヘッド外カバー（４０３）と多目的平型エアモータケース（６６）の左横に貫通口を設け、その反対側の平型蒸気モータの蒸気室用ヘッドの谷部の高さ０．５ｃｍ（７１）の排気口（６３）の位置に平型蒸気モータヘッド外カバー（４０３）の右横に貫通口を設け、更に多目的平型エアモータケース（６６）の横から入り中腹で真下の底部まで欠削して貫設した多目的平型エアモータケース（６６）の中に配管ができ、これらを固定するために、エアモータケース（６６）横にあるイモネジ用の穴（192）に、イモネジ（445）で螺着してできた本体部と、つぎにローター部の構造として、円盤形状に平型蒸気モータシャフト管（65）の孔の開いた平型蒸気モーターローター底ベース（４１５）と、板バネ（７４）をビス（４５５）で固定して出来たのが、 平型蒸気モータのーローター部台座（４５４）で、これの中央の穴から０．５ｍｍ突き出る様に平型蒸気モータシャフト管（６５）さして固定したものに、筒型の横にブレード（６９）用の溝か切られた平型蒸気モーターブレードガイド軸（４５３）を平型蒸気モータシャフト管（６５）に通したこれら３つの付け根を溶接で固定し、これの上から円盤の中心に平型蒸気モータシャフト管（65）の穴と平型蒸気モーター蒸気室用ブレード（69）用の穴が開いた形状の蓮根型プレート（68）を平型蒸気モータシャフト管（６５）に通し、平型蒸気モーターブレードガイド軸（４５３）の頭頂部に固定して出来たのが、ローター固定部で、これに平型蒸気モーター蒸気室用ブレード（69）を１２枚差し込んだのがローター部で、これを上記本体部に格納し、取っ手部内蔵平型蒸気モータカバー（６６）の底部内周面に螺設した内螺子（294）に、取っ手部内蔵平型蒸気モータカバー（６６）の外周面に螺設した外螺子（336）で蓋をしたこれら全ての構造と機能を有する用途別蓋とマドラー動力部の攪拌器。
【請求項４】
前記の多目的軸型２ローターモータ（１２８のマドラー先端部スプーン・スクリュー接続部なし）は、まず軸型２ローターモーター蓋固定部（484）は、円筒形の片側を蓋で閉じた部分に螺設した突起部が外螺子部である動作確認ランプ部接続部（299）になる部分と、
管材形状のものの内側右から軸型２ローターモータ用ブラシアーム（647）と＋極軸型２ローターモーター金属ブラシ（377）が順番に接続された部分と、反対側の一段下の位置から軸型２ローターモータ用ブラシアーム（647）と−極軸型２ローターモーター 金属ブラシ（378）の順番に接続したブラシベース固定管（646）部分と、円形の両端に極性の違う扇状の磁石部を設け、その隙間を樹脂で固めた軸型２ローターモーター壱マグネット部（141）と、同じもので反対向きに配置される軸型２ローターモータの弐マグネット部（478）の２つの部品と、コミテータ芯管（６４８）の上部にコミテータ片（３３０）１枚と絶縁体片（２５２）２枚を接続したN・S＋極軸型２ローターモータの コミテータ部（３７９・３８１）と、もう一つのコミテータ芯管（６４８）の下部にコミテータ片（３３０）１枚と絶縁体片（２５２）２枚を接続したN・S−極軸型２ローターモータの  コミテータ部（３８０・３８２）と、N＋極軸型２ローターモータの コミテータ部（３７９）とコミテータ芯固定部（６４９）を間にN−極軸型２ローターモータの  コミテータ部（３８０）を挟んで出来たN磁コイル部用コミテータ部と、S＋極軸型２ローターモータの コミテータ部（３８１）とコミテータ芯固定部（６４９）を間にS−極軸型２ローターモータのコミテータ部（３８２）を挟んで出来たS磁コイル部用コミテータ部分と、内側中心を軸型２ローターモータの  本体軸（206）を軸止し、更にこの軸を通して軸型２ローターモータの蓋固定部（484）の筒の中に圧着したブラシベース固定管（646）と、これに蓋をする様に軸よりも大きい孔を持つ軸型２ローターモータの壱マグネット部（141）通して、ブラシベース固定管（646）に固定した第一ローター部のコミテータ格納部と、軸型２ローターモータの  本体軸（206）用の孔の開いた円盤状の固定板（645）を底部としてと、ブラシベース固定管（646）を固定し、上からは軸型２ローターモータの弐マグネット部（478）で蓋をするように固定して出来た第２ローター部のコミテータ格納部で、このコミテータ格納部の軸型２ローターモータの弐マグネット部（478）の方から通し、固定板（645）の中央の孔から０.5ｍｍ突出させて固定して出来たのが本体である軸型２ローターモータの  固定部（306）部分と、N又はS＋極軸型２ローターモータの コミテータ部（３７９又は３８１）と、N又はS−極軸型２ローターモータの  コミテータ部（３８０又は３８２）がコイル部の配線へ行く部分と、第一又は二ローター部のコミテータ格納部の、＋極軸型２ローターモーター金属ブラシ（377）と−極軸型２ローターモーター 金属ブラシ（378）は市販のPICモータ制御装置（50）へ配線が繋がっている配線部分と、円筒形電磁鋼製の軸型２ローターモータの  磁極コア部軸管（２０８）の上部を軸に描く円の７０°から１１５°の角度からなる扇形状の軸型２ローターモータの  磁極コア軸先端部（２０７）を、軸型２ローターモータの  磁極コア部軸管（２０８）上下部に平行配置固定し、その内の上部軸型２ローターモータの  磁極コア軸先端部（２０７）の右横に同じ軸型２ローターモータの  磁極コア軸先端部（２０７）と、その上部に同じ形状の軸型２ローターモータの  S極マグネット部（２０２）接続した軸型２ローター���ータの S極磁極部軸（１４２）か、軸型２ローターモータの S極磁極部軸（１４２）の軸型２ローターモータの  S極マグネット部（２０２）を軸型２ローターモータの  N極マグネット部（203）変えて出来たのが軸型２ローターモータの  N極磁極部軸（143）になり、これにコイルを巻回したのが軸型２ローターモータの  S・N極磁極部（277・278）で、これに円筒形のコミテータ延長芯（650）と、S又はN磁コイル部用コミテータ部（379又は381と649と380又は382を接続したもの）を接続してできたローター部壱・弐（657・658）の部分と、軸型２ローターモータの弐マグネット部（478）の位置にステンレス製軸型２ローターモータの駆動部（483）と軸型２ローターモータの  S極磁極部（277）と軸型２ローターモータの  N極磁極部（278）の位置にバナジウム製軸型２ローターモータの駆動部（482）の素材でできた茶筒形状底部にマドラー先端部スプーン・スクリュー接続部（300）が付いたの軸型２ローターモータの  稼動管（209）にマドラー先端部交換式スプーン（104）又はマドラー先端部交換式スクリュー（117）を接続した軸型２ローターモータの稼動部（209に１０４か１１７を接続したもの）になる部分と、軸型２ローターモータの壱マグネット部（141）の左側N極と、S磁コイル部（277）の上側がN極で引き合い、それと同時に磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、上記の移動と同時に、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は受身（動かされる）の状態で２倍移動してから今度は逆にN磁コイル部（278）の可動により、反対側が同じ様に動く事で回転を作り出す稼動行程、これら全ての構造と機能を有する用途別蓋とマドラー動力部の攪拌器。
【請求項５】
前記の多目的軸型YU字軸モータの用途別攪拌器の冷却用マドラータイプに最適な軸型YU字軸モータ内臓ファン付きマドラータイプ攪拌器（127に54と117か104を接続したもの）の構造は、ケイ素鋼製のU字の軸部（250）にコイルを巻きつけて、その先端部に電磁鋼製のU字コイル部扇形状先端部（249）を取り付け、これをステンレス製のU字コイル固定部（255）に挟んで格納することで本体に固定し、そこからコイルの配線が軸型YU字軸モータのケース（462）の配線溝（168）を通り、スイッチの真上の頭頂部より外部に出て制御装置（50）に接続したU字コイル部（221）の第１ブロック（282）部分と、軸型YU字軸モータの可動管（232）に扇柱のマグネット部（505）を上下に挟み、それを固定するためのリング状のギアで歯が左に寝た形状のステンレス製のワンウェイギア左回転用（290）を磁石部本体中央に固定し、その位置にあたる本体側の面に軸型YU字軸モータのワンウェイギア用逆戻り防止つめ（234）を設け、先程の軸型YU字軸モータの磁石部（222）のワンウェイギア左回転用（290）のギア凸部に軸型２TWモータ磁石部受け（159）をセットした構造のスクリュー稼動時のロータである軸型YU字軸モータの磁石部（222）の第２ブロック（283）部分と、Y字軸部稼動軸口（297）の穴が中央に開いたケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻き、その後ろにワンウェイギア右回転用（247）とラチェット機構により一方向に回転するマグネット部のワンウェイギアマグネット部（506）とY字コイル部可動軸（245）順番に接続し、次にY字コイル部可動軸（245）にシングル用切り替えスイッチ（466）を通し、スライド半固定部（161）の突起先端シングル用切り替えスイッチ（466）受け形状により、スライド回転可能にした部分と、また先程のY字コイル部可動軸（245）にダブル用切り替えスイッチ（239）を通し、Wスイッチ半固定部（162）の突起先端ダブル用切り替えスイッチ（239）受け形状により、スライド可能にした部分と、つぎに接触金具部２枚部（414）と、接触金具部3枚部（413）をY字コイル部可動軸（245）の端に固定した部分と、接触金具部２枚部（414）の位置にリングの内側から伸びる板バネ・アーム・金属ブラシが順番に接続されたのが対角線上より伸びた構造のY字コイル部W用金属ブラシベースリング（135）と、接触金具部3枚部（413）の位置にリングの内側から伸びる板バネ・アーム・金属ブラシが順番に接続されたのが対角線上より伸びたのとそれより１段上からも同じ様に均等な位置３箇所から伸びたY字コイル部金属ブラシ3・２ベースリング（134） からなる部分と、 シングル巻線（467）の左右の配線がシングル用切り替えスイッチ（466）のスライド移動に関係なく接触通電可能と、シングル用切り替えスイッチ（466）のスライド移動により切り替え後シングル時のモータ制御配線（451）の時には接触通電可能なY字シングルコイル部金属ブラシ１からシングル巻線１（153）からY字シングルコイル部金属ブラシ（464）とY字シングルコイル部金属ブラシ２からシングル巻線２（152）からもう一方のシングル用切り替えスイッチ（466）へ行く配線部分と、これの相手方の接触金具部２枚部（414）の両���イドから市販のPICモータ制御装置（５０）へ伸びる制御装置から軸型YU字軸モータの２枚部コミテータ壱（118）と、制御装置から軸型YU字軸モータの２枚部コミテータ２（136）の部分と、ダブル巻線１（468）から（239）へ行く、左配線ダブル用切り替えスイッチ2からダブル巻線１（154）と、隣のダブル巻線２（103）への配線のWコイル間配線（461）と、その中間位置から接触金具部3枚部（413）へ伸びる軸型YU字軸モータの 3枚部コミテータ2からダブルコイル１と２間（114）と、ダブル巻線２（103）の右配線からダブル用切り替えスイッチ（239）のダブルスイッチ内外固定金具１（470）に伸びるダブル用切り替えスイッチ１からダブル巻線２（155）と、ダブル用切り替えスイッチ（239）のダブルスイッチ内外固定金具１（４７０）から接触金具部3枚部（４１３）一つへ行くTW3コミテータ1TOWS１軸型YU字軸モータの3枚部コミテータ１からダブル用切り替えスイッチ1（116）と、ダブル用切り替えスイッチ（239）のダブルスイッチ内外固定金具２（473）から別の接触金具部3枚部（413）へ行く軸型YU字軸モータの3枚部コミテータ3からダブル用切り替えスイッチ2（115）と、ダブルコイル部用金属ブラシ（291）のそれぞれ別に制御装置から軸型YU字軸モータの3枚部コミテータ１（111）・制御装置から軸型YU字軸モータの3枚部コミテータ2（112）・制御装置から軸型YU字軸モータの3枚部コミテータ3（113）３つ（50）へ行く部分と、ファン稼動時の接触ヘッド（465）の制御装置からファン稼動時の軸型YU字軸モータの金属ブラシ１（148）と、制御装置からファン稼動時の軸型YU字軸モータの金属ブラシ２（151）が市販のPICモータ制御装置（50）伸びるこれら全ての配線部分と、軸型YU字軸モータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）からなる部分と、軸型YU字軸モータの磁石部（２２２）の軸型YU字軸モータの可動管（232）に軸型YU字軸モータのシャフト（169）を接続し、軸型YU字軸モータのU字コイル磁極部（221）のU字磁極コア軸部稼動軸口（298）を通し本体軸型YU字軸モータのケース（462）の底部を蓋をするように軸型YU字軸モータの可動接続部（125）を回転可能に保持したものに（169）を接続した部分からなるこれら全ての構造と機能を有する用途別蓋とマドラー動力部の攪拌器。
【請求項６】
前記の多目的チェンジギアボックスは、円筒形の頭部に左側の傾斜を持つ山が１から十数個ある形状の傾斜面を内側に３０°〜９０°（179）と外側に９０°〜１５０°（155）の角度の範囲で何れかの角度に合わせて角度を保ちながら削って内側か外側に傾斜がついた左ヘッド（349）部分と、これと同形状で頭部に右側の傾斜を持つ山が１から十数個ある右ヘッド（352）部分と、両面ヘッド（346）は右２から数十ヘッド（352）と左２から数十ヘッド（349）の後部を左右対称の状態から９０°右回転した位置で、円柱形状にガイド受の四角い孔を開け、チェンジギア突起部（３５６）の付いた  スライドガイド受部両面ヘッド中部（364）を間に挟み接続してできた両面ヘッド（346）部分と、これを上部切り替えガイドの溝（１９３）か（１６６）か（１９４）の何れかの位置にチェンジギア突起部（３５６）合わせて移動可能に内蔵した部分と、円柱の中間が四角柱に形成されたチェンジギア稼動軸（363）と、長い円筒形のチェンジギアボックスケース（362）の底部に短い円筒形の下部切り替えガイド形成部用（189）と円筒形をチェンジギア突起部（356）より0.1ｍｍの圧さ分、左から右へカットと対抗面は右から左へカットしたものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９１）をチェンジギア突起部（356）より0.1ｍｍのスペースを空けた位置と、円筒形の上部切り替えガイド形成部用（371）突起部（356）より0.1ｍｍのスペースを空けた位置にそれぞれの（192）にイモネジ（445）で螺着したチェンジギアボックスケース本体（164）部分、これら全ての構造と機能を有する用途別蓋とマドラー動力部の攪拌器。
【請求項７】
前記の多目的振動を回転に変える発電機内臓動作確認用LED部（54）は、上記用途別攪拌器のマドラータイプの上部（128・127・357・677）やノーマルマドラーの上部（60・61）に接続して使用するマドラー先端部格納、振動を回転に変える発電機内臓動作確認用LED部（54）の仕組みは、まずは重力を回転に変えて、無限ループを自力で６０％以上稼動する装置の３連空車輪に前後左右上下の３つの微弱振動伝達器（1・31・32）を組み合わせたもので、集積可動発電機のこの大まかな構造は、ウイールシンカー（B）と、これを内蔵したウイールシンカー格納部（181）と、これを内蔵した芯内バランス調整器（690）と、これを内蔵した本体管（691）と、カウント・ギア（28）は、軸に螺旋状に２８０°から３３０°一周近く巻いた歯からなる部品と、ボールズチェーン（20）玉を被った大きい玉を半分挟むように歯と歯の間の谷の片側部分に玉をキャッチするための内側に曲面傾斜を付けたギアを傾斜のある面を向かい合わせに、間に固定小リング（196）を挟んで接続したボールズチェーン用ダブルギアと、（43）と、（E）と、玉状のものに軸を付け、次の玉を被う用に遊嵌したボールズチェーン（19）と、ハンドシェイクギアと、接続ギアと、外輪ギア（3）と、（15）と、（1）と、（5）と（6）と、（707）からなり、この稼動行程は、空車輪弐（12）の外輪ギア（3）による後半補助が終了後、（516）により、空車輪壱（11）の芯内バランス調整器（690）が垂直バランス移動状態（494）の時の芯内バランス調整器（690）が第一稼動として、芯内バランス調整器錘部A（383）が  第１垂直稼動の後、第二垂直稼動として、芯内バランス調整器中央部（384）が半分垂直降下しする15パーセント自力重量移動の前半可動と、空車輪弐（12）が（702）により、水平バランス稼動状態（498）の時にツイストと、ウイールシンカー稼動開始し、ツイストとウイールシンカー（39）の移動することで下に来た昇降バー（43）を回転させて、15パーセント移動を助けることで、前半補助が完了により、手前下の（E）が中央に移動完了し、（698又は699か700）により、空車輪参（113）垂直バランス稼動状態（497）の時から芯内バランス調整器の重さが２６.5：１０の割合で右に９０°回倒することで上に来た昇降バー（43）を回転させることで、15パーセント移動を助けると同時に上記第二垂直稼動として、芯内バランス調整器中央部（384）が残りの半分垂直降下し、15パーセント自力重量移動することで、後半移動と後半補助が完了する行程を次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で稼動し、次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で稼動し、第３稼動行程を完了することで、空車輪3（13）が垂直バランス稼動状態（497）の状態になり、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギアボ��クス（15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させるこれら全ての構造と機能を有する用途別蓋とマドラー動力部の攪拌器。
【請求項８】
前記の多目的ヒートモータ（343に54を接続したもの）は前記用途別攪拌器の低温加熱用マドラータイプに最適で、（54）をマドラー先端部に格納した、その下部の本体部分にヒートモータを格納しており、その構造は茶筒形状の筒の中に、きつく入る大きさの軸先端部の約３分の１とコイル巻き部を削り、さらに先端部の軸の中心から深さ１０ｍｍの位置からL字に貫通させた穴を空けたコイル部からの配線口（435）設けた形状の電磁鋼製のヒートモータ用先端扇柱形コイル部軸（394）部分と、その先端部の反対側の形状に別に削りだした形状の先端部扇柱形コイル部固定部（395）の中心にヒートモータ接続軸（634）を固定したヒートモータ連結軸部（345）と、その下部の方を茶筒形状のヒートモータコイル部格納カバー（369）と、これにコイル部（368）を格納し、その上からヒートモータ連結軸部（345）で蓋をするようにセットしできた下部本体（342）部分とヒートモータ用先端扇柱形コイル部軸（394）コイルを巻きコイルの両端をコイル部からの配線口（435）からヒートモータ接続軸（634）の中を通して配線２本出して、そこから其々２分割した片方ずつを一緒に配線孔（376）を別々に通り、ヒートモータ内側コイル接触ヘッド−極（431）とヒートモータ内側コイル接触ヘッド＋極（436）に結線したコイル部からの配線部分と、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にヒートモータスクリューブレード（344）を４枚つけたヒートモータスクリューケース（372）に格納してできたヒートモータローター部（391）と、円筒形の容器の底にHTM  コミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したもの上から二周り小さい筒状の側面に＋極のコイル部コミテータ片（389）と絶縁体コミテータ片（392）交互に3枚ずつ張り付けけた部分を上から接続した部分と、今度は逆に下から二周り小さい筒状の側面に−極のコイル部コミテータ片（388）と絶縁体コミテータ片（392）を交互に3枚ずつ張り付けた部分を下から接続した部分からなるものに、HTM  コミテータ軸（501）を下から接続固定したHTMリング付コミテータ軸（463）の部分をHTMローター部（391）の中心に接続してできた接続した図９―Dのヒートモータ稼動部（132）部分と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、また同形状でリングベースのブラシの位置による名称がaVの電流用＋極用ブラシ（339）と（338）である＋極用ブラシリングベース（475）と、また同形状でリングベースのブラシ��位置による名称がaV三倍の電流用−極用ブラシ（340）と（341）である−極用ブラシリングベース（476）と、また同形状でリングベースのブラシの位置による名称が内側コイル接触ヘッド−極（431）である内側コイル接触ヘッド−極リングベース（477）の各リングベース部と、筒状の上部に動作確認ランプ部接続部（299）と配線孔（167）を持つ蓋で閉じ、反対側の孔より2割奥の位置にヒートモータ連結軸部（345）接続用の孔の内周面に螺設部と配線孔（376）を2つ持つマグネット格納本体部連結軸固定部（398）と、各リングベース部を順番に接続固定し、その下に扇形状のマグネット（37）極性を変えて対角線上に配置し、円形を形成するように樹脂で固めたヒートモータ用マグネット部（348）を固定したのが上部本体（347）の部分と、上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続されるこれら全ての構造と機能を有する用途別蓋とマドラー動力部の攪拌器。
【手続補正３】
【補正対象書類名】図面
【補正対象項目名】全図
【補正方法】変更
【補正の内容】
【図１ａ】
0003188223.tif 000071
【図１ｂ】
0003188223.tif 000072
【図１ｃ】
0003188223.tif 000073
【図１ｄ】
0003188223.tif 000074
【図２ａ】
0003188223.tif 000075
【図２ｂ】
0003188223.tif 000076
【図２ｃ】
0003188223.tif 000077
【図２ｄ】
0003188223.tif 000078
【図２ｅ】
0003188223.tif 000079
【図３ａ】
0003188223.tif 000080
【図３ｂ】
0003188223.tif 000081
【図３ｃ】
0003188223.tif 000082
【図３ｄ】
0003188223.tif 000083
【図３ｅ】
0003188223.tif 000084
【図４ａ】
0003188223.tif 000085
【図４ｂ】
0003188223.tif 000086
【図４ｃ】
0003188223.tif 000087
【図４ｄ】
0003188223.tif 000088
【図４ｅ】
0003188223.tif 000089
【図４ｆ】
0003188223.tif 000090
【図４ｇ】
0003188223.tif 000091
【図５ａ】
0003188223.tif 000092
【図５ｂ】
0003188223.tif 000093
【図５ｃ】
0003188223.tif 000094
【図５ｄ】
0003188223.tif 000095
【図５ｅ】
0003188223.tif 000096
【図５ｆ】
0003188223.tif 000097
【図５ｇ】
0003188223.tif 000098
【図５ｈ】
0003188223.tif 000099
【図６ａ】
0003188223.tif 000100
【図６ｂ】
0003188223.tif 000101
【図６ｃ】
0003188223.tif 000102
【図６ｄ】
0003188223.tif 000103
【図６ｅ】
0003188223.tif 000104
【図６ｆ】
0003188223.tif 000105
【図６ｇ】
0003188223.tif 000106
【図６ｈ】
0003188223.tif 000107
【図７ａ】
0003188223.tif 000108
【図７ｂ】
0003188223.tif 000109
【図７ｃ】
0003188223.tif 000110
【図８ａ】
0003188223.tif 000111
【図８ｂ】
0003188223.tif 000112
【図８ｃ】
0003188223.tif 000113
【図８ｄ】
0003188223.tif 000114
【図８ｅ】
0003188223.tif 000115
【図８ｆ】
0003188223.tif 000116
【図８ｇ】
0003188223.tif 000117
【図８ｈ】
0003188223.tif 000118
【図８ｉ】
0003188223.tif 000119
【図８ｊ】
0003188223.tif 000120
【図８ｋ】
0003188223.tif 000121
【図８ｌ】
0003188223.tif 000122
【図８ｍ】
0003188223.tif 000123
【図８ｎ】
0003188223.tif 000124
【図８ｏ】
0003188223.tif 000125
【図８ｐ】
0003188223.tif 000126
【図８ｑ】
0003188223.tif 000127
【図８ｒ】
0003188223.tif 000128
【図８ｓ】
0003188223.tif 000129
【図８ｔ】
0003188223.tif 000130
【図８ｕ】
0003188223.tif 000131
【図９ａ】
0003188223.tif 000132
【図９ｂ】
0003188223.tif 000133
【図９ｃ】
0003188223.tif 000134
【図９ｄ】
0003188223.tif 000135
【図９ｅ】
0003188223.tif 000136
【図９ｆ】
0003188223.tif 000137
【図９ｇ】
0003188223.tif 000138
【手続補正書】
【提出日】平成25年7月23日(2013.7.23)
【手続補正１】
【補正対象書類名】明細書
【補正対象項目名】全文
【補正方法】変更
【補正の内容】
【考案の詳細な説明】
【技術分野】
【０００１】
本考案は、多目的発動機と多目的伝動部品を有する攪拌器に関するものであり、従来のものと違い複数個を一度に扱うのではなく、個別に使えるように蓋タイプ(多目的平型モータと多目的平型蒸気モータ)と、マドラータイプ（多目的軸型1 ASCモータと多目的軸型2 TWモータ）によるタイプ別の構造で、また用途別に説明すると、５０°以下使用の蓋タイプ平型モータ攪拌器（51に61とノーマルマドラーをセットしたもの）と、マドラータイプ軸型１ASCモータ攪拌器（128に54と117か104を接続したもの）  で、加熱用には蓋タイプ平型エアモータ攪拌器（51に60とノーマルマドラーをセットしたもの）で    、冷却攪拌には、マドラータイプ軸型2TWモーターファン付き攪拌器（127に54と117か104を接続したもの）とヒートモータとモータとチェンジギアボックス内蔵のファン＆スクリューの攪拌器、とこれら動力部の多用途モーター・多用途発動機及び多用途伝動部品の多目的振動を回転に変える発電機内臓の動作確認用LED部を使用するこれらを小型化し、しかも多機能化した用途別蓋付き攪拌器に関する。
【背景技術】
【０００２】
従来の参考資料が無いため現在市販されているマグネチックスターラーや振とう器などは本体台座の上に複数個乗せて使用するもので、最近では６・８連式のサイズもあり、さらにヒーターとタイマーに加え、回転性能などにより高価なものであり、そこで用途に合わせたモータやエアモータの構造にすることで、コンパクトで低価格を目指した。
【０００３】
またエアモータにおいてはローター部の軸にブレードの一部が格納される構造のものが本体の回転軸を偏心させてることでブレードにより、６つの部屋が出来、これらのうちの狭い部屋で吸気し広い部屋で排気することを繰り返すことで、回転を作っていた。こうした構造では、縦横に形状を変えるのには限界がある構造が従来から知られている。
【０００４】
また従来のモータにおいては、磁極コアの数を増やしたものやローダー部が逆になる構造が従来から知られている。
【０００５】
また従来の小型モータにおいては用途に応じてパワーを犠牲にして、小さくしたものが従来から知られている。
【考案の概要】
【考案が解決しようとする課題】
【０００６】
従来のマグネチックスターラーや振とう器などは状況によっては過熱するか、しないか分けて使用する際に１つのビーカーが贅沢に独占することもしばしばで、またヒーターとタイマー機能や回転性能などに加え、台の大きさによるビーカーのサイズや数により、大型で重くなった装置を持ち出すのは容易ではないし、専用の蓋が無いため食品や薬品にとっては不衛生で、異物の混入可能性もあるので問題であり、本発明は、これらの従来技術の問題点を解決し、利便性を向上させ、高額商品を安く提供することを課題とする。
【０００７】
そこで、上記課題を解決するため、単体で用途別攪拌器を開発することになり、まず通常使用は蓋に動力部を設けた蓋タイプには平たい円柱型の形状にし、その際に犠牲になったパワーを重視したければ着脱可能な延長マグネット部を使用することで補える多目的平型モータ（61）が最適で、これを蓋の取っ手部に動力部として内蔵し、その中央に専用のマドラー（46に54と117か104を接続したもの）を高さ調整し、セットして使用するもので、大変便利だが過熱には不向きであった。
【０００８】
そこで、次に加熱しながらの攪拌には上記蓋タイプの平型モータ攪拌器（51に61をセットしたもの）ではモータが過熱して危険なため、今度は逆に過熱沸騰させて、その時発生する蒸気で稼動する、蓋タイプの取っ手部に動力部には内側回転子と羽根案内リングと羽根と外側回転子が縦方向に配置する事で、平たい円柱型の多目的平型蒸気モータ（60）でき、これに専用のマドラー（46に54と117か104を接続したもの）をセットして使うエコ攪拌器を開発した。
【０００９】
次に上記とは逆に冷やすタイプはできないかということでできたのが、軸型２TWモーター内臓ファン付きマドラータイプ攪拌器（127に54と117か104を接続したもの）だ。
【００１０】
上記の攪拌よりも簡単な構造にするため小型モータ（358）にチェンジギアボックス（357）を使った小型モータとチェンジギアボックス内蔵のファン＆スクリューの攪拌器（54と358と357を接続したものに117か104を更に接続したもの）ができた。
【００１１】
さらに便利さを追求するため小型化を目指して開発されたのが、軸型１ASCモータ内臓マドラータイプ攪拌器（128に54と117か104を接続したもの）だが小型化に重点が置かれパワーが小さいのが難点だった。
【００１２】
また、稼動確認のため、各マドラーにモータ等の微弱振動を回転に変える発電機内臓LED（54）を点灯させることで、稼動確認することが出来、電池切れや故障発生などが一目で分かるようにした。
【課題を解決するための手段】
【００１３】
上記目的を達成するために請求項１記載の発明は、用途別攪拌器の基本構造として、円盤形状のものに、ビーカーの口のサイズ別に３０ｍｌから２００ｍｌ（122・121・124・123）までの溝と、交換取手部接続溝（317）と、その中心にマドラー用貫通口（318）と、ボタン電池の格納部（365）と、交換取手部接続溝（317）の上の方にプラス極電極板（３５４）と、下の方にマイナス極電極板（355）と、プッシュスイッチ（５５）を備えたオールアルミ製やオールプラスチック製などからなる蓋（５１）部分と、これを接続する、取っ手部ケース（６３６）にマドラーストッパー孔の付いたノーマル用ゴム製取っ手（６３７）を格納したノーマル取手部（48）部分と、これと交換できる蓋に動力を設けた多目的平型モータ（61）と、多目的蒸気モータ（60）の蓋タイプと、着脱式頭頂部振動発電による動作確認ランプ部（54）の構造を備えた部分と、交換式先端部スプーン（104）・スクリュー（117）の回転先端部と、その間をノーマルマドラー支柱（46）と、動力内臓本体の多目的軸型２ローターモータ内蔵動力部本体（１２８）と、多目的軸型YU字軸モータ内蔵ファン付き動力部本体（127）と、多目的ヒートモータ（677）で繋いだマドラータイプやノーマルマドラーからなるものの構造を備えた部分と小型モータの左右の回転でスクリューかファンを切替機構のチェンジギアと、マドラータイプを好みの高さに緩嵌して使う両端に接続孔を持つ、ダブル攪拌用アダプター（１１９）と、三〇〇ｍｌ用蓋のアダプター（62）を組み合わせて使う、これらすべてを有する用途別蓋付き攪拌器。
【００１４】
蓋動力部の多目的平型モータ（６３９）は、従来のモータのシャフト部を円筒形のシャフト管内部ゴム加工（９４）の内側表面ゴム加工した部分と、コア本体部である（８９）にケイ素鋼製の平型モーターコイル部軸上先端部（171）３個と、平たい穴の開いた円柱形のケイ素鋼製の平型モータコイル部軸中央先端部（172）を置いた部分と、電磁鋼製の扇形状延長板（８８）の３つを螺設してできたHMコイル部延長部付き軸（３２４）と、本体着脱の平型モータマグネット蓋（91）に内装した平型モータ用マグネット部（８６）を特徴とするこれら全ての構造と機能を有する用途別蓋付き攪拌器。
【００１５】
蓋動力部の多目的平型エアモータ（６５９）は、まずはヘッド板（75〜82）の厚みの細い方のA角部では厚さが２mmで、反対側の厚さが５mmの二等辺三角形状で、横のサイズが全て１．５ｃｍで、縦が０．５ｃｍから０．０１ｃｍずつ長さを足していき、一番大きいサイズが、縦０．８ｃｍで各サイズ３０個が２枚ずつあり、これを筒状の平型蒸気モータヘッド固定管（319）を中心に厚みがA角の細くなつた部分を寄せて上部を溶接加工して出来た形状が平型蒸気モータ蒸気室用ヘッド（67）の形状を備えた部分と、これを円筒形状の平型蒸気モータヘッド外カバー（４０３）に平型蒸気モータ蒸気室用ヘッド（67）の  底部まで入れて圧着し、これに上記平型蒸気モータヘッド外カバー（４０３）より一回り大きい円柱の容器形状の上部に平型蒸気モータヘッド固定管（319）用の孔の開いた部分を持つ
多目的平型エアモータケース（６６）に平型蒸気モータヘッド外カバー（４０３）付き平型蒸気モータ蒸気室用ヘッド（67）を底部まで入れて圧着したものに、平型蒸気モータの蒸気室用ヘッドの山部の高さ０．８ｃｍ（７３）の位置に吸気口（６４）である平型蒸気モータヘッド外カバー（４０３）と多目的平型エアモータケース（６６）の左横に貫通口を設け、その反対側の平型蒸気モータの蒸気室用ヘッドの谷部の高さ０．５ｃｍ（７１）の排気口（６３）の位置に平型蒸気モータヘッド外カバー（４０３）の右横に貫通口を設け、更に多目的平型エアモータケース（６６）の横から入り中腹で真下の底部まで欠削して貫設した多目的平型エアモータケース（６６）の中に配管ができ、これらを固定するために、エアモータケース（６６）横にあるイモネジ用の穴（192）に、イモネジ（445）で螺着してできた本体部と、つぎにローター部の構造として、円盤形状に平型蒸気モータシャフト管（65）の孔の開いた平型蒸気モーターローター底ベース（４１５）と、板バネ（７４）をビス（４５５）で固定して出来たのが、 平型蒸気モータのーローター部台座（４５４）で、これの中央の穴から０．５ｍｍ突き出る様に平型蒸気モータシャフト管（６５）さして固定したものに、筒型の横にブレード（６９）用の溝か切られた平型蒸気モーターブレードガイド軸（４５３）を平型蒸気モータシャフト管（６５）に通したこれら３つの付け根を溶接で固定し、これの上から円盤の中心に平型蒸気モータシャフト管（65）の穴と平型蒸気モーター蒸気室用ブレード（69）用の穴が開いた形状の蓮根型プレート（68）を平型蒸気モータシャフト管（６５）に通し、平型蒸気モーターブレードガイド軸（４５３）の頭頂部に固定して出来たのが、ローター固定部で、これに平型蒸気モーター蒸気室用ブレード（69）
を１２枚差し込んだのがローター部で、これを上記本体部に格納し、取っ手部内蔵平型蒸気モータカバー（６６）の底部内周面に螺設した内螺子（294）に、取っ手部内蔵平型蒸気モータカバー（６６）の外周面に螺設した外螺子（336）で蓋をしたこれら全ての構造と機能を有する用途別蓋付き攪拌器。
【００１６】
マドラー動力部の多目的軸型２ローターモータ（１２８のマドラー先端部スプーン・スクリュー接続部なし）は、まず軸型２ローターモーター蓋固定部（484）は、円筒形の片側を蓋で閉じた部分に螺設した突起部が外螺子部である動作確認ランプ部接続部（299）になる部分と、
管材形状のものの内側右から軸型２ローターモータ用ブラシアーム（647）と＋極軸型２ローターモーター金属ブラシ（377）が順番に接続された部分と、反対側の一段下の位置から軸型２ローターモータ用ブラシアーム（647）と−極軸型２ローターモーター 金属ブラシ（378）の順番に接続したブラシベース固定管（646）部分と、円形の両端に極性の違う扇状の磁石部を設け、その隙間を樹脂で固めた軸型２ローターモーター壱マグネット部（141）と、同じもので反対向きに配置される軸型２ローターモータの弐マグネット部（478）の２つの部品と、コミテータ芯管（６４８）の上部にコミテータ片（３３０）１枚と絶縁体片（２５２）２枚を接続したN・S＋極軸型２ローターモータの コミテータ部（３７９・３８１）と、もう一つのコミテータ芯管（６４８）の下部にコミテータ片（３３０）１枚と絶縁体片（２５２）２枚を接続したN・S−極軸型２ローターモータの  コミテータ部（３８０・３８２）と、N＋極軸型２ローターモータの コミテータ部（３７９）とコミテータ芯固定部（６４９）を間にN−極軸型２ローターモータの  コミテータ部（３８０）を挟んで出来たN磁コイル部用コミテータ部と、S＋極軸型２ローターモータの コミテータ部（３８１）とコミテータ芯固定部（６４９）を間にS−極軸型２ローターモータのコミテータ部（３８２）を挟んで出来たS磁コイル部用コミテータ部分と、内側中心に軸型２ローターモータの  本体軸（206）を軸止し、この軸を通して軸型２ローターモータの蓋固定部（484）の筒の中に圧着したブラシベース固定管（646）と、これに蓋をする様に軸よりも大きい孔を持つ軸型２ローターモータの壱マグネット部（141）通して、ブラシベース固定管（646）に固定した第一ローター部のコミテータ格納部と、軸型２ローターモータの  本体軸（206）用の孔の開いた円盤状の固定板（645）を底部としてと、ブラシベース固定管（646）を固定し、上からは軸型２ローターモータの弐マグネット部（478）で蓋をするように固定して出来た第２ローター部で、これのコミテータ格納部の軸型２ローターモータの弐マグネット部（478）の方から通し、固定板（645）の中央の孔から０.5ｍｍ突出させて固定して出来たのが本体である軸型２ローターモータの  固定部（306）部分と、N又はS＋極軸型２ローターモータの コミテータ部（３７９又は３８１）と、N又はS−極軸型２ローターモータの  コミテータ部（３８０又は３８２）がコイル部の配線部分と、第一又は二ローター部のコミテータ格納部の、＋極軸型２ローターモーター金属ブラシ（377）と−極軸型２ローターモーター 金属ブラシ（378）は市販のPICモータ制御装置（50）と、配線が繋がっている配線部分と、円筒形電磁鋼製の軸型２ローターモータの  磁極コア部軸管（２０８）の上部を軸に描く円の７０°から１１５°の角度からなる扇形状の軸型２ローターモータの  磁極コア軸先端部（２０７）を、軸型２ローターモータの  磁極コア部軸管（２０８）上下部に平行配置固定し、その内の上部軸型２ローターモータの  磁極コア軸先端部（２０７）の右横に同じ軸型２ローターモータの  磁極コア軸先端部（２０７）と、その上部に同じ形状の軸型２ローターモータの  S極マグネット部（２０２）接続した軸型２ローターモータの S極磁極部軸（１��２）か、軸型２ローターモータの S極磁極部軸（１４２）の軸型２ローターモータの  S極マグネット部（２０２）を軸型２ローターモータの  N極マグネット部（203）変えて出来たのが軸型２ローターモータの  N極磁極部軸（143）になり、これにコイルを巻回したのが軸型２ローターモータの  S・N極磁極部（277・278）で、これに円筒形のコミテータ延長芯（650）と、S又はN磁コイル部用コミテータ部（379又は381と649と380又は382を接続したもの）を接続してできたローター部壱・弐（657・658）の部分と、軸型２ローターモータの弐マグネット部（478）の位置にステンレス製軸型２ローターモータの駆動部（483）と軸型２ローターモータの  S極磁極部（277）と軸型２ローターモータの  N極磁極部（278）の位置にバナジウム製軸型２ローターモータの駆動部（482）の素材でできた茶筒形状底部にマドラー先端部スプーン・スクリュー接続部（300）が付いたの軸型２ローターモータの  稼動管（209）にマドラー先端部交換式スプーン（104）又はマドラー先端部交換式スクリュー（117）を接続した軸型２ローターモータの稼動部（209に１０４か１１７を接続したもの）になる部分と、軸型２ローターモータの壱マグネット部（141）の左側N極と、S磁コイル部（277）の上側がN極で引き合い、それと同時に磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、次に、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は２倍移動して受身（動かされる）の状態から今度は逆にN磁コイル部（278）の可動により、反対側が同じ様に動く事で回転を作り出す稼動行程、これら全ての構造と機能を有する用途別蓋付き攪拌器。
【００１７】
マドラー動力部の多目的軸型YU字軸モータ内蔵用途別攪拌器の冷却用マドラータイプに最適な軸型YU字軸モータ内臓ファン付きマドラータイプ攪拌器（127に54と117か104を接続したもの）の構造は、ケイ素鋼製のU字の軸部（250）にコイルを巻きつけて、その先端部に電磁鋼製のU字コイル部扇形状先端部（249）を取り付け、これをステンレス製のU字コイル固定部（255）に挟んで格納することで本体に固定し、そこからコイルの配線が軸型YU字軸モータのケース（462）の配線溝（168）を通り、スイッチの真上の頭頂部より外部に出て制御装置（50）に接続したU字コイル部（221）の第１ブロック（282）部分と、軸型YU字軸モータの可動管（232）に扇柱のマグネット部（505）を上下に挟み、それを固定するためのリング状のギアで歯が左に寝た形状のステンレス製のワンウェイギア左回転用（290）を磁石部本体中央に固定し、その位置に本体側の面に軸型YU字軸モータのワンウェイギア用逆戻り防止つめ（234）を設け、先程の軸型YU字軸モータの磁石部（222）の軸型２TWモータ磁石部の稼動用溝（461）に軸型２TWモータ磁石部受け（463）をセットした構造のスクリュー稼動時のロータである軸型YU字軸モータの磁石部（222）の第２ブロック（283）部分と、Y字軸部稼動軸口（297）の穴が中央に開いたケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻き、その後ろにワンウェイギア右回転用（247）とラチェット機構により一方向に回転するマグネット部のワンウェイギアマグネット部（506）とY字コイル部可動軸（245）順番に接続し、次にY字コイル部可動軸（245）にシングル用切り替えスイッチ（466）を通し、スライド半固定部（161）の突起先端シングル用切り替えスイッチ（466）受け形状により、スライド回転可能にした部分と、また先程のY字コイル部可動軸（245）にダブル用切り替えスイッチ（239）を通し、Wスイッチ半固定部（162）の突起先端ダブル用切り替えスイッチ（239）受け形状により、スライド可能にした部分と、つぎに接触金具部２枚部（414）と、接触金具部3枚部（413）をY字コイル部可動軸（245）の端に固定した部分と、接触金具部２枚部（414）の位置にリングの内側から伸びる板バネ・アーム・金属ブラシが順番に接続されたのが対角線上より伸びた構造のY字コイル部W用金属ブラシベースリング（135）と、接触金具部3枚部（413）の位置にリングの内側から伸びる板バネ・アーム・金属ブラシが順番に接続されたのが対角線上より伸びたのとそれより１段上からも同じ様に均等な位置３箇所から伸びたY字コイル部金属ブラシ3・２ベースリング（134） からなる部分と、 シングル巻線（467）の左右の配線がシングル用切り替えスイッチ（466）のスライド移動に関係なく接触通電可能と、シングル用切り替えスイッチ（466）のスライド移動により切り替え後シングル時のモータ制御配線（451）の時には接触通電可能なY字シングルコイル部金属ブラシ１からシングル巻線１（153）からY字シングルコイル部金属ブラシ（464）とY字シングルコイル部金属ブラシ２からシングル巻線２（152）からもう一方のシングル用切り替えスイッチ（466）へ行く配線と、これの相手方の接触金具部２枚部（414）の両��イドから市販のPICモータ制御装置（５０）へ伸びる制御装置から軸型YU字軸モータの２枚部コミテータ壱（118）制御装置から軸型YU字軸モータの２枚部コミテータ２（136）と、ダブル巻線１（468）左配線ダブル用切り替えスイッチ2からダブル巻線１（154）と、隣のダブル巻線２（103）への配線のWコイル間配線（461）と、その中間位置からダブルコイル部用金属ブラシ（291）へ伸びる軸型YU字軸モータの 3枚部コミテータ2からダブルコイル１と２間（114）と、ダブル巻線２（103）の右配線からダブル用切り替えスイッチ（239）のダブルスイッチ内外固定金具１（470）に伸びるダブル用切り替えスイッチ１からダブル巻線２（155）と、ダブル用切り替えスイッチ（239）のダブルスイッチ内外固定金具１（４７０）から接触金具部3枚部（４１３）一つへ行く軸型YU字軸モータの3枚部コミテータ１からダブル用切り替えスイッチ1（116）と、ダブル用切り替えスイッチ（239）のダブルスイッチ内外固定金具２（473）から別の接触金具部3枚部（413）へ行く軸型YU字軸モータの3枚部コミテータ3からダブル用切り替えスイッチ2（115）と、ダブルコイル部用金属ブラシ（291）のそれぞれ別に制御装置から軸型YU字軸モータの3枚部コミテータ１（111）・制御装置から軸型YU字軸モータの3枚部コミテータ2（112）・制御装置から軸型YU字軸モータの3枚部コミテータ3（113）３つと、ファン稼動時の接触ヘッド（465）の制御装置からファン稼動時の軸型YU字軸モータの金属ブラシ１（148）制御装置からファン稼動時の軸型YU字軸モータの金属ブラシ２（151）が市販のPICモータ制御装置（50）伸びるこれら全ての配線部分と、軸型YU字軸モータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）からなる部分と、軸型YU字軸モータの磁石部（２２２）の軸型YU字軸モータの可動管（232）に軸型YU字軸モータのシャフト（169）を接続し、軸型YU字軸モータのワンウェイギア用逆戻り防止つめ（234）のU字磁極コア軸部稼動軸口（298）を通し本体軸型YU字軸モータのケース（462）の底部を蓋をするように軸型YU字軸モータの可動接続部（125）を回転可能に保持した部分からなるこれら全ての構造と機能を有する用途別蓋とマドラー動力部の攪拌器。
【００１８】
マドラー動力部の多目的チェンジギアボックス（357）は、円筒形の頭部に左側の傾斜を持つ山が１から十数個ある形状の傾斜面を内側に３０°〜９０°（179）と外側に９０°〜１５０°（155）の角度の範囲で何れかの角度に合わせて角度を保ちながら削って内側か外側に傾斜がついた左ヘッド（349）部分と、これと同形状で頭部に右側の傾斜を持つ山が１から十数個ある右ヘッド（352）部分と、両面ヘッド（364）は右２から数十ヘッド（352）と左２から数十ヘッド（349）の後部を左右対称の状態から９０°右回転した位置で、円柱形状にガイド受の四角い孔を開け、チェンジギア突起部（３５６）の付いた  スライドガイド受部両面ヘッド中部（346）を間に挟み接続してできた両面ヘッド（364）部分と、これを上部切り替えガイドの溝（１９３）か（１６６）か（１９４）の何れかの位置にチェンジギア突起部（３５６）合わせて移動可能に内蔵した部分と、円柱の中間が四角柱に形成されたチェンジギア稼動軸（363）と、長い円筒形のチェンジギアボックスケース（362）の底部に短い円筒形の下部切り替えガイド形成部用（189）と円筒形をチェンジギア突起部（356）より0.1ｍｍの圧さ分、左から右へカットと対抗面は右から左へカットしたものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９１）をチェンジギア突起部（356）より0.1ｍｍのスペースを空けた位置と、円筒形の上部切り替えガイド形成部用（371）突起部（356）より0.1ｍｍのスペースを空けた位置にそれぞれの（192）にイモネジ（445）で螺着したチェンジギアボックスケース本体（164）部分、これら全ての構造と機能を有する用途別蓋付き攪拌器。
【００１９】
多目的振動を回転に変える発電機内臓動作確認用LED部（54）は、上記用途別攪拌器のマドラータイプの上部（128・127・357・677）やノーマルマドラーの上部（60・61）に接続して使用するマドラー先端部格納、振動を回転に変える発電機内臓動作確認用LED部（54）の仕組みは、まずは重力を回転に変えて、無限ループを自力で６０％以上稼動する装置の３連空車輪に前後左右上下の３つの微弱振動伝達器（1・31・32）を組み合わせたもので、集積可動発電機のこの大まかな構造は、ウイールシンカー（B）と、これを内蔵したウイールシンカー格納部（181）と、これを内蔵した芯内バランス調整器（690）と、これを内蔵した本体管（691）と、カウント・ギア（28）は、軸に螺旋状に２８０°から３３０°一周近く巻いた歯からなる部品と、ボールズチェーン（20）玉を被った大きい玉を半分挟むように歯と歯の間の谷の片側部分に玉をキャッチするための内側に曲面傾斜を付けたギアを傾斜のある面を向かい合わせに、間に固定小リング（196）を挟んで接続したボールズチェーン用ダブルギアと、（43）と、（E）と、玉状のものに軸を付け、次の玉を被う用に遊嵌したボールズチェーン（19）と、ハンドシェイクギアと、接続ギアと、外輪ギア（3）と、（15）と、（1）と、（5）と（6）と、（707）からなり、この稼動行程は、空車輪弐（12）の外輪ギア（3）による後半補助が終了後、（516）により、空車輪壱（11）の芯内バランス調整器（690）が垂直バランス移動状態（494）の時の芯内バランス調整器（690）が第一稼動として、芯内バランス調整器錘部A（383）が  第１垂直稼動の後、第二垂直稼動として、芯内バランス調整器中央部（384）が半分垂直降下しする15パーセント自力重量移動の前半可動と、空車輪弐（12）が（702）により、水平バランス稼動状態（498）の時にツイストと、ウイールシンカー稼動開始し、ツイストとウイールシンカー（39）の移動することで下に来た昇降バー（43）を回転させて、15パーセント移動を助けることで、前半補助が完了により、手前下の（E）が中央に移動完了し、（698又は699か700）により、空車輪参（113）垂直バランス稼動状態（497）の時から芯内バランス調整器の重さが２６.5：１０の割合で右に９０°回倒することで上に来た昇降バー（43）を回転させることで、15パーセント移動を助けると同時に上記第二垂直稼動として、芯内バランス調整器中央部（384）が残りの半分垂直降下し、15パーセント自力重量移動することで、後半移動と後半補助が完了する行程を次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で稼動し、次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で稼動し、第３稼動行程を完了することで、空車輪3（13）が垂直バランス稼動状態（497）の状態になり、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギアボックス��15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させるこれら全ての構造と機能を有する用途別蓋付き攪拌器。
【００２０】
マドラー動力部の多目的ヒートモータ（343に54を接続したもの）は前記用途別攪拌器の低温加熱用マドラータイプに最適で、（54）をマドラー先端部に格納した、その下部の本体部分にヒートモータを格納しており、その構造は茶筒形状の筒の中に、きつく入る大きさの軸先端部の約３分の１とコイル巻き部を削り、さらに先端部の軸の中心から深さ１０ｍｍの位置からL字に貫通させた穴を空けたコイル部からの配線口（435）設けた形状の電磁鋼製のヒートモータ用先端扇柱形コイル部軸（394）部分と、その先端部の反対側の形状に別に削りだした形状の先端部扇柱形コイル部固定部（395）の中心にヒートモータ接続軸（634）を固定したヒートモータ連結軸部（345）と、その下部の方を茶筒形状のヒートモータコイル部格納カバー（369）と、これにコイル部（368）を格納し、その上からヒートモータ連結軸部（345）で蓋をするようにセットしできた下部本体（342）部分とヒートモータ用先端扇柱形コイル部軸（394）コイルを巻きコイルの両端をコイル部からの配線口（435）からヒートモータ接続軸（634）の中を通して配線２本出して、そこから其々２分割した片方ずつを一緒に配線孔（376）を別々に通り、ヒートモータ内側コイル接触ヘッド−極（431）とヒートモータ内側コイル接触ヘッド＋極（436）に結線したコイル部からの配線部分と、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にヒートモータスクリューブレード（344）を４枚つけたヒートモータスクリューケース（372）に格納してできたヒートモータローター部（391）と、筒状の軸（501）の上部に＋極のコイル部コミテータ片（389）と絶縁体コミテータ片（392）交互に3枚ずつ張り付けけたものと、2ミリ間隔を開けて−極のコイル部コミテータ片（388）と絶縁体コミテータ片（392）を交互に3枚ずつ張り付けたものと、円筒形の容器の底にヒートモータコミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したものを先程のヒートモータコミテータ軸（501）の2ミリ間隔を開けた位置に固定したヒートモータリング付コミテータ軸（463）の部分を先程のヒートモータローター部（391）の上部の磁力伝達部固定部（396）に、ヒートモータリング付コミテータ軸（463）の下部を接続したヒートモータ稼動部（132）部分と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、また同形状でリングベースのブラシの位置による名称がaVの電流用＋極用ブラシ（339）と（338）である＋極用ブラシリングベース（475）と、また同形状でリングベースのブラシの位置による名称がaV三倍の電流用−極用ブラシ（340）と（341）である−極用ブラシリングベース（476）と、また同形状でリングベースのブラシの位置による名称が内側コイル接触ヘッド−極（431）である内側コイル接触ヘッド−極リングベース（477）の各リングベース部と、筒状の上部に動作確認ランプ部接続部（299）と配線孔（167）を持つ蓋で閉じ、反対側の孔より2割奥の位置にヒートモータ連結軸部（345）接続用の孔の内周面に螺設部と配線孔（376）を2つ持つマグネット格納本体部連結軸固定部（398）と、各リングベース部を順番に接続固定し、その下に扇形状のマグネット（37）極性を変えて対角線上に配置し、円形を形成するように樹脂で固めたヒートモータ用マグネット部（348）を固定したのが上部本体（347）の部分と、上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続されるこれら全ての構造と機能を有する用途別蓋付き攪拌器。
【図面の簡単な説明】
【００２１】
【図１ａ】用途別攪拌器の蓋タイプとマドラータイプとモータ制御装置の全体図
【図１ｂ】図１aの蓋タイプ攪拌器の斜視図
【図１ｃ】図１aの多目的ヒートモータ攪拌器と、軸型２Wモータ内臓ファン付きマドラータイプ攪拌器の断面図
【図１ｄ】図１aの軸型１ASCモータ内臓マドラータイプ攪拌器と、ノーマルモータとチェンジギアボックス内蔵のファン＆スクリューの攪拌器の斜視図
【図２ａ】多目的平型モータの斜視図
【図２ｂ】多目的平型モータの部品の斜視図
【図２ｃ】多目的平型モータの横断面図
【図２ｄ】多目的平型モータの縦断面図
【図２ｅ】多目的平型モータの部品6面図
【図３ａ】多目的平型エアーモータの本体と回転部の縦断面図
【図３ｂ】多目的平型エアーモータの横断面図
【図３ｃ】多目的平型エアーモータの部品図
【図３ｄ】多目的平型エアーモータのVAヘッド図
【図３ｅ】多目的平型エアーモータの斜視図
【図４ａ】多目的軸型1 ASCモータの斜視図
【図４ｂ】多目的軸型1 ASCモータの縦断面図
【図４ｃ】多目的軸型1 ASCモータの部品図
【図４ｄ】多目的軸型1 ASCモータのロータ１・２の断面図
【図４ｅ】多目的軸型1 ASCモータの稼動行程の断面図１
【図４ｆ】多目的軸型1 ASCモータの稼動行程の断面図２
【図４ｇ】多目的軸型1 ASCモータの概略稼動行程の斜視図
【図５ａ】多目的軸型2 TWモータの斜視図
【図５ｂ】多目的軸型2 TWモータの断面図
【図５ｃ】多目的軸型2 TWモータのコミテータ付近の断面図
【図５ｄ】多目的軸型2 TWモータの部品図
【図５ｅ】多目的軸型2 TWモータの分解斜視図
【図５ｆ】多目的軸型2 TWモータの稼動行程の図
【図５ｇ】多目的軸型2 TWモータの配線斜視図
【図５ｈ】多目的軸型2 TWモータの配線断面図
【図６ａ】ノーマルモータと多目的チェンジギアボックス内蔵のファン＆スクリュー攪拌器の断面図
【図６ｂ】ノーマルモータと多目的チェンジギアボックス内蔵のファン＆スクリュー攪拌器の斜視図
【図６ｃ】ノーマルモータと多目的チェンジギアボックス内蔵のファン＆スクリュー攪拌器のスクリュー部図
【図６ｄ】ノーマルモータと多目的チェンジギアボックス内蔵のファン＆スクリュー攪拌器の部品図
【図６ｅ】ノーマルモータと多目的チェンジギアボックス内蔵のファン＆スクリュー攪拌器の組み立て斜視図
【図６ｆ】ノーマルモータと多目的チェンジギアボックス内蔵のファン＆スクリュー攪拌器のヘッド形状図
【図６ｇ】ノーマルモータと多目的チェンジギアボックス内蔵のファン＆スクリュー攪拌器のヘッド配置図
【図６ｈ】ノーマルモータと多目的チェンジギアボックス内蔵のファン＆スクリュー攪拌器の稼動時の左右ヘッド位置図
【図７ａ】ダブル攪拌のセッティング図
【図７ｂ】蓋タイプのセッティング図
【図７ｃ】蓋と三〇〇ｍｌ用蓋のアダプターのセッティング図
【図８ａ】エコモード三連空車輪外輪ギアなしの側面図
【図８ｂ】エコモード三連空車輪の正面図
【図８ｃ】ウイールシンカーとWS格納部の６面図
【図８ｄ】垂直状態の芯内バランス調整器とスライド可動図
【図８ｅ】空車輪の側面の断面図
【図８ｆ】空車輪の正面の断面図
【図８ｇ】台座兼ギアボックス平面の断面図
【図８ｈ】台座兼ギアボックス正面の断面図
【図８ｉ】台座兼ギアボックス背面の断面図
【図８ｊ】台座兼ギアボックス左右側面の断面図
【図８ｋ】カウント・ギアとダブルギアの６面図
【図８ｌ】カウント・ギア拡大図
【図８ｍ】ゼンマイ接続部拡大図
【図８ｎ】水平状態の芯内バランス調整器ツイスト稼動とウイルスシンカー稼動による、補助とバランスの均等化流れ図
【図８ｏ】水平状態の芯内バランス調整器透視図とウイールシンカー部稼動ループ部概略図
【図８ｐ】芯内バランス調整器の概略図
【図８ｑ】垂直から水平状態の芯内バランス調整器の稼動行程図
【図８ｒ】ローテーションギアの概略図と三連空車輪行程概略図と中心軸付き芯内バランス調整器受け壱・弐・参の共通機構図その展開図
【図８ｓ】概略エコモード三連空車輪の側面図
【図８ｕ】エコモード三連空車輪の側面図
【図８ｔ】概略エコモード三連空車輪の正面図
【図９ａ】多目的ヒートモータ攪拌器の断面図
【図９ｂ】多目的ヒートモータ攪拌器のコミテータとローター部の縦断面図
【図９ｃ】多目的ヒートモータ攪拌器の部品６面図
【図９ｄ】多目的ヒートモータ攪拌器のコミテータの断面図２
【図９ｅ】多目的ヒートモータ攪拌器の部品斜視図
【図９ｆ】多目的ヒートモータ攪拌器のコミテータの横断面図1
【図９ｇ】多目的ヒートモータ攪拌器のコミテータの配線図
【考案を実施するための形態】
【００２２】
以下、本発明の実施の形態を、添付図面に示した本発明の一実施例に基づいて説明する。図７ｂ  の１Iの断面図や図７ｃ  の上（平面）・下・側面図  のように蓋（５１）の外周に三〇〇ｍｌ用蓋のアダプター接続溝（３１６）切削した部分と、中心にマドラー用貫通口（３１８）を穿設した部分とビーカーの口のサイズ別に３０ｍｌから２００ｍｌ（122・121・123・124）までの溝を切削した部分を備えた裏面と、表部にマドラー用貫通口より大きい円柱状の窪みを切削して設け、この上部内周面を螺設した蓋の内螺子（337）を設けた交換取手部接続溝（317）と、円柱状の窪みを切削して設けたボタン電池の格納部（365）と、この底部から交換取手部接続溝（317）に伸びたマイナス極電極板（３５５）と、電池を格納して、これをとめる電池止め金（５６）と、この付け根からのびて、交換取手部接続溝（317）の上部にできたプラス極電極板（３５４）が、交換取手部接続溝（317）の上部を半周内設し、その末端からスイッチのＡ極端子（712）と、スイッチのＢ極端子（713）からHMのプラス極端子（105）にプッシュスイッチ（５５）設けた部分と、からなる本体オールアルミ製やオールプラスチック製などからなる蓋（５１）
【００２３】
図１ｂの取っ手部ケース（６３６）は、円筒状の片方にマドラー用貫通口（３１８）を切削した天井板を持つ、小さい穴の開いた容器形状に多目的平型エアモータ（６５９）の排気口（９６）を横穿した部分と、底部外周面を螺設した外螺子（９９）を設けた部分とその反対側の内周面に取っ手ストッパーつめ（１００）を周設構造
【００２４】
図１ｂの様に、取っ手部ケース（６３６）にマドラーストッパー孔（637）の付いたノーマル用ゴム製取っ手（６３７）を格納したノーマル取手部（48）
を上記蓋（５１）の蓋の内螺子（337）接続したノーマル蓋（３６６）にマドラータイプをノーマル取手部（48）に挿通して好みの高さに緩嵌して使う。
【００２５】
取っ手部ケース（６３６）に、多目的平型モータ（639）を格納した取っ手部内蔵平型モータ（61）を蓋（５１）の交換取手部接続溝（317）に螺着した取手部平型モータ内蔵攪拌器（５１に６１を接続したもの）の中央のシャフト管GS（９４）にノーマルマドラー（４６に５４と１０４か１１７を接続したもの）や、マドラータイプを挿通して好みの高さに緩嵌して使う。
【００２６】
上記上記蓋（５１）の三〇〇ｍｌ用蓋のアダプター接続溝（３１６）とは反対に外周に受けての溝を設けた、リング形状の三〇〇ｍｌ用蓋のアダプター（６２）により、三〇〇ｍｌビーカーに使用できる。
【００２７】
ノーマルマドラーは、ノーマルマドラー支柱（４６）のSGL部接続部（２９９）にSR発電機内蔵LED部（５４）を螺嵌した部分と、ノーマルマドラー支柱（４６）下部マドラー先端部スプーン・スクリュー接続部（３００）にマドラー先端部交換式スクリュー（１１７）か、マドラー先端部交換式スプーン（１０４）着脱可能に螺嵌した部分からなる。
【００２８】
マドラー先端部交換式スクリュー（１１７）は棒状の本体上部に接続用内周面を螺設した内螺子（101）を設けたマドラー取付頭頂部（102）と本体下部にスクリューハネを２から５枚のハネを持つ構造
【００２９】
マドラー先端部交換式スプーン（１０４）は、本体スプーン形状の上部に接続用内周面を螺設した内螺子（101）を設けたマドラー取付頭頂部（102）をもつ構造
【００３０】
ノーマル用ゴム製取っ手（６３７）は、円柱取っ手サイズの中央にマドラー用貫通口（３１８）を切削したゴムの塊り構造
【００３１】
図2aからeの前記本第２発明の多目的平型モータ（６３９）は、円筒形の片方に蓋をした容器形状の底部にマドラー通し孔を切削して設けた本体平型モータケース（９０）と、金属ブラシ（１３７）とブラシアーム（１７０）とブラシ板バネ（１３８）とブラシ固定部（９５）を順番に取り付け、マグネット固定溝（108）が対角線上に設けられたリング状のブラシリングベース（２６２）を平型モータケース（９０）底部に圧着した部分と
【００３２】
その直ぐ上にモータの外周形状の管材を縦に２分の１から４分の１にカットの形状のマグネット（８４）の磁石の極性を変えて対角線上に２つを両端に置き、底部をブラシリングベース（２６２）のマグネット固定溝（108）に半固定し、背面部に接着材またはU字ピン（109）で、２つのマグネット（８４）間を係着して、平型モータケース（９０）に固定した部分の構造を備えた本体部分と、
【００３３】
これにローター部である従来の（小型）モータの様にケイ素鋼製のプレート（173）を重層して作った平型モーターコイル部軸（89）と、
その外周の大きさの平たい穴の開いた円柱形を３分割して５ｍｍ短くしたケイ素鋼製の平型モーターコイル部軸上先端部（171）３個と、平たい穴の開いた円柱形のケイ素鋼製の平型モータコイル部軸中央先端部（172）を上部に接続した構造にする事で、上部にコイルの山ができる部分を格納する溝のある形状のHMコイル部軸（89）により幅を薄くする構造にでき、更にその上部に蓋をするように扇板状で、電磁鋼製の扇形状延長板（88）を置き、ネジ（87）で固定した構造を備えた部分
【００３４】
上記からなるローター部の中央の穴にシャフトの役目のマドラーを内側から半固定のためのゴム加工（９２）のシャフト管内部ゴム加工（９４）を平型モータ用コミテータ芯（93）とコミテータ片（１３９）からなるコミテータ部（４４１）に通して取り付けた回転部（ロータ部とコミテータ部）と、着脱式の平型モータマグネット蓋（９１）に中心に対し２分の１から４分の１にカットの扇形状の磁石の極性を変えて対角線上に配置して樹脂で固めた平型モータのマグネット部（86）を納めた平型モータマグネット蓋（９１）部分とからなる。
【００３５】
前記本第３発明の多目的平型エアモータ（638）は、まず図３Dのヘッド板（75〜82）厚みの部分の細い方のA角部では厚さが２mmで、反対側の厚さが５mmの二等辺三角形で、横のサイズが全て１．５ｃｍで、縦が０．５ｃｍから０．０１ｃｍずつ長さを足していき、一番大きいサイズが、横１．５ｃｍ縦０．８ｃｍで各サイズ３０個が２枚ずつあり、これを筒状のVAヘッド固定管（319）を中心に厚みがA角の細くなつた部分を寄せて上部を溶接加工して出来た形状がVAヘッド（67）になる。
【００３６】
図３ｃのVAヘッド外カバー（４０３）は、円筒形状の内径がVA蒸気室用ヘッド（67）よりも０.5ｍｍ広い形状で、VA蒸気室用ヘッドの山部の高さ０．８ｃｍ（７３）の位置に吸気口（６４）とVA蒸気室用ヘッドの谷部の高さ０．５ｃｍ（７１）の排気口（６３）の位置に貫通孔を設けた部品
【００３７】
図３ｃの多目的平型エアモータケース（６６）は、上記VAヘッド外カバー（４０３）よりも一回り大きい天井部にVAヘッド固定管（319）用の孔の開いた円柱の容器形状に、VA蒸気室用ヘッドの山部の高さ０．８ｃｍ（７３）の位置に吸気口（６４）の横穿と、その反対側のVA蒸気室用ヘッドの谷部の高さ０．５ｃｍ（７１）の排気口（６３）の位置から横に入り、直ぐに真下の底部まで欠削して貫設がある多目的平型エアモータケース（６６）の中に配管がある部品
【００３８】
上記VAヘッド外カバー（４０３）の吸気口（６４）の位置とVAヘッド（67）のVA蒸気室用ヘッドの山部になった位置を合わせて、  底部まで入れて圧着したものの排気口（６３）の位置とエアモータケース（６６）の排気口（６３）を合わせて、底部まで入れて圧着し、これらを固定するために、エアモータケース（６６）横にあるイモネジ用の穴（192）にイモネジ（４４５）で螺着してできた図３Aの本体部
【００３９】
図３a・c・eのVA ローター部台座（４５４）は、円盤形状にVAシャフト管（65）の孔の開いたVAローター底ベース（４１５）と、板バネ（７４）をビス（４５５）で固定して出来た部品
【００４０】
図３a・c・eのVA ブレードガイド軸（４５３）は、筒型のものに縦のブレード（６９）用の溝か切られた部品
【００４１】
図３a・c・eのVAブレード（69）は、ヘッド板の横のサイズと同じで、縦が０．８ｃｍで、その片側先端部にゴムのパッキン（70）に嵌合して出来た部品
【００４２】
図３a・b・c・eの蓮根型プレート（68）は、円盤の中心にVA可動管用（65）の穴と、その周囲に4から20ヶ所のVAブレード（69）用の穴が開いた形状の部品
【００４３】
図３a・bのローター部の構造として、 VA ローター部台座（４５４）の中央の穴から０．５ｍｍ突き出る様にVAシャフト管（６５）差し込んだものに、VA ブレードガイド軸（４５３）をVAシャフト管（６５）に通したこれら３つの付け根を溶接で固定し、これの上から蓮根型プレート（68）をVAシャフト管（６５）に通し、VA ブレードガイド軸（４５３）の頭頂部に固定して出来たのが、ローター固定部で、これにVAブレード（69）を、4から20枚差し込んだのがローター部で、これを上記本体部に格納しVAモータケース蓋（110）で蓋をした部分からなる。
【００４４】
上記の多目的平型エアモータ（638）を図１Bの取っ手部ケース（636）に格納してフリーサイズ用蓋（51）の取手部接続溝（317）の内周面に螺設した内螺子に、取っ手部ケース（636）の外周面に螺設した外螺子を取り付けた取っ手部内蔵平型モータ（61）に蓋（51）をセットしたものの中央のにノーマルマドラーをセットしたものを、容器に蓋をするように被せて使用する。
【００４５】
前記本第４発明の多目的軸型１ASCモータ（１２８のマドラー先端部スプーン・スクリュー接続部なし）は、まず、図４ｂのS1ASCの蓋固定部（484）は、円筒形の片側を蓋で閉じた部分に螺設した突起部が外螺子部であるSGL部接続部（299）を有する部分
【００４６】
図４ｂのブラシベース固定管（646）は、管材形状のものの内側右からB1ABCモータ用ブラシアーム（647）と＋極S1ASC金属ブラシ（377）が順番に嵌設された部分と、反対側の一段下の位置からB1ABCモータ用ブラシアーム（647）と−極S1ASC金属ブラシ（378）の順番に接続した部品
【００４７】
図４ｃのS1ASC壱・マグネット部（141）は、円形の両端に極性の違う扇状の磁石部を設け、その隙間を樹脂で固めたS1ASC壱マグネット部（141）と、同じもので反対向きに配置されるS1ASC弐マグネット部（478）の２つの部品
【００４８】
図４ｂ・ｃのN・S＋S1ASCコミテータ部（３７９・３８１）は、コミテータ芯管（６４８）の上部にコミテータ片（３３０）１枚と絶縁体片（２５２）２枚を接続した部品
【００４９】
図４ｂ・ｃのN・S−S1ASCコミテータ部（３８０・３８２）は、もう一つのコミテータ芯管（６４８）の下部にコミテータ片（３３０）１枚と絶縁体片（２５２）２枚を接続した部品
【００５０】
図４ｂ・ｃN磁コイル部用コミテータ部は、N＋S1ASCコミテータ部（３７９）とコミテータ芯固定部（６４９）を間にN−S1ASCコミテータ部（３８０）を挟んで出来た部品
【００５１】
図４ｂ・ｃS磁コイル部用コミテータ部は、S＋S1ASCコミテータ部（３８１）とコミテータ芯固定部（６４９）を間にS−S1ASCコミテータ部（３８２
）を挟んで出来た部品
【００５２】
図４ｂのS1ASC固定部（306）は、内側中心にS1ASCモータ本体軸（206）を軸止し、この軸を通してS1ASCの蓋固定部（484）の筒の中に圧着したブラシベース固定管（646）と、これに蓋をする様に軸よりも大きい孔を持つS1ASC壱・マグネット部（141）通して、ブラシベース固定管（646）に固定した第一ローター部のコミテータ格納部と、S1ASCモータ本体軸（206）用の孔の開いた円盤状の固定板（645）を底部としてと、ブラシベース固定管（646）を固定し、上からはS1ASC弐マグネット部（478）を蓋をするように固定して出来た第２ローター部のコミテータ格納部をS1ASC弐マグネット部（478）の方から通し、０.5ｍｍ突出させて固定した部分が本体になる。
【００５３】
図４ｂの配線は、N又はS＋S1ASCコミテータ部（３７９又は３８１）と、N又はS−S1ASCコミテータ部（３８０又は３８２）がコイル部の配線部分と、第一又は二ローター部のコミテータ格納部の、＋極S1ASC金属ブラシ（377）と−極S1ASC金属ブラシ（378）は市販のPICモータ制御装置（50）と、配線が繋がっている。
【００５４】
図４ｃ・ｄのS1ASC S極磁極部軸（１４２）は、円筒形電磁鋼製のS1ASC磁極コア部軸管（２０８）の上部を軸に描く円の７０°から１１５°の角度からなる扇形状のS1ASC磁極コア軸先端部（２０７）を、S1ASC磁極コア部軸管（２０８）上下部に平行配置固定し、その内の上部S1ASC磁極コア軸先端部（２０７）の右横に同じS1ASC磁極コア軸先端部（２０７）と、その上部に同じ形状のS1ASCのS極マグネット部（２０２）接続した部品
【００５５】
上記S1ASC S極磁極部軸（１４２）のS1ASCのS極マグネット部（２０２）をS1ASCのN極マグネット部（203）変えて出来たのがS1ASC N極磁極部軸（143）
【００５６】
上記S1ASC S・N極磁極部軸（１４２・143）にコイルを巻回したものがS1ASCのS・N極磁極部（277・278）になる。
【００５７】
上記S1ASCのS・N極磁極部（277・278）に、円筒形のコミテータ延長芯（650）と、S又はN磁コイル部用コミテータ部（379又は381と649と380又は382を接続したもの）を接続してできたローター部壱・弐（657・658）
【００５８】
第１ローター部の格納位置は、第一ローター部のコミテータ格納部のブラシベース固定管（646）の＋極S1ASC金属ブラシ（377）にS＋S1ASCコミテータ部（381）と、−極S1ASC金属ブラシ（378）にS−S1ASCコミテータ部（382）を接触位置にS磁コイル部用コミテータ部（379と649と380を接続したもの）を内蔵し、S1ASC壱・マグネット部（141）孔にコミテータ延長芯（650）を回転可能に通して枢設し、その位置でS磁コイル部用コミテータ部とコミテータ延長芯（650）融着し、反対側をS1ASCのS極磁極部（277）にも融着したローター部壱（６５７）は、S1ASCモータ本体軸（206）を通して、回転可能に保持されている。
【００５９】
第２ローター部の格納位置は、第二ローター部のコミテータ格納部のブラシベース固定管（646）の＋極S1ASC金属ブラシ（377）にN＋S1ASCコミテータ部（379）と、−極S1ASC金属ブラシ（378）にN−S1ASCコミテータ部（380）を接触位置にN磁コイル部用コミテータ部（381と649と382を接続したもの）を内蔵し、S1ASC弐・マグネット部（478）孔にコミテータ延長芯（650）を回転可能に通して枢設し、その位置でN磁コイル部用コミテータ部とコミテータ延長芯（650）融着し、反対側をS1ASCのN極磁極部（278）にも融着したローター部弐（６５8）は、S1ASCモータ本体軸（206）を通して、回転可能に保持されている。
【００６０】
稼動部は、S1ASC弐マグネット部（478）の位置にステンレス製S1ASCの駆動部（483）とS1ASCのS極コイル部（277）とS1ASCのN極コイル部（278）の位置にバナジウム製S1ASCの駆動部（482）の素材でできた茶筒形状底部にマドラー先端部スプーン・スクリュー接続部（300）が付いたのS1ASCの稼動管（209）にマドラー先端部交換式スプーン（104）又はマドラー先端部交換式スクリュー（117）を接続したS1ASCの稼動部（209に１０４か１１７を接続したもの）になる。
【００６１】
図４e・f・gの稼動行程は、まずON時にS1ASC壱マグネット部S磁コイル磁極部の上側がN極で引き合う図（479）の様に
S1ASC壱マグネット部（141）の左側N極と、S磁コイル部（277）の上側がN極で引き合い、それと同時に弱い磁力で磁石側面同士くっついている状態の図（480）の様に、磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、次の二倍移動の図（481）ように、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は２倍移動して受身（動かされる）状態から動き動かされる状態（481）のN磁コイル部（278）の可動により、反対側が同じ様に動く事で回転を作り出すもので、これにより第１・２ロータ部の（202・203）と磁力が発生している時のS1ASC磁極コア軸先端部（207）の側面の磁力がバナジウム製S1ASCの駆動部（482）を引き付けロータ部の動きを伝えて稼動部が回転する。
【００６２】
前記本第５発明の多目的軸型2TWモータの冷却用マドラータイプに最適な軸型2TWモータ内臓ファン付きマドラータイプ攪拌器（127に54と117か104を接続したもの）の構造は、まずケイ素鋼製のU字コイル部は、軸の中間位置にU字磁極コア軸部稼動軸口（298）を欠削したケイ素鋼製のU字の軸部（250）の先端部に電磁鋼製のU字コイル部扇形状先端部（249）を溶接か、この形状に鋳造したものの片側に軸には右巻きに、もう一方の軸には左巻きにコイルを巻回して４本の配線は軸型２TWモータのケース（462）の配線溝に這わせて頭頂部の配線孔から外の市販のPICモータ制御装置（50）に接続した構造。
【００６３】
これを本体の軸型２TWモータのケース（462）のU字コイル固定部（255）で挟み本体に固定した状態で内蔵されている。
【００６４】
軸型２TWモータのケース（462）は、円筒形の下部のU字コイル部（221）格納位置を第１ブロック（282）とし、その側面にU字コイル固定部（255）を対向位置にも設けた部分と横にワンウェイギア用バネ格納部（163）を設けた部分と、磁石部（222）格納位置を第２ブロック（283）とし、その側面に軸型２TWモータ磁石部半固定部（159）を対向位置にも設けた部分と、Yコイル部（223）格納位置を第3ブロック（286）とし、その側面にYコイル部半固定部（160）を対向位置にも設けた部分と、横上の方にワンウェイギア用バネ格納部（163）を設けた部分と、その上にスイッチ切り替え口（469）と、スライド判固定部（161）を対向位置にも設けた部分と、Wスイッチ固定部（162）を対向位置にも設けた部分と、底部から上部までの溝が配線溝（168）を持つ構造。
【００６５】
軸型２TWモータの磁石部は、円筒形の軸型２TWモータの可動管（232）に扇柱形状のマグネット部（505）を上下から挟み、それを固定するためのリング状のギアで歯が左に寝た形状のステンレス製のワンウェイギア左回転用（290）を磁石部本体中央に嵌設したのもがスクリュー可動時のローター部
【００６６】
これを軸型２TWモータのケース（462）の軸型２TWモータ磁石部受け（463）に回転自在に枢着する。
【００６７】
その際横にはワンウェイギア用バネ格納部（136）にバネ（10）を納めS2TWの1W用逆戻り防止つめ（234）の返し部で伸縮により、ワンウェイギア左回転用（290）と歯合して左回転時には負荷によって、伸縮を繰り返して左回転し右回転できない構造
【００６８】
上記軸型２TWモータの磁石部の可動管（232）に S2TWのシャフト（169）を軸止し、U字軸部稼動軸口（298）を回転可能に挿通し、回転可能に軸型２TWモータのケース（462）の軸型２TW SUASK可動接続部半固定部（133）に枢着された軸型２TW SUASK可動接続部（125）に反対側のS2TWのシャフト（169）を軸止し、軸型２TW
SUASK可動接続部（125）に、マドラー先端部交換式スクリュー（117）か、マドラー先端部交換式スプーン（104）を着脱可能に螺着した可動部
【００６９】
図5ｂ−5J表記のスライドスイッチ（631）側で、先程図B−１Jを、９０°角度位置を変えた側の第２ブロック（283）中間位置に本体側の面に軸型２TWモータのワンウェイギア用逆戻り防止つめ（234）を設け、先程の軸型２TWモータの磁石部（222）の周囲に凸設したワンウェイギア左回転用（290）と本体側のスライドスイッチ（631）の面に平行して設けた図5ｃ−１J表記の軸型２TWモータ磁石部受け（463）を遊嵌した部分が、スクリュー時の回転とファン時の本体側と一体化せた固定部になる。
【００７０】
軸型２TWモータのYコイル部は、ケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻回し、その後方中央のY字軸部稼動軸口（297）の穴にS2TWのY字コイル部シャフト（245）を軸止した部品
【００７１】
上記Y字コイル部の後ろのY字コイル部シャフト（245）にギアの歯が左に倒れた形状のワンウェイギア右回転用（247）のラチェット機構により一方向に回転する部分と、ファンのプロペラ部マグネット（412）を誘動又は応動させるワンウェイギアマグネット部（506）を通して接続する。
【００７２】
その後ろからY字コイル部可動軸（245）が回転可能内側に挿通され外側はスライド移動・回転可能に本体側上部両端から先端部の窪みのある突起部（161）枢設されたシングル用CMスイッチ（466）部分
【００７３】
これに繋がる切り替え後シングル時のモータ制御配線がシングルON（466と239のスイッチが分離した状態）とファンON（466と239のスイッチが接続した状態）どちらでもシングルコイル部（467）の２つの配線の先端部端子はSCMSIO金具１・２（471・472）と常に接触通電状態
【００７４】
シングルON（466と239のスイッチが分離した状態）の時はシングルコイル部（467）のSCMSIO金具１とSCMSIO金具２（471と472）を介してYSCB2TOSC2とYSCB１TOSC１（153と152）から、シングルON時には回転せずに所定の位置で停止しており、Y字シングルコイル部金属ブラシ（464）と接触通電状態の２つのTW２枚部コミテータ（414）からMCTO TW２コミテータ１（118）とMCTO TW２コミテータ２（136）配線が市販のPICモータ制御装置（50）に接続されている。
【００７５】
ファンON（466と239のスイッチが接続した状態）の時はシングルコイル部（467）
のSCMSIO金具１とSCMSIO金具２（471と472）からYSCB１TOSC１とYSCB2TOSC2（153と152）が離れて、SCMSIO金具１（471）はWCMFSIO金具１（470）と、SCMSIO金具２（472）はWCMFSIO金具２（473）に接続されている。
【００７６】
ダブル用CMFスイッチ（239）はシングル用CMスイッチ（466）と同じで、アルミ製の円筒形のものを縦に２つに切り、縦の長さが円筒形のものと同じで、横が円筒形のもの厚みの３倍の長さの長方形の銅板を両サイドに２枚を間に挟んだ形状で筒の内と外に配線を接続するもので、外側は本体軸型２TWモータのケース（462）に固設され、内側は回転可能にS2TWのY字コイル部シャフト（245）貫通した部分
【００７７】
上記ダブル用CMFスイッチ（239）を先程のシングル用CMスイッチ（466）の後にS2TWのY字コイル部シャフト（245）通して固定し、本体側の（162）により、回転可能に半固定され、WCMFSIO金具２（473）からTW3コミテータ3TOWS2（115）を経由してTW3枚部コミテータ（413）へと、WCMFS2TOWC1（154）を経由してダブル巻線１（468）であるダブルコイル部左へと、WCMFSIO金具１（470）はTW3コミテータ1TOWS１（116）を経由してTW3枚部コミテータ（413）へと、WCMFS１TOWC2（155）を経由してダブル巻線２（103）であるダブルコイル部右へ、常に接続されている。
【００７８】
ダブル巻線１（468）であるダブルコイル部右へとダブル巻線２（103）左のWコイル間配線（46１）配線の中間位置からTW3コミテータ2BTWC１A2（114）を経由してTW3枚部コミテータ（413）に接続されている。
【００７９】
図5ｃ・ｇ・ｈの２枚のコミテータ片で構成されたTW２枚部コミテータ（414）に、Y字シングルコイル部金属ブラシ（464）が対角線上に２つ接触配置位置のS2TWのY字コイル部シャフト（245）に固定されている。
【００８０】
２つのファン稼動時の接触ヘッド（465）は、それぞれからMCTOFMTW金属ブラシ２（151）とMCTOFMTW金属ブラシ１（148）を経由して市販のPICモータ制御装置（50）に接続されている。
【００８１】
上記の上に３枚のコミテータ片で構成されたTW3枚部コミテータ（413）と、そのコミテータ片の中心位置にダブルコイル部用金属ブラシ（291）が３箇所接触配置した部分と、その直ぐ下には、ファン稼動時のTW金属ブラシ（465）が対角線上に２つ接触配置部分の位置のS2TWのY字コイル部シャフト（245）に固定されている。
【００８２】
３つのダブルコイル部用金属ブラシ（291）は、それぞれからMCTOTW3コミテータ１（111）と、MCTO TW3コミテータ2（112）と、MCTO TW3コミテータ3（113）を経由して市販のPICモータ制御装置（50）に接続されている。
【００８３】
図5ｃの10Jは、片方にY字マグネット部（506）接続したワンウェイギア右回転用（247）をYコイル部半固定部（160）で回転可能に保持し、その中心にS2TWのY字コイル部シャフト（245）の中間位置に固定され、ワンウェイギア用バネ格納部（163）と、バネ（10）と、S2TWの1W用逆戻り防止つめ（234）で右回転とロック状態を作り出すもので、これを本体部分に格納されている。
【００８４】
図5ｃの11Jは、軸型２TWモータの磁石部（222）の中心位置に固定されたワンウェイギア・左回転用（290）を軸型２TWモータの磁石部半固定部（159）で回転可能に保持し、下部のワンウェイギア用バネ格納部（163）と、バネ（10）と、S2TWの1W用逆戻り防止つめ（234）で左回転とロック状態を作り出すもので、これを本体部分に格納されている。
【００８５】
図５ｃのファン用プロペラの構造は軸型２TWモーターのY字コイル部（223）に接続したワンウェイギアマグネット部（506）の位置より下の位置の外側にべアリング（188）を接続しており、これに軸型２TWモータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）で、これを本体（127）のベアリング（188）に接続している部分
【００８６】
ファン稼動行程はU字コイル（221）の磁力に固定され、軸型２TWモータの磁石部（222）のワンウェイギア左回転用（290）により軸型２TWモータのYコイル部（223）が従来の小型モータと同じように右に回転し、Y字マグネット部（506）の磁力でプロペラ部マグネット（412）と引き合いプロペラを回転させる。
【００８７】
ファン稼動終了時に攪拌器側を回すため所定の位置に戻すためU字コイル（221）の磁力で（222）を引いた状態で常に終了する。
【００８８】
スクリュー稼動行程は本体に固定されたU字コイル部（221）と、本体に回転可能に軸型２TWモータの磁石部半固定部（159）で半固定されたマグネット部（222）と、本体に回転可能にYコイル部半固定部（160）で半固定されたYコイル部（223）が縦に並んだ状態で、Y字の方もシングル部を下にした状態からU字コイルがONになって、マグネット部（222）との左右の引きでワンウェイギアの稼動方向左回転ので９０°回転し、その際Y字コイルシングル軸部（467）は反発でアシストのためダブルコイル部（420）の右が反発してさらに９０°回転した後にダブル軸の左が反発、次に反対側右のシングルコイル部（421）がONになって先程とは逆に引きで９０°回転し、今度は右のU字コイル右部（221）の極性が逆の状態でアシストしてマグネット部を９０°回転し、これらの行程を繰り返す事で回転をつくる。
【００８９】
スクリュー稼動終了時に、ファンを回すため所定の位置に戻すためY字コイル（223）の磁力で（222）を引いた状態で常に終了する。
【００９０】
図6ｆ・ｇの左ヘッド（349）は、厚めのパイプを縦に２から数十カットする事で、ちょうど雨樋のような形状になり、これを左から右斜め下にカットした面を内側に３０°〜９０°（176）と外側に９０°〜１５０°（177）の角度の範囲で何れかの角度に合わせて角度を保ちながら削って内側か外側に傾斜がついた左２から数十カット部（374）を２から数十個を内側どうし合わせて接続した左２から数十ヘッド（349）と、これより外周が１ｍｍ大きいマグネット部（３７）を接続した部分
【００９１】
これをファン回転用溝内部形成管（371）の中間位置から内側に１ｍｍ出っ張った左ヘッド受部（158）がついており、これとモータ（358）で回転可能にマグネット部（３７）の１ｍｍ部分を挟んで枢設し、左２から数十ヘッド（349）の中央の孔に回転可能にCG稼動軸（363）を連通した状態で組み込まれている。
【００９２】
右ヘッド（352）は、右から左斜め下にカットした左ヘッド（349）とは逆傾斜の同形状
【００９３】
これを下部切り替えガイド形成部用（189）の底部の右ヘッド受部（179）と、チェンジギアボックスケース本体（164）の底部の蓋（180）で、右ヘッド（352）より外周が１ｍｍ大きいマグネット部（３７）を挟み回転可能に枢設し、この右ヘッド（352）の中央の孔に回転可能にCG稼動軸（363）を連通した状態で組み込まれている。
【００９４】
両面ヘッド（364）は右２から数十ヘッド（352）と左２から数十ヘッド（349）の後部を左右対称の状態から９０°右回転した位置で、円柱形状にガイド受の四角い孔を開け、CGWH  突起部（３５６）の付いた  RHSG受部（346）を間に挟み接続してできた両面ヘッド（364）を上部切り替えガイドの溝（１９３）か、両面ヘッドスライド受（１６６）か、下部切り替えガイドの溝（１９４）の何れかの位置にCGWH  突起部（３５６）合わせて移動可能に内蔵した部分
【００９５】
図６ｄ・eの円柱の中間が四角柱に形成されたCG稼動軸（363）を、上記左ヘッド（349）と両面ヘッド（364）と右ヘッド（352）を連通して、モータのシャフトに軸止した部品。
【００９６】
図６a・eの本体部は、長い円筒形のチェンジギアボックスケース（362）の底部に短い円筒形の下部切り替えガイド形成部用（189）と円筒形をCGWH  突起部（356）より0.1ｍｍの圧さ分、左から右へカットと対抗面は右から左へカットした
ものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９０）をCGWH  突起部（356）より0.1ｍｍのスペースを空けた位置と、円筒形の上部切り替えガイド形成部用（371）突起部（356）より0.1ｍｍのスペースを空けた位置にそれぞれのイモネジ用の穴（192）にイモネジ（445）で螺着したチェンジギアボックスケース本体（164）になる。
【００９７】
ファン部は、円筒形の片側が閉じた容器形状の底部中央にチェンジギアボックスケース（362）よいも一回り大きい穴を欠削した２つがプロペラ接続部上部（186）とプロペラ接続部下部（187）になり、これら底部同士を接続し、プロペラ接続部上部（186）には中央に孔の開いた円盤形状のプロペラ部マグネット（412）を格納し、外側にはファン用プロペラ（184）を両サイドに設けた構造で、本体チェンジギアボックスケース（362）に内装された左ヘッド（349）のマグネット（37）直ぐ下の位置にべアリング（188）の内側を固定した部分にファン部のプロペラ接続部下部（187）を着脱可能に嵌着する。
【００９８】
スクリュー回転状態は、従来のモータ（358）のシャフトに接続されたCG稼動軸（363）と、下の方に移動完了した両面ヘッド（364）のCGWH  突起部（356）が、右回転で下部切り替えガイドの溝（194）のCG下部戻り防止ピン（361）を押し上げながら回転を繰り返し、その際両面ヘッド（364）の下部にある左ヘッド（349）の傾斜のない垂直面で、右ヘッド（352）の傾斜のない垂直面とが噛み合い回転し、反対側の左ヘッド（349）は、上部切り替えガイドの溝（193）と下部切り替えガイドの溝（194）の間隔分距離をあけているので空回りして静止状態にある。
【００９９】
図６aのチェンジギアケースの展開図（460）の様に、ファン可動時にはモータが左回転して、両面ヘッド（364）のCGWH  突起部（356）が下部切り替えガイドの溝（194）回転途中で、CG下部戻り防止ピン（361）の板バネの傾斜を上り、CG稼動軸（363）の４ｂの四角柱の形状と両面ヘッド中部（346）の両面ヘッドスライド受（165）により、CG稼動軸（363）と一緒に回転しながらスライド移動しながら、切り替え移動ガイドの溝（166）を更に上り、CG上部戻り防止ピン（360）を少し押しのけ、上部切り替えガイドの溝（193）に入り、先程押しのけた上部切り替えガイドの溝（193）押し倒して下に戻らずその位置で回転し続ける。
【０１００】
スクリュー部は、チェンジギアボックス内蔵本体（３５７）よりも一回り大きい底のある円筒形状のものにマグネット（３７）を内装し、上から落とし蓋をして残った０.５ｍｍの部分がチェンジギアボックス内蔵本体（３５７）の底部接続の空間がスクリュー受部（164）を設けた構造
【０１０１】
スクリュー部の稼動時には、まずモータが右回転して、両面ヘッド（364）のCGWH  突起部（356）が上部切り替えガイドの溝（193）回転途中で、CG上部戻り防止ピン（360）の板バネを潜り、CG稼動軸（363）の４ｂの四角柱の形状と両面ヘッド中部（346）の両面ヘッドスライド受（165）により、CG稼動軸（363）と一緒に回転しながらスライド移動しながら、切り替え移動ガイドの溝（166）を下り、CG上部戻り防止ピン（360）を少し押し下げ、CG下部戻り防止ピン（361）に入り、先程押し下げたCG下部戻り防止ピン（361）押し戻して下に戻らずその位置で回転し続ける。
【０１０２】
前記本第8発明の多目的ヒートモータは先ず、図９ｃの電磁鋼製のヒートモータ用先端扇柱形コイル部軸（394）は、茶筒形状のヒートモータ格納カバー（369）の中に、きつく入る大きさの軸先端部の約３分の１とコイル巻き部を削り、さらに先端部の軸の中心から１０ｍｍの位置からL字に貫通させた穴を空けたコイル部からの配線口（435）設けた形状の部品
【０１０３】
図９eの下部本体（342）は、上記の先端部の反対側の形状に別に削りだした形状の先端部扇柱形コイル部固定部（395）の中心にヒートモータ接続軸（634）を固定したHTM連結軸部（345）と、その下部の方を茶筒形状のヒートモータコイル部格納カバー（369）と、これにコイル部（368）を格納し、その上からHTM連結軸部（345）で蓋をするようにセットしできた部品
【０１０４】
上記の内蔵さてたヒートモータ用先端扇柱形コイル部軸（394）に、コイルを巻きコイルの両端をコイル部からの配線口（435）からヒートモータ接続軸（634）の中を通して配線２本出して、配線孔（376）を別々に通り、ヒートモータ内側コイル接触ヘッド−極（431）とヒートモータ内側コイル接触ヘッド＋極（436）に結線したコイル部からの配線部
【０１０５】
図９eのHTMローター部（391）は、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にHTMスクリューブレード（344）を４枚つけたヒートモータスクリューケース（372）に格納してできた部品
【０１０６】
図９a・eのリング状のものに５５°から６５°の何れかの位置と305°から295°の何れかの位置の中心の両サイドにブラシ板バネ固定部（95）と、それにブラシ用板バネ（138）を湾曲にセットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、同形状でリングベースのブラシの位置による名称がaVの電流用＋極用ブラシ（339）である＋極用ブラシリングベース（475）と、同形状でリングベースのブラシの位置による名称がaV三倍の電流用−極用ブラシ（340）である−極用ブラシリングベース（476）と、同形状でリングベースのブラシの位置による名称が内側コイル接触ヘッド−極（431）である内側コイル接触ヘッド−極リングベース（477）の各リングベース部
【０１０７】
図９a・b・eの上部本体（347）は、筒状の上部にSGL部接続部（299）と配線孔（167）を持つ蓋で閉じ、反対側の孔より2割奥の位置にヒートモータ接続軸（634）接続用の孔の内周面に螺設部と、両端に配線孔（376）を2つ持つHTM上部本体の下部固定部（398）と、上記の各リングベース部を順番に接続固定し、その下にHTMマグネット部（348）を固定してできた部品
【０１０８】
扇形状のマグネット（37）極性を変えて対角線上に配置し、円形を形成するように樹脂で固めたHTMマグネット部（348）
【０１０９】
円筒形の容器の底にHTM  コミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したもの上から二周り小さい筒状の側面に＋極のコイル部コミテータ片（389）と絶縁体コミテータ片（392）交互に3枚ずつ張り付けけた部分を上から接続した部分と、今度は逆に下から二周り小さい筒状の側面に−極のコイル部コミテータ片（388）と絶縁体コミテータ片（392）を交互に3枚ずつ張り付けた部分を下から接続した部分からなるものに、HTM  コミテータ軸（501）を下から接続固定したHTMリング付コミテータ軸（463）の部分をHTMローター部（391）の中心に接続してできたヒートモータ稼動部（132）
【０１１０】
図９eのHTMローター部（391）の上部の磁力伝達部固定部（396）に、上記のHTMリング付コミテータ軸（463）の下部を接続した図９dのHTM稼動部（132）
【０１１１】
図９a・eの下部本体（342）のヒートモータ接続軸（634）に上記HTM稼動部（132）の磁力伝達部固定部（396）とHTM  コミテータ軸（501）回転可能に通し、それを上部本体（347）下部のHTMマグネット部（348）を更に通し、内側コイル接触ヘッド−極リングベース（477）の位置に２つのヒートモータ内側コイル接触ヘッド−極（431）と−極のコイル部コミテータ片（388）が接触状態と、−極用ブラシリングベース（476）の位置にaV三倍の電流用−極用ブラシ（340）とaVの電流用−極用ブラシ（341）が−極用コミテータ片（503）に接触状態と、＋極用ブラシリングベース（475）の位置にaV三倍の電流用＋極用ブラシ（338）とaVの電流用＋極用ブラシ（339）が＋極用コミテータ片（50２）に接触状態と、内側コイル接触ヘッド＋極リングベース（474）の位置に２つのヒートモータ内側コイル接触ヘッド＋極（436）と＋極のコイル部コミテータ片（389）が接触状態になる様に突き出たHTMリング付コミテータ軸（463）合わせた部分と、さらにHTMリング付コミテータ軸（463）中から突き出たヒートモータ接続軸（634）の先端部の外周面に螺設した外螺子をHTM上部本体の下部固定部（398）に螺着して固定し、HTM連結軸部（345）の中央の孔から出たコイル部の配線と市販のPICモータ制御装置（50）からの配線を上記のように接続してできたヒートモータ本体（6２9）
【０１１２】
図９b・fの上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続される。
【０１１３】図９gの稼動行程は、市販のPICモータ制御装置（50）使いaVの＋極の配線に＋極用接触ヘッド２（339）とaVの−極の配線に−極用接触ヘッド４（341）とaVの三倍＋極の配線に＋極用接触ヘッド1（338）とaVの三倍−極の配線に−極用接触ヘッド３（340）にそれぞれ接続し、次に約６分の１の接触金具を一つ置きに３つ取り除いた構造で、交互に等間隔に配置され、対角線上の金具はない状態と有る状態の位置に配置された接触ヘッド１（338）と接触ヘッド２（339）の＋極用接触金具部と接触ヘッド３（340）と４（341）の−極用接触金具部により、（公序良俗違反につき、不掲載）（小型）モータと違い二種類＋極の電流のON/OFFを交互に行っているのと同時に＋極用接触金具部（338か339）と同じもので同じタイミングで、−極用接触金具部（340か341）でもON/OFFすることで、次のように接触ヘッド１（338）とHTM＋極用接触金具（486）を介しヒートモータ内側コイル接触ヘッド＋極（436）の左と接続し、接触ヘッド３（340）とHTM−極用接触金具（487）を介しヒートモータ内側コイル接触ヘッド−極（431）の左と接続されコイル部（368）の軸先端部磁力（410）が、扇柱形磁力伝達部（367）の磁力aの３倍S極なり、そのときの側面が磁石の磁力aの２倍S極で反発移動し、次に接触ヘッド２（339）とHTM＋極用接触金具（486）を介しヒートモータ内側コイル接触ヘッド＋極（436）の右と接続し、と接触ヘッド４（341）とHTM−極用接触金具（487）を介しヒートモータ内側コイル接触ヘッド−極（431）の右と接続されコイル部（368）の軸先端部磁力により扇柱形磁力伝達部（367）の磁力がaのS極なり、そのときの反対側の側面が磁石（348）の磁力aの２倍N極（443）で引き合い移動し、これを３回繰り返すことで回転を作るもので、その他の蓋タイプ（平型モータ・平型蒸気モータ・円盤型蒸気エンジン）と組み合わせて使用もできる。
【０１１４】
上記用途別攪拌器のマドラータイプの上部（請求項4・5・6・9）やノーマルマドラーの上部（請求項2・3）に接続して使用するマドラー先端部格納、振動を回転に変える発電機内臓動作確認用LED部（54）の仕組みは、まずは重力を回転に変えて、

無限ループを自力で６０％以上稼動する装置の３連空車輪に前後左右上下の３つの微弱振動伝達器（1・31・32）を組み合わせたもので、集積可動発電機の構造は、まず図８ｃのウイールシンカー（B）は、本体底部にWSマグネット部N極（507）と、その中央にタイヤ（36）設けた部分の、左右対称の２つのものを後方にWSCL（508）で、ウイールシンカー格納部（181）に張設されたチェーン（33）の一箇所に両サイド前後可動可能に軸架して吊設した構造
【０１１５】
図８ｃのマグネット床（584）は板状の片面の左上から右下にチェーンを張るスペースに床用S極マグネット（640）を３列並べたものを３等分して左からマグネット床壱（641）と、マグネット床弐（642）と、マグネット床参（643）からなる。
【０１１６】
図８ｃのウイールシンカー格納部（181）は、現時点で底部のマグネット部を
対角線上に配置したものを
下にしたマグネット床参（643）と側面板（644）を側面１つとマグネット部を上にしたマグネット床壱（641）天板の側面を片仮名のコの字の形状に合わせて接続結合部の反対側の面に溝を設けたMF受部（675）の底部の床と、内側マグネット床参（643）の奥の下であるコーナー近くにギア固定部（673）２つで、WSCギア（195）を、内側に１5°から４５°の何れかの角度に向けた状態で、WSCギア（195）が回転可能に嵌着した部分と、外側の側面板（644）に筒状のTC軸（185）の片側をの短い辺の中央位置で、傾斜が左側の長い辺中央より接続した部分と、（195）にギアを噛ませ、そこからTC軸（185）にカルダンジョイント（672）を通し、反対側にウイールシンカー部伝達ギア（182）接続したものと、マグネット床弐（642）の結合部の反対側の面と、マグネット部を下に合わせて側面を蝶番（676）で可動可能に半固定し、マグネット床弐（642）の結合面の反対内端側バネ（10）を接続して出来たウイールシンカー格納部形成部（674）と、向きを１８０°変えた状態のマグネット部を逆に並べたウイールシンカー格納部形成部（674）の互いのバネ（10）部と、蝶番（676）部の前に固定してできた部品で、これは通常バネの力で形状をキープしている。
【０１１７】
上記のものの両サイドにある（195）間に（33）掛け（33）一箇所に（B）の（508）軸を中心に前後に揺れるように嵌設する。
【０１１８】
芯内バランス調整器受け（571・572・573）と、ウイールシンカー格納部（181）の空洞部を中心軸（16）が遊貫しているので、芯内バランス調整器中央部（384）が垂直降下移動と、ツイスト可動時には上記形状により負荷でバネ（10）が伸び、マグネット床のツイスト変形することで可動を妨げない。
【０１１９】
芯内バランス調整器（690）の構造は、まず長方形柱の形状の長い辺の面に垂直ギア（27）と、右端に（549）と、隣に（544）と、その反対側の内側に重り（2）とを設けた芯内バランス調整器錘部A・B（383・385）
【０１２０】
芯内バランス調整器錘部A・B（383・385）よりも３倍大きいサイズの長方形柱の形状の側面右上と左下のコーナー部を芯内バランス調整器錘部A・B（383・385）と芯内バランス調整器錘部保持ツメ（669）の先端部のアーチ状の一部分を欠削し、残った出っ張った角の面に芯内バランス調整器錘部保持ツメ（669）を接続した部分と、その隣に平行して中央の位置まで設けた（27）と、図８D‐G6の左下手前と右上奥の辺の長い面の方に（547）と、側面端に（688又は689）側に（549）と、側面中央の中心から回転可能に伸びる（270）の根元近くに（269）を遊着した部分とを両面に設けた部分と、これの内側を刳り貫いた空間のに側面部から見て左上奥から右下手前に（185）の軸が突き出るように格納した部分とを設けた芯内バランス調整器中央部（384）
【０１２１】
芯内バランス調整器中央部（384）の芯内バランス調整器錘部A格納溝（688）に芯内バランス調整器錘部A（383）芯内バランス調整器錘部B格納溝（689）に芯内バランス調整器錘部B（385）をスライド移動可能に格納した芯内バランス調整器（690）
【０１２２】
芯内バランス調整器（690）の垂直降下可動は、芯内バランス調整器錘部AかB（383か385）のいずれかが上部に来ている方の（702）の（2）を（513又は516か560）で引き上げて解除され、芯内バランス調整器錘部AかB（383か385）が降下、その際垂直ギア（27）が（28）に掛かり、（28）の傾斜で回転し、（491）の（E）を引き上げ、降下完了時に芯内バランス調整器錘部AかB（383か385）が（706）ロックされるのと、CBフック（549）が芯内バランス調整器中央部（384）の（697）に引っ掛かり、その衝撃で芯内バランス調整器錘部BかA（385・383）の（544）から（547）が外れ、芯内バランス調整器中央部（384）が降下、その際に上記の続きで（E）を更に引き上げ、芯内バランス調整器中央部（384）の（27）が本体の長さの半分で終わり、反対側の面に施された（27）で、反対側の（E）を引き上げ、    降下完了時に芯内バランス調整器中央部（384）の（697）が芯内バランス調整器錘部BかA（385か383）の（549）を引っ張り（706）から芯内バランス調整器錘部BかA（385か383）が外れ降下、その際に上記の続きで（E）を更に引き上げる。  
【０１２３】
図８r・pのCSCB受け壱・弐・参の共通機構図（510）の基本構造は、筒状の両端の内側周囲に凹設部を設けた部分と、両側面に中心軸（16）用の孔を回転可能に開けた構造で、これの筒の口を上にした状態で、中心軸（16）用の孔の両端の左上と右下に縦に平行設けたローテーションギア用ツメ（25）２つと、これの反対側の中心軸（16）用の孔に対してもローテーションギア用ツメ（25）２つ平行に設けたのがCSCB受け壱（571）
【０１２４】
図８aのCSCB受け壱・弐・参の外周の共通機構は、筒の口をにした状態で、（16）直ぐ上に（287）と、（16）と端の中間位置に（288）と、（16）下の端に（273）を設けることで軸を中心に横向きにした時に左右のバランスを取っている。
【０１２５】
上記のCSCB受け壱・弐・参の共通機構図（510）の、筒の口を横にした状態で、中心軸（16）用の孔の両端の右上と左下に縦に平行設けたローテーションギア用ツメ（25）２つと、これの反対側の中心軸（16）用の孔に対して、左上と右下に横に平行に設けたローテーションギア用ツメ（25）２つと、設けたのがCSCB受け弐（572）
【０１２６】
上記のCSCB受け壱・弐・参の共通機構図（510）の、筒の口を上にした状態で、中心軸（16）用の孔の両端の右上と左下に横に平行設けたローテーションギア用ツメ（25）２つと、これの反対側の中心軸（16）用の孔に対してもローテーションギア用ツメ（25）２つ平行に設けたのがCSCB受け参（573）
【０１２７】
（16）に（24）を固定し、（11）と、（12）と（13）を順番に通し、（23）通して、（16）固定したものの両端に突き出た（16）を（15）から伸びる２つの（14）に渡設し、更に左に突き出た（16）に（6）のシャフトに固定し、（5）に配線をした外観構造
【０１２８】
図８m-691・r−21は、各芯内バランス調整器受（571・572・573）の両サイド内周面に凸設した筒形状の駆動軸ガイド管（22）を回転可能に嵌設した本体管（691）
【０１２９】
図８ｄ・eの様に、上記の芯内バランス調整器（690）を本体管（691）に、回転とスライド移動可能に内蔵し、その本体管（691）の両端に（276）を設けた蓋で閉じた部分と、その直ぐ内側に（270）よりも大きい孔を欠削した（679）と、支持部（692）下に、軸を持つ（271）を回転可能に内蔵した内側部分を点対称に具備する。
【０１３０】
図８e（690）の両側面の中心から回転可能に伸びる（270）と、その根元近くに、（268）と噛みあった（269）を固定し、その先端軸を（678）に回転・スライド可能で、移動しても保持できる様に軸の先端を残す様に内蔵している。
【０１３１】
芯内バランス調整器（690）の重さで（271）が下にある方の（270）と（271）が噛み合い稼動し、逆に（271）が上にある時は、（678）孔の大きさ分のずれで（270）とはかみ合わない。
【０１３２】
図８e−fの（702）は、内部側先端部に止め金が付いている部分と、中間位置に軸と、外部先端部に（2）を設けた構造
で、（22）内部（692）上部に上下可動可能に軸に嵌設されている。
【０１３３】
上記の（702）は、（11または12か13）垂直状態の時（13または11か12）と（12または13か11）が一緒に半回転する時に（12）の（323又は332か326）が（308又は309か310）押す事により（702）を内側に押し、垂直降下が開始され、水平状態の時には（2）により（702）が解除されスライド移動とツイスト可動が開始される。
【０１３４】
図８eの上記の本体管（691）外部構造は、下右端部に（679）と、中央の芯内バランス調整器受（571または572か573）と、（22）の付け根の反対の（22）側に軸の中に（43）から（524又は525）に回転伝達するための両端にギアの付いた軸を内蔵した（680）の先端部側面の孔で（43）を回転可能に保持する部分と、（679）と（680）の先端部外より位置と、中間外側位置に滑車を設けた部分と、（679）と（680）の根元付近に（524又は525）を、回転可能に保持する部分を具備している。
【０１３５】
上記と同じく本体管外部構造の（524又は525）は、（679）に保持されている側に（292）と、中央よりに（20）と、その横に（28）と、更にその横に（715）を具備している。
【０１３６】
上記の（693）は（327・328・335）の先端部の軸に四角柱の（703）と、これより一回り大き
い孔と、その手前に回転できるように円筒形の孔の（704）に内装しており、
（693）の時には空回りし、
接続ギアの接続の際、スライド移動により、伸縮する事で回転をつたえている。
【０１３７】
上記と同じく本体管（691）外部構造の右下と左上の（20）左手前と右奥の側の位置あたる本体管外部に軸を設け、先端に回転可能に（17）を保持し、（20）から来る（19）の角度を変える。
【０１３８】
上記と同じく本体管（691）外部構造の右下と左上の（28）の位置に（28）の歯が入る様に（22）を欠削した部分から（27）ギアの歯が入り込むことで、（28）のギア歯が噛み合い回転を伝える。
【０１３９】
上記と同じく本体管（691）外部構造の下左よりの位置と、（2８7）の左下の位置に平行に（684）を設け、その中間位置よりも右寄りに（526）を回転可能に保持し、先端部に（693）と、その先に（327又は328か335）を固定している部分が点対称部分にも存在する。
【０１４０】
上記と同じく（271）と（280）が、噛み合い、（280）から右側に伸びる軸が回転可能に（684）に保持され、更に軸の中間位置のギアが（526又は527）の付け根のギアに噛み合っている部分と、更に軸の右側の（680）に回転可能に保持され、軸の末端のギア（272）が（273）に噛み合っている。
【０１４１】
上記と同じく（684）の右側の接続孔に左から右斜め下に傾斜があり、釘の頭の形状部分が（684）の左に、右には軸を通して中間位置に（274）と、下に来ている時に噛み合う（287）と、上に来たときに（715）と噛み合う、末端に２つの噛みあったギアを持つ（275）  部分を具備している。      
【０１４２】
図８a・bの上記の両端の（276）に、リング状の側面から見て左か右に傾斜の付いたギア歯を持つ（3）に任意の対角線上の２つの位置に（681）接続し、これの孔に（276）を嵌設する。
【０１４３】
（705）は（15）の天板に固定され、先端部は（E）の上昇位置９５パーセントの位置に（698又は699か700）のフックが付いている部分と、支柱の中に（698又は699か700）に接続された（701）が（705）下部の孔から出て、滑車により方向を変えて接続ギアに繋がっていて、下部に来た（43）の（E）か９５パーセントの位置に移動し際に（８）で、（698又は699か700）を押し上げ、（701）を引き（320又は328か201）と（30又は200か211）の接続が解除された時に（3）半回転稼動開始する。
【０１４４】
図８g・h・I・jの（15）は、図８ｈから見て左手前に、（284）を（490）で上下に移動可能に保持した（31）と、右手前に、左右に移動可能にレールで保持された（32）と、この間を左（265）と（10）と（685）で右に押さえつけられた（258）と、（11）の（302）の真下から伸びる（531）の上から（520）と、途中に（217）に（33）で繋がる（238）と、その下に（261）と（10）からなる部分の（261）に噛みあう様に（258）を（686）に固定した部分と、（12）の（303）の真下から伸びる（532）の上から（212）と、途中に（218）に（33）で繋がる（240）と、その下に（263）と（10）からなる部分の（263）に噛みあう様に（259）を686）に固定した部分と、（13）の（304）の真下から伸びる（533）の上から（213）と、途中に（216）に（33）で繋がる（256）と、その下に（264）と（10）からなる部分の（264）に噛みあう様に（260）を（686）に固定した部分と、その間２箇所を（696）で回転可能に保持した部分
【０１４５】
上記の奥側は、（11又は12か13）の（320又は321か322）の真下から伸びる（521又は522か523）の先端部から（30又は200か201）と（535又は210か211）を乗せ、（10）と、（15）の天板と、（521又は522か523）が（15）の中に回転可能に入った下の位置に（256又は238か240）と（33）で繋がった（216又は217か218）と、その下（536又は214か215）を固定し、さらに伸びる（521又は522か523）は、（15）の底部に回転可能に嵌設
【０１４６】
（536）の左側に噛み合うに、左の方のギアと、この間を（15）の底部から伸びる支柱に回転可能に軸を保持された右側に付いたギアからなる（519）の右側ギアの左に噛み合うに、（215）と、その左側に（518）と、（214）と、（517）と、（536）の右側を噛み合うに組設した（15）の内部構造
【０１４７】
(671)は図８a・ｂの様に両端の支柱（14）の先端部から９０°曲がった角の位置に、外輪ギア受軸（656）を渡設した軸の空車輪壱又は弐か参（11又は12か13）の位置に外輪ギア受バー（671）をぶら下げ、その先端に外輪ギア受滑車（670）回転可能に嵌設した部品
【０１４８】
ロックギア壱又は弐か参（308又は309か310）は、図８aの様に両端の支柱（14）の先端部から９０°曲がった末端部に上部HSG受軸（655）を渡設した軸の空車輪壱又は弐か参（11又は12か13）の位置に軸をぶら下げた先端部に固定した部品
【０１４９】
稼動終了の空車輪の上部ゼンマイ部による次の稼動開始の空車輪の外輪ギア解除バーは、図８−A・Bの様に両サイドの支柱（14）の先端部から９０°曲がった水平軸の中央に解除部受軸（645）を渡設した空車輪壱又は弐か参（11又は12か13）側左の位置の解除部受軸（654）に空車輪１TO３解除バー又は空車輪2TO1解除バーか空車輪3TO2解除バー（513又は516か560）の軸の末端下部のつめの部分と、その上部のバランスバー左又は右の側面に錘（２）で、右又は左の側面に空車輪参又は空車輪壱か空車輪弐（13又は11か12）のロックギア参又はロックギア壱かロックギア弐（310又は308か309）を接続したものの中央軸の楕円孔を通してぶら下ったの構造で、稼動時には空車輪壱又は弐か参（11又は12か13）の外輪ギアが半回転して、接続ギア凹壱又は弐か参（323又は332か326）がロックギア壱又は弐か参（308又は309か310）を経由して空車輪１TO３解除バー又は空車輪2TO1解除バーか空車輪3TO2解除バー（513又は516か560）のつめを押し上げロックギア参又は壱か弐（310又は308か309）持ち上げて空車輪参又は壱か弐（13又は11か12）が半回転可動開始する。
【０１５０】
図８mは半月ギア（1）で、その形状は半径が20ｍｍで内角が150°と半径が1.5ｍｍで内角が30°の扇形状の半円を繋げた窪みを持つ半月形状の外周にギア加工と半径が1.5ｍｍの末端部に重り（2）を付けたもの半円の側面の中央に半月ギア受（198）を設けこれを、それぞれ空車輪壱又は弐か参（11又は12か13）の右側位置に、半月ギア軸（511）通したものを３つと、半月ギア軸（511）の両端を図８−Aの様に支柱（14）の先端部から９０°曲がった中央よりも先の位置に渡設した構造
【０１５１】
稼動時には図８a・bの上部HSG受軸（655）にぶら下ったHSG軸（587）の間にバネを接続し、さらに指の様に伸びた１０本歯のついたプレートを接続したハンドシェクギア（4）が半月ギア（1）前後の揺れで、半径が20ｍｍで内角が150°分の出っ張りでプレートが下がり、昇降バー（43）の末端部に付いた指の様に伸びた１０本歯が内側に立ち上がった形状のプレートがついたハンドシェイクギア受け（512）に接続され、上部に来た昇降バー（43）を稼動回転させゼンマイ部を移動させる。
【０１５２】
図８mのゼンマイ部（E）は、ゼンマイ部軸管（570）円筒形状の内側を螺設したものの中間位置にU字形状のCZ可変部（５６９）の両端の凸部で挟む様に枢着し、その側面にゼンマイの内側に固定し、反対側のゼンマイ（８）の先端部にゼンマイ用錘（７）を固定し、ゼンマイ部軸管（570）の上下にワイヤー固定リング（42）を固定し、３箇所にワイヤー（４１）を固定した部分で、このゼンマイ部（E）が回転して移動する際に、遠心力の強弱やカウントギア（28）の衝撃により、錘（7）を遊動する事で移動を助ける。
【０１５３】
図８mの昇降バー（43）は、棒状のものの外周面にN極の磁性を持たせた螺旋状に螺設した歯にRGつめ（44）を表と裏に併設した部品
【０１５４】
図８ｋのカウント・ギア（28）は、軸に螺旋状に２８０°から３３０°一周近く巻いた歯からなる部品で、これをLa軸（525）または（524）に固定しているものに、芯内バランス調整器中央部（384）や芯内バランス調整器錘部A・B（383・385）ギアバー（27）の歯が垂直に入り、そのまま真っ直ぐに下がり、カウント・ギア（28）の傾斜により自ら１回転し、歯が途切れて抜け落ちると同時に次の歯が掛かり、これを繰り返してBCWギア（20）を回して、ZCLチェーン（491）のゼンマイ部（E）を引き上げる。
【０１５５】
図８ｋのボールズチェーン用ダブルギアは、ボールズチェーン（20）の玉を半分挟むように歯と歯の間の谷の片側部分に玉をキャッチするための内側に曲面傾斜を付けたギアを傾斜のある面を向かい合わせに、間に固定小リング（196）を挟んで接続した部品
【０１５６】
図８ｍの ボールズチェーンは、玉状のものに軸を付け、次の玉を被う用に遊嵌した部品
【０１５７】
右回転用ラチェットバー（593）は、ラチェットバー固定アーム（614）底部の軸にL字のツメを持つラチェットバー可動アーム（615）と、一方向だけ動く方にラチェット用板バネ（156）を固定したもので、これと同じものを上下反対向きにした左回転用ラチェットバー（613）をラチェットベース（157）に固定したのか移動ラチェットバー（197）になる。
【０１５８】
ハンドシェイクギア（302・303・304・311・312・313）は、傘の骨組みの様に軸の末端に短い可動用の軸を設け
【０１５９】
接続ギアは、別の考案使用
【０１６０】
上下軸用振動回転機（31）は、WSギア（490）がWS用支柱（284）を挟むように移動可能に嵌設された２箇所と、本体のバネ（10）の付いたWSギア歯 TSDギア（589）の数十箇所がTSDギア（265）を、上に移動した時は互いの歯が噛み合い回転を伝え、下に移動する時はWSギア歯（589）の傾斜により回転を伝えず下に下がる行程を上下の微弱振動が有る時だけ繰り返す回転と、左右軸用振動回転機（32）の回転による混合回転か、左右・上下軸用振動回転機（32・31）が停止している場合はSSDギア・TSDギア（266・265）により空回りすることで、左右・上下軸用振動回転機（32・31）のどちらか１つのシングル回転が、DDギア壱・弐・参（258・259・260）に下部ハンドシェイクギア受壱  （520とか212とか213と）の何れかの接続した部分がギアの歯の分、下がったBSギア壱か弐か参（261か263か264）と、EW１・２・３S軸（531か532か533）と、HSCギア壱か弐か参（216か217か218）ではラチェット機構により空回りして、次の下部ハンドシェイクギア受壱・弐・参  （520・212・213）を回転させるルートを経由してEを引き上げる。
【０１６１】
左右軸用振動回転機（32）は、WSタイヤ（301）が車の様に４本付いたものの下部にバネ（10）の付いたWSギア歯（589）数十箇所がUDギア（336）により、前に進んだ時は互いの歯が噛み合い回転を伝え、後退するときはWSギア歯（589）の傾斜により回転を伝えず後ろに下がる行程を左右の微弱振動が有る時だけ繰り返して回転を伝える。
【０１６２】
図８ｂ・ｑの状態は、（11）の（E）が（594）の位置で回転上昇可能状態で、（12）の（212）は接続していないので空回りで、（13）の（213）は接続しているが（E）が移動完了状態（598）の位置なので、回転できずに負荷が（260）に掛かり下の（685）により（260）右にずれて空回り状態
【０１６３】
上記の状態の図８ｈのHSGルート１は、上下軸用振動回転機（31）からTSDギア（265）と、左右軸用振動回転機（32）から（266）による混合回転かどちらかのシングル回転を、（686）からDDギア壱（258）・BSギア壱（261）・EW１S軸（531）・（238）はラチェット機構により空回りし、・下部ハンドシェイクギア受壱（520）・（302）の順番に回転を伝える。
【０１６４】
（11）が垂直バランス稼動状態（497）と、（12）が垂直バランス移動（稼動位置移動待ち）状態（494）と、（13）が水平バランス均等状態（499）の時、図８ｈのHSGルート２は、（31）からTSDギア（265）と、（32）から（266）による混合回転かどちらかのシングル回転を、（686）から（259）・（263）・（532）・（240）はラチェット機構により空回りし（212）・（303）の順番に回転を伝える。
【０１６５】
（11）が水平バランス均等状態（499）と、（12）が垂直バランス稼動状態（497）と、（13）が垂直バランス移動（稼動位置移動待ち）状態（494）の時、図８ｈのHSGルート３は、（31）からTSDギア（265）と、（32）から（266）による混合回転かどちらかのシングル回転を、（686）から（260）・（264）（533）・（256）はラチェット機構により空回りし（213）・（304）の順番に回転を伝える。
【０１６６】
図８ｈのTGLルート１は、（30）・外輪受ギア壱（535）・EW１バイパス軸（521）・（216）はラチェット機構により空回りし、・HSギア壱（536）・バーベルギア（519）・HSギア参（215）・EW３バイパス軸（523）・（218）はラチェット機構により空回りし、・外輪受ギア参（211）・半球型ギア凸３（201）・（322）の順番に回転を伝える。
【０１６７】
図８ｈのTGLルート２は、（200）・（210）・（522）・（217）はラチェット機構により空回りし、・（214）・（517）・（536）・（521）・（216）はラチェット機構により空回りし、・（535）・（30）・（320）の順番に回転を伝える。
【０１６８】
図８ｈのTGLルート３は、（201）・（211）・（523）・（218）はラチェット機構により空回りし、・（215）・（518）・（214）・（522）・（217）はラチェット機構により空回りし、・（210）・（200）・（328）の順番に回転を伝える。
【０１６９】
（11）が水平バランス均等状態（499）の時、図８ｈのTGRルート１は、、Vルートからの回転を（30）で受け、（3）の（535）に掛かる負荷を下の（10）により空回りし、（521）・（216）は（33）を経由して（256）・（533）・（213）・（304）・（E）の順番に回転を伝える。
【０１７０】
図８ｂの状態の時の図８ｈのTGRルート２は、Vルートからの回転を（200）で受け、外輪ギア（3）の（210）に掛かる負荷を下の（10）
により空回りし、（522）・（217）は（33）を経由して（238）・（531）・（520）・（302）・（E）の順番に回転を伝える。
【０１７１】
（13）が水平バランス均等状態（499）の時、図８ｈのTGRルート３は、Vルートからの回転を（201）で受け、（3）の（211）に掛かる負荷を下の（10）により空回りし、（523）・（218）は（33）を経由して（240）・（532）・（212）・（303）・（E）の順番に回転を伝える。
【０１７２】
Vルートは、下に来た（271）の回転を（280）と、（281）と、（526又は527）に伝え、（15）のHSGルートを経由して、aルートへ回転を伝える。
【０１７３】
aルートは、垂直バランス移動（稼動位置移動待ち）状態の下に来た（524又は525）を逆回転させ、（276）と、（274）と、（287）と、反対側の（275）と、（276）と、（525または524）と、（680）の軸の中のギアで（43）を回転させて、（E）を引き上げる。
【０１７４】
（13）が垂直バランス稼動状態（497）の時に、回倒（倒れるように半回転）する事で、外輪ギア（3）からTGLルート３を経由して、（11）手前下の（E）を後半補助する。
【０１７５】
空車輪が水平状態の時のウイールシンカー（B）による回転伝達のWSSルートは、（B）重さによる（181）の傾斜で、（B）の（507）と（640）が反発で（36）の摩擦を軽減して、（33）を引いて（195）を回し、（185）の軸の中を（672）が通り、その先端の（182）と、（269）と、（270）と、（271）からVルートへ回転を伝える。
【０１７６】
ツイスト稼動による回転伝達のTWSルートは、ツイスト稼動による（690）の回転を（270）から（271）を経由してVルートへ回転を伝える。
【０１７７】
図８−Bの状態になる前の状態が、垂直バランス移動（稼動位置移動待ち）状態の後半自力移動中の（13）で、（12）が垂直バランス稼動状態（497）の右半回転中で、（11）が左右の均等化完了状態から（12）と一緒に右半回転中から以下の状態になる時に（12）の（332）が（309）を経由して、（516）のツメを持ち上げ、（11）の（702）先端部（2）を押して、（702）が解除され（11）の前半自力移動スタートする。
【０１７８】
図８−Qの垂直バランス移動（稼動位置移動待ち）状態（494）の時、図８−Bの場合、空車輪1（11）の上部に来た昇降バーのゼンマイ部（E）の重さ４ｇ位置０ｍｍ（598）と、芯内バランス調整器錘部A（383）の錘部の重さ５ｇ位置が２ｍｍ（600）と、芯内バランス調整器中央部（384）の頭頂部にウイールシンカー（39）の重さが5.5ｇ位置が２ｍｍ（600）と、芯内バランス調整器錘部B（385）の錘部の重さ５ｇ位置が−1ｍｍ（597）と、下部に来た昇降バーのゼンマイ部（E）の重さ４ｇ位置−4ｍｍ（594）中心軸に対して上下のバランスが21ｇ：21ｇの状態
【０１７９】
図８−Qの垂直バランス稼動状態（497）の時、図８−Bの場合、空車輪3（13）の上部に来た昇降バーのゼンマイ部（E）の重さ４ｇ位置4ｍｍ（602）と芯内バランス調整器錘部A（383）の錘部の重さ５ｇ位置が1ｍｍ（599）と、芯内バランス調整器中央部（384）の頭頂部にウイールシンカー（39）の重さが5.5ｇ位置が1ｍｍ（599）と、芯内バランス調整器錘部B（385）の錘部の重さ５ｇ位置が−2ｍｍ（596）と下部に来た昇降バーのゼンマイ部（E）の重さ４ｇ位置0ｍｍ（598）中心軸に対して上下のバランスが26.5ｇ：10ｇの状態
【０１８０】
図８−Q・８−N(O)の水平バランス均等状態（499）の時、図８−Bの場合、空車輪2（12）手前側（左）に来た昇降バーのゼンマイ部（E）の重さ４ｇ位置０ｍｍ（607）と、芯内バランス調整器錘部A（383）の錘部の重さ５ｇ位置が-2ｍｍ（605）と、芯内バランス調整器中央部（384）の頭頂部にウイールシンカー（39）の重さ5.5ｇ位置1ｍｍ（606）と、芯内バランス調整器錘部B（385）の錘部の重さ５ｇ位置が1ｍｍ（606）と、奥に（右）来た昇降バーのゼンマイ部（E）の重さ４ｇ位置４ｍｍ（611）で、中心軸に対して左右のバランスが10ｇ：26.5ｇの状態
【０１８１】
芯内バランス調整器錘部A（383）の回転伝達は、図８−A・Bの様に、はじめに空車輪1（11）自力稼動前半として、芯内バランス調整器錘部A（383）が駆動軸ガイド管（22）の中を降下し、垂直ギア（27）の歯でカウント・ギア（28）を下ることでつぎつぎに抜け落ちると同時に次の垂直ギア（27）の歯が掛かり、更にXの長さとYの長さが２mm：３ｍｍで、その分の間隔が垂直ギア（図C）により、カウンタギア（28）に衝撃を掛けながらカウントギア（28）に接続された現時点での図８−B手前下に来たRa（524）にボールズチェーン用ダブルギア（20）も接続されており、これにより回転してボールズチェーン（19）を巻き上げ、ワイヤー（40から41）を経由し、ゼンマイ部（図E）を引き上げる。
【０１８２】
またその際にゼンマイ（8）の傾斜により、ゼンマイの反りを抑え、錘を揺らし上下運動に変える事で移動を助ける。
【０１８３】
その際、昇降バー（43）の螺旋部をマグネットにして、受け手のゼンマイ部を揺らすことで重さによる負荷をマグネットにより軽減し、ツメ（44）で戻りを防止し、かつ遠心力の強弱でゼンマイ部（図E）の錘（7）を上下運動させることで、さらに負荷を軽減する。
【０１８４】
降下していた芯内バランス調整器錘部A（383）がCAU受け（537）又は別名（692）の位置である-1ｍｍ（597）に移動し、芯内バランス調整器錘部A（383）の垂直ギア（27）の末端部に付いたCBフック（549）により芯内バランス調整器中央部（384）の（697）を引っ張り、芯内バランス調整器ストッパーB（547）から抜け落ち半分稼動するのが前半自力移動する。
【０１８５】
これと同時に空車輪2（12）の右上に来た（702）の（2）の重さで解除され可動開始する。
【０１８６】
上記可動は、空車輪2（12）の芯内バランス調整器が上記図８−N(O)の水平状態で、ツイスト稼動（図８−N(O)から（R））により、
TWSルートからTGLルート２を経由して、自力移動の（11）の手前下の（E）移動を助けるための前半半分の引き上げを補助する。
【０１８７】
そのバランス状態が、ツイスト回倒軸（9）別名（270）より左側が錘（385）の重さが5ｇ＋ウイールシンカー（39）の重さ５．５ｇと右側に錘（383）の重さ５ｇ＋（ゼンマイ部の錘が2ｇ×上下部２箇所×錘の位置が右外に距離２ｍｍ）の10.5：13バランスで、90°右に（奥に）回倒し、TWSルートを経由して、空車輪1（11）のゼンマイ部（図E）の前半半分の引き上げを補助する。
【０１８８】
そのバランス状態が、ツイスト回倒軸（9）別名（270）より左側が錘（385）の重さが5ｇ＋ウイールシンカー（39）の重さ５．５ｇと右側に錘（383）の重さ５ｇ＋（ゼンマイ部の錘が2ｇ×上下部２箇所×錘の位置が右外に距離２ｍｍ）の10.5：13バランスで、90°右に（奥に）回倒した後の状態の図８−N(P)
【０１８９】
次にツイスト回倒軸（9）別名（270）対し、左側が（ゼンマイ部の錘の重さ２ｇ×左外に距離２ｍｍ）＋錘の重さ５ｇと右側が（ゼンマイ部の錘の重さ２ｇ×右外に距離２ｍｍ）＋錘の重さ５ｇ＋ウイールシンカー（39）の重さ５．５の状態9：14.5のバランスから、ウイールシンカーのマグネット部N極（37）とマグネット床（38）又は（584）S極の反発により揺らすことにより、摩擦を軽減しながら下り
TWSルートと、TGLルートと、aルートから来る回転と、芯内バランス調整器の降下による自力移動の回転と、（31）と（32）からHSGルートを経由して（３０２又は303か304）から来る回転と、の混合回転で、ゼンマイ部（E）の重さ４ｇ・中心軸を０の位置（598）から４ｍｍの位置（602）へ、前半半分の引き上げの補助をする。
【０１９０】
その後、ツイスト回倒軸（9）より左側は（ゼンマイ部の錘の重さ２ｇ×左外に距離２ｍｍ）＋錘の重さ５＋ウイールシンカーの重さ５．５と右側は（ゼンマイ部の錘の重さ２ｇ×右外に距離２ｍｍ）＋錘の重さ５ｇで、左右のバランスが14.5：9で左に移る。
【０１９１】
今度は左回倒し、そのまま惰力にて４５°以上移動して、（702）にて停止してツイスト稼動を終了し、これにより水平バランス均等状態（499）である左ゼンマイ部（E）4ｇが０の位置（607）と左の錘部（現時点で383）の重さが５ｇ、距離−２ｍｍ位置（605）とウイールシンカー（39）は重さ比率５．５距離が＋１ｍｍ（608）から−２ｍｍ（605）へ移動しており、右側の錘部（現時点で385）の重さが５ｇ・距離＋１ｍｍ位置（608）で右のゼンマイ部（E）４ｇが距離４mmの位置（611）で、結果２１：２１で、均等完了した状態である。
【０１９２】
次に第２垂直稼動の半分と第３垂直稼動で、上記稼動と同じ様に上部ゼンマイ部（図E）４ｇ距離０（598）から＋4ｍｍの位置（602）まで引き上げる残りの半分の稼動が後半自力移動で、現時点での図８−奥上に来たLa軸（525）側の（43）に接続された（E）を上記と同じ様に引き上げる。
【０１９３】
これと同時に上記の前半自力稼動と前半補助により、（11）手前下の（43）の（E）が中央の位置近く９５パーセントの位置で（698）を引き上げ、（701）を経由して（13）の（201）と（211）を（10）の伸縮分引き下げ、（13）が半回転開始しする。
【０１９４】
これと同時に後半補助のためローテーションギアのギア・ビス留（23）ギア・ビス（24）が軸で繋がっていて垂直バランス回倒前状態（497）の空車輪3（13）と水平バランス均等状態（499）の空車輪2（12）一緒に右に回倒（倒れるように９０°回転する）する。
【０１９５】
その内訳は空車輪3（13）上部ゼンマイ部（図E）４ｇの位置＋４ｍｍ（602）で、芯内バランス調整器錘部B（385）の重さが５ｇ、距離＋１ｍｍの位置とウイールシンカーは重さが５．５ｇ距離は同じく＋１ｍｍの位置で、上部重さが２６.5ｇと下部ゼンマイ部４ｇの位置は０の位置（598）で、芯内バランス調整器錘部A（383）の重さが５ｇ、距離−２の位置の状態で下部重さが１０ｇになり結果中心軸（16）に対し２６.5：１０の割合で、右へ回倒し、空車輪3（13）の外輪ギア（3）でHSGルート３とRa・La軸（524又は525）とBCWギア（20）はラチェットバー切り替え器（616または197）下に来ているので右か移転用ラチェットバー（593）が機能して左回転で空回りしているのでこの機能には関係なく、aルート１回転伝達経路を通り、奥上の（E）を、芯内バランス調整器の残りの降下半分の自力稼動後半の回転と、（1）による回転の混合回転により引き上げ、これにより、ゼンマイ部（E）の重さ４ｇ・中心軸を０の位置（598）から４ｍｍの位置（602）へ、移動し、後半の引き上げを完了することで空車輪１（11）が垂直バランス稼動状態（497）の状態になる上記の第１可動行程を完了する。
【０１９６】
次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で、上記の可動行程の交代し、空車輪3（13）がツイスト稼動とウイールシンカーが左に移動する事で水平バランスを均等化と前半補助と同時に空車輪2（12）が下部ゼンマイ部（E）の移動である前半自力稼動し、空車輪１（11）のローテーションギア用つめ（25）が空車輪3（13）ローテーションギア用つめ（25）と軸付きギア・ビス留（23）とギア・ビス（24）は固定してあり、そのギア・ビス（24）のギアつめが前にあり、空車輪1（11）稼動する時、空車輪3（13）は連動する事で一緒に右に回倒（倒れるように９０°回転する）する事で、空車輪2（12）の上部ゼンマイ部（E）の移動である後半補助し、空車輪2（12）が後半自力稼動することで第二稼動行程を完了することで、空車輪２（12）が垂直バランス稼動状態（497）の状態になり、
【０１９７】
次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で、上記の可動行程の交代し、空車輪1（11）がツイスト稼動とウイールシンカーが左に移動する事で水平バランスを均等化と前半補助と同時に空車輪3（13）が下部ゼンマイ部（E）の移動である前半自力稼動し、空車輪2（12）がのローテーションギア用つめ（25）が空車輪1（11）ローテーションギア用つめ（25）前にあり、空車輪2（12）稼動する時、空車輪1（11）は連動する事で一緒に右に回倒（倒れるように９０°回転する）する事で、空車輪3（13）の上部ゼンマイ部（E）の移動である後半補助し、空車輪3（13）が後半自力稼動することで、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギアボックス（15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させる。
【産業上の利用可能性】
【０１９８】
本発明に係る動力部は、攪拌器だけでなく  
多目的モータや多目的エアーモータとしても、更に部品においては多目的伝動装置として利用可能性を有する。
【符号の説明】
【０１９９】
１半月ギア（前後軸用振動回転機）２重り３外輪ギア４上部ハンドシェイクギア受壱５バッテリー６発電機７ゼンマイ用錘８ゼンマイ（外下がりに４５度）９ツイスト回倒（倒れる様に４５°半回転）軸１０ばね１１空車輪壱１２空車輪弐１３空車輪参１４支柱１５台座兼ギアボックス（設置面）１６中心軸１７滑車１８負荷OFFギア１９ボールズチェーン２０ボールズチェーン用ダブルギア（BCWギア）２１ローテーションギア接続図２２駆動軸ガイド管２３軸付きギア・ビス留２４ギア・ビス２５ローテーションギア用ツメ２６空車輪芯内バランス調整器の負荷軽減マグネット２７垂直ギア（ギアバー）２８カウント・ギア（CG中心軸位置）２９半球型ギア凹（接続ギア凹）３０半球型ギア凸１（接続ギア凸１）３１上下軸用振動回転機（上下軸用機微弱振動伝達器）３２左右軸用振動回転機（左右軸用機微弱振動伝達器）３３チェーン３４カウント・ギアの高さが2ｍｍ３５ギアバー爪の間隔が3ｍｍ３６ウイールシンカーのタイヤ（WSタイヤ）３７マグネット部３８マグネット床S極３９ウイールシンカー（錘車）４０三本のワイヤーよったもの４１ワイヤー４２ワイヤー固定リング４３昇降バー４４戻り防止つめ（RGつめ）４５CSCB受けの展開図とローテーションギア用ツメ46ノーマルマドラー支柱47回転軸半固定部48ゴム製マドラーストッパー取手49電池50市販のPICモータ制御装置
51アルミ製のビーカーフリーサイズ用蓋（フリーサイズ用蓋）52アルコールランプ53二〇〇ｍｌ用ビーカー54着脱式頭頂部振動を回転に変えて発電による動作確認ランプ部（SR発電機内蔵LED部）55プッシュスイッチ
56電池止め金57軸型２ローターモータ内蔵攪拌器58内周ライン59水平に引いたライン60取っ手部内蔵平型蒸気モータ61取っ手部内蔵平型モータ62三〇〇ｍｌ用蓋のアダプター63平型蒸気モータのヘッド外カバー内部配管排気口（VACIN排気口）64平型蒸気モータのヘッド外カバー内部配管吸気口（VACIN吸気口）65取っ手部内蔵の平型蒸気モータ稼動管内側マドラーストッパーゴム加工（VAシャフト管または平型蒸気モータシャフト管）66取っ手部内蔵平型蒸気モータカバー（VAモータケース）67ステンレス製の平型蒸気モータ蒸気室用ヘッド（VAヘッド）68蓮根型プレート69ステンレス製の平型蒸気モータの蒸気室用ブレード（VAブレード）70ゴムパッキン部71平型蒸気モータの蒸気室用ヘッドの谷部の高さ０．５ｃｍ72平型蒸気モータの蒸気室用ヘッドの軸部の長さを除いた半径１．５ｃｍ73平型蒸気モータの蒸気室用ヘッドの山部の高さ０．８ｃｍ74板バネ75ヘッド板サイズ縦０．５ｃｍ横１．５ｃｍ76ヘッド板サイズ縦０．５１ｃｍ横１．５ｃｍ77ヘッド板サイズ縦０．５２ｃｍ横１．５ｃｍ78ヘッド板サイズ縦０．５３ｃｍ横１．５ｃｍ79ヘッド板サイズ縦７７ｃｍ横１．５ｃｍ80ヘッド板サイズ縦０．７８ｃｍ横１．５ｃｍ81ヘッド板サイズ縦０．７９ｃｍ横１．５ｃｍ82ヘッド板サイズ縦０．８ｃｍ横１．５ｃｍ83平型モータ延長部アーム付コイル部軸84平型モータ用磁石部85回転軸半固定部受86平型モータ用マグネット部（HMマグネット部）87ネジ88電磁鋼製の扇形状延長板89平型モーターコイル部軸（HMコイル部軸）90平型モーターケース91平型モータマグネット蓋92平型モータシャフト管ゴム部93平型モータのコミテータ芯シャフト管固定部（平型モータ用コミテータ芯）94シャフト管内部ゴム加工（シャフト管GS）95ブラシ板バネ固定部96AE用吸気孔97 中空部98蓋受溝99外螺子100取っ手ストッパーつめ101内螺子102マドラー取付頭頂部103ダブルコイル部２（ダブル巻線２）104マドラー先端部交換式スプーン105
HMプラス極端子（平型モータプラス極端子）106 
HMマイナス極端子（平型モータマイナス極端子）107配線 108マグネット固定溝109U字ピン110平型蒸気モータのケース蓋（VAモータケース蓋）111制御装置から軸型YU字軸モータの3枚部コミテータ１（ MCTOTW3コミテータ１）112制御装置から軸型YU字軸モータの3枚部コミテータ2（ MCTO TW3コミテータ2）113制御装置から軸型YU字軸モータの3枚部コミテータ3（MCTO TW3コミテータ3）114軸型YU字軸モータの 3枚部コミテータ2からダブルコイル１と２間（TW3コミテータ2BTWC１A2）115軸型YU字軸モータの3枚部コミテータ3からダブル用切り替えスイッチ2（TW3コミテータ3TOWS2）116軸型YU字軸モータの3枚部コミテータ１からダブル用切り替えスイッチ1（TW3コミテータ1TOWS１）117マドラー先端部交換式スクリュー118制御装置から軸型YU字軸モータの２枚部コミテータ壱（MCTO
TW２コミテータ１）119ダブル攪拌用アダプター120ダブル攪拌専用容器121五〇ｍｌ用溝122三〇ｍｌ用溝123二〇〇ｍｌ用溝124一〇〇ｍｌ用溝125軸型２TW SUASK可動接続部（軸型YU字軸モータの可動接続部）126べアリングの内側リングのみ127軸型２TWモータ内蔵ファン付き動力部本体（多目的軸型YU字軸モータ内蔵ファン付き動力部本体）128軸型１ASCモータ内蔵動力部本体（多目的軸型２ローターモータ内蔵動力部本体）129 べアリングの外側リングのみ130軸型３ABCモータ内蔵折りたたみ式マドラータイプ攪拌器の駆動部（S3ABC稼動部）131べアリングの中のボールのみ132HTM稼動部（ヒートモータ稼動部）133軸型２TW SUASK可動接続部半固定部（軸型YU字軸モータの可動接続部半固定部）134Y字コイル部金属ブラシ3・２ベースリング135Y字コイル部W用金属ブラシベースリング 
136制御装置から軸型YU字軸モータの２枚部コミテータ２（MCTO
TW２コミテータ２） 137接触ヘッド（カーボンブラシ）138ブラシ用板バネ139接触金具（コミテータ片）140軸型モータ内蔵折りたたみ式マドラータイプ攪拌器の折りたたんだ状態141軸型１ASCモータ用壱マグネット部（軸型２ローターモータの壱マグネット部）142軸型１ASCモータのS極コイル部軸（軸型２ローターモータの S極磁極部軸）143軸型１ASCモータのN極コイル部軸（軸型２ローターモータの  N極磁極部軸）144軸型１ASCモータ内蔵マドラータイプ攪拌器動力部（軸型２ローターモータの動力部）145軸型１ASCモータの第1稼働行程（軸型２ローターモータの第1稼働行程） 146軸型１ASCモータの第2稼働行程（軸型２ローターモータの第２稼働行程） 147軸型１ASCモータの第3稼働行程（軸型２ローターモータの第３稼働行程） 148制御装置からファン稼動時の軸型YU字軸モータの金属ブラシ１（MCTOFMTW金属ブラシ１）149ケース用上部蓋150軸型１ASCモータの第４稼働行程（軸型２ローターモータの第４稼働行程）151制御装置からファン稼動時の軸型YU字軸モータの金属ブラシ２（MCTOFMTW金属ブラシ２）152
Y字シングルコイル部金属ブラシ２からシングル巻線２（YSCB2TOSC2）153 Y字シングルコイル部金属ブラシ１からシングル巻線１（YSCB１TOSC１）154ダブル用切り替えスイッチ2からダブル巻線１（WCMFS2TOWC1）155ダブル用切り替えスイッチ１からダブル巻線２（WCMFS１TOWC2）156ラチェット用板バネ157ラチェットベース158左ヘッド受部159軸型２TWモータの磁石部半固定部（軸型YU字軸モータの磁石部受）160 Yコイル部半固定部（Yコイル部受）161スライド半固定部
（スライド部受）162Wスイッチ半固定部（Wスイッチ部受）163スクリュー部接続空間部
164チェンジギアボックスケース本体165両面ヘッドスライド受166切り替え移動ガイドの溝167配線孔168配線溝169 S2TWのシャフト（軸型YU字軸モータのシャフト）170接続金具アーム（ブラシアーム）171電磁鋼製の平型モーターコイル部軸上先端部（HMモーターコイル部軸上下先端部）172電磁鋼製の平型モーターコイル部軸中央先端部（HMモーターコイル部軸中央先端部）173ケイ素鋼板製の平型モーター軸部プレート（HM軸部プレート）174コイル（巻線）175平型モータのコイル部からコミテータまでの配線図176３０°〜９０°177９０°〜１５０°  178中心軸付き芯内バランス調整器受け参の展開図（CSCB受け参の展開図）179右ヘッド受部180底部の蓋181ウイールシンカー格納部（WS格納部）182ウイールシンカー部伝達ギア  183軸型２TWモータのワンウェイギア用逆戻り防止つめ格納部184軸型２TWモーター兼チェンジギアボックス内蔵のファン用プロペラ（軸型YU字軸モータのファン用プロペラ）185TC軸（ツイスト変形軸）186プロペラ接続部上部187プロペラ接続部下部188べアリング189下部切り替えガイド形成部用（スクリュー回転用溝内部形成管）190右部切り替えガイド形成部用191左部切り替えガイド形成部用192イモネジ用の穴193上部切り替えガイドの溝194下部切り替えガイドの溝195WSCギア（ウイールシンカーチェーンギア）
19６固定小リング  １97移動ラチェットバー198半月ギア受199S極コイル部用金具部（S極コイル部用コミテータ）200半球型ギア凸２（接続ギア凸２）201半球型ギア凸３（接続ギア凸３）202軸型１ASCモータのS極マグネット部（軸型２ローターモータの  S極マグネット部）203軸型１ASCモータのN極マグネット部（軸型２ローターモータの  N極マグネット部）204 S極コイル部から接触金具までの配線図（S極コイル部・コミテータ・金属ブラシまでの配線図）205 N極コイル部から接触金具までの配線図（N極コイル部・コミテータ・金属ブラシまでの配線図）206ステンレス製の軸型１ASCモータ本体軸（軸型２ローターモータの  本体軸）207電磁鋼製の軸型１ASCモーターコイル軸先端部（軸型２ローターモータの  磁極コア軸先端部）208電磁鋼製の軸型１ASCモーターコイル部軸管（軸型２ローターモータの  磁極コア部軸管）209軸型１ASCモータの稼動管（軸型２ローターモータの  稼動管）210外輪受ギア弐211外輪受ギア参  212下部ハンドシェイクギア受弐    213下部ハンドシェイクギア受参  214HSギア弐  （外輪ギア受け弐軸底部ギア）215HSギア参  （外輪ギア受け参軸底部ギア）
216  HSCギア壱（外輪ギア受け壱軸ラチェットギア）  217 HSCギア弐（外輪ギア受け弐軸ラチェットギア）  218 HSCギア参  （外輪ギア受け参軸ラチェットギア）219軸型２TWモータ内蔵マドラータイプ攪拌器のファン駆動部（軸型YU字軸モータのファン駆動部）220軸型２TWモーターマドラータイプ攪拌器の駆動部（軸型YU字軸モータの攪拌器の駆動部）221軸型２TWモータのU字コイル部（軸型YU字軸モータのU字コイル磁極部）222軸型２TWモータの磁石部（扇柱磁石棒二本組み部のスクリュー時用ロータまたは、軸型YU字軸モータの磁石部）223軸型２TWモータのYコイル部（軸型YU字軸モータのY 字コイル磁極部又はプロペラ用ロータ）224軸型２TWモータの稼動行程一（軸型YU字軸モータの稼動行程一）225軸型２TWモータの稼動行程二（軸型YU字軸モータの稼動行程二）226軸型２TWモータの稼動行程三（軸型YU字軸モータの稼動行程三）227軸型２TWモータの稼動行程四（軸型YU字軸モータの稼動行程四）228軸型２TWモータの稼動行程五（軸型YU字軸モータの稼動行程五）229軸型２TWモータの稼動行程六（軸型YU字軸モータの稼動行程六）230軸型２TWモータの稼動行程七（軸型YU字軸モータの稼動行程七）231軸型２TWモータの稼動行程八（軸型YU字軸モータの稼動行程八）232軸型２TWモータの可動管（軸型YU字軸モータの可動管）233軸型２TWモータの磁石部の側面図（軸型YU字軸モータの磁石部の側面図）234軸型２TWモータのワンウェイギア用逆戻り防止つめ（軸型YU字軸モータのワンウェイギア用逆戻り防止つめ）235ワンウェイギア236ワンウェイギアのロック状態237ワンウェイギアの可動時の図238  BSCギア壱（ハンドシェイク壱軸ラチェットギア）  239軸型２TWモータ切り替えスイッチ固定部（ダブル用切り替えスイッチ）240 BSCギア弐（ハンドシェイク弐軸ラチェットギア）241軸型２TWモータY字コイル（巻線）部部用接触金具（コミテータ）３枚正面図242軸型２TWモータY字シングルコイル部用接触金具（軸型YU字軸モータのY字シングルコイル部コミテータ）２枚正面図24３折り曲げ位置  24４Y字軸  （Y字磁極コア軸）245軸型２TWモータY字コイル部可動軸（軸型YU字軸モータのY字コイル部シャフト）246電磁鋼製のY字コイル部軸（電磁鋼製のY字磁極コア軸）247ステンレス製のワンウェイギア右回転用248電磁鋼製のY字コイル（磁極コア）部扇形状先端部249電磁鋼製のU字コイル（巻線）部扇形状先端部250電磁鋼製のU字コイル部軸（電磁鋼製のU字磁極コア軸）251
接触金具片２枚組（TWコミテータ片２枚組）252軸型１ASCコミテータ用絶縁部（軸型２ローターモータの  絶縁体片）253N磁コイル部用金具部（N磁磁極部用コミテータ）
254Y字コイル（磁極コア）部扇形状先端部正面図255U字コイル固定部
256 BSCギア参（ハンドシェイク参軸ラチェットギア）257二ヘッドギア258DDギア壱（ドライブ伝達ギア壱）259 DDギア弐（ドライブ伝達ギア弐）260 DDギア参（ドライブ伝達ギア参）261BSギア壱（ドライブ伝達受けギア壱）262コミテータベースリング263 BSギア弐（ドライブ伝達受けギア弐）264 BSギア参（ドライブ伝達受けギア参）  265TSDギア（上下軸用振動回転機受けギア）  266SSDギア（左右軸用振動回転機受けギア）  267ツイスト稼動軸268WSTSギア（ウイールシンカー伝達ギア）269WSB（ウイールシンカー伝達受けギア）
270スライドガイド軸ギア（SGAギア）271BOAギア（支持部内蔵ギア）272RvTギア（真柱伝達ギアB）273 CSCBRRv固定ギア（左右心棒軸伝達内側固定ギア）274OUTRギア（シングルヘッド伝達ギア）275INRギア（ダブルヘッド伝達ギア）276外輪ギア可動軸277軸型１ASCモータのS極コイル部（軸型２ローターモータの  S極磁極部）278軸型１ASCモータのN極コイル部（軸型２ローターモータの  N極磁極部）279RvARギア（真柱ギア）280  BOBギア（外部伝達ギア）281 BOCギア（真柱伝達ギアA）282Aブロック283Bブロック284WS用支柱（上下軸用振動回転機支柱）285軸型HTG稼動軸の断面形状286Cブロック287RRギア（左右心棒軸伝達ギア）288 CSCBRLv固定ギア（左右心棒軸伝達外側固定ギア）289昇降バーアーム290ワンウェイギア左回転用291ダブルコイル部スクリュー稼動時の接触ヘッド（ダブルコイル部用金属ブラシ）292滑車アーム293SSSDギア  294 VAモータケース蓋用内螺子（平型蒸気モータのケース蓋用内螺子）295Y字ファン用コミテータと接触金具部（Y字ダブル用コミテータと金属ブラシ）296Y字スクリュー用コミテータと接触金具部（Y字シングル用コミテータと金属ブラシ）297Y字軸部稼動軸口（Y字磁極コア軸稼動軸口）298U字軸部稼動軸口（U字磁極コア軸部稼動軸口）299振動発電による動作確認ランプ部接続部（SGL部接続部または動作確認ランプ部接続部）300マドラー先端部スプーン・スクリュー接続部（SUASK接続部）301WS用タイヤ（左右軸用振動回転機タイヤ）
302      
現時点で下の位置のRaハンドシェイクギア壱  （右心棒ハンドシェイクギア壱）303 Raハンドシェイクギア弐（右心棒ハンドシェイクギア弐）  304現時点で下の位置の Raハンドシェイクギア参（右心棒ハンドシェイクギア参）  305  上部ハンドシェイクギア受弐306軸型１ASCモータ内蔵マドラータイプ攪拌器固定部（軸型２ローターモータの  固定部）307上部ハンドシェイクギア受参 308ロックギア壱309ロックギア弐  310ロックギア参  311Laハンドシェイクギア壱（左心棒ハンドシェイクギア壱）  312 Laハンドシェイクギア弐（左心棒ハンドシェイクギア弐）  313現時点で上の位置の Laハンドシェイクギア参  （左心棒ハンドシェイクギア参）314ビーカーフリーサイズ用蓋裏315ビーカーフリーサイズ用蓋表316三〇〇ｍｌ用蓋のアダプター接続溝317取手部接続溝318マドラー用貫通口319VA蒸気室用ヘッド固定管（VAヘッド固定管または平型蒸気モータのヘッド固定管）320現時点で下の位置の Ra半球型ギア凹壱（右心棒接続ギア凹壱）  321 Ra半球型ギア凹弐（右心棒接続ギア凹弐）  322現時点で下の位置のRa半球型ギア凹参（右心棒接続ギア凹参）  323現時点で上の位置のLa半球型ギア凹壱（左心棒接続ギア凹壱）  324平型モータコイル部延長部付き軸（HMコイル部延長部付き軸）325 La半球型ギア凹弐（左心棒接続ギア凹弐）326現時点で上の位置の  La半球型ギア凹参（左心棒接続ギア凹参）  327Rv半球型ギア凹壱（右真柱接続ギア凹壱）  328現時点で下の位置の Rv半球型ギア凹弐（右真柱接続ギア凹弐）  329Y字マグネット受け330軸型１ASC用コミテータ片331Lv半球型ギア凹壱（左真柱接続ギア凹壱）332現時点で上の位置の Lv半球型ギア凹弐（左真柱接続ギア凹弐）333 Lv半球型ギア凹参（左真柱接続ギア凹参）334回転軸受335 Rv半球型ギア凹参（右真柱接続ギア凹参）３３６VAモータケース蓋用外螺子（平型蒸気モータのケース蓋用外螺子）３３７蓋の内螺子３３８aV三倍の電流用＋極用接触ヘッド部1（aV三倍の電流用＋極用ブラシ）３３９aVの電流用＋極用接触ヘッド部2（aVの電流用＋極用ブラシ）３４０aV三倍の電流用−極用接触ヘッド部3（aV三倍の電流用−極用ブラシ）３４１aVの電流用−極用接触ヘッド部4（aVの電流用−極用ブラシ）３４２コイル部格納部及び連結軸部（下部本体）343ヒートモータ内蔵動力部本体  344ヒートモータのスクリューはね（HTMスクリューブレード）  345ステンレス製のヒートモータ接続軸（HTM連結軸部）  346受部両面ヘッド中部  （スライドガイド受部両面ヘッド中部）  34７ヒートモータカバー本体（上部本体）348ヒートモータ用マグネット部（HTMマグネット部）349左カット合わせ  （左ヘッド）350左カット合わせ両面ヘッド351右カット合わせ両面ヘッド352右カット合わせ  （右ヘッド）353スクリューケース354プラス極電極板355マイナス極電極板356  CGWH  突起部（チェンジギア突起部）357チェンジギアボックス内蔵本体358従来のモータ359スクリューハネ360CG上部戻り防止ピン（チェンジギア上部戻り防止ピン）361CG下部戻り防止ピン（チェンジギア下部戻り防止ピン）362チェンジギアボックスケース363CG稼動軸（チェンジギア稼動軸）364両面ヘッド365ボタン電池格納部366ノーマル蓋367磁力伝達部（HMロータ部）368ヒートモータ用先端扇柱形コイル部（HTMコイル部）  369ステンレス製のヒートモータコイル部格納カバー  370チェンジギアボックスケ���ス孔  371上部切り替えガイド形成部用（ファン回転用溝内部形成管）372ヒートモータスクリューケース373配線  374左カット部内向き傾斜（左カット部）375右カット部部内向き傾斜（右カット部）376配線孔 377＋極S1ASCリング接触ヘッド部（＋極軸型２ローターモータの  金属ブラシ）378−極S1ASCリング接触ヘッド部（−極軸型２ローターモータの  金属ブラシ）379
N磁コイル部用＋極S1ASCリング接触金具部（N＋極軸型２ローターモータの コミテータ部）380 N磁コイル部用−極S1ASCリング接触金具部（N−極軸型２ローターモータの  コミテータ部）381 S磁コイル部用＋極S1ASCリング接触金具部（S＋極軸型２ローターモータの コミテータ部）382 S磁コイル部用−極S1ASCリング接触金具部（S−極軸型２ローターモータのコミテータ部）383芯内バランス調整器錘部A 384芯内バランス調整器中央部385芯内バランス調整器錘部B386＋極用接触金具部拡大図387−極用接触金具部拡大図388−極のコイル部コミテータ片（−極のヒートモータ用６分の１接触金具）389＋極のコイル部コミテータ片（＋極のヒートモータ用６分の１接触金具）390ヒートモータのロータ兼スクリュー稼動部拡大図（ヒートモータロータと稼動部の拡大図）  391ヒートモータローター部（HTMローター部）  392絶縁体コミテータ片  393コミテータ接続部  394電磁鋼製のヒートモータ用先端扇柱形コイル部軸（HTMコイル部軸）  395ステンレス製のヒートモータ連結軸固定部（先端部扇柱形コイル部固定部）  396磁力伝達軸部固定部  397磁力伝達固定部  398マグネット格納本体部連結軸固定部（HTM上部本体の下部固定部）399 BCWギアの歯の角度１０°から９０°（ボールズチェーン用ダブルギアの歯の角度１０°から９０°）400 ヒートモータの配線図401BCオス接続部（ボールズチェーンオス接続部）402BCメス接続部（ボールズチェーンメス接続部）
403VAヘッド外カバー（平型蒸気モータのヘッド外カバー）404電磁鋼製の扇柱形磁力伝達部  405固定部  406 aVの三倍−極の配線  407 aVの三倍＋極の配線  408   aV−極の配線409 aV＋極の配線  410ヒートモータ用コイル部の軸先端部  411安全ピン412プロペラ部マグネット  413接触金具部3枚部（TW3枚部コミテータ）  414接触金具部２枚部（TW２枚部コミテータ）415VAローター底ベース（平型蒸気モータのローター底ベース）  416平型蒸気モータのロータ部  417接触金具と接触ヘッド（ブラシ）と内側コイル接触ヘッドの接続拡大図  418  419  420軸型２TWモータYコイル部のダブルコイル部（軸型YU字軸モータのYコイル部のダブルコイル部）421軸型２TWモータYコイル部のシングルコイル部（軸型YU字軸モータのYコイル部のシングルコイル部）  422チェンジギアボックス内蔵攪拌器のファン稼動図  423チェンジギアボックス内蔵攪拌器のスクリュー稼動図  424一段ずらす前の接触金具部  溝  コミテータ芯425接触金具部0°回転後の図  （通電位置）426接触金具部トータル120°回転後の図（非通電位置壱）  ブラシアーム427接触金具部トータル240°回転後の図（非通電位置弐）428 S1ASCｓ極マグネット部の出っ張り部  （軸型２ローターモータのｓ極マグネット部の出っ張り部  ）429 S1ASCｎ極マグネット部の出っ張り部（軸型２ローターモータのｎ極マグネット部の出っ張り部）  430電池格納部  431ヒートモータ内側コイル接触ヘッド−極432U字コイル（巻線）部配線図433接触ヘッド（金属ブラシ）と接触金具（コミテータ）と内側コイル接触ヘッド（金属ブラシ）接続図434シャフト435HMSコイル部からの配線口（ヒートモータのコイル部からの配線口）436ヒートモータ内側コイル接触ヘッド＋極437コミテータ芯438HM内・外側コミテータとHM内・外側接触ヘッド（ヒートモータの内・外側金属ブラシ）の接続拡大配線図439接触ヘッドと接触金具と内側コイル接触ヘッドの分解図440接触ヘッドと接触金具とコイルとスイッチの接続図441コミテータ部 442磁石の磁力aの２倍S極443磁石の磁力aの２倍N極444右カット部外向き傾斜445イモネジ446コイル部の軸先端部が磁力aの３倍でS極の場合による各部の位置関係図  44７コイル部の軸先端部が磁力aでS極の場合による各部の位置関係図  448扇柱形磁力伝達部の磁力aの３倍S極  449扇柱形磁力伝達部の磁力aのS極  450ファン稼動時のコイル部の２枚と３枚接触金具配線図451切り替え後シングル時のモータ制御配線452切り替え後ダブル時のモータ制御配線  453 VA ブレードガイド軸（平型蒸気モータのブレードガイド軸）454 VA ローター部台座（平型蒸気モータの ローター部台座）455ビス456厚めのパイプ457樋形状の厚めのパイプ458四ヘッドギア459厚み大四ヘッドギア460チェンジギアケースの展開図と側面図461Wコイル間配線462軸型２TWモータのケース（軸型YU字軸モータのケース）463HTMリング付コミテータ軸（ヒートモータのリング付コミテータ軸）464Y字シングルコイル部スクリュー稼動時の接触ヘッド（Y字シングルコイル部金属ブラシ）465ファン稼動時の接触ヘッド（ファン稼動時のTW金属ブラシ）466軸型２TWモータ切り替えスイッチ移動部（シングル用切り替えスイッチ）467シングルコイル部（シングル巻線）468ダブルコイル部１（ダブル巻線１）469スイッチ切り替え口470ダブルCMFスイッチ内外固定金具１（WCMFSIO金具１または、ダブルスイッチ内外固定��具１）471シングルCMスイッチ内外移動金具１（SCMSIO金具１または、シングルスイッチ内外移動金具１）472シングルCMスイッチ内外移動金具２（SCMSIO金具２または、シングルスイッチ内外移動金具２）  473ダブルCMFスイッチ内外固定金具２（WCMFSIO金具２または、ダブルスイッチ内外固定金具２）474内側コイル接触ヘッド＋極リングベース  475 ＋極用ブラシリングベース  476  −極用ブラシリングベース477内側コイル接触ヘッド−極リングベース  478軸型１ASCモータ用弐マグネット部（軸型２ローターモータの弐マグネット部）479 ON時に軸型２ローターモータの壱マグネット部S磁コイル磁極部の上側がN極で引き合う図480弱い磁力で磁石側面同士くっついている状態の図481二倍移動の図482バナジウム製軸型２ローターモータの駆動部483ステンレス製軸型２ローターモータの駆動部484軸型２ローターモータの蓋固定部485管内ゴム加工486HTM＋極用接触金具（ヒートモータの＋極用接触金具）487HTM−極用接触金具（ヒートモータの−極用接触金具）488軸型２TWモータのスクリュー稼動軸（軸型YU字軸モータのスクリュー稼動軸）489WSギアバー（上下軸用振動回転機支柱）490WSギアA（上下軸用振動回転機滑車）491ゼンマイ部稼動ループチェーン（ZCLチェーン）492ウイールシンカー部稼動ループ部493芯内バランス調整器に接続された中心軸付き芯内バランス調整器受け図494垂直バランス移動状態または垂直待機状態  495垂直バランス前半自力移動と前半補助稼動状態  496  垂直バランス後半自力移動と後半補助稼動状態  497垂直バランス稼動状態（垂直バランス回倒前状態）  498水平バランス稼動状態  499水平バランス均等状態  500平型エアモータ本体501HTM  コミテータ軸（ヒートモータのコミテータ軸）502＋極用コミテータ片  503  −極用コミテータ片504＋極用リングコミテータ  505扇柱のマグネット部506ワンウェイギアマグネット部（Y字マグネット部）507ウイールシンカーのマグネット部N極（WSマグネット部N極）
508WSチェーン固定部（ウイールシンカーチェーン固定部）509CB滑車（ウイールシンカーチェーン滑車）510中心軸付き芯内バランス調整器受け壱・弐・参の共通機構図（CSCB受け壱・弐・参の共通機構図）511半月ギア軸512ハンドシェイクギア513空車輪１の上部ゼンマイ部による空車輪３外輪ギア解除バー（空車輪１TO３解除バー）514CG軸受け（支柱軸受け）515UDRL軸（振動回転機用軸B）516空車輪2の上部ゼンマイ部による空車輪1外輪ギア解除バー（空車輪2TO1解除バー）517左回転用ギア518右回転用ギア519バーベルギア520下部ハンドシェイクギア受壱  521EW１バイパス軸（外輪ギア受け壱軸）522EW２バイパス軸（外輪ギア受け弐軸）523EW３バイパス軸（外輪ギア受け参軸）524Ra軸（右心棒軸）525La軸（左心棒軸）526Rv軸（右真柱軸）527Lv軸（左真柱軸）528a軸ギア（心棒軸ギア）529a軸受ラチェットギア（心棒軸受ラチェットギア）530ｖ軸ギア（真柱軸ギア）531EW１S軸（ハンドシェイク壱軸）532EW２S軸（ハンドシェイク弐軸）533EW３S軸（ハンドシェイク参軸）534ｖ軸受ギア（外部伝達ギア）535外輪受ギア壱536HSギア壱（外輪ギア受け壱軸底部ギア）537芯内バランス調整器と昇降バー受け（CAU受け）538水平時の芯内バランス調整器ロック539中心軸のツイストギア受け540芯内バランス調整器のツイストRギア（CBツイスト・中継ギア）541中心軸付き芯内バランス調整器受けの内部ツイスト稼動ギア図542芯内バランス調整器内蔵の駆動軸ガイド管（空車輪CB軸）拡大図543芯内バランス調整器ストッパーA544芯内バランス調整器ストッパー受けB545芯内バランス調整器ストッパー壱546−極用リングコミテータ  547芯内バランス調整器ストッパー
548芯内バランス調整器ストッパー受けA549CBフック（芯内バランス調整器中央部フック）550昇降バーアーム（UBアーム）551CB１H（第A１ブロック）  552CB2H（第B１ブロック）  553CB3H（第A２ブロック）  554CB4H（第B２ブロック）  555CB5H（第A３ブロック）556CB6H（第B３ブロック）  557CB7H（第A４ブロック）  558CB8H（第B４ブロック）  559駆動軸ガイド管用中央昇降バーアーム（MSUBアーム）560空車輪3の上部ゼンマイ部による空車輪2外輪ギア解除バー（空車輪3TO2解除バー）561CB1D（第C１ブロック）  562CB2D（第D１ブロック）    563CB3D（第C２ブロック）    564CB4D（第D２ブロック）  565CB5D（第C３ブロック）  566CB6D（第D３ブロック）  567CB7D（第C４ブロック）    568CB8D（第D４ブロック）569CZ可変部（ゼンマイ部可変部）570ゼンマイ部軸管571芯内バランス調整器受け壱（CSCB受け壱）572芯内バランス調整器受け弐（CSCB受け弐）573芯内バランス調整器受け参（CSCB受け参）574中心軸付き芯内バランス調整器受け弐の展開図（CSCB受け弐の展開図）575中心軸付き芯内バランス調整器受け壱の展開図（CSCB受け壱の展開図）576ツイスト可動用中心軸577芯内バランス調整器移動用中心軸受け578ツイスト可動用中心軸受け579中心軸のツイストギア受け580中心軸のツイストギア受けのラチェットギア581 CSCB受け壱上面図（芯内バランス調整器受け壱上面図）582CSCB受け弐上面図（芯内バランス調整器受け弐上面図）583 CSCB受け参上面図（芯内バランス調整器受け参上面図）584マグネット床拡大図585マグネット橋586マグネット床端部（芯内バランス調整器垂直移動時の中心軸位置維持器）587ハンドシェイクギア軸（HSG軸）588水平時の芯内バランス調整器解除ギア固定部589WSギアバーの歯拡大図（振動回転機用ギア歯拡大図）590EWラチェットギア
591ギアC592ゼンマイ部稼動ループチェーン用滑車（ZCLチェーン用滑車）593右回転用ラチェットバー594芯内バランス調整器が垂直状態の中心軸より下に来たときのメモリが−四の位置595芯内バランス調整器が垂直状態の中心軸より下に来たときのメモリが−参の位置596芯内バランス調整器が垂直状態の中心軸より下に来たときのメモリが−弐の位置597芯内バランス調整器が垂直状態の中心軸より下に来たときのメモリが−壱の位置598芯内バランス調整器が垂直状態の中心軸のメモリが零の位置599芯内バランス調整器が垂直状態の中心軸より上に来たときのメモリが壱の位置600芯内バランス調整器が垂直状態の中心軸より上に来たときのメモリが弐の位置601芯内バランス調整器が垂直状態の中心軸より上に来たときのメモリが参の位置602芯内バランス調整器が垂直状態の中心軸より上に来たときのメモリが四の位置603芯内バランス調整器が水平状態の中心軸より左側に来たときのメモリが−四の位置604芯内バランス調整器が水平状態の中心軸より左側に来たときのメモリが−参の位置605芯内バランス調整器が水平状態の中心軸より左側に来たときのメモリが−弐の位置606芯内バランス調整器が水平状態の中心軸より左側に来たときのメモリが−壱の位置607芯内バランス調整器が水平状態の中心軸のメモリが零の位置608芯内バランス調整器が水平状態の中心軸より右側に来たときのメモリが壱の位置609芯内バランス調整器が水平状態の中心軸より右側に来たときのメモリが弐の位置610芯内バランス調整器が水平状態の中心軸より右側に来たときのメモリが参の位置611芯内バランス調整器が水平状態の中心軸より右側に来たときのメモリが四の位置
612 CBTG中継ギア（中継ギアA）613左回転用ラチェットバー614ラチェットバー固定アーム615ラチェットバー可動アーム616ラチェットバー切り替え器617水平時の芯内バランス調整器解除ギア（ロックヘッド）
618UDRL固定受け部のギア
619軸型１ASCモータのS極コイル部の断面図（軸型２ローターモータのS極磁極コア部の断面図）620軸型１ASCモータのN極コイル部の断面図（軸型２ローターモータのN極磁極コア部の断面図）６２１角度１０°のギア歯の図６２２角度９０°のギア歯の図６２３角度１７０°のギア歯の図６２４角度１０°から９０°のギア歯角度範囲６２５角度９０°から１７０°のギア歯角度範囲６２６軸型３ABCモータ内蔵折りたたみ式マドラータイプ攪拌器６２７多目的軸型３ABCモーターケース６２８B3ABCモーターケース６２９ヒートモータ本体６３０半球型ギア凸凹の接続時の断面図６３１スライドスイッチ６３２軸型３ABCモータ内臓折りたたみ式マドラータイプ攪拌器平面図６３３軸型３ABCモータ内臓折りたたみ式マドラータイプ本体ケース（B3ABCモータケース）６３４ヒートモータ接続軸635多目的軸型1 ASCモータ内蔵タイプと多目的軸型2HTGエンジン内蔵タイプとノーマルマドラー共通外部形状図636取っ手部ケース637ゴム製マドラーストッパー孔付き取っ手部（ノーマル用ゴム製取っ手）638多目的平型エアモータ639多目的平型モータ640床用S極マグネット641マグネット床壱642マグネット床弐643マグネット床参644側面板645固定板646ブラシベース固定管647B1ABCモータ用ブラシアーム（軸型２ローターモータ用ブラシアーム）648コミテータ芯管649コミテータ芯固定部650コミテータ延長芯651B1ABCモータ用コミテータ部（軸型２ローターモータ用コミテータ部）
652653654 解除部受軸655上部HSG受軸（上部ハンドシェイクギア受軸）656外輪ギア受軸657 B1ABCモータ用ローター部壱（ローター部壱）658 B1ABCモータ用ローター部弐（ローター部弐）659多目的平型エアモータ661第九位置662第十位置663第十一位置664第十二位置665第十三位置666第十四位置667第十五位置668第十六位置669芯内バランス調整器錘部保持ツメ670外輪ギア受滑車671外輪ギア受バー672カルダンジョイント673ギア固定部674ウイールシンカー格納部形成部675MF受部（マグネット床受部）676蝶番677多目的ヒートモータ攪拌器678芯内バランス調整器軸受孔679昇降バー受け680ギアバー内蔵昇降バー受け681外輪ギア接続受け682ロック部683ロック受け部684V軸受部（真柱軸受部）685BOW板バネ（ドライブ伝達ギア用板バネ）686SGIシャフト（ドライブ伝達シャフト）687回転SWT（）688芯内バランス調整器錘A用溝689芯内バランス調整器錘B用溝690芯内バランス調整器691本体管692支持部693伸縮ギア694半球型ギア凸695半球型ギア凹696支柱697SBTフック受け（芯内バランス調整器フック受け）698解除レバー壱699解除レバー弐700解除レバー参701解除用ワイヤー702芯内バランス調整器解除レバー703伸縮ギアヘッド704伸縮ギア受け705ワイヤー内蔵支柱706芯内バランス調整器解除部707LED708チェンジギアBOX内蔵ファンとスクリュー攪拌器709現時点で上の位置のLvハンドシェイクギア弐（左心柱ハンドシェイクギア弐）710ハンドシェイクギア 711芯内バランス調整器錘部ガイド712スイッチのＡ極端子713スイッチのＢ極端子714伸縮ギア７１５LaRギア（心棒ギア）
１A平型モータのマグネット位置の断面図2A平型モータの扇形状延長板位置の断面図3A平型モータのHM延長部アームの断面図4A平型モータのHM延長部アーム付コイル部軸位置の断面図5A平型モータのコミテータベースリング位置の断面図１ｂスクリューケースの縦の断面図２ｂチェンジギアBOX内蔵ファンとスクリュー攪拌器の断面図3ｂCG稼動軸の断面図4ｂCG稼動軸スライドガイド部の断面図5ｂスクリューケースの横の断面図１D左右カット合わせの断面図１E軸型１ASCモータ内蔵マドラータイプ攪拌器の断面図2E軸型１ASCモータのマグネットの断面図3E軸型１ASCモータのS1ASCのS極マグネット部の断面図4E軸型１ASCモータの２つのS1ASC磁極コア軸先端部の断面図5E軸型１ASCモータのS1ASC磁極コア部軸管の断面図6E軸型１ASCモータのS1ASC磁極コア軸先端部の断面図7E  N・S＋S1ASCコミテータ部の断面図8Eコミテータ芯固定部の断面図9E  N・S−S1ASCコミテータ部の断面図10E軸型１ASCモータのS1ASC壱マグネット部の断面図１１E軸型１ASCモータのローター部壱のS1ASC磁極コア軸先端部断面図１２E軸型１ASCモータのS1ASCのS極マグネット部の断面図１３E軸型１ASCモータのS1ASCのN極マグネット部の断面図１４E軸型１ASCモータのローター部弐のS1ASC磁極コア軸先端部断面図15E軸型１ASCモータのS1ASC弐マグネット部の断面図１６E軸型１ASCモータの＋極S1ASC金属ブラシ位置の断面図１７E軸型１ASCモータのコミテータ芯固定部位置の断面図１８E軸型１ASCモータの−極S1ASC金属ブラシ位置の断面図G1台座兼ギアボックス平面断面図G2カウント・ギア右断面図G3カウント・ギア左断面図G4G5芯内バランス調整器の断面図G6芯内バランス調整器中央部の側面断面図G7芯内バランス調整器中央部の平面断面図G8G9芯内バランス調整器の側面断面図G10芯内バランス調整器の正面断面図G11芯内バランス調整器の平面断面図G12空車輪断垂直状態の面図G13空車輪水平状態の断面図G14台座兼ギアボックス正面断面図G15台座兼ギアボックス背面断面図G16台座兼ギアボックス右断面図G17台座兼ギアボックス左断面図H１ヒートモータ内側コイル接触ヘッド＋極の位置の断面図H２aV三倍の電流用＋極用ブラシとaVの電流用＋極用ブラシの位置の断面図H３ヒートモータ内側コイル接触ヘッド−極の位置の断面図H４３４０aV三倍の電流用−極用ブラシとaVの電流用−極用ブラシの位置の断面図H５HTM上部本体の下部固定部の位置の断面図H６HTMコイル部軸の先端断面図H７HTMコイル部軸の本体の断面図H８HTMコイル部軸のコイル巻き部の断面図H９ヒートモータコイル部格納カバーの断面図  H１０HTMマグネット部の断面図H１１HTM連結軸部の縦断面図H１２先端部扇柱形コイル部固定部の断面図H１３＋極用接触金具部の断面図H１４コミテータ固定部の断面図  H１５−極用リングコミテータの断面図    H１６HTM連結軸部の横断面図１I取っ手部ケースの断面図2I三〇〇ｍｌ用蓋のアダプターの断面図１J軸型２TWモータ内蔵ファン付き動力部本体（S2TW本体）正面断面図２Jファンハネ先端部断面図３Jファンハネ中央部断面図４Jファンハネ根元付近の断面図５J軸型２TWモータ内蔵ファン付き動力部本体側面断面図６J S2TW本体のダブルコイル部用金属ブラシ付近の断面図７J S2TW本体のTW２枚部コミテータ付近の断面図８J S2TW本体のダブル用CMFスイッチ付近の断面図９JS2TW本体のシングル用CMスイッチ付近の断面図１０J S2TW本体のS2TWのY 字コイル磁極部のギア断面図１１J S2TW本体の磁石部断面図１２Jワンウェイギア右回転用の断面図１３JU字コイル部扇形状先端部断面図１４JU字コイル部軸中央断面図１５JU字コイル部軸の根元の断面図１６JY 字コイル部軸の根元の断面図１７J  Y 字コイル部軸中央断面図１８J Y字コイル部扇形状先端部の断面図１９J軸型２TWモータ内蔵ファン付き攪拌器の側面断面図２０J  S2TW本体のファン稼動時のTW金属ブラシ付近の断面図２１Jダブルとシングル用CMFスイッチ平面断面図２２Jダブルとシングル用CMFスイッチ正面断面図１K多目的平型エアーモータのVAヘッド位置の断面図２K多目的平型エアーモータの蓮根型プレート位置の断面図3K多目的平型エアーモータの板バネ位置の断面図
A水平状態の芯内バランス調整器Bウイールシンカー拡大図C垂直状態の芯内バランス調整器D可変反転ゼンマイ部中心軸拡大図Eゼンマイ接続部拡大図（ゼンマイ部）Fカウントギア拡大図G昇降バー拡大図H芯内バランス調整器の３段垂直稼動図Iハンドシェイクギア接続時の図Jボールズチェーンとボールズチェーン用ダブルギアの接続拡大図K接続ギア拡大図L上下軸用振動回転機のギア部を上から見た図Mボールズチェーン拡大図N水平状態で芯内バランス調整器周辺図O水平状態で芯内バランス調整器稼動前の本体・側面透視図とバランス図P水平状態で芯内バランス調整器ツイスト稼動の本体・側面透視図とバランス図Q水平状態で芯内バランス調整器ウイルスシンカー稼動と左右の均等化後の本体・側面透視図とバランス図R水平状態で芯内バランス調整器ツイスト稼動戻り後の本体・側面透視図とバランス図Sローテーションギアの概略図Tマドラータイプのヒートモータの上部分拡大図U芯内バランス調整器が垂直状態のAR中枢ギア（RaLa軸）縦に来た状態V芯内バランス調整器が水平状態のVE中ギア（RvLv軸）縦に来た状態W芯内バランス調整器１６ブロック分割図X回転・ロック切り替えRv・Lv軸部用
【手続補正２】
【補正対象書類名】実用新案登録請求の範囲
【補正対象項目名】全文
【補正方法】変更
【補正の内容】
【実用新案登録請求の範囲】
【請求項１】
用途別攪拌器の基本構造として、円盤形状のものに、ビーカーの口のサイズ別に３０ｍｌから２００ｍｌ（122・121・124・123）までの溝と、交換取手部接続溝（317）と、その中心にマドラー用貫通口（318）と、ボタン電池の格納部（365）と、交換取手部接続溝（317）の上の方にプラス極電極板（３５４）と、下の方にマイナス極電極板（355）と、プッシュスイッチ（５５）を備えたオールアルミ製やオールプラスチック製などからなる蓋（５１）部分と、これを接続する、取っ手部ケース（６３６）にマドラーストッパー孔の付いたノーマル用ゴム製取っ手（６３７）を格納したノーマル取手部（48）部分と、これと交換できる蓋に動力を設けた多目的平型モータ（61）と、多目的蒸気モータ（60）の蓋タイプと、着脱式頭頂部振動発電による動作確認ランプ部（54）の構造を備えた部分と、交換式先端部スプーン（104）・スクリュー（117）の回転先端部と、その間をノーマルマドラー支柱（46）と、動力内臓本体の多目的軸型２ローターモータ内蔵動力部本体（１２８）と、多目的軸型YU字軸モータ内蔵ファン付き動力部本体（127）と、多目的ヒートモータ（677）で繋いだマドラータイプやノーマルマドラーからなるものの構造を備えた部分と小型モータの左右の回転でスクリューかファンを切替機構のチェンジギアと、マドラータイプを好みの高さに緩嵌して使う両端に接続孔を持つ、ダブル攪拌用アダプター（１１９）と、三〇〇ｍｌ用蓋のアダプター（62）を組み合わせて使う、これらすべてを有する用途別蓋付き攪拌器。
【請求項２】
蓋動力部の多目的平型モータ（６1）は、従来のモータのシャフト部を円筒形のシャフト管内部ゴム加工（９４）の内側表面ゴム加工した部分と、コア本体部である（８９）にケイ素鋼製の平型モーターコイル部軸上先端部（171）３個と、平たい穴の開いた円柱形のケイ素鋼製の平型モータコイル部軸中央先端部（172）を置いた部分と、電磁鋼製の扇形状延長板（８８）の３つを螺設してできたHMコイル部延長部付き軸（３２４）と、本体着脱の平型モータマグネット蓋（91）に内装した平型モータ用マグネット部（８６）を特徴とするこれら全ての構造と機能を特徴とする請求項１記載の用途別蓋付き攪拌器。
【請求項３】
蓋動力部の多目的平型エアモータ（６０）は、まずはヘッド板（75〜82）の厚みの細い方のA角部では厚さが２mmで、反対側の厚さが５mmの二等辺三角形状で、横のサイズが全て１．５ｃｍで、縦が０．５ｃｍから０．０１ｃｍずつ長さを足していき、一番大きいサイズが、縦０．８ｃｍで各サイズ３０個が２枚ずつあり、これを筒状の平型蒸気モータヘッド固定管（319）を中心に厚みがA角の細くなつた部分を寄せて上部を溶接加工して出来た形状が平型蒸気モータ蒸気室用ヘッド（67）の形状を備えた部分と、これを円筒形状の平型蒸気モータヘッド外カバー（４０３）に平型蒸気モータ蒸気室用ヘッド（67）の  底部まで入れて圧着し、これに上記平型蒸気モータヘッド外カバー（４０３）より一回り大きい円柱の容器形状の上部に平型蒸気モータヘッド固定管（319）用の孔の開いた部分を持つ
多目的平型エアモータケース（６６）に平型蒸気モータヘッド外カバー（４０３）付き平型蒸気モータ蒸気室用ヘッド（67）を底部まで入れて圧着したものに、平型蒸気モータの蒸気室用ヘッドの山部の高さ０．８ｃｍ（７３）の位置に吸気口（６４）である平型蒸気モータヘッド外カバー（４０３）と多目的平型エアモータケース（６６）の左横に貫通口を設け、その反対側の平型蒸気モータの蒸気室用ヘッドの谷部の高さ０．５ｃｍ（７１）の排気口（６３）の位置に平型蒸気モータヘッド外カバー（４０３）の右横に貫通口を設け、更に多目的平型エアモータケース（６６）の横から入り中腹で真下の底部まで欠削して貫設した多目的平型エアモータケース（６６）の中に配管ができ、これらを固定するために、エアモータケース（６６）横にあるイモネジ用の穴（192）に、イモネジ（445）で螺着してできた本体部と、つぎにローター部の構造として、円盤形状に平型蒸気モータシャフト管（65）の孔の開いた平型蒸気モーターローター底ベース（４１５）と、板バネ（７４）をビス（４５５）で固定して出来たのが、 平型蒸気モータのーローター部台座（４５４）で、これの中央の穴から０．５ｍｍ突き出る様に平型蒸気モータシャフト管（６５）さして固定したものに、筒型の横にブレード（６９）用の溝か切られた平型蒸気モーターブレードガイド軸（４５３）を平型蒸気モータシャフト管（６５）に通したこれら３つの付け根を溶接で固定し、これの上から円盤の中心に平型蒸気モータシャフト管（65）の穴と平型蒸気モーター蒸気室用ブレード（69）用の穴が開いた形状の蓮根型プレート（68）を平型蒸気モータシャフト管（６５）に通し、平型蒸気モーターブレードガイド軸（４５３）の頭頂部に固定して出来たのが、ローター固定部で、これに平型蒸気モーター蒸気室用ブレード（69）を１２枚差し込んだのがローター部で、これを上記本体部に格納し、取っ手部内蔵平型蒸気モータカバー（６６）の底部内周面に螺設した内螺子（294）に、取っ手部内蔵平型蒸気モータカバー（６６）の外周面に螺設した外螺子（336）で蓋をしたこれら全ての構造と機能を特徴とする請求項１記載の用途別蓋付き攪拌器。
【請求項４】
マドラー動力部の多目的軸型２ローターモータ（１２８のマドラー先端部スプーン・スクリュー接続部なし）は、まず軸型２ローターモーター蓋固定部（484）は、円筒形の片側を蓋で閉じた部分に螺設した突起部が外螺子部である動作確認ランプ部接続部（299）になる部分と、
管材形状のものの内側右から軸型２ローターモータ用ブラシアーム（647）と＋極軸型２ローターモーター金属ブラシ（377）が順番に接続された部分と、反対側の一段下の位置から軸型２ローターモータ用ブラシアーム（647）と−極軸型２ローターモーター 金属ブラシ（378）の順番に接続したブラシベース固定管（646）部分と、円形の両端に極性の違う扇状の磁石部を設け、その隙間を樹脂で固めた軸型２ローターモーター壱マグネット部（141）と、同じもので反対向きに配置される軸型２ローターモータの弐マグネット部（478）の２つの部品と、コミテータ芯管（６４８）の上部にコミテータ片（３３０）１枚と絶縁体片（２５２）２枚を接続したN・S＋極軸型２ローターモータの コミテータ部（３７９・３８１）と、もう一つのコミテータ芯管（６４８）の下部にコミテータ片（３３０）１枚と絶縁体片（２５２）２枚を接続したN・S−極軸型２ローターモータの  コミテータ部（３８０・３８２）と、N＋極軸型２ローターモータの コミテータ部（３７９）とコミテータ芯固定部（６４９）を間にN−極軸型２ローターモータの  コミテータ部（３８０）を挟んで出来たN磁コイル部用コミテータ部と、S＋極軸型２ローターモータの コミテータ部（３８１）とコミテータ芯固定部（６４９）を間にS−極軸型２ローターモータのコミテータ部（３８２）を挟んで出来たS磁コイル部用コミテータ部分と、内側中心を軸型２ローターモータの  本体軸（206）を軸止し、更にこの軸を通して軸型２ローターモータの蓋固定部（484）の筒の中に圧着したブラシベース固定管（646）と、これに蓋をする様に軸よりも大きい孔を持つ軸型２ローターモータの壱マグネット部（141）通して、ブラシベース固定管（646）に固定した第一ローター部のコミテータ格納部と、軸型２ローターモータの  本体軸（206）用の孔の開いた円盤状の固定板（645）を底部としてと、ブラシベース固定管（646）を固定し、上からは軸型２ローターモータの弐マグネット部（478）で蓋をするように固定して出来た第２ローター部のコミテータ格納部で、このコミテータ格納部の軸型２ローターモータの弐マグネット部（478）の方から通し、固定板（645）の中央の孔から０.5ｍｍ突出させて固定して出来たのが本体である軸型２ロー
ターモータの  固定部（306）部分と、N又はS＋極軸型２ローターモータの コミテータ部（３７９又は３８１）と、N又はS−極軸型２ローターモータの  コミテータ部（３８０又は３８２）がコイル部の配線へ行く部分と、第一又は二ローター部のコミテータ格納部の、＋極軸型２ローターモーター金属ブラシ（377）と−極軸型２ローターモーター 金属ブラシ（378）は市販のPICモータ制御装置（50）へ配線が繋がっている配線部分と、円筒形電磁鋼製の軸型２ローターモータの  磁極コア部軸管（２０８）の上部を軸に描く円の７０°から１１５°の角度からなる扇形状の軸型２ローターモータの  磁極コア軸先端部（２０７）を、軸型２ローターモータの  磁極コア部軸管（２０８）上下部に平行配置固定し、その内の上部軸型２ローターモータの  磁極コア軸先端部（２０７）の右横に同じ軸型２ローターモータの  磁極コア軸先端部（２０７）と、その上部に同じ形状の軸型２ローターモータの  S極マグネット部（２０２）接続した軸型２ローターモータの S極磁極部軸（１４２）か、軸型２ローターモータの S極磁極部軸（１４２）の軸型２ローターモータの  S極マグネット部（２０２）を軸型２ローターモータの  N極マグネット部（203）変えて出来たのが軸型２ローターモータの  N極磁極部軸（143）になり、これにコイルを巻回したのが軸型２ローターモータの  S・N極磁極部（277・278）で、これに円筒形のコミテータ延長芯（650）と、S又はN磁コイル部用コミテータ部（379又は381と649と380又は382を接続したもの）を接続してできたローター部壱・弐（657・658）の部分と、軸型２ローターモータの弐マグネット部（478）の位置にステンレス製軸型２ローターモータの駆動部（483）と軸型２ローターモータの  S極磁極部（277）と軸型２ローターモータの  N極磁極部（278）の位置にバナジウム製軸型２ローターモータの駆動部（482）の素材でできた茶筒形状底部にマドラー先端部スプーン・スクリュー接続部（300）が付いたの軸型２ローターモータの  稼動管（209）にマドラー先端部交換式スプーン（104）又はマドラー先端部交換式スクリュー（117）を接続した軸型２ローターモータの稼動部（209に１０４か１１７を接続したもの）になる部分と、軸型２ローターモータの壱マグネット部（141）の左側N極と、S磁コイル部（277）の上側がN極で引き合い、それと同時に磁石部の極性の違うS磁コイル部（277）とN磁コイル部（278）を２つ、向き合った状態で、S磁コイル部（277）の出っ張り部であるS極の磁石部（202）とN磁コイル部（278）の出っ張り部であるN極の磁石（203）が互いの出っ張りにより重ないで弱い磁力で側面同士くっついている状態で、上記の移動と同時に、N磁コイル部（278）の上側のN極の磁石（203）とS磁コイル部（277）の下側扇状先端部がN極の磁石（203）２倍磁力S極で引き合い、３分の１稼動しているが実際は、一緒に稼働することで、N磁コイル部（278）は受身（動かされる）の状態で２倍移動してから今度は逆にN磁コイル部（278）の可動により、反対側が同じ様に動く事で回転を作り出す稼動行程、これら全ての構造と機能を特徴とする請求項１記載の用途別蓋付き攪拌器。
【請求項５】
マドラー動力部の多目的軸型YU字軸モータ内蔵用途別攪拌器の冷却用マドラータイプに最適な軸型YU字軸モータ内臓ファン付きマドラータイプ攪拌器（127に54と117か104を接続したもの）の構造は、ケイ素鋼製のU字の軸部（250）にコイルを巻きつけて、その先端部に電磁鋼製のU字コイル部扇形状先端部（249）を取り付け、これをステンレス製のU字コイル固定部（255）に挟んで格納することで本体に固定し、そこからコイルの配線が軸型YU字軸モータのケース（462）の配線溝（168）を通り、スイッチの真上の頭頂部より外部に出て制御装置（50）に接続したU字コイル部（221）の第１ブロック（282）部分と、軸型YU字軸モータの可動管（232）に扇柱のマグネット部（505）を上下に挟み、それを固定するためのリング状のギアで歯が左に寝た形状のステンレス製のワンウェイギア左回転用（290）を磁石部本体中央に固定し、その位置にあたる本体側の面に軸型YU字軸モータのワンウェイギア用逆戻り防止つめ（234）を設け、先程の軸型YU字軸モータの磁石部（222）のワンウェイギア左回転用（290）のギア凸部に軸型２TWモータ磁石部受け（159）をセットした構造のスクリュー稼動時のロータである軸型YU字軸モータの磁石部（222）の第２ブロック（283）部分と、Y字軸部稼動軸口（297）の穴が中央に開いたケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻き、その後ろにワンウェイギア右回転用（247）とラチェット機構により一方向に回転するマグネット部のワンウェイギアマグネット部（506）とY字コイル部可動軸（245）順番に接続し、次にY字コイル部可動軸（245）にシングル用切り替えスイッチ（466）を通し、スライド半固定部（161）の突起先端シングル用切り替えスイッチ（466）受け形状により、スライド回転可能にした部分と、また先程のY字コイル部可動軸（245）にダブル用切り替えスイッチ（239）を通し、Wスイッチ半固定部（162）の突起先端ダブル用切り替えスイッチ（239）受け形状により、スライド可能にした部分と、つぎに接触金具部２枚部（414）と、接触金具部3枚部（413）をY字コイル部可動軸（245）の端に固定した部分と、接触金具部２枚部（414）の位置にリングの内側から伸びる板バネ・アーム・金属ブラシが順番に接続されたのが対角線上より伸びた構造のY字コイル部W用金属ブラシベースリング（135）と、接触金具部3枚部（413）の位置にリングの内側から伸びる板バネ・アーム・金属ブラシが順番に接続されたのが対角線上より伸びたのとそれより１段上からも同じ様に均等な位置３箇所から伸びたY字コイル部金属ブラシ3・２ベースリング（134） からなる部分と、 シングル巻線（467）の左右の配線がシングル用切り替えスイッチ（466）のスライド移動に関係なく接触通電可能と、シングル用切り替えスイッチ（466）のスライド移動により切り替え後シングル時のモータ制御配線（451）の時には接触通電可能なY字シングルコイル部金属ブラシ１からシングル巻線１（153）からY字シングルコイル部金属ブラシ（464）とY字シングルコイル部金属ブラシ２からシングル巻線２（152）からもう一方のシングル用切り替えスイッチ（466）へ行く配線部分と、これの相手方の接触金具部２枚���（414）の両サイドから市販のPICモータ制御装置（５０）へ伸びる制御装置から軸型YU字軸モータの２枚部コミテータ壱（118）と、制御装置から軸型YU字軸モータの２枚部コミテータ２（136）の部分と、ダブル巻線１（468）から（239）へ行く、左配線ダブル用切り替えスイッチ2からダブル巻線１（154）と、隣のダブル巻線２（103）への配線のWコイル間配線（461）と、その中間位置から接触金具部3枚部（413）へ伸びる軸型YU字軸モータの 3枚部コミテータ2からダブルコイル１と２間（114）と、ダブル巻線２（103）の右配線からダブル用切り替えスイッチ（239）のダブルスイッチ内外固定金具１（470）に伸びるダブル用切り替えスイッチ１からダブル巻線２（155）と、ダブル用切り替えスイッチ（239）のダブルスイッチ内外固定金具１（４７０）から接触金具部3枚部（４１３）一つへ行く
軸型YU字軸モータの3枚部コミテータ１からダブル用切り替えスイッチ1（116）と、ダブル用切り替えスイッチ（239）のダブルスイッチ内外固定金具２（473）から別の接触金具部3枚部（413）へ行く軸型YU字軸モータの3枚部コミテータ3からダブル用切り替えスイッチ2（115）と、ダブルコイル部用金属ブラシ（291）のそれぞれ別に制御装置から軸型YU字軸モータの3枚部コミテータ１（111）・制御装置から軸型YU字軸モータの3枚部コミテータ2（112）・制御装置から軸型YU字軸モータの3枚部コミテータ3（113）３つ（50）へ行く部分と、ファン稼動時の接触ヘッド（465）の制御装置からファン稼動時の軸型YU字軸モータの金属ブラシ１（148）と、
制御装置からファン稼動時の軸型YU字軸モータの金属ブラシ２（151）が市販のPICモータ制御装置（50）伸びるこれら全ての配線部分と、軸型YU字軸モータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）からなる部分と、軸型YU字軸モータの磁石部（２２２）の軸型YU字軸モータの可動管（232）に軸型YU字軸モータのシャフト（169）を接続し、軸型YU字軸モータのU字コイル磁極部（221）のU字磁極コア軸部稼動軸口（298）を通し本体軸型YU字軸モータのケース（462）の底部を蓋をするように軸型YU字軸モータの可動接続部（125）を回転可能に保持した
ものに（169）を接続した部分からなるこれら全ての構造と機能を特徴とする請求項１記載の用途別蓋とマドラー付き攪拌器。
【請求項６】
マドラー動力部の多目的チェンジギアボックスは、円筒形の頭部に左側の傾斜を持つ山が１から十数個ある形状の傾斜面を内側に３０°〜９０°（179）と外側に９０°〜１５０°（155）の角度の範囲で何れかの角度に合わせて角度を保ちながら削って内側か外側に傾斜がついた左ヘッド（349）部分と、これと同形状で頭部に右側の傾斜を持つ山が１から十数個ある右ヘッド（352）部分と、両面ヘッド（346）は右２から数十ヘッド（352）と左２から数十ヘッド（349）の後部を左右対称の状態から９０°右回転した位置で、円柱形状にガイド受の四角い孔を開け、チェンジギア突起部（３５６）の付いた  スライドガイド受部両面ヘッド中部（364）を間に挟み接続してできた両面ヘッド（346）部分と、これを上部切り替えガイドの溝（１９３）か（１６６）か（１９４）の何れかの位置にチェンジギア突起部（３５６）合わせて移動可能に内蔵した部分と、円柱の中間が四角柱に形成されたチェンジギア稼動軸（363）と、長い円筒形のチェンジギアボックスケース（362）の底部に短い円筒形の下部切り替えガイド形成部用（189）と円筒形をチェンジギア突起部（356）より0.1ｍｍの圧さ分、左から右へカットと対抗面は右から左へカットしたものの、右上部の先端に上の方に反った板バネの上部戻り防止ピン（373）と左下部の先端に下の方に反った板バネの下部戻り防止ピン（361）付きの右回転ガイド形成部（１９１）と同形状で向きを変えた左回転ガイド形成部（１９１）をチェンジギア突起部（356）より0.1ｍｍのスペースを空けた位置と、円筒形の上部切り替えガイド形成部用（371）突起部（356）より0.1ｍｍのスペースを空けた位置にそれぞれの（192）にイモネジ（445）で螺着したチェンジギアボックスケース本体（164）部分、これら全ての構造と機能を特徴とする請求項１記載の用途別蓋付き攪拌器。
【請求項７】
多目的振動を回転に変える発電機内臓動作確認用LED部（54）は、上記用途別攪拌器のマドラータイプの上部（128・127・357・677）やノーマルマドラーの上部（60・61）に接続して使用するマドラー先端部格納、振動を回転に変える発電機内臓動作確認用LED部（54）の仕組みは、まずは重力を回転に変えて、無限ループを自力で６０％以上稼動する装置の３連空車輪に前後左右上下の３つの微弱振動伝達器（1・31・32）を組み合わせたもので、集積可動発電機のこの大まかな構造は、ウイールシンカー（B）と、これを内蔵したウイールシンカー格納部（181）と、これを内蔵した芯内バランス調整器（690）と、これを内蔵した本体管（691）と、カウント・ギア（28）は、軸に螺旋状に２８０°から３３０°一周近く巻いた歯からなる部品と、ボールズチェーン（20）玉を被った大きい玉を半分挟むように歯と歯の間の谷の片側部分に玉をキャッチするための内側に曲面傾斜を付けたギアを傾斜のある面を向かい合わせに、間に固定小リング（196）を挟んで接続したボールズチェーン用ダブルギアと、（43）と、（E）と、玉状のものに軸を付け、次の玉を被う用に遊嵌したボールズチェーン（19）と、ハンドシェイクギアと、接続ギアと、外輪ギア（3）と、（15）と、（1）と、（5）と（6）と、（707）からなり、この稼動行程は、空車輪弐（12）の外輪ギア（3）による後半補助が終了後、（516）により、空車輪壱（11）の芯内バランス調整器（690）が垂直バランス移動状態（494）の時の芯内バランス調整器（690）が第一稼動として、芯内バランス調整器錘部A（383）が  第１垂直稼動の後、第二垂直稼動として、芯内バランス調整器中央部（384）が半分垂直降下しする15パーセント自力重量移動の前半可動と、空車輪弐（12）が（702）により、水平バランス稼動状態（498）の時にツイストと、ウイールシンカー稼動開始し、ツイストとウイールシンカー（39）の移動することで下に来た昇降バー（43）を回転させて、15パーセント移動を助けることで、前半補助が完了により、手前下の（E）が中央に移動完了し、（698又は699か700）により、空車輪参（113）垂直バランス稼動状態（497）の時から芯内バランス調整器の重さが２６.5：１０の割合で右に９０°回倒することで上に来た昇降バー（43）を回転させることで、15パーセント移動を助けると同時に上記第二垂直稼動として、芯内バランス調整器中央部（384）が残りの半分垂直降下し、15パーセント自力重量移動することで、後半移動と後半補助が完了する行程を次に第２可動行程である、空車輪１（11）が垂直バランス稼動状態（497）の状態から空車輪2（12）が垂直バランス移動（稼動位置移動待ち）状態（494）で、空車輪3（13）が水平バランス均等状態（499）で稼動し、次に第３可動行程である、空車輪2（12）が垂直バランス稼動状態（497）の状態から空車輪3（13）が垂直バランス移動（稼動位置移動待ち）状態（494）で、空車輪１（11）が水平バランス均等状態（499）で稼動し、第３稼動行程を完了することで、空車輪3（13）が垂直バランス稼動状態（497）の状態になり、これらを一巡する事で無限ループをつくり、これをベースに半月ギア（1）により前後の揺れがハンドシェイクギア（4）を伝いゼンマイ部（図E）の移動を助け、さらに上下・左右の軸用振動回転機（31・32）が台座兼ギアボックス��15）を伝い同じように揺れが伝うこれらにより微弱振動を空車輪で集積して中心軸（16）の負荷をゼロにして、余力であるツイスト稼動と外輪ギアの稼動で中心軸を稼動回転することで発電機（6）回転し（5）に蓄電し、LEDを点灯させるこれら全ての構造と機能を特徴とする請求項１記載の用途別蓋付き攪拌器。
【請求項８】
マドラー動力部の多目的ヒートモータ（343に54を接続したもの）は前記用途別攪拌器の低温加熱用マドラータイプに最適で、（54）をマドラー先端部に格納した、その下部の本体部分にヒートモータを格納しており、その構造は茶筒形状の筒の中に、きつく入る大きさの軸先端部の約３分の１とコイル巻き部を削り、さらに先端部の軸の中心から深さ１０ｍｍの位置からL字に貫通させた穴を空けたコイル部からの配線口（435）設けた形状の電磁鋼製のヒートモータ用先端扇柱形コイル部軸（394）部分と、その先端部の反対側の形状に別に削りだした形状の先端部扇柱形コイル部固定部（395）の中心にヒートモータ接続軸（634）を固定したヒートモータ連結軸部（345）と、その下部の方を茶筒形状のヒートモータコイル部格納カバー（369）と、これにコイル部（368）を格納し、その上からヒートモータ連結軸部（345）で蓋をするようにセットしできた下部本体（342）部分とヒートモータ用先端扇柱形コイル部軸（394）コイルを巻きコイルの両端をコイル部からの配線口（435）からヒートモータ接続軸（634）の中を通して配線２本出して、そこから其々２分割した片方ずつを一緒に配線孔（376）を別々に通り、ヒートモータ内側コイル接触ヘッド−極（431）とヒートモータ内側コイル接触ヘッド＋極（436）に結線したコイル部からの配線部分と、厚みが0.1ｍｍから3ｃｍで、ケイ素鋼製の扇柱形磁力伝達部（404）を厚みが0.1ｍｍから3ｃｍの磁力伝達部固定部（396）を中心に３個等間隔に少し隙間をあけて樹脂で固めて作った磁力伝達部（367）の側面にヒートモータスクリューブレード（344）を４枚つけたヒートモータスクリューケース（372）に格納してできたヒートモータローター部（391）と、円筒形の容器の底にヒートモータ  コミテータ軸（501）の接続用の孔の開いた形状の側面を＋極用コミテータ片（502）と絶縁体コミテータ片（392）を交互に3枚ずつで形成した＋極用リングコミテータ（504）と、−極用コミテータ片（503）と絶縁体コミテータ片（392）を交互に3枚ずつで形成した−極用リングコミテータ（546）と、その底の面同士を接続したもの上から二周り小さい筒状の側面に＋極のコイル部コミテータ片（389）と絶縁体コミテータ片（392）交互に3枚ずつ張り付けけた部分を上から接続した部分と、今度は逆に下から二周り小さい筒状の側面に−極のコイル部コミテータ片（388）と絶縁体コミテータ片（392）を交互に3枚ずつ張り付けた部分を下から接続した部分からなるものに、ヒートモータ  コミテータ軸（501）を下から接続固定したヒートモータリング付コミテータ軸（463）の部分をヒートモータローター部（391）の中心に接続してできたヒートモータ稼動部（132）部分と、リング状のものに５５°から６５°の何れかの位置と305°から295°の何れかの位置の中心の両サイドにブラシ板バネ固定部（95）と、それにブラシ用板バネ（138）を湾曲セットし、その中央にブラシアーム（170）とその先端部にカーボンブラシ（137）である４段階リングベースのブラシの位置による名称であるヒートモータ内側コイル接触ヘッド＋極（436）からなる内側コイル接触ヘッド＋極リングベース（474）と、また同形状でリングベースのブラシの位置による名称がaVの電流用＋極用ブラシ（339）と（338）である＋極用ブラシリングベース（475）と、また同形状でリングベースのブラシの位置による名称がaV三倍の電流用−極用ブラシ（340）と（341）である−極用ブラシリングベース（476）と、また同形状でリングベースのブラシの位置による名称が内側コイル接触ヘッド−極（431）である内側コイル接触ヘッド−極リングベース（477）の各リングベース部と、筒状の上部に動作確認ランプ部接続部（299）と配線孔（167）を持つ蓋で閉じ、反対側の孔より2割奥の位置にヒートモータ連結軸部（345）接続用の孔の内周面に螺設部と配線孔（376）を2つ持つマグネット格納本体部連結軸固定部（398）と、各リングベース部を順番に接続固定し、その下に扇形状のマグネット（37）極性を変えて対角線上に配置し、円形を形成するように樹脂で固めたヒートモータ用マグネット部（348）を固定したのが上部本体（347）の部分と、上記のコイル部から来る配線とは別に市販のPICモータ制御装置（50）の配線（373）が、本体上部の配線孔（167）から入り、２つの配線孔（376）からaVの三倍＋極の配線（407）とaVの三倍−極の配線（406）がaV−極の配線（408）とaV＋極の配線（409）がそれぞれ入り、aVの三倍＋極の配線（407）はaV三倍の電流用＋極用ブラシ（338）へ、aVの三倍−極の配線（406）はaV三倍の電流用−極用ブラシ（340）へ、aV−極の配線（408）はaVの電流用−極用ブラシ（341）へ、aV＋極の配線（409）はaVの電流用＋極用ブラシ（339）へ、それぞれ接続されるこれら全ての構造と機能を特徴とする請求項１記載の用途別蓋付き攪拌器。
【手続補正書】
【提出日】平成25年10月17日(2013.10.17)
【手続補正１】
【補正対象書類名】明細書
【補正対象項目名】０１１３
【補正方法】変更
【補正の内容】
【０１１３】
図９gの稼動行程は、市販のPICモータ制御装置（50）使いaVの＋極の配線に＋極用接触ヘッド２（339）とaVの−極の配線に−極用接触ヘッド４（341）とaVの三倍＋極の配線に＋極用接触ヘッド1（338）とaVの三倍−極の配線に−極用接触ヘッド３（340）にそれぞれ接続し、次に約６分の１の接触金具を一つ置きに３つ取り除いた構造で、交互に等間隔に配置され、対角線上の金具はない状態と有る状態の位置に配置された接触ヘッド１（338）と接触ヘッド２（339）の＋極用接触金具部と接触ヘッド３（340）と４（341）の−極用接触金具部により、従来のモータと違い二種類＋極の電流のON/OFFを交互に行っているのと同時に＋極用接触金具部（338か339）と同じもので同じタイミングで、−極用接触金具部（340か341）でもON/OFFすることで、次のように接触ヘッド１（338）とHTM＋極用接触金具（486）を介しヒートモータ内側コイル接触ヘッド＋極（436）の左と接続し、接触ヘッド３（340）とHTM−極用接触金具（487）を介しヒートモータ内側コイル接触ヘッド−極（431）の左と接続されコイル部（368）の軸先端部磁力（410）が、扇柱形磁力伝達部（367）の磁力aの３倍S極なり、そのときの側面が磁石の磁力aの２倍S極で反発移動し、次に接触ヘッド２（339）とHTM＋極用接触金具（486）を介しヒートモータ内側コイル接触ヘッド＋極（436）の右と接続し、と接触ヘッド４（341）とHTM−極用接触金具（487）を介しヒートモータ内側コイル接触ヘッド−極（431）の右と接続されコイル部（368）の軸先端部磁力により扇柱形磁力伝達部（367）の磁力がaのS極なり、そのときの反対側の側面が磁石（348）の磁力aの２倍N極（443）で引き合い移動し、これを３回繰り返すことで回転を作るもので、その他の蓋タイプ（平型モータ・平型蒸気モータ・円盤型蒸気エンジン）と組み合わせて使用もできる。
【手続補正２】
【補正対象書類名】実用新案登録請求の範囲
【補正対象項目名】請求項２
【補正方法】変更
【補正の内容】
【請求項２】
蓋動力部の多目的平型モータ（６1）は、従来のモータのシャフト部を円筒形のシャフト管内部ゴム加工（９４）の内側表面ゴム加工した部分と、コア本体部である（８９）にケイ素鋼製の平型モーターコイル部軸上先端部（171）３個と、平たい穴の開いた円柱形のケイ素鋼製の平型モータコイル部軸中央先端部（172）を置いた部分と、電磁鋼製の扇形状延長板（８８）の３つを螺設してできた平型モータコイル部延長部付き（３２４）と、本体着脱の平型モータマグネット蓋（91）に内装した平型モータ用マグネット部（８６）を特徴とするこれら全ての構造と機能を特徴とする請求項１記載の用途別蓋付き攪拌器。
【手続補正３】
【補正対象書類名】実用新案登録請求の範囲
【補正対象項目名】請求項５
【補正方法】変更
【補正の内容】
【請求項５】
マドラー動力部の多目的軸型YU字軸モータ内蔵用途別攪拌器の冷却用マドラータイプに最適な軸型YU字軸モータ内臓ファン付きマドラータイプ攪拌器（127に54と117か104を接続したもの）の構造は、ケイ素鋼製のU字の軸部（250）にコイルを巻きつけて、その先端部に電磁鋼製のU字コイル部扇形状先端部（249）を取り付け、これをステンレス製のU字コイル固定部（255）に挟んで格納することで本体に固定し、そこからコイルの配線が軸型YU字軸モータのケース（462）の配線溝（168）を通り、スイッチの真上の頭頂部より外部に出て制御装置（50）に接続したU字コイル部（221）の第１ブロック（282）部分と、軸型YU字軸モータの可動管（232）に扇柱のマグネット部（505）を上下に挟み、それを固定するためのリング状のギアで歯が左に寝た形状のステンレス製のワンウェイギア左回転用（290）を磁石部本体中央に固定し、その位置にあたる本体側の面に軸型YU字軸モータのワンウェイギア用逆戻り防止つめ（234）を設け、先程の軸型YU字軸モータの磁石部（222）のワンウェイギア左回転用（290）のギア凸部に軸型YU字軸モータの磁石部受（159）をセットした構造のスクリュー稼動時のロータである軸型YU字軸モータの磁石部（222）の第２ブロック（283）部分と、Y字軸部稼動軸口（297）の穴が中央に開いたケイ素鋼製のY字軸（244）を折り曲げ位置（243）で３本平行に折り曲げてできたY字コイル部軸（246）の３つの先端にケイ素鋼製のY字コイル部扇形状先端部（248）を取り付け、これにコイルを巻き、その後ろにワンウェイギア右回転用（247）とラチェット機構により一方向に回転するマグネット部のワンウェイギアマグネット部（506）とY字コイル部可動軸（245）順番に接続し、次にY字コイル部可動軸（245）にシングル用切り替えスイッチ（466）を通し、スライド半固定部（161）の突起先端シングル用切り替えスイッチ（466）受け形状により、スライド回転可能にした部分と、また先程のY字コイル部可動軸（245）にダブル用切り替えスイッチ（239）を通し、Wスイッチ半固定部（162）の突起先端ダブル用切り替えスイッチ（239）受け形状により、スライド可能にした部分と、つぎに接触金具部２枚部（414）と、接触金具部3枚部（413）をY字コイル部可動軸（245）の端に固定した部分と、接触金具部２枚部（414）の位置にリングの内側から伸びる板バネ・アーム・金属ブラシが順番に接続されたのが対角線上より伸びた構造のY字コイル部W用金属ブラシベースリング（135）と、接触金具部3枚部（413）の位置にリングの内側から伸びる板バネ・アーム・金属ブラシが順番に接続されたのが対角線上より伸びたのとそれより１段上からも同じ様に均等な位置３箇所から伸びたY字コイル部金属ブラシ3・２ベースリング（134） からなる部分と、 シングル巻線（467）の左右の配線がシングル用切り替えスイッチ（466）のスライド移動に関係なく接触通電可能と、シングル用切り替えスイッチ（466）のスライド移動により切り替え後シングル時のモータ制御配線（451）の時には接触通電可能なY字シングルコイル部金属ブラシ１からシングル巻線１（153）からY字シングルコイル部金属ブラシ（464）とY字シングルコイル部金属ブラシ２からシングル巻線２（152）からもう一方のシングル用切り替えスイッチ（466）へ行く配線部分と、これの相手方の接触金具部２���部（414）の両サイドから市販のPICモータ制御装置（５０）へ伸びる制御装置から軸型YU字軸モータの２枚部コミテータ壱（118）と、制御装置から軸型YU字軸モータの２枚部コミテータ２（136）の部分と、ダブル巻線１（468）から（239）へ行く、左配線ダブル用切り替えスイッチ2からダブル巻線１（154）と、隣のダブル巻線２（103）への配線のWコイル間配線（461）と、その中間位置から接触金具部3枚部（413）へ伸びる軸型YU字軸モータの 3枚部コミテータ2からダブルコイル１と２間（114）と、ダブル巻線２（103）の右配線からダブル用切り替えスイッチ（239）のダブルスイッチ内外固定金具１（470）に伸びるダブル用切り替えスイッチ１からダブル巻線２（155）と、ダブル用切り替えスイッチ（239）のダブルスイッチ内外固定金具１（４７０）から接触金具部3枚部（４１３）一つへ行く軸型YU字軸モータの3枚部コミテータ１からダブル用切り替えスイッチ1（116）と、ダブル用切り替えスイッチ（239）のダブルスイッチ内外固定金具２（473）から別の接触金具部3枚部（413）へ行く軸型YU字軸モータの3枚部コミテータ3からダブル用切り替えスイッチ2（115）と、ダブルコイル部用金属ブラシ（291）のそれぞれ別に制御装置から軸型YU字軸モータの3枚部コミテータ１（111）・制御装置から軸型YU字軸モータの3枚部コミテータ2（112）・制御装置から軸型YU字軸モータの3枚部コミテータ3（113）３つ（50）へ行く部分と、ファン稼動時の接触ヘッド（465）の制御装置からファン稼動時の軸型YU字軸モータの金属ブラシ１（148）と、制御装置からファン稼動時の軸型YU字軸モータの金属ブラシ２（151）が市販のPICモータ制御装置（50）伸びるこれら全ての配線部分と、軸型YU字軸モータのケース（462）よりも１mm大きいの穴の開いたプロペラ部マグネット  （412）を納めた磁石部のプロペラ接続部上部（186）とべアリング（188）に固定するため内側をゴム加工したプロペラ接続部下部（187）を接続し、その両端にプロペラのハネを２枚つけたものがファン用プロペラ（184）からなる部分と、軸型YU字軸モータの磁石部（２２２）の軸型YU字軸モータの可動管（232）に軸型YU字軸モータのシャフト（169）を接続し、軸型YU字軸モータのU字コイル磁極部（221）のU字磁極コア軸部稼動軸口（298）を通し本体軸型YU字軸モータのケース（462）の底部に蓋をするように軸型YU字軸モータの可動接続部（125）を回転可能に保持したものに（169）を接続した部分からなるこれら全ての構造と機能を特徴とする請求項１記載の用途別蓋とマドラー付き攪拌器。